(57)【要約】第１のベースバンド信号と第２のベースバンド信号とに対してプリコーディング処理を施して第１のプリコーディング信号と第２のプリコーディング信号とを生成し、第１のプリコーディング信号に対してパイロット信号を挿入し、第２のプリコーディング信号に対して位相変更を施し、その位相変更が施された第２のプリコーディング信号に対してパイロット信号を挿入し、そのパイロット信号を挿入された位相変更後の第２のプリコーディング信号に対してさらに位相変更を行う。
2017187953.tif 000002
【特許請求の範囲】
【請求項１】
第１のベースバンド信号と第２のベースバンド信号とに対してプリコーディング処理を施して第１のプリコーディング信号と第２のプリコーディング信号とを生成する重み付け合成部と、
前記第１のプリコーディング信号に対してパイロット信号を挿入する第１のパイロット挿入部と、
前記第２のプリコーディング信号に対して位相変更を施す第１の位相変更部と、
前記第１の位相変更部によって位相変更が施された第２のプリコーディング信号に対してパイロット信号を挿入する第２のパイロット挿入部と、
前記第２のパイロット挿入部によってパイロット信号を挿入された位相変更後の前記第２のプリコーディング信号に対してさらに位相変更を施す第２の位相変更部と、
を備える送信装置。
【請求項２】
前記第１の位相変更部は、前記第１のベースバンド信号と前記第２のベースバンド信号とが同一の場合と異なる場合とで、位相変更の周期の設定を変える、
請求項１に記載の送信装置。
【請求項３】
第１のベースバンド信号と第２のベースバンド信号とに対してプリコーディング処理を施して第１のプリコーディング信号と第２のプリコーディング信号とを生成し、
前記第１のプリコーディング信号に対してパイロット信号を挿入し、
前記第２のプリコーディング信号に対して位相変更を施し、
位相変更が施された第２のプリコーディング信号に対してパイロット信号を挿入し、
パイロット信号を挿入された位相変更後の第２のプリコーディング信号に対してさらに位相変更を施す、
送信方法。
【発明の詳細な説明】
【技術分野】
【０００１】
本開示は、マルチアンテナを用いた通信を行う送信装置および送信方法に関する。
【背景技術】
【０００２】
直接波が支配的なＬＯＳ（Line of Sight）環境において、マルチアンテナを用いた通信方法として、例えばＭＩＭＯ（Ｍｕｌｔｉｐｌｅ−Ｉｎｐｕｔ  Ｍｕｌｔｉｐｌｅ−Ｏｕｔｐｕｔ）と呼ばれる通信方法がある。これは、良好な受信品質を得るための送信方法として、非特許文献１に記載されている方式である。【０００３】
図１７は、非特許文献１に記載されている、送信アンテナ数が２、送信変調信号（送信ストリーム）数が２のときの、ＤＶＢ−ＮＧＨ（Digital Video Broadcasting − Next Generation Handheld）規格に基づいた送信装置の構成の一例を示している。送信装置では、符号化部００２により符号化されたデータ００３が、分配部００４により、データ００５Ａ、データ００５Ｂに分けられる。データ００５Ａは、インタリーバ００４Ａにより、インタリーブの処理、マッピング部００６Ａにより、マッピングの処理が施される。同様に、データ００５Ｂは、インタリーバ００４Ｂにより、インタリーブの処理、マッピング部００６Ｂにより、マッピングの処理が施される。重み付け合成部００８Ａ、００８Ｂは、マッピング後の信号００７Ａ、００７Ｂを入力とし、それぞれ重み付け合成を行い、重み付け合成後の信号００９Ａ、０１６Ｂが生成される。重み付け合成後の信号０１６Ｂは、その後、位相変更が行われる。そして、無線部０１０Ａ、０１０Ｂにより、例えば、ＯＦＤＭ（orthogonal frequency division multiplexing）に関連する処理、周波数変換、増幅などの処理が行われ、アンテナ０１２Ａから送信信号０１１Ａ、アンテナ０１２Ｂから送信信号０１１Ｂが送信される。
【先行技術文献】
【非特許文献】
【０００４】
【非特許文献１】“MIMO for DVB-NGH, the next generation mobile TV broadcasting,” IEEE Commun. Mag., vol.57, no.7, pp.130-137, July 2013.
【非特許文献２】“Standard conformable antenna diversity techniques for OFDM and its application to the DVB-T system,” IEEE Globecom 2001,pp.3100-3105, Nov. 2001.
【非特許文献３】IEEE P802.11n(D3.00) Draft STANDARD for Information Technology-Telecommunications and information exchange between systems-Local and metropolitan area networks-Specific requirements-Part11: Wireless LAN Medium Access Control (MAC) and Physical Layer (PHY) specifications, 2007.
【発明の概要】
【０００５】
しかし、従来の構成では、シングルストリームの信号を送信する場合が考慮されていない。そのため、シングルストリームのデータの受信品質を向上させるための送信方法の詳細については検討されていない。
【０００６】
本開示は、ＯＦＤＭ方式のようなマルチキャリア伝送方式を用いたときにも、シングルストリームの信号と複数のストリームの信号をあわせて送信する場合の送信装置および送信方法に関する。本開示の一態様は、シングルストリームのデータの受信品質を向上させるとともに、ＬＯＳ（line-of sight）を含む伝播環境において複数ストリームのデータの受信品質を向上させることができる。
【０００７】
本開示に係る送信装置は、第１のベースバンド信号と第２のベースバンド信号とに対してプリコーディング処理を施して第１のプリコーディング信号と第２のプリコーディング信号とを生成する重み付け合成部と、前記第１のプリコーディング信号に対してパイロット信号を挿入する第１のパイロット挿入部と、前記第２のプリコーディング信号に対して位相変更を施す第１の位相変更部と、前記第１の位相変更部によって位相変更が施された第２のプリコーディング信号に対してパイロット信号を挿入する第２のパイロット挿入部と、前記第２のパイロット挿入部によってパイロット信号を挿入された位相変更後の第２のプリコーディング信号に対してさらに位相変更を施す第２の位相変更部と、を備える。
【０００８】
本開示に係る送信方法は、第１のベースバンド信号と第２のベースバンド信号とに対してプリコーディング処理を施して第１のプリコーディング信号と第２のプリコーディング信号とを生成し、前記第１のプリコーディング信号に対してパイロット信号を挿入し、前記第２のプリコーディング信号に対して位相変更を施し、位相変更が施された第２のプリコーディング信号に対してパイロット信号を挿入し、パイロット信号を挿入された位相変更後の第２のプリコーディング信号に対してさらに位相変更を施す。
【０００９】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００１０】
本開示の送信装置は、シングルストリームのデータの受信品質を向上させるとともに、ＬＯＳ（line-of sight）を含む伝播環境において複数ストリームのデータの受信品質を向上させることができる。
【図面の簡単な説明】
【００１１】
【図１】本実施の形態における送信装置の一構成例を示す図。
【図２】図１の信号処理部の一構成例を示す図。
【図３】図１の無線部の一構成例を示す図。
【図４】図１の送信信号の一フレーム構成例を示す図。
【図５】図１の送信信号の一フレーム構成例を示す図。
【図６】図２の制御情報生成に関する部分の一構成例を示す図。
【図７】図１のアンテナ部の一構成例を示す図。
【図８】本実施の形態における受信装置の一構成例を示す図。
【図９】送信装置と受信装置の関係を示す図を示す図。
【図１０】図８のアンテナ部の一構成例を示す図。
【図１１】図５のフレームの一部を示す図。
【図１２】図１のマッピング部で使用する変調方式の例を示す図。
【図１３】図１の送信信号の一フレーム構成例を示す図。
【図１４】図１の送信信号の一フレーム構成例を示す図。
【図１５】ＣＣＤを用いた時の一構成例を示す図。
【図１６】ＯＦＤＭを用いたときの一キャリア配置例を示す図。
【図１７】ＤＶＢ−ＮＧＨ規格に基づいた送信装置の一構成例を示す図。
【図１８】図１の信号処理部の一構成例を示す図。
【図１９】図１の信号処理部の一構成例を示す図。
【図２０】図１の信号処理部の一構成例を示す図。
【図２１】図１の信号処理部の一構成例を示す図。
【図２２】図１の信号処理部の一構成例を示す図。
【図２３】基地局の一構成例を示す図。
【図２４】端末の一構成例を示す図。
【図２５】変調信号のフレーム構成例を示す図。
【図２６】基地局と端末の一通信例を示す図。
【図２７】基地局と端末の一通信例を示す図。
【図２８】図１の信号処理部の一構成例を示す図。
【図２９】図１の信号処理部の一構成例を示す図。
【図３０】図１の信号処理部の一構成例を示す図。
【図３１】図１の信号処理部の一構成例を示す図。
【図３２】図１の信号処理部の一構成例を示す図。
【図３３】図１の信号処理部の一構成例を示す図。
【図３４】図２５のデータシンボルが伝送される領域の一構成例を示す図。
【図３５】図２５のプリアンブルの一構成例を示す図。
【図３６】ＳＴＦおよびＣＥＦの一構成例を示す図。
【図３７】ＳＴＦおよびＣＥＦの別の構成例を示す図。
【図３８】位相変更を行わなかった場合のスペクトルの例を示す図。
【図３９】位相変更を行った場合のスペクトルの例を示す図。
【図４０】図１の変調信号の一フレーム構成例を示す図。
【図４１】図１の変調信号の一フレーム構成例を示す図。
【図４２】図１の変調信号の一フレーム構成例を示す図。
【図４３】図１の変調信号の一フレーム構成例を示す図。
【図４４】図１の信号処理部の一構成例を示す図。
【図４５】図１の信号処理部の一構成例を示す図。
【図４６】図１の信号処理部の一構成例を示す図。
【図４７】図１の信号処理部の一構成例を示す図。
【図４８】図１の信号処理部の一構成例を示す図。
【図４９】図１の信号処理部の一構成例を示す図。
【図５０】図１の信号処理部の一構成例を示す図。
【図５１】図１の信号処理部の一構成例を示す図。
【図５２】図１の信号処理部の一構成例を示す図。
【図５３】図１の信号処理部の一構成例を示す図。
【図５４】図１の信号処理部の一構成例を示す図。
【図５５】図１の信号処理部の一構成例を示す図。
【図５６】図１の信号処理部の一構成例を示す図。
【図５７】図１の信号処理部の一構成例を示す図。
【図５８】図１の信号処理部の一構成例を示す図。
【図５９】図１の信号処理部の一構成例を示す図。
【図６０】第１信号処理部の一構成例を示す図。
【図６１】第２信号処理部の一構成例を示す図。
【発明を実施するための形態】
【００１２】
以下、本開示の実施の形態について図面を参照して詳細に説明する。
【００１３】
（実施の形態１）
本実施の形態の送信方法、送信装置、受信方法、受信装置について詳しく説明する。
【００１４】
図１に、本実施の形態における例えば、基地局、アクセスポイント、放送局等の送信装置の構成の一例を示す。誤り訂正符号化１０２は、データ１０１および制御信号１００を入力とし、制御信号１００に含まれる誤り訂正符号に関する情報（例えば、誤り訂正符号の情報、符号長（ブロック長）、符号化率）に基づき、誤り訂正符号化を行い、符号化データ１０３を出力する。なお、誤り訂正符号化部１０２は、インタリーバを具備していてもよく、インタリーバを具備していた場合、符号化後にデータの並び替えを行い、符号化データ１０３を出力してもよい。
【００１５】
マッピング部１０４は、符号化データ１０３、制御信号１００を入力とし、制御信号１００に含まれる変調信号の情報に基づき、変調方式に対応するマッピングを行い、マッピング後の信号（ベースバンド信号）１０５＿１、および、マッピング後の信号（ベースバンド信号）１０５＿２を出力する。なお、マッピング部１０４は、第１の系列を用いて、マッピング後の信号１０５＿１を生成し、第２の系列を用いて、マッピング後の信号１０５＿２を生成する。このとき、第１の系列と第２の系列は異なるものとする。
【００１６】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす（ｉはシンボル番号であり、例えば、ｉは０以上の整数とする）。なお、信号処理については、図２を用いて、後で説明する。
【００１７】
無線部１０７＿Ａは、信号処理後の信号１０６＿Ａ、制御信号１００を入力とし、制御信号１００に基づき、信号処理後の信号１０６＿Ａに対し、処理を施し、送信信号１０８＿Ａを出力する。そして、送信信号１０８＿Ａは、アンテナ部＃Ａ（１０９＿Ａ）から電波として出力される。
【００１８】
同様に、無線部１０７＿Ｂは、信号処理後の信号１０６＿Ｂ、制御信号１００を入力とし、制御信号１００に基づき、信号処理後の信号１０６＿Ｂに対し、処理を施し、送信信号１０８＿Ｂを出力する。そして、送信信号１０８＿Ｂは、アンテナ部＃Ｂ（１０９＿Ｂ）から電波として出力される。
【００１９】
アンテナ部＃Ａ（１０９＿Ａ）は、制御信号１００を入力としている。このとき、制御信号１００に基づいて、送信信号１０８＿Ａに対し処理を施し、電波として出力する。ただし、アンテナ部＃Ａ（１０９＿Ａ）は、制御信号１００を入力としなくてもよい。
【００２０】
同様に、アンテナ部＃Ｂ（１０９＿Ｂ）は、制御信号１００を入力としている。このとき、制御信号１００に基づいて、送信信号１０８＿Ｂに対し処理を施し、電波を出力する。ただし、アンテナ部＃Ｂ（１０９＿Ｂ）は、制御信号１００を入力としなくてもよい。
【００２１】
なお、制御信号１００は、図１の通信相手である装置が送信した情報に基づいて生成されたものであってもよいし、図１の装置は入力部を具備し、その入力部から入力された情報に基づいて生成されたものであってもよい。
【００２２】
図２は、図１における信号処理部１０６の構成の一例を示している。重み付け合成部（プリコーディング部）２０３はマッピング後の信号２０１Ａ（図１のマッピング後の信号１０５＿１に相当する）、および、マッピング後の信号２０１Ｂ（図１のマッピング後の信号１０５＿２に相当する）、および、制御信号２００（図１の制御信号１００に相当する）を入力とし、制御信号２００に基づいて重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１（ｔ）、重み付け後の信号２０４Ｂをｚ２’（ｔ）とあらわす。なお、ｔは一例として、時間とする。ｓ１（ｔ）、ｓ２（ｔ）、ｚ１（ｔ）、ｚ２’（ｔ）は複素数で定義されるものとする（したがって、実数であってもよい）。
【００２３】
重み付け合成部（プリコーディング部）２０３は、以下の演算を行う。
【００２４】
【数１】
2017187953.tif 000003
【００２５】
式（１）において、ａ、ｂ、ｃ、ｄは複素数を用いて定義できる。したがって、ａ、ｂ、ｃ、ｄは複素数で定義するものとするが、実数であってもよい。なお、ｉはシンボル番号とする。
【００２６】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義するものとする（実数であってもよい）。
【００２７】
位相変更部２０５Ｂの具体的動作について説明する。位相変更部２０５Ｂでは、例えば、ｚ２’（ｉ）に対しｙ（ｉ）の位相変更を施すものとする。したがって、ｚ２（ｉ）＝ｙ（ｉ）×ｚ２’（ｉ）とあらわすことができる（ｉはシンボル番号（ｉは０以上の整数とする））。
【００２８】
例えば、位相変更の値を以下のように設定する（Ｎは２以上の整数であり、Ｎは位相変更の周期となる）。Ｎは３以上の奇数に設定するとデータの受信品質が向上する可能性がある。
【００２９】
【数２】
2017187953.tif 000004
【００３０】
ｊは虚数単位である。ただし、式（２）は、あくまでも例であり、これに限ったものではない。そこで、位相変更値ｙ（ｉ）＝ｅｊ×δ（ｉ）であらわすものとする。
【００３１】
このときｚ１（ｉ）およびｚ２（ｉ）は次式であらわすことができる。
【００３２】
【数３】
2017187953.tif 000005
【００３３】
なお、δ（ｉ）は実数である。そして、ｚ１（ｉ）とｚ２（ｉ）は、同一時間、同一周波数（同一周波数帯）で、送信装置から送信される。
【００３４】
式（３）において、位相変更の値は、式（２）に限ったものではなく、例えば、周期的、規則的に位相を変更するような方法が考えられる。
【００３５】
式（１）および式（３）における（プリコーディング）行列を、
【００３６】
【数４】
2017187953.tif 000006
【００３７】
とする。例えば、行列Ｆは、以下のような行列を用いることが考えられる。
【００３８】
【数５】
2017187953.tif 000007
【００３９】
または、
【００４０】
【数６】
2017187953.tif 000008
【００４１】
または、
【００４２】
【数７】
2017187953.tif 000009
【００４３】
または、
【００４４】
【数８】
2017187953.tif 000010
【００４５】
または、
【００４６】
【数９】
2017187953.tif 000011
【００４７】
または、
【００４８】
【数１０】
2017187953.tif 000012
【００４９】
または、
【００５０】
【数１１】
2017187953.tif 000013
【００５１】
または、
【００５２】
【数１２】
2017187953.tif 000014
【００５３】
なお、式（５）、式（６）、式（７）、式（８）、式（９）、式（１０）、式（１１）、式（１２）において、αは実数であってもよいし、虚数であってもよく、βは実数であってもよいし、虚数であってもよい。ただし、αは０（ゼロ）ではない。そして、βも０（ゼロ）ではない。
【００５４】
または、
【００５５】
【数１３】
2017187953.tif 000015
【００５６】
または、
【００５７】
【数１４】
2017187953.tif 000016
【００５８】
または、
【００５９】
【数１５】
2017187953.tif 000017
【００６０】
または、
【００６１】
【数１６】
2017187953.tif 000018
【００６２】
または、
【００６３】
【数１７】
2017187953.tif 000019
【００６４】
または、
【００６５】
【数１８】
2017187953.tif 000020
【００６６】
または、
【００６７】
【数１９】
2017187953.tif 000021
【００６８】
または、
【００６９】
【数２０】
2017187953.tif 000022
【００７０】
なお、式（１３）、式（１５）、式（１７）、式（１９）において、βは実数であってもよいし、虚数であってもよい。ただし、βは０（ゼロ）ではない（θは実数）。
【００７１】
または、
【００７２】
【数２１】
2017187953.tif 000023
【００７３】
または、
【００７４】
【数２２】
2017187953.tif 000024
【００７５】
または、
【００７６】
【数２３】
2017187953.tif 000025
【００７７】
または、
【００７８】
【数２４】
2017187953.tif 000026
【００７９】
または、
【００８０】
【数２５】
2017187953.tif 000027
【００８１】
または、
【００８２】
【数２６】
2017187953.tif 000028
【００８３】
または、
【００８４】
【数２７】
2017187953.tif 000029
【００８５】
または、
【００８６】
【数２８】
2017187953.tif 000030
【００８７】
または、
【００８８】
【数２９】
2017187953.tif 000031
【００８９】
または、
【００９０】
【数３０】
2017187953.tif 000032
【００９１】
または、
【００９２】
【数３１】
2017187953.tif 000033
【００９３】
または、
【００９４】
【数３２】
2017187953.tif 000034
【００９５】
ただし、θ１１（ｉ）、θ２１（ｉ）、λ（ｉ）はｉの（シンボル番号の）関数であり（実数）、λは例えば固定の値であり（実数）（固定値でなくてもよい）、αは実数であってもよいし、虚数であってもよく、βは実数であってもよいし、虚数であってもよい。ただし、αは０（ゼロ）ではない。そして、βも０（ゼロ）ではない。また、θ１１、θ２１は実数である。
【００９６】
また、これら以外のプリコーディング行列を用いても、本明細書の各実施の形態を実施することが可能である。
【００９７】
または、
【００９８】
【数３３】
2017187953.tif 000035
【００９９】
または、
【０１００】
【数３４】
2017187953.tif 000036
【０１０１】
または、
【０１０２】
【数３５】
2017187953.tif 000037
【０１０３】
または、
【０１０４】
【数３６】
2017187953.tif 000038
【０１０５】
なお、式（３４）、式（３６）のβは実数であってもよいし、虚数であってもよい。ただし、βも０（ゼロ）ではない。
【０１０６】
挿入部２０７Ａは、重み付け合成後の信号２０４Ａ、パイロットシンボル信号（ｐａ（ｔ））（ｔ：時間）（２５１Ａ）、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。
【０１０７】
同様に、挿入部２０７Ｂは、位相変更後の信号２０６Ｂ、パイロットシンボル信号（ｐｂ（ｔ）（２５１Ｂ）、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０１０８】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅｊ×ε（ｉ）×ｘ’（ｉ）とあらわすことができる（ｊは虚数単位）。
【０１０９】
なお、後で説明するが、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。データシンボル、パイロットシンボル、制御情報シンボルなどに対し位相変更を施す。
【０１１０】
図３は、図１の無線部１０７＿Ａおよび１０７＿Ｂの構成の一例である。シリアルパラレル変換部３０２は、信号３０１、および、制御信号３００（図１の制御信号１００に相当する）を入力とし、制御信号３００に基づき、シリアルパラレル変換を行い、シリアルパラレル変換後の信号３０３を出力する。
【０１１１】
逆フーリエ変換部３０４は、シリアルパラレル変換後の信号３０３、および、制御信号３００を入力とし、制御信号３００に基づいて、逆フーリエ変換（例えば、逆高速フーリエ変換（ＩＦＦＴ：Inverse Fast Fourier Transform））を施し、逆フーリエ変換後の信号３０５を出力する。
【０１１２】
処理部３０６は、逆フーリエ変換後の信号３０５、制御信号３００を入力とし、制御信号３００に基づき、周波数変換、増幅等の処理を施し、変調信号３０７を出力する。
【０１１３】
例えば、信号３０１を図１の信号処理後の信号１０６＿Ａとした場合、変調信号３０７は図１の送信信号１０８＿Ａに相当する。また、信号３０１を図１の信号処理後の信号１０６＿Ｂとした場合、変調信号３０７は図１の送信信号１０８＿Ｂに相当する。
【０１１４】
図４は、図１の送信信号１０８＿Ａのフレーム構成である。図４において、横軸周波数（キャリア）、縦軸時間である。ＯＦＤＭなどのマルチキャリア伝送方式を用いているため、キャリア方向にシンボルが存在している。そして、図４では、キャリア１からキャリア３６のシンボルを示している。また、図４では、時刻＄１から時刻＄１１のシンボルを示している。
【０１１５】
図４の４０１はパイロットシンボル（図２のパイロット信号２５１Ａ（ｐａ（ｔ）に相当する。））、４０２はデータシンボル、４０３はその他のシンボルを示している。このとき、パイロットシンボルは、例えば、ＰＳＫ（Phase Shift Keying）のシンボルであり、このフレームを受信する受信装置がチャネル推定（伝搬路変動の推定）、周波数オフセット・位相変動の推定を行うためのシンボルであり、例えば、図１の送信装置と、図４のフレームを受信する受信装置がパイロットシンボルの送信方法を共有しているとよい。
【０１１６】
ところで、マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。なお、この点は、以降の説明でも同様であるものとする。
【０１１７】
データシンボル４０２は、図２による信号処理で生成したベースバンド信号２０８Ａに相当するシンボルであり、したがって、データシンボル４０２は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まる。
【０１１８】
その他のシンボル４０３は、図２におけるプリアンブル信号２４２、および、制御情報シンボル信号２５３に相当するシンボルであるものとする。ただし、その他のシンボルが、プリアンブル、制御情報シンボル以外のシンボルを含んでいてもよい。このとき、プリアンブルは、（制御用の）データを伝送してもよいし、信号検出のためシンボル、周波数同期・時間同期を行うためのシンボル、チャネル推定のためのシンボル（伝搬路変動の推定を行うためのシンボル）などで構成されている。そして、制御情報シンボルは、図４のフレームを受信した受信装置が、データシンボルの復調及び復号を実現するための制御情報を含んだシンボルとなる。
【０１１９】
例えば、図４における時刻＄１から時刻＄４のキャリア１からキャリア３６は、その他のシンボル４０３となる。そして、時刻＄５のキャリア１からキャリア１１はデータシンボル４０２となる。以降、時刻＄５のキャリア１２はパイロットシンボル４０１となり、時刻＄５のキャリア１３からキャリア２３はデータシンボル４０２となり、時刻＄５のキャリア２４はパイロットシンボル４０１となり、・・・、時刻＄６のキャリア１・キャリア２はデータシンボル４０２となり、時刻＄６のキャリア３はパイロットシンボル４０１となり、・・・、時刻＄１１のキャリア３０はパイロットシンボル４０１となり、時刻＄１１のキャリア３１からキャリア３６はデータシンボル４０２となる。
【０１２０】
図５は、図１の送信信号１０８＿Ｂのフレーム構成である。図５において、横軸は周波数（キャリア）、縦軸は時間である。ＯＦＤＭなどのマルチキャリア伝送方式を用いているため、キャリア方向にシンボルが存在している。そして、図５では、キャリア１からキャリア３６のシンボルを示している。また、図５では、時刻＄１から時刻＄１１のシンボルを示している。
【０１２１】
図５の５０１はパイロットシンボル（図２のパイロット信号２５１Ｂ（ｐｂ（ｔ）に相当する））、５０２はデータシンボル、５０３はその他のシンボルを示している。このとき、パイロットシンボルは、例えば、ＰＳＫのシンボルであり、このフレームを受信する受信装置がチャネル推定（伝搬路変動の推定）、周波数オフセット・位相変動の推定を行うためのシンボルであり、例えば、図１の送信装置と、図５のフレームを受信する受信装置がパイロットシンボルの送信方法を共有しているとよい。
【０１２２】
データシンボル５０２は、図２による信号処理で生成したベースバンド信号２０８Ｂに相当するシンボルであり、したがって、データシンボル５０２は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まる。
【０１２３】
その他のシンボル５０３は、図２におけるプリアンブル信号２５２、および、制御情報シンボル信号２５３に相当するシンボルであるものとする。ただし、その他のシンボルが、プリアンブル、制御情報シンボル以外のシンボルを含んでいてもよい。このとき、プリアンブルは（制御用の）データを伝送してもよいし、信号検出のためのシンボル、周波数同期・時間同期を行うためのシンボル、チャネル推定のためのシンボル（伝搬路変動の推定を行うためのシンボル）などで構成されている。そして、制御情報シンボルは、図５のフレームを受信した受信装置がデータシンボルの復調及び復号を実現するための制御情報を含んだシンボルとなる。
【０１２４】
例えば、図５における時刻＄１から時刻＄４のキャリア１からキャリア３６は、その他のシンボル４０３となる。そして、時刻＄５のキャリア１からキャリア１１はデータシンボル４０２となる。以降、時刻＄５のキャリア１２はパイロットシンボル４０１となり、時刻＄５のキャリア１３からキャリア２３はデータシンボル４０２となり、時刻＄５のキャリア２４はパイロットシンボル４０１となり、・・・、時刻＄６のキャリア１・キャリア２はデータシンボル４０２となり、時刻＄６のキャリア３はパイロットシンボル４０１となり、・・・、時刻＄１１のキャリア３０はパイロットシンボル４０１となり、時刻＄１１のキャリア３１からキャリア３６はデータシンボル４０２となる。
【０１２５】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０１２６】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０１２７】
なお、図４のフレームと図５のフレームを受信装置は同時に受信することを想定しているが、図４のフレームのみ、または、図５のフレームのみを受信しても受信装置は送信装置が送信したデータを得ることは可能である。
【０１２８】
図６は、図２の制御情報シンボル信号２５３を生成するための制御情報生成に関する部分の構成の一例を示している。
【０１２９】
制御情報用マッピング部６０２は、制御情報に関するデータ６０１、制御信号６００を入力とし、制御信号６００に基づいた変調方式で、制御情報に関するデータ６０１に対し、マッピングを施し、制御情報用マッピング後の信号６０３を出力する。なお、制御情報用マッピング後の信号６０３は、図２の制御情報シンボル信号２５３に相当する。
【０１３０】
図７は、図１のアンテナ部＃Ａ（１０９＿Ａ）、アンテナ部＃Ｂ（１０９＿Ｂ）の構成の一例を示している。これは、アンテナ部＃Ａ（１０９＿Ａ）、アンテナ部＃Ｂ（１０９＿Ｂ）が複数のアンテナで構成されている例である。
【０１３１】
分配部７０２は、送信信号７０１を入力とし、分配を行い、送信信号７０３＿１、７０３＿２、７０３＿３、７０３＿４を出力する。
【０１３２】
乗算部７０４＿１は、送信信号７０３＿１、および、制御信号７００を入力とし、制御信号７００に含まれる乗算係数の情報に基づき、送信信号７０３＿１に乗算係数を乗算し、乗算後の信号７０５＿１を出力し、乗算後の信号７０５＿１は、電波としてアンテナ７０６＿１から出力される。
【０１３３】
送信信号７０３＿１をＴｘ１（ｔ）（ｔ：時間）、乗算係数をＷ１（Ｗ１は複素数で定義することができ、したがって、実数であってもよい）とすると、乗算後の信号７０５＿１は、Ｔｘ１（ｔ）×Ｗ１とあらわされる。
【０１３４】
乗算部７０４＿２は、送信信号７０３＿２、および、制御信号７００を入力とし、制御信号７００に含まれる乗算係数の情報に基づき、送信信号７０３＿２に乗算係数を乗算し、乗算後の信号７０５＿２を出力し、乗算後の信号７０５＿２は、電波としてアンテナ７０６＿２から出力される。
【０１３５】
送信信号７０３＿２をＴｘ２（ｔ）、乗算係数をＷ２（Ｗ２は複素数で定義することができ、したがって、実数であってもよい）とすると、乗算後の信号７０５＿２は、Ｔｘ２（ｔ）×Ｗ２とあらわされる。
【０１３６】
乗算部７０４＿３は、送信信号７０３＿３、および、制御信号７００を入力とし、制御信号７００に含まれる乗算係数の情報に基づき、送信信号７０３＿３に乗算係数を乗算し、乗算後の信号７０５＿３を出力し、乗算後の信号７０５＿３は、電波としてアンテナ７０６＿３から出力される。
【０１３７】
送信信号７０３＿３をＴｘ３（ｔ）、乗算係数をＷ３（Ｗ３は複素数で定義することができ、したがって、実数であってもよい）とすると、乗算後の信号７０５＿３はＴｘ３（ｔ）×Ｗ３とあらわされる。
【０１３８】
乗算部７０４＿４は、送信信号７０３＿４、および、制御信号７００を入力とし、制御信号７００に含まれる乗算係数の情報に基づき、送信信号７０３＿４に乗算係数を乗算し、乗算後の信号７０５＿４を出力し、乗算後の信号７０５＿４は、電波としてアンテナ７０６＿４から出力される。
【０１３９】
送信信号７０３＿４をＴｘ４（ｔ）、乗算係数をＷ４（Ｗ４は複素数で定義することができ、したがって、実数であってもよい）とすると、乗算後の信号７０５＿４は、Ｔｘ４（ｔ）×Ｗ４とあらわされる。
【０１４０】
なお、「Ｗ１の絶対値、Ｗ２の絶対値、Ｗ３の絶対値、Ｗ４の絶対値が等しく」てもよい。このとき、位相変更が行われたことに相当する。当然であるが、Ｗ１の絶対値、Ｗ２の絶対値、Ｗ３の絶対値、Ｗ４の絶対値は等しくなくてもよい。
【０１４１】
また、図７では、アンテナ部は、４本のアンテナ（および、４つの乗算部）で構成されている例で説明しているが、アンテナの本数は４に限ったものではなく、２本以上のアンテナで構成されていればよい。
【０１４２】
そして、図１のアンテナ部＃Ａ（１０９＿Ａ）の構成が図７のとき、送信信号７０１は図１の送信信号１０８＿Ａに相当する。また、図１のアンテナ部＃Ｂ（１０９＿Ｂ）の構成が図７のとき、送信信号７０１は図１の送信信号１０８＿Ｂに相当する。ただし、アンテナ部＃Ａ（１０９＿Ａ）およびアンテナ部＃Ｂ（１０９＿Ｂ）は、図７のような構成としなくてもよく、前にも記載したように、アンテナ部は、制御信号１００を入力としなくてもよい。
【０１４３】
図８は、図１の送信装置が例えば、図４、図５のフレーム構成の送信信号を送信したとき、その変調信号を受信する受信装置の構成の一例を示している。
【０１４４】
無線部８０３Ｘは、アンテナ部＃Ｘ（８０１Ｘ）で受信した受信信号８０２Ｘを入力とし、周波数変換、フーリエ変換等の処理を施し、ベースバンド信号８０４Ｘを出力する。
【０１４５】
同様に、無線部８０３Ｙは、アンテナ部＃Ｙ（８０１Ｙ）で受信した受信信号８０２Ｙを入力とし、周波数変換、フーリエ変換等の処理を施し、ベースバンド信号８０４Ｙを出力する。
【０１４６】
なお、アンテナ部＃Ｘ（８０１Ｘ）、および、アンテナ部＃Ｙ（８０１Ｙ）は、制御信号８１０を入力とする構成を図８では記載しているが、制御信号８１０を入力としない構成であってもよい。制御信号８１０が入力として存在するときの動作については、後で詳しく説明する。
【０１４７】
ところで、図９に送信装置と受信装置の関係を示している。図９のアンテナ９０１＿１、９０１＿２は送信アンテナであり、図９のアンテナ９０１＿１は図１のアンテナ部＃Ａ（１０９＿Ａ）に相当する。そして、図９のアンテナ９０１＿２は図１のアンテナ部＃Ｂ（１０９＿Ｂ）に相当する。
【０１４８】
そして、図９のアンテナ９０２＿１、９０２＿２は受信アンテナであり、図９のアンテナ９０２＿１は図８のアンテナ部＃Ｘ（８０１Ｘ）に相当する。そして、図９のアンテナ９０２＿２は図８のアンテナ部＃Ｙ（８０１Ｙ）に相当する。
【０１４９】
図９のように、送信アンテナ９０１＿１から送信する信号をｕ１（ｉ）、送信アンテナ９０１＿２から送信する信号をｕ２（ｉ）、受信アンテナ９０２＿１で受信する信号をｒ１（ｉ）、受信アンテナ９０２＿２で受信する信号をｒ２（ｉ）とする。なお、ｉはシンボル番号を示し、例えば、０以上の整数とする。
【０１５０】
そして、送信アンテナ９０１＿１から受信アンテナ９０２＿１への伝搬係数をｈ１１（ｉ）、送信アンテナ９０１＿１から受信アンテナ９０２＿２への伝搬係数をｈ２１（ｉ）、送信アンテナ９０１＿２から受信アンテナ９０２＿１への伝搬係数をｈ１２（ｉ）、送信アンテナ９０１＿２から受信アンテナ９０２＿２への伝搬係数をｈ２２（ｉ）とする。すると、以下の関係式が成立する。
【０１５１】
【数３７】
2017187953.tif 000039
【０１５２】
なお、ｎ１（ｉ）、ｎ２（ｉ）はノイズである。
【０１５３】
図８の変調信号ｕ１のチャネル推定部８０５＿１は、ベースバンド信号８０４Ｘを入力とし、図４、図５におけるプリアンブル、および／または、パイロットシンボルを用いて、変調信号ｕ１のチャネル推定、つまり、式（３７）のｈ１１（ｉ）を推定し、チャネル推定信号８０６＿１を出力する。
【０１５４】
変調信号ｕ２のチャネル推定部８０５＿２は、ベースバンド信号８０４Ｘを入力とし、図４、図５におけるプリアンブル、および／または、パイロットシンボルを用いて、変調信号ｕ２のチャネル推定、つまり、式（３７）のｈ１２（ｉ）を推定し、チャネル推定信号８０６＿２を出力する。
【０１５５】
変調信号ｕ１のチャネル推定部８０７＿１は、ベースバンド信号８０４Ｙを入力とし、図４、図５におけるプリアンブル、および／または、パイロットシンボルを用いて、変調信号ｕ１のチャネル推定、つまり、式（３７）のｈ２１（ｉ）を推定し、チャネル推定信号８０８＿１を出力する。
【０１５６】
変調信号ｕ２のチャネル推定部８０７＿２は、ベースバンド信号８０４Ｙを入力とし、図４、図５におけるプリアンブル、および／または、パイロットシンボルを用いて、変調信号う２のチャネル推定、つまり、式（３７）のｈ２２（ｉ）を推定し、チャネル推定信号８０８＿２を出力する。
【０１５７】
制御情報復号部８０９は、ベースバンド信号８０４Ｘ、８０４Ｙを入力とし、図４、図５における「その他のシンボル」に含まれる制御情報の復調及び復号を行い、制御情報を含んだ制御信号８１０を出力する。
【０１５８】
信号処理部８１１は、チャネル推定信号８０６＿１、８０６＿２、８０８＿１、８０８＿２、ベースバンド信号８０４Ｘ、８０４Ｙ、制御信号８１０を入力とし、式（３７）の関係を用い、また、制御信号８１０における制御情報（例えば、変調方式、誤り訂正符号関連の方式の情報）に基づいて、復調及び復号を行い、受信データ８１２を出力する。
【０１５９】
なお、制御信号８１０は、図８のような方法で生成したものではなくてもよい。例えば、図８の制御信号８１０は、図８の通信相手（図１）である装置が送信した情報に基づいて生成されたものであってもよいし、図８の装置は入力部を具備し、その入力部から入力された情報に基づいて生成されたものであってもよい。
【０１６０】
図１０は、図８のアンテナ部＃Ｘ（８０１Ｘ）、アンテナ部＃Ｙ（８０１Ｙ）の構成の一例を示している。これは、アンテナ部＃Ｘ（８０１Ｘ）、アンテナ部＃Ｙ（８０１Ｙ）が複数のアンテナで構成されている例である。
【０１６１】
乗算部１００３＿１は、アンテナ１００１＿１で受信した受信信号１００２＿１、制御信号１０００を入力とし、制御信号１０００に含まれる乗算係数の情報に基づき、受信信号１００２＿１に乗算係数を乗算し、乗算後の信号１００４＿１を出力する。
【０１６２】
受信信号１００２＿１をＲｘ１（ｔ）（ｔ：時間）、乗算係数をＤ１（Ｄ１は複素数で定義することができ、したがって、実数であってもよい）とすると、乗算後の信号１００４＿１は、Ｒｘ１（ｔ）×Ｄ１とあらわされる。
【０１６３】
乗算部１００３＿２は、アンテナ１００１＿２で受信した受信信号１００２＿２、制御信号１０００を入力とし、制御信号１０００に含まれる乗算係数の情報に基づき、受信信号１００２＿２に乗算係数を乗算し、乗算後の信号１００４＿２を出力する。
【０１６４】
受信信号１００２＿２をＲｘ２（ｔ）、乗算係数をＤ２（Ｄ２は複素数で定義することができ、したがって、実数であってもよい）とすると、乗算後の信号１００４＿２は、Ｒｘ２（ｔ）×Ｄ２とあらわされる。
【０１６５】
乗算部１００３＿３は、アンテナ１００１＿３で受信した受信信号１００２＿３、制御信号１０００を入力とし、制御信号１０００に含まれる乗算係数の情報に基づき、受信信号１００２＿３に乗算係数を乗算し、乗算後の信号１００４＿３を出力する。
【０１６６】
受信信号１００２＿３をＲｘ３（ｔ）、乗算係数をＤ３（Ｄ３は複素数で定義することができ、したがって、実数であってもよい）とすると、乗算後の信号１００４＿３は、Ｒｘ３（ｔ）×Ｄ３とあらわされる。
【０１６７】
乗算部１００３＿４は、アンテナ１００１＿４で受信した受信信号１００２＿４、制御信号１０００を入力とし、制御信号１０００に含まれる乗算係数の情報に基づき、受信信号１００２＿４に乗算係数を乗算し、乗算後の信号１００４＿４を出力する。
【０１６８】
受信信号１００２＿４をＲｘ４（ｔ）、乗算係数をＤ４（Ｄ４は複素数で定義することができ、したがって、実数であってもよい）とすると、乗算後の信号１００４＿４は、Ｒｘ４（ｔ）×Ｄ４とあらわされる。
【０１６９】
合成部１００５は、乗算後の信号１００４＿１、１００４＿２、１００４＿３、１００４＿４を入力とし、乗算後の信号１００４＿１、１００４＿２、１００４＿３、１００４＿４を合成し、合成後の信号１００６を出力する。なお、合成後の信号１００６は、Ｒｘ１（ｔ）×Ｄ１＋Ｒｘ２（ｔ）×Ｄ２＋Ｒｘ３（ｔ）×Ｄ３＋Ｒｘ４（ｔ）×Ｄ４とあらわされる。
【０１７０】
図１０では、アンテナ部は、４本のアンテナ（および、４つの乗算部）で構成される例で説明しているが、アンテナの本数は４に限ったものではなく、２本以上のアンテナで構成されていればよい。
【０１７１】
そして、図８のアンテナ部＃Ｘ（８０１Ｘ）の構成が図１０のとき、受信信号８０２Ｘは図１０の合成信号１００６に相当し、制御信号７１０は図１０の制御信号１０００に相当する。また、図８のアンテナ部＃Ｙ（８０１Ｙ）の構成が図１０のとき、受信信号８０２Ｙは図１０の合成信号１００６に相当し、制御信号７１０は図１０の制御信号１０００に相当する。ただし、アンテナ部＃Ｘ（８０１Ｘ）およびアンテナ部＃Ｙ（８０１Ｙ）は、図１０のような構成としなくてもよく、前にも記載したようにアンテナ部は、制御信号７１０を入力としなくてもよい。
【０１７２】
なお、制御信号８００は、通信相手である装置が送信した情報に基づいて生成されたものであってもよいし、装置は入力部を具備し、その入力部から入力された情報に基づいて生成されたものであってもよい。
【０１７３】
次に、図１のように送信装置の信号処理部１０６が、図２に示したように、位相変更部２０５Ｂと位相変更部２０９Ｂを挿入しているときの特徴と、そのときの効果について説明する。
【０１７４】
図４、図５を用いて説明したように、第１の系列を用いてマッピングすることによって得られたマッピング後の信号ｓ１（ｉ）（２０１Ａ）（ｉはシンボル番号であり、ｉは０以上の整数とする）と第２の系列を用いてマッピングすることによって得られたマッピング後の信号ｓ２（ｉ）（２０１Ｂ）に対し、プリコーディング（重み付け合成）を施し、得られた重み付け合成後の信号２０４Ａ、２０４Ｂのうちの一方に対して、位相変更を行っているのが、位相変更部２０５Ｂである。そして、重み付け合成後の信号２０４Ａと位相変更後の信号２０６Ｂは、同一周波数、同一時間に送信される。したがって、図４、図５において、図５のデータシンボル５０２に対して、位相変更を施す。図２の場合、位相変更部２０５Ｂは、重み付け合成後の信号２０４Ｂに対して施しているため、図５のデータシンボル５０２に対して位相変更を施している。重み付け合成後の信号２０４Ａに対して位相変更を施す場合は、図４のデータシンボル４０２に対して位相変更を施す。この点については、後で説明する。
【０１７５】
例えば、図１１は、図５のフレームに対し、キャリア１からキャリア５、時刻＄４から時刻＄６を抽出したものである。なお、図５と同様、５０１はパイロットシンボル、５０２はデータシンボル、５０３はその他のシンボルである。
【０１７６】
上述のように、図１１に示したシンボルにおいて、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルに対し、位相変更部２０５Ｂは位相変更を施す。
【０１７７】
よって、図１１に示したシンボルにおいて、（キャリア１、時刻＄５）のデータシンボルの位相変更値を「ｅｊ×δ１５（ｉ）」とし、（キャリア２、時刻＄５）のデータシンボルの位相変更値を「ｅｊ×δ２５（ｉ）」とし、（キャリア３、時刻＄５）のデータシンボルの位相変更値を「ｅｊ×δ３５（ｉ）」とし、（キャリア４、時刻＄５）のデータシンボルの位相変更値を「ｅｊ×δ４５（ｉ）」とし、（キャリア５、時刻＄５）のデータシンボルの位相変更値を「ｅｊ×δ５５（ｉ）」とし、（キャリア１、時刻＄６）のデータシンボルの位相変更値を「ｅｊ×δ１６（ｉ）」とし、（キャリア２、時刻＄６）のデータシンボルの位相変更値を「ｅｊ×δ２６（ｉ）」とし、（キャリア４、時刻＄６）のデータシンボルの位相変更値を「ｅｊ×δ４６（ｉ）」とし、（キャリア５、時刻＄６）のデータシンボルの位相変更値を「ｅｊ×δ５６（ｉ）」とする。
【０１７８】
一方、図１１に示したシンボルにおいて、（キャリア１、時刻＄４）のその他のシンボル、（キャリア２、時刻＄４）のその他のシンボル、（キャリア３、時刻＄４）のその他のシンボル、（キャリア４、時刻＄４）のその他のシンボル、（キャリア５、時刻＄４）のその他のシンボル、（キャリア３、時刻＄６）のパイロットシンボルは、位相変更部２０５Ｂの位相変更の対象ではない。
【０１７９】
この点が位相変更部２０５Ｂの特徴的な点である。なお、図１１における位相変更の対象である、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルと「同一キャリア、同一時刻」には、図４に示したように、データキャリアが配置されている。つまり、図４において、（キャリア１、時刻＄５）はデータシンボル、（キャリア２、時刻＄５）はデータシンボル、（キャリア３、時刻＄５）はデータシンボル、（キャリア４、時刻＄５）はデータシンボル、（キャリア５、時刻＄５）はデータシンボル、（キャリア１、時刻＄６）はデータシンボル、（キャリア２、時刻＄６）はデータシンボル、（キャリア４、時刻＄６）はデータシンボル、（キャリア５、時刻＄６）のデータシンボルである。つまり、ＭＩＭＯ伝送を行っている（複数のストリームを伝送している）データシンボルが位相変更部２０５Ｂの位相変更の対象である。
【０１８０】
なお、位相変更部２０５Ｂがデータシンボルに施す位相変更の例として、式（２）のように、データシンボルに、規則的（位相変更の周期Ｎ）な位相変更を行う方法がある。ただし、データシンボルに施す位相変更方法は、これに限ったものではない。
【０１８１】
このようにすることで、直接波が支配的な環境、特に、ＬＯＳ環境のときに、ＭＩＭＯ伝送を行っている（複数のストリームを伝送している）データシンボルの受信装置において、データの受信品質が向上する。この点について、説明を行う。
【０１８２】
例えば、図１のマッピング部１０４で使用する変調方式がＱＰＳＫ（Quadrature Phase Shift Keying）であるものとする。図２のマッピング後の信号２０１ＡはＱＰＳＫの信号であり、また、マッピング後の信号２０１ＢもＱＰＳＫの信号となる。つまり、２つのＱＰＳＫのストリームを送信する。すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について焦点をあて、説明を進める。
【０１８３】
このときの状態の一例を図１２に示す。図１２（Ａ）、図１２（Ｂ）、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼んでいる。
【０１８４】
直接波が支配的な環境、特に、ＬＯＳ環境のとき、以下のケースが考えられる。
【０１８５】
第１のケース：
図２の位相変更部２０５Ｂが存在しない場合（つまり、図２の位相変更部２０５Ｂによる位相変更を行わない場合）、
を考える。
【０１８６】
「第１のケース」の場合、位相変更が行われないため、図１２の（Ａ）のような状態に陥る可能性がある。図１２（Ａ）の状態に陥った場合、「信号点１２０１と１２０２」、「信号点１２０３、１２０４、１２０５、１２０６」、「信号点１２０７、１２０８」のように、信号点が密（信号点間の距離が近い）の部分が存在するため、図８の受信装置において、データの受信品質が低下する可能性がある。
【０１８７】
この課題を克服するために、図２において、位相変更部２０５Ｂを挿入している。位相変更部２０５Ｂを挿入すると、シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０１８８】
なお、図２において、パイロットシンボル、プリアンブルなど、データシンボルを復調（検波）するための、チャネル推定を行うための「パイロットシンボル、プリアンブル」に対し、図２の位相変更部２０５Ｂにおいて、位相変更を行わない。これにより、データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる。
【０１８９】
ただし、パイロットシンボル、プリアンブルなど、データシンボルを復調（検波）するための、チャネル推定を行うための「パイロットシンボル、プリアンブル」に対し、図２の位相変更部２０５Ｂにおいて、位相変更を行っても、「データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる」場合がある。この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある（Ｎ、Ｍは２以上の整数となる）。
【０１９０】
前にも記載したように、位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅｊ×ε（ｉ）×ｘ’（ｉ）とあらわすことができる（ｊは虚数単位）。そして、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。図２の場合、位相変更部２０９Ｂは、ベースバンド信号２０８Ｂに対して位相変更を施しているため、図５に記載されている各シンボルに対して位相変更を施す。図２のベースバンド信号２０８Ａに対して位相変更を施す場合は、図４に記載されている各シンボルに対して位相変更を施す。この点については、後で説明する。
【０１９１】
したがって、図５のフレームにおいて、時刻＄１のキャリア１からキャリア３６のすべてのシンボルに対し（この場合、すべて、その他のシンボル５０３となる）、図２の位相変更部２０９Ｂは、位相変更を施す。
【０１９２】
同様に、
「時刻＄２のキャリア１からキャリア３６のすべてのシンボルに対し（この場合、すべて、その他のシンボル５０３となる）、図２の位相変更部２０９Ｂは、位相変更を施す。」
「時刻＄３のキャリア１からキャリア３６のすべてのシンボルに対し（この場合、すべて、その他のシンボル５０３となる）、図２の位相変更部２０９Ｂは、位相変更を施す。」
「時刻＄４のキャリア１からキャリア３６のすべてのシンボルに対し（この場合、すべて、その他のシンボル５０３となる）、図２の位相変更部２０９Ｂは、位相変更を施す。」
「時刻＄５のキャリア１からキャリア３６のすべてのシンボルに対し（この場合、パイロットシンボル５０１、または、データシンボル５０２となる）、図２の位相変更部２０９Ｂは、位相変更を施す。」
「時刻＄６のキャリア１からキャリア３６のすべてのシンボルに対し（この場合、パイロットシンボル５０１、または、データシンボル５０２となる）、図２の位相変更部２０９Ｂは、位相変更を施す。」
「時刻＄７のキャリア１からキャリア３６のすべてのシンボルに対し（この場合、パイロットシンボル５０１、または、データシンボル５０２となる）、図２の位相変更部２０９Ｂは、位相変更を施す。」
「時刻＄８のキャリア１からキャリア３６のすべてのシンボルに対し（この場合、パイロットシンボル５０１、または、データシンボル５０２となる）、図２の位相変更部２０９Ｂは、位相変更を施す。」
「時刻＄９のキャリア１からキャリア３６のすべてのシンボルに対し（この場合、パイロットシンボル５０１、または、データシンボル５０２となる）、図２の位相変更部２０９Ｂは、位相変更を施す。」
「時刻＄１０のキャリア１からキャリア３６のすべてのシンボルに対し（この場合、パイロットシンボル５０１、または、データシンボル５０２となる）、図２の位相変更部２０９Ｂは、位相変更を施す。」
「時刻＄１１のキャリア１からキャリア３６のすべてのシンボルに対し（この場合、パイロットシンボル５０１、または、データシンボル５０２となる）、図２の位相変更部２０９Ｂは、位相変更を施す。」
・・・
【０１９３】
図１３は、図１の送信信号１０８＿Ａの図４とは異なるフレーム構成である。図１３において、図４と同様に動作するものについては、同一番号を付している。図１３において、横軸は周波数（キャリア）、縦軸は時間である。図４と同様、ＯＦＤＭなどのマルチキャリア伝送方式を用いているため、キャリア方向にシンボルが存在している。そして、図１３では、図４と同様に、キャリア１からキャリア３６のシンボルを示している。また、図１３では、図４と同様に、時刻＄１から時刻＄１１のシンボルを示している。
【０１９４】
図１３では、パイロットシンボル４０１（図２のパイロット信号２５１Ａ（ｐａ（ｔ）に相当する））、データシンボル４０２、その他のシンボル４０３に加えて、ヌルシンボル１３０１を挿入している。
【０１９５】
ヌルシンボル１３０１は、同相成分Ｉがゼロ（０）、かつ、直交成分Ｑがゼロ（０）であるものとする。なお、ここでは、「ヌルシンボル」と呼んでいるが、この呼び方に限ったものではない。
【０１９６】
そして、図１３ではヌルシンボルをキャリア１９に挿入している。なお、ヌルシンボルの挿入方法は、図１３のような構成に限ったものではなく、例えば、ある特定の時間にヌルシンボルを挿入したり、ある特定の周波数および時間領域にヌルシンボルを挿入したり、時間・周波数領域に連続的にヌルシンボルを挿入してもよいし、時間・周波数領域に離散的にヌルシンボルを挿入してもよい。
【０１９７】
図１４は、図１の送信信号１０８＿Ｂの図５とは異なるフレーム構成である。図１４において、図５と同様に動作するものについては、同一番号を付している。図１４において、横軸周波数（キャリア）、縦軸時間である。図５と同様に、ＯＦＤＭなどのマルチキャリア伝送方式を用いているため、キャリア方向にシンボルが存在している。そして、図１４では、図５と同様に、キャリア１からキャリア３６のシンボルを示している。また、図１４では、図５と同様に、時刻＄１から時刻＄１１のシンボルを示している。
【０１９８】
図１４では、パイロットシンボル５０１（図２のパイロット信号２５１Ｂ（ｐｂ（ｔ）に相当する））、データシンボル５０２、その他のシンボル５０３に加えて、ヌルシンボル１３０１を挿入している。
【０１９９】
ヌルシンボル１３０１は、同相成分Ｉがゼロ（０）、かつ、直交成分Ｑがゼロ（０）であるものとする。なお、ここでは、「ヌルシンボル」と呼んでいるが、この呼び方に限ったものではない。
【０２００】
そして、図１４ではヌルシンボルをキャリア１９に挿入している。なお、ヌルシンボルの挿入方法は、図１４のような構成に限ったものではなく、例えば、ある特定の時間にヌルシンボルを挿入したり、ある特定の周波数および時間領域にヌルシンボルを挿入したり、時間・周波数領域に連続的にヌルシンボルを挿入してもよいし、時間・周波数領域に離散的にヌルシンボルを挿入してもよい。
【０２０１】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０２０２】
そして、図１３、図１４におけるその他のシンボルは、「図２におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０２０３】
なお、図１３のフレームと図１４のフレームを受信装置は同時に受信することを想定しているが、図１３のフレームのみ、または、図１４のフレームのみを受信しても受信装置は送信装置が送信したデータを得ることは可能である。
【０２０４】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボルシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅｊ×ε（ｉ）×ｘ’（ｉ）とあらわすことができる（ｊは虚数単位）。そして、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。しかし、ヌルシンボルに対し位相変更を行っても位相変更前の信号と位相変更後の信号は同じである（同相成分Ｉはゼロ（０）、かつ、直交成分Ｑはゼロ（０））。したがって、ヌルシンボルは位相変更の対象でないと解釈することも可能である。図２の場合、位相変更部２０９Ｂは、ベースバンド信号２０８Ｂに対して位相変更を施しているため、図１４に記載されている各シンボルに対して位相変更を施す。図２のベースバンド信号２０８Ａに対して位相変更を施す場合は、図１３に記載されている各シンボルに対して位相変更を施す。この点については、後で説明する。
【０２０５】
したがって、図１４のフレームにおいて、時刻＄１のキャリア１からキャリア３６のすべてのシンボルに対し（この場合、すべて、その他のシンボル５０３となる）、図２の位相変更部２０９Ｂは、位相変更を施す。ただし、ヌルシンボル１３０１の位相変更の扱いについては前に説明したとおりである。
【０２０６】
同様に、
「時刻＄２のキャリア１からキャリア３６のすべてのシンボルに対し（この場合、すべて、その他のシンボル５０３となる）、図２の位相変更部２０９Ｂは、位相変更を施す。ただし、ヌルシンボル１３０１の位相変更の扱いについては前に説明したとおりである。」
「時刻＄３のキャリア１からキャリア３６のすべてのシンボルに対し（この場合、すべて、その他のシンボル５０３となる）、図２の位相変更部２０９Ｂは、位相変更を施す。ただし、ヌルシンボル１３０１の位相変更の扱いについては前に説明したとおりである。」
「時刻＄４のキャリア１からキャリア３６のすべてのシンボルに対し（この場合、すべて、その他のシンボル５０３となる）、図２の位相変更部２０９Ｂは、位相変更を施す。ただし、ヌルシンボル１３０１の位相変更の扱いについては前に説明したとおりである。」
「時刻＄５のキャリア１からキャリア３６のすべてのシンボルに対し（この場合、パイロットシンボル５０１、または、データシンボル５０２となる）、図２の位相変更部２０９Ｂは、位相変更を施す。ただし、ヌルシンボル１３０１の位相変更の扱いについては前に説明したとおりである。」
「時刻＄６のキャリア１からキャリア３６のすべてのシンボルに対し（この場合、パイロットシンボル５０１、または、データシンボル５０２となる）、図２の位相変更部２０９Ｂは、位相変更を施す。ただし、ヌルシンボル１３０１の位相変更の扱いについては前に説明したとおりである。」
「時刻＄７のキャリア１からキャリア３６のすべてのシンボルに対し（この場合、パイロットシンボル５０１、または、データシンボル５０２となる）、図２の位相変更部２０９Ｂは、位相変更を施す。ただし、ヌルシンボル１３０１の位相変更の扱いについては前に説明したとおりである。」
「時刻＄８のキャリア１からキャリア３６のすべてのシンボルに対し（この場合、パイロットシンボル５０１、または、データシンボル５０２となる）、図２の位相変更部２０９Ｂは、位相変更を施す。ただし、ヌルシンボル１３０１の位相変更の扱いについては前に説明したとおりである。」
「時刻＄９のキャリア１からキャリア３６のすべてのシンボルに対し（この場合、パイロットシンボル５０１、または、データシンボル５０２となる）、図２の位相変更部２０９Ｂは、位相変更を施す。ただし、ヌルシンボル１３０１の位相変更の扱いについては前に説明したとおりである。」
「時刻＄１０のキャリア１からキャリア３６のすべてのシンボルに対し（この場合、パイロットシンボル５０１、または、データシンボル５０２となる）、図２の位相変更部２０９Ｂは、位相変更を施す。ただし、ヌルシンボル１３０１の位相変更の扱いについては前に説明したとおりである。」
「時刻＄１１のキャリア１からキャリア３６のすべてのシンボルに対し（この場合、パイロットシンボル５０１、または、データシンボル５０２となる）、図２の位相変更部２０９Ｂは、位相変更を施す。ただし、ヌルシンボル１３０１の位相変更の扱いについては前に説明したとおりである。」
・・・
【０２０７】
位相変更部２０９Ｂにおける位相変更値をΩ（ｉ）とあらわすものとする。ベースバンド信号２０８Ｂはｘ’（ｉ）であり、位相変更後の信号２１０Ｂはｘ（ｉ）である。したがって、ｘ（ｉ）＝Ω（ｉ）×ｘ’（ｉ）が成立する。
【０２０８】
例えば、位相変更の値を以下のように設定する。Ｑは２以上の整数であり、Ｑは位相変更の周期となる。
【０２０９】
【数３８】
2017187953.tif 000040
【０２１０】
ｊは虚数単位である。ただし、式（３８）は、あくまでも例であり、これに限ったものではない。
【０２１１】
例えば、周期Ｑを持つように位相変更を行うようにΩ（ｉ）を設定してもよい。
【０２１２】
また、例えば、図５、図１４において、同一キャリアに対して、同一の位相変更値を与え、キャリアごとに位相変更値を設定するとしてもよい。例えば、以下のようになる。
【０２１３】
・図５、図１４におけるキャリア１に対し、時刻によらず、位相変更値を下記とする。
【０２１４】
【数３９】
2017187953.tif 000041
【０２１５】
・図５、図１４におけるキャリア２に対し、時刻によらず、位相変更値を下記とする。
【０２１６】
【数４０】
2017187953.tif 000042
【０２１７】
・図５、図１４におけるキャリア３に対し、時刻によらず、位相変更値を下記とする。
【０２１８】
【数４１】
2017187953.tif 000043
【０２１９】
・図５、図１４におけるキャリア４に対し、時刻によらず、位相変更値を下記とする。
【０２２０】
【数４２】
2017187953.tif 000044
【０２２１】
以上が、図２の位相変更部２０９Ｂの動作例となる。
【０２２２】
図２の位相変更部２０９Ｂにより得られる効果について説明する。
【０２２３】
「図４および図５のフレーム」、または、「図１３および図１４のフレーム」のその他のシンボル４０３、５０３には、制御情報シンボルが含まれているものとする。前にも説明したように、その他のシンボル４０３と同一時刻、かつ、同一の周波数（同一のキャリア）の図５のその他のシンボル５０３は、制御情報を伝送している場合、同一データ（同一の制御情報）を送信している。
【０２２４】
ところで、以下の場合を考える。
【０２２５】
ケース２：
制御情報シンボルを、図１のアンテナ部＃Ａ（１０９＿Ａ）、または、アンテナ部＃Ｂ（１０９＿Ｂ）のいずれか一方のアンテナ部を用いて送信する。
【０２２６】
「ケース２」のように送信した場合、制御情報シンボルを送信するアンテナ数が１のため、「アンテナ部＃Ａ（１０９＿Ａ）とアンテナ部＃Ｂ（１０９＿Ｂ）の両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ（１０９＿Ａ）とアンテナ部＃Ｂ（１０９＿Ｂ）の両者を用いて制御情報シンボルを送信する」ほうがよい。
【０２２７】
ケース３：
制御情報シンボルを、図１のアンテナ部＃Ａ（１０９＿Ａ）とアンテナ部＃Ｂ（１０９＿Ｂ）の両者を用いて送信する。ただし、図２における位相変更部２０９Ｂで位相変更を行わない。
【０２２８】
「ケース３」のように送信した場合、アンテナ部＃Ａ１０９＿Ａから送信した変調信号とアンテナ部＃Ｂ１０９＿Ｂから送信した変調信号が同一（または、特定の位相のずれがある）のため、電波の伝搬環境によっては、図８の受信装置は、非常に劣悪な受信信号になる可能性があるとともに、両者の変調信号が同一のマルチパスの影響を受ける可能性がある。これにより、図８の受信装置において、データの受信品質が低下するという課題がある。
【０２２９】
この課題を軽減するために、図２において、位相変更部２０９Ｂを設けている。これにより、時間、または、周波数方向で、位相を変更しているため、図８の受信装置において、劣悪な受信信号となる可能性を低減することができる。また、アンテナ部＃Ａ１０９＿Ａから送信した変調信号が受けるマルチパスの影響とアンテナ部＃Ｂ１０９＿Ｂから送信した変調信号が受けるマルチパスの影響に違いがある可能性が高いため、ダイバーシチゲインが得られる可能性が高く、これにより、図８の受信装置において、データの受信品質が向上する。
【０２３０】
以上の理由から、図２において、位相変更部２０９Ｂを設け、位相変更を施している。
【０２３１】
その他のシンボル４０３、および、その他のシンボル５０３には、制御情報シンボル以外に、例えば、信号検出のためシンボル、周波数同期・時間同期を行うためのシンボル、チャネル推定のためのシンボル（伝搬路変動の推定を行うためのシンボル）が、制御情報シンボルの復調及び復号を行うために含まれている。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０２３２】
そして、「図４および図５のフレーム」、または、「図１３および図１４のフレーム」には、データシンボル４０２、および、データシンボル５０２により、同一周波数（帯）、同一時間を用いて、複数のストリームを伝送している（ＭＩＭＯ伝送を行っている）。これらのデータシンボルを復調するためには、その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）を用いる。
【０２３３】
このとき、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、前にも述べたように、位相変更部２０９Ｂにより、位相変更を行っている。
【０２３４】
そのような状況の中、データシンボル４０２、および、データシンボル５０２に対し（上述の説明の場合は、データシンボル５０２に対し）、この処理を反映させなかった場合、受信装置において、データシンボル４０２、および、データシンボル５０２の復調及び復号を行う場合、位相変更部２０９Ｂで行った位相変更に対する処理を反映させた復調及び復号を行う必要があり、その処理は複雑となる可能性が高い。「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、位相変更部２０９Ｂにより、位相変更を行っているためである。
【０２３５】
しかし、図２に示すように、位相変更部２０９Ｂにおいて、データシンボル４０２、および、データシンボル５０２に対し（上述の説明の場合は、データシンボル５０２に対し）、位相変更を施した場合、受信装置において、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」を用いて推定した、チャネル推定信号（伝搬路変動の推定信号）を用いて、（簡単に）データシンボル４０２、および、データシンボル５０２の復調及び復号を行うことができるという利点がある。
【０２３６】
加えて、図２に示すように、位相変更部２０９Ｂにおいて、データシンボル４０２、および、データシンボル５０２に対し（上述の説明の場合は、データシンボル５０２に対し）、位相変更を施した場合、マルチパスにおける、周波数軸における、電界強度の急激な落ち込みの影響を少なくすることができる。これにより、データシンボル４０２、および、データシンボル５０２のデータの受信品質が向上する可能性がある。
【０２３７】
このように、「位相変更部２０５Ｂの位相変更を施すシンボルの対象」と「位相変更部２０９Ｂの位相変更を施すシンボルの対象」が異なる点が特徴的な点となる。
【０２３８】
以上のように、図２の位相変更部２０５Ｂにより位相変更を行うことで、データシンボル４０２、および、データシンボル５０２の、特に、ＬＯＳ環境において、受信装置におけるデータの受信品質が向上することができる。さらに、図２の位相変更部２０９Ｂにより位相変更を行うことで、例えば、「図４および図５のフレーム」、または、「図１３および図１４のフレーム」に含まれる制御情報シンボルの、受信装置における受信品質が向上するとともに、データシンボル４０２、および、データシンボル５０２の復調及び復号の動作が簡単になる。
【０２３９】
なお、図２の位相変更部２０５Ｂにより位相変更を行うことで、データシンボル４０２、および、データシンボル５０２の、特に、ＬＯＳ環境において、受信装置におけるデータの受信品質を向上させることができる。さらに、データシンボル４０２、および、データシンボル５０２に対して、図２の位相変更部２０９Ｂにより位相変更を行うことで、データシンボル４０２、および、データシンボル５０２の受信品質が向上する。
【０２４０】
なお、図２では位相変更部２０９Ｂが挿入部２０７Ｂの後段に設けられ、ベースバンド信号２０８Ｂに対して位相変更を行う構成を例示しているが、上述した位相変更部２０５Ｂによる位相変更の効果及び位相変更部２０９Ｂによる位相変更の効果の両方を得るための構成は図２に示す構成に限定されるものではない。例えば、図２の構成から位相変更部２０９Ｂを除去し、挿入部２０７Ｂから出力されるベースバンド信号２０８Ｂを信号処理後の信号１０６＿Ｂとし、挿入部２０７Ａの後段に位相変更部２０９Ｂと同様の動作を行う位相変更部２０９Ａを追加して、ベースバンド信号２０８Ａに対して位相変更部２０９Ａが位相変更を施した位相変更後の信号２１０Ａを信号処理後の信号１０６＿Ａとした構成の変形例であっても良い。このような構成であっても、上述した図２の場合と同様に、位相変更部２０５Ｂにより位相変更を行うことで、データシンボル４０２、および、データシンボル５０２の、特に、ＬＯＳ環境において、受信装置におけるデータの受信品質が向上する。さらに、データシンボル４０２、および、データシンボル５０２に対して、位相変更部２０９Ａにより位相変更を行うことで、データシンボル４０２、および、データシンボル５０２の受信品質が向上する。
【０２４１】
さらに、「図４および図５のフレーム」、または、「図１３および図１４のフレーム」に含まれる制御情報シンボルの、受信装置における受信品質を向上させることができる。
【０２４２】
（補足１）
実施の形態１などにおいて、「位相変更部Ｂ」の動作としては、非特許文献２、非特許文献３で記載されているＣＤＤ（ＣＳＤ）であってもよいと記載した。この点について、補足説明を行う。
【０２４３】
図１５にＣＤＤ（ＣＳＤ）を用いたときの構成を示している。１５０１は、サイクリックディレイ（Cyclic Delay）を施さないときの変調信号であり、X[n]とあらわすものとする。
【０２４４】
サイクリックディレイ部（巡回遅延部）１５０２＿１は、変調信号１５０１を入力とし、サイクリックディレイ（巡回遅延）の処理を行い、サイクリックディレイ処理後の信号１５０３＿１を出力する。サイクリックディレイ処理後の信号１５０３＿１をX1[n]とすると、X1[n]は次式で与えられる。
【０２４５】
【数４３】
2017187953.tif 000045
【０２４６】
なお、δ１は巡回遅延量（δ１は実数）であり、X[n]は、Ｎ個のシンボルで構成されるものとし（Ｎは２以上の整数とする）、したがって、nは０以上Ｎ−１以下の整数とする。
【０２４７】
サイクリックディレイ部（巡回遅延部）１５０２＿Ｍは、変調信号１５０１を入力とし、サイクリックディレイ（巡回遅延）の処理を行い、サイクリックディレイ処理後の信号１５０３＿Ｍを出力する。サイクリックディレイ処理後の信号１５０３＿ＭをXM[n]とすると、XM[n]は次式で与えられる。
【０２４８】
【数４４】
2017187953.tif 000046
【０２４９】
なお、δＭは巡回遅延量であり（δＭは実数）、X[n]は、Ｎ個のシンボルで構成されるものとし（Ｎは２以上の整数とする）、したがって、nは０以上Ｎ−１以下の整数とする。
【０２５０】
したがって、サイクリックディレイ部（巡回遅延部）１５０２＿ｉは（ｉは１以上Ｍ以下の整数（Ｍは１以上の整数とする））、変調信号１５０１を入力とし、サイクリックディレイ（巡回遅延）の処理を行い、サイクリックディレイ処理後の信号１５０３＿ｉを出力する。サイクリックディレイ処理後の信号１５０３＿ｉをXi[n]とすると、Xi[n]は次式で与えられる。
【０２５１】
【数４５】
2017187953.tif 000047
【０２５２】
なお、δｉは巡回遅延量であり（δｉは実数）、X[n]は、Ｎ個のシンボルで構成されるものとし（Ｎは２以上の整数とする）、したがって、nは０以上Ｎ−１以下の整数とする。
【０２５３】
そして、サイクリックディレイ処理後の信号１５０３＿ｉはアンテナｉから送信される。よって、サイクリックディレイ処理後の信号１５０３＿１、・・・、サイクリックディレイ処理後の信号１５０３＿Ｍはそれぞれ異なるアンテナから送信される。
【０２５４】
このようにすることで、サイクリックディレイによるダイバーシチ効果を得ることができ（特に、遅延波の悪影響を軽減することができ）、受信装置において、データの受信品質が向上する。
【０２５５】
例えば、図２の位相変更部２０９Ｂを、図１５に示したサイクリックディレイ部に置き換え、位相変更部２０９Ｂの動作をサイクリックディレイ部と同じ動作としてもよい。
【０２５６】
よって、図２の位相変更部２０９Ｂにおいて、巡回遅延量δ（δは実数）を与え、位相変更部２０９Ｂの入力信号をY[n]とあらわすものとする。そして、位相変更部２０９Ｂの出力信号をZ[n]とあらわしたとき、Z[n]は次式で与えられる。
【０２５７】
【数４６】
2017187953.tif 000048
【０２５８】
なお、Y[n]は、Ｎ個のシンボルで構成されるものとし（Ｎは２以上の整数とする）、したがって、nは０以上Ｎ−１以下の整数とする。
【０２５９】
次に、巡回遅延量と位相変更の関係について説明する。
【０２６０】
例えば、ＯＦＤＭにＣＤＤ（ＣＳＤ）を適用する場合を考える。なお、ＯＦＤＭを用いたときのキャリア配置は、図１６のようにするものとする。
【０２６１】
図１６において、１６０１はシンボルであり、横軸を周波数（キャリア番号）とし、低い周波数から高い周波数へ、昇順にキャリアが配置されているものとする。したがって、最も低い周波数のキャリアを「キャリア１」とすると、それにつづき「キャリア２」「キャリア３」「キャリア４」・・・と並んでいるものとする。
【０２６２】
そして、例えば、図２の位相変更部２０９Ｂにおいて、巡回遅延量τを与えるものとする。すると、「キャリアｉ」における位相変更値Ω[ｉ]は、以下のようにあらわされる。
【０２６３】
【数４７】
2017187953.tif 000049
【０２６４】
なお、μは、巡回遅延量、ＦＦＴ（Fast Fourier Transform）サイズなどから求めることができる値である。
【０２６５】
そして、位相変更前（巡回遅延処理前）の「キャリアｉ」、時刻ｔのベースバンド信号をｖ’[ｉ][ｔ]とすると、位相変更後の「キャリアｉ」、時刻ｔの信号ｖ[ｉ][ｔ]は、ｖ[ｉ] [ｔ]＝Ω[ｉ]×ｖ’[ｉ][ｔ]とあらわすことができる。
【０２６６】
（補足２）
当然であるが、本明細書において説明した実施の形態、その他の内容を複数組み合わせて、実施してもよい。
【０２６７】
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０２６８】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。
【０２６９】
また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。したがって、複数のビットに基づき同相成分と直交成分を出力するという機能がマッピング部での機能となり、その後、プリコーディングおよび位相変更を施すことが本開示の一つの有効な機能となる。
【０２７０】
そして、本明細書において、「∀」「∃」が存在する場合、「∀」は全称記号（universal quantifier）をあらわしており、「∃」は存在記号（existential quantifier）をあらわしている。
【０２７１】
また、本明細書において、複素平面がある場合、例えば、偏角のような、位相の単位は、「ラジアン（radian）」としている。
【０２７２】
複素平面を利用すると、複素数の極座標による表示として極形式で表示できる。複素数z = a + ｊb （ａ、ｂはともに実数であり、ｊは虚数単位である）に、複素平面上の点(ａ, ｂ) を対応させたとき、この点が極座標で[r, θ] とあらわされるなら、ａ＝ｒ×ｃｏｓθ、ｂ＝ｒ×ｓｉｎθ
【０２７３】
【数４８】
2017187953.tif 000050
【０２７４】
が成り立ち、r は z の絶対値 (r = |z|) であり、θ が偏角 (argument)となる。そして、z = a + ｊbは、ｒ×ｅｊθとあらわされる。
【０２７５】
本明細書において、端末の受信装置とアンテナが別々となっている構成であってもよい。例えば、アンテナで受信した信号、または、アンテナで受信した信号に対し、周波数変換を施した信号を、ケーブルを通して、入力するインターフェースを受信装置が具備し、受信装置はその後の処理を行う。
【０２７６】
また、受信装置が得たデータ・情報は、その後、映像や音に変換され、ディスプレイ（モニタ）に表示されたり、スピーカから音が出力されたりする。さらに、受信装置が得たデータ・情報は、映像や音に関する信号処理が施され（信号処理を施さなくてもよい）、受信装置が具備するＲＣＡ端子（映像端子、音用端子）、ＵＳＢ（Universal Serial Bus）、ＨＤＭＩ（登録商標）（High-Definition Multimedia Interface）、デジタル用端子等から出力されてもよい。
【０２７７】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０２７８】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０２７９】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行う。
【０２８０】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
【０２８１】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０２８２】
また、上記では、２つの変調信号を２つのアンテナから送信する方法におけるプリコーディング切り替え方法について説明したが、これに限ったものではなく、４つのマッピング後の信号に対し、プリコーディングを行い、４つの変調信号を生成し、４つのアンテナから送信する方法、つまり、Ｎ個のマッピング後の信号に対し、プリコーディングを行い、Ｎ個の変調信号を生成し、Ｎ個のアンテナから送信する方法においても同様にプリコーディングウェイト（行列）を変更する、プリコーディング切り替え方法としても同様に実施することができる。
【０２８３】
本明細書では、「プリコーディング」「プリコーディングウェイト」等の用語を用いているが、呼び方自身は、どのようなものでもよく、本開示では、その信号処理自身が重要となる。
【０２８４】
ストリームｓ１（ｔ）、ｓ２（ｔ）により、異なるデータを伝送してもよいし、同一のデータを伝送してもよい。
【０２８５】
送信装置の送信アンテナ、受信装置の受信アンテナ、共に、図面で記載されている１つのアンテナは、複数のアンテナにより構成されていても良い。
【０２８６】
送信装置は、受信装置に対し、送信方法（ＭＩＭＯ、ＳＩＳＯ、時空間ブロック符号、インタリーブ方式）、変調方式、誤り訂正符号化方式を通知する必要がある。これは、実施の形態によっては省略されている。これは、送信装置が送信するフレームに存在する。受信装置はこれを得ることで、動作を変更する。
【０２８７】
なお、例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
【０２８８】
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしても良い。
【０２８９】
そして、上記の各実施の形態などの各構成は、典型的には集積回路であるＬＳＩ（Ｌａｒｇｅ  Ｓｃａｌｅ  Ｉｎｔｅｇｒａｔｉｏｎ）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０２９０】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０２９１】
本開示は、複数のアンテナからそれぞれ異なる変調信号を送信する無線システムに広く適用できる。また、複数の送信箇所を持つ有線通信システム（例えば、ＰＬＣ（Ｐｏｗｅｒ  Ｌｉｎｅ  Ｃｏｍｍｕｎｉｃａｔｉｏｎ）システム、光通信システム、ＤＳＬ（Ｄｉｇｉｔａｌ  Ｓｕｂｓｃｒｉｂｅｒ  Ｌｉｎｅ：デジタル加入者線）システム）において、ＭＩＭＯ伝送を行う場合についても適用することができる。
【０２９２】
（実施の形態２）
本実施の形態では、実施の形態１における図２とは異なる構成の実施方法について説明する。
【０２９３】
図１は、本実施の形態における、例えば、基地局、アクセスポイント、放送局等の送信装置の構成の一例であり、詳細については、実施の形態１で説明したので、説明は省略する。
【０２９４】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす（ｉはシンボル番号であり、例えば、ｉは０以上の整数とする）。なお、信号処理の詳細については、図１８を用いて説明する。
【０２９５】
図１８は、図１における信号処理部１０６の構成に一例を示している。重み付け合成部（プリコーディング部）２０３は、マッピング後の信号２０１Ａ（図１のマッピング後の信号１０５＿１に相当する）、および、マッピング後の信号２０１Ｂ（図１のマッピング後の信号１０５＿２に相当する）、および、制御信号２００（図１の制御信号１００に相当する）を入力とし、制御信号２００に基づき手重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１（ｔ）、重み付け後の信号２０４Ｂをｚ２’（ｔ）とあらわす。なお、ｔは一例として、時間とする。ｓ１（ｔ）、ｓ２（ｔ）、ｚ１（ｔ）、ｚ２’（ｔ）は複素数で定義されるものとする（したがって、実数であってもよい）。
【０２９６】
ここでは、時間の関数として扱っているが「周波数（キャリア番号）」の関数としてもよいし、「時間・周波数」の関数としてもよい。また、「シンボル番号」の関数としてもよい。この点は、実施の形態１でも同様である。
【０２９７】
重み付け合成部（プリコーディング部）２０３は、式（１）の演算を行う。
【０２９８】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義するものとする（実数であってもよい）。
【０２９９】
位相変更部２０５Ｂの具体的動作について説明する。位相変更部２０５Ｂでは、例えば、ｚ２’（ｉ）に対しｙ（ｉ）の位相変更を施すものとする。したがって、ｚ２（ｉ）＝ｙ（ｉ）×ｚ２’（ｉ）とあらわすことができる（ｉはシンボル番号（ｉは０以上の整数とする））。
【０３００】
例えば、位相変更の値を式（２）のように設定する。Ｎは２以上の整数であり、Ｎは位相変更の周期となる。Ｎは３以上の奇数に設定するとデータの受信品質が向上する可能性がある。ただし、式（２）は、あくまでも例であり、これに限ったものではない。そこで、位相変更値ｙ（ｉ）＝ｅｊ×δ（ｉ）であらわすものとする。
【０３０１】
このときｚ１（ｉ）およびｚ２（ｉ）は式（３）であらわすことができる。なお、δ（ｉ）は実数である。そして、ｚ１（ｉ）とｚ２（ｉ）は、同一時間、同一周波数（同一周波数帯）で、送信装置から送信される。式（３）において、位相変更の値は、式（２）に限ったものではなく、例えば、周期的、規則的に位相を変更するような方法が考えられる。
【０３０２】
そして、実施の形態１で説明したように、式（１）および式（３）における（プリコーディング）行列としては、式（５）から式（３６）などが考えられる。ただし、プリコーディング行列はこれらに限ったものではない。実施の形態１についても同様である。
【０３０３】
挿入部２０７Ａは、重み付け合成後の信号２０４Ａ、パイロットシンボル信号（ｐａ（ｔ））（ｔ：時間）（２５１Ａ）、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。
【０３０４】
同様に、挿入部２０７Ｂは、位相変更後の信号２０６Ｂ、パイロットシンボル信号（ｐｂ（ｔ））（２５１Ｂ）、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０３０５】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。
【０３０６】
なお、実施の形態１等で説明したように、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である（データシンボル、パイロットシンボル、制御情報シンボルなどに対し位相変更を施す）。
【０３０７】
図３は、図１の無線部１０７＿Ａおよび１０７＿Ｂの構成の一例であり、実施の形態１で詳細の説明を行ったので、説明は省略する。
【０３０８】
図４は、図１の送信信号１０８＿Ａのフレーム構成であり、実施の形態１で詳細の説明を行ったので、説明は省略する。
【０３０９】
図５は、図１の送信信号１０８＿Ｂのフレーム構成であり、実施の形態１で詳細の説明を行ったので、説明は省略する。
【０３１０】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０３１１】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０３１２】
なお、図４のフレームと図５のフレームを受信装置は同時に受信することを想定しているが、図４のフレームのみ、または、図５のフレームのみを受信しても受信装置は送信装置が送信したデータを得ることは可能である。
【０３１３】
図６は、図２の制御情報信号２５３を生成するための制御情報生成に関する部分の構成の一例を示しており、実施の形態１で詳細の説明を行ったので、説明は省略する。
【０３１４】
図７は、図１のアンテナ部＃Ａ（１０９＿Ａ）、アンテナ部＃Ｂ（１０９＿Ｂ）の構成の一例を示している。これは、アンテナ部＃Ａ（１０９＿Ａ）、アンテナ部＃Ｂ（１０９＿Ｂ）が複数のアンテナで構成されている例である。図７については、実施の形態１で詳細の説明を行ったので、説明は省略する。
【０３１５】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０３１６】
図１０は、図８のアンテナ部＃Ｘ（８０１Ｘ）、アンテナ部＃Ｙ（８０１Ｙ）の構成の一例を示している。これは、アンテナ部＃Ｘ（８０１Ｘ）アンテナ部＃Ｙ（８０１Ｙ）が複数アンテナで構成されている例である。図１０については、実施の形態１で詳細の説明を行ったので、説明は省略する。
【０３１７】
次に、図１のように送信装置の信号処理部１０６が、図１８に示すように、位相変更部２０５Ｂと位相変更部２０９Ａを挿入している。その特徴と、そのときの効果について説明する。
【０３１８】
図４、図５を用いて説明したように、第１の系列を用いてマッピングすることによって得られたマッピング後の信号ｓ１（ｉ）（２０１Ａ）（ｉはシンボル番号であり、ｉは０以上の整数とする）と第２の系列を用いてマッピングすることによって得られたマッピング後の信号ｓ２（ｉ）（２０１Ｂ）に対し、プリコーディング（重み付け合成）を施し、得られた重み付け合成後の信号２０４Ａ、２０４Ｂのうちの一方に対して、位相変更を行っているのが、位相変更部２０５Ｂである。そして、重み付け合成後の信号２０４Ａと位相変更後の信号２０６Ｂは、同一周波数、同一時間に送信される。したがって、図４、図５において、図５のデータシンボル５０２に対して、位相変更を施す。図１８の場合、位相変更部２０５は、重み付け合成後の信号２０４Ｂに対して施しているため、図５のデータシンボル５０２に対して位相変更を施している。重み付け合成後の信号２０４Ａに対して位相変更を施す場合は、図４のデータシンボル４０２に対して位相変更を施す。この点については、後で説明する。
【０３１９】
例えば、図１１は、図５のフレームに対し、キャリア１からキャリア５、時刻＄４から時刻＄６を抽出したものである。なお、図５と同様、５０１はパイロットシンボル、５０２はデータシンボル、５０３はその他のシンボルである。
【０３２０】
上述のように、図１１に示したシンボルにおいて、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルに対し、位相変更部２０５Ｂは位相変更を施す。
【０３２１】
よって、図１１に示したシンボルにおいて、（キャリア１、時刻＄５）のデータシンボルの位相変更値を「ｅｊ×δ１５（ｉ）」とし、（キャリア２、時刻＄５）のデータシンボルの位相変更値を「ｅｊ×δ２５（ｉ）」とし、（キャリア３、時刻＄５）のデータシンボルの位相変更値を「ｅｊ×δ３５（ｉ）」とし、（キャリア４、時刻＄５）のデータシンボルの位相変更値を「ｅｊ×δ４５（ｉ）」とし、（キャリア５、時刻＄５）のデータシンボルの位相変更値を「ｅｊ×δ５５（ｉ）」とし、（キャリア１、時刻＄６）のデータシンボルの位相変更値を「ｅｊ×δ１６（ｉ）」とし、（キャリア２、時刻＄６）のデータシンボルの位相変更値を「ｅｊ×δ２６（ｉ）」とし、（キャリア４、時刻＄６）のデータシンボルの位相変更値を「ｅｊ×δ４６（ｉ）」とし、（キャリア５、時刻＄６）のデータシンボルの位相変更値を「ｅｊ×δ５６（ｉ）」とする。
【０３２２】
一方、図１１に示したシンボルにおいて、（キャリア１、時刻＄４）のその他のシンボル、（キャリア２、時刻＄４）のその他のシンボル、（キャリア３、時刻＄４）のその他のシンボル、（キャリア４、時刻＄４）のその他のシンボル、（キャリア５、時刻＄４）のその他のシンボル、（キャリア３、時刻＄６）のパイロットシンボルは、位相変更部２０５Ｂの位相変更の対象ではない。
【０３２３】
この点が位相変更部２０５Ｂの特徴的な点である。なお、図１１における位相変更の対象である、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルと「同一キャリア、同一時刻」には、図４に示したように、データキャリアが配置されている。つまり、図４において、（キャリア１、時刻＄５）はデータシンボル、（キャリア２、時刻＄５）はデータシンボル、（キャリア３、時刻＄５）はデータシンボル、（キャリア４、時刻＄５）はデータシンボル、（キャリア５、時刻＄５）はデータシンボル、（キャリア１、時刻＄６）はデータシンボル、（キャリア２、時刻＄６）はデータシンボル、（キャリア４、時刻＄６）はデータシンボル、（キャリア５、時刻＄６）のデータシンボルである。つまり、ＭＩＭＯ伝送を行っている（複数のストリームを伝送している）データシンボルが位相変更部２０５Ｂの位相変更の対象である。
【０３２４】
なお、位相変更部２０５Ｂがデータシンボルに施す位相変更の例として、式（２）のように、データシンボルに、規則的（位相変更の周期Ｎ）な位相変更を行う方法がある。ただし、データシンボルに施す位相変更方法は、これに限ったものではない。
【０３２５】
このようにすることで、直接波が支配的な環境、特に、ＬＯＳ環境のときに、ＭＩＭＯ伝送を行っている（複数のストリームを伝送している）データシンボルの受信装置における受信品質が向上する。この点について、説明を行う。
【０３２６】
例えば、図１のマッピング部１０４で使用する変調方式がＱＰＳＫ（Quadrature Phase Shift Keying）であるものとする。図１８のマッピング後の信号２０１ＡはＱＰＳＫの信号であり、また、マッピング後の信号２０１ＢもＱＰＳＫの信号となる。つまり、２つのＱＰＳＫのストリームを送信する。すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について焦点をあて、説明を進める。
【０３２７】
このときの状態の一例を図１２に示す。図１２（Ａ）、図１２（Ｂ）、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼んでいる。
【０３２８】
直接波が支配的な環境、特に、ＬＯＳ環境のとき、
【０３２９】
第１のケース：
図１８の位相変更部２０５Ｂが存在しない場合（つまり、図１８の位相変更部２０５Ｂによる位相変更を行わない場合）、を考える。
【０３３０】
「第１のケース」の場合、位相変更が行われないため、図１２の（Ａ）のような状態に陥る可能性がある。図１２（Ａ）の状態に陥った場合、「信号点１２０１と１２０２」、「信号点１２０３、１２０４、１２０５、１２０６」、「信号点１２０７、１２０８」のように、信号点が密（信号点間の距離が近い）の部分が存在するため、図８の受信装置において、データの受信品質が低下する可能性がある。
【０３３１】
この課題を克服するために、図１８において、位相変更部２０５Ｂを挿入している。位相変更部２０５Ｂを挿入すると、シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０３３２】
なお、図１８において、パイロットシンボル、プリアンブルなど、データシンボルを復調（検波）するための、チャネル推定を行うための「パイロットシンボル、プリアンブル」に対し、図１８の位相変更部２０５Ｂにおいて、位相変更を行わない。これにより、データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる。
【０３３３】
ただし、パイロットシンボル、プリアンブルなど、データシンボルを復調（検波）するための、チャネル推定を行うための「パイロットシンボル、プリアンブル」に対し、図１８の位相変更部２０５Ｂにおいて、位相変更を行っても、「データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる」場合がある。この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある（Ｎ、Ｍは２以上の整数となる）。
【０３３４】
前にも記載したように、位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。そして、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である（データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。図１８の場合、位相変更部２０９Ａは、ベースバンド信号２０８Ａに対して位相変更を施しているため、図４に記載されている各シンボルに対して位相変更を施す。
【０３３５】
したがって、図４のフレームにおいて、時刻＄１のキャリア１からキャリア３６のすべてのシンボルに対し（この場合、すべて、その他のシンボル４０３となる）、図１８の位相変更部２０９Ａは、位相変更を施す。
【０３３６】
同様に、
「時刻＄２のキャリア１からキャリア３６のすべてのシンボルに対し（この場合、すべて、その他のシンボル４０３となる。）、図１８の位相変更部２０９Ａは、位相変更を施す。」
「時刻＄３のキャリア１からキャリア３６のすべてのシンボルに対し（この場合、すべて、その他のシンボル４０３となる。）、図１８の位相変更部２０９Ａは、位相変更を施す。」
「時刻＄４のキャリア１からキャリア３６のすべてのシンボルに対し（この場合、すべて、その他のシンボル４０３となる。）、図１８の位相変更部２０９Ａは、位相変更を施す。」
「時刻＄５のキャリア１からキャリア３６のすべてのシンボルに対し（この場合、パイロットシンボル４０１、または、データシンボル４０２となる。）、図１８の位相変更部２０９Ａは、位相変更を施す。」
「時刻＄６のキャリア１からキャリア３６のすべてのシンボルに対し（この場合、パイロットシンボル４０１、または、データシンボル４０２となる。）、図１８の位相変更部２０９Ａは、位相変更を施す。」
「時刻＄７のキャリア１からキャリア３６のすべてのシンボルに対し（この場合、パイロットシンボル４０１、または、データシンボル４０２となる。）、図１８の位相変更部２０９Ａは、位相変更を施す。」
「時刻＄８のキャリア１からキャリア３６のすべてのシンボルに対し（この場合、パイロットシンボル４０１、または、データシンボル４０２となる。）、図１８の位相変更部２０９Ａは、位相変更を施す。」
「時刻＄９のキャリア１からキャリア３６のすべてのシンボルに対し（この場合、パイロットシンボル４０１、または、データシンボル４０２となる。）、図１８の位相変更部２０９Ａは、位相変更を施す。」
「時刻＄１０のキャリア１からキャリア３６のすべてのシンボルに対し（この場合、パイロットシンボル４０１、または、データシンボル４０２となる。）、図１８の位相変更部２０９Ａは、位相変更を施す。」
「時刻＄１１のキャリア１からキャリア３６のすべてのシンボルに対し（この場合、パイロットシンボル４０１、または、データシンボル４０２となる。）、図１８の位相変更部２０９Ａは、位相変更を施す。」
・・・
【０３３７】
図１３は、図１の送信信号１０８＿Ａの図４とは異なるフレーム構成であり、実施の形態１において、詳細の説明を行ったので、説明を省略する。
【０３３８】
図１４は、図１の送信信号１０８＿Ｂの図５とは異なるフレーム構成であり、実施の形態１において、詳細の説明を行ったので、説明を省略する。
【０３３９】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０３４０】
そして、図１３、図１４におけるその他のシンボルは、「図１８におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０３４１】
なお、図１３のフレームと図１４のフレームを受信装置は同時に受信することを想定しているが、図１３のフレームのみ、または、図１４のフレームのみを受信しても受信装置は送信装置が送信したデータを得ることは可能である。
【０３４２】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボルシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。そして、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である。例えば、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。しかし、ヌルシンボルに対し位相変更を行っても位相変更前の信号と位相変更後の信号は同じである（同相成分Ｉはゼロ（０）、かつ、直交成分Ｑはゼロ（０））。したがって、ヌルシンボルは位相変更の対象でないと解釈することも可能である。図１８の場合、位相変更部２０９Ａは、ベースバンド信号２０８Ａに対して位相変更を施しているため、図１３に記載されている各シンボルに対して位相変更を施す。
【０３４３】
したがって、図１３のフレームにおいて、時刻＄１のキャリア１からキャリア３６のすべてのシンボルに対し（この場合、すべて、その他のシンボル４０３となる。）、図１８の位相変更部２０９Ａは、位相変更を施す。ただし、ヌルシンボル１３０１の位相変更の扱いについては前に説明したとおりである。
【０３４４】
同様に、
「時刻＄２のキャリア１からキャリア３６のすべてのシンボルに対し（この場合、すべて、その他のシンボル４０３となる）、図１８の位相変更部２０９Ａは、位相変更を施す。ただし、ヌルシンボル１３０１の位相変更の扱いについては前に説明したとおりである。」
「時刻＄３のキャリア１からキャリア３６のすべてのシンボルに対し（この場合、すべて、その他のシンボル４０３となる）、図１８の位相変更部２０９Ａは、位相変更を施す。ただし、ヌルシンボル１３０１の位相変更の扱いについては前に説明したとおりである。」
「時刻＄４のキャリア１からキャリア３６のすべてのシンボルに対し（この場合、すべて、その他のシンボル４０３となる）、図１８の位相変更部２０９Ａは、位相変更を施す。ただし、ヌルシンボル１３０１の位相変更の扱いについては前に説明したとおりである。」
「時刻＄５のキャリア１からキャリア３６のすべてのシンボルに対し（この場合、パイロットシンボル４０１、または、データシンボル４０２となる）、図１８の位相変更部２０９Ａは、位相変更を施す。ただし、ヌルシンボル１３０１の位相変更の扱いについては前に説明したとおりである。」
「時刻＄６のキャリア１からキャリア３６のすべてのシンボルに対し（この場合、パイロットシンボル４０１、または、データシンボル４０２となる）、図１８の位相変更部２０９Ａは、位相変更を施す。ただし、ヌルシンボル１３０１の位相変更の扱いについては前に説明したとおりである。」
「時刻＄７のキャリア１からキャリア３６のすべてのシンボルに対し（この場合、パイロットシンボル４０１、または、データシンボル４０２となる）、図１８の位相変更部２０９Ａは、位相変更を施す。ただし、ヌルシンボル１３０１の位相変更の扱いについては前に説明したとおりである。」
「時刻＄８のキャリア１からキャリア３６のすべてのシンボルに対し（この場合、パイロットシンボル４０１、または、データシンボル４０２となる）、図１８の位相変更部２０９Ａは、位相変更を施す。ただし、ヌルシンボル１３０１の位相変更の扱いについては前に説明したとおりである。」
「時刻＄９のキャリア１からキャリア３６のすべてのシンボルに対し（この場合、パイロットシンボル４０１、または、データシンボル４０２となる）、図１８の位相変更部２０９Ａは、位相変更を施す。ただし、ヌルシンボル１３０１の位相変更の扱いについては前に説明したとおりである。」
「時刻＄１０のキャリア１からキャリア３６のすべてのシンボルに対し（この場合、パイロットシンボル４０１、または、データシンボル４０２となる）、図１８の位相変更部２０９Ａは、位相変更を施す。ただし、ヌルシンボル１３０１の位相変更の扱いについては前に説明したとおりである。」
「時刻＄１１のキャリア１からキャリア３６のすべてのシンボルに対し（この場合、パイロットシンボル４０１、または、データシンボル４０２となる）、図１８の位相変更部２０９Ａは、位相変更を施す。ただし、ヌルシンボル１３０１の位相変更の扱いについては前に説明したとおりである。」
・・・
【０３４５】
位相変更部２０９Ａにおける位相変更値をΩ（ｉ）とあらわすものとする。ベースバンド信号２０８Ａはｘ’（ｉ）であり、位相変更後の信号２１０Ａはｘ（ｉ）である。したがって、ｘ（ｉ）＝Ω（ｉ）×ｘ’（ｉ）が成立する。
【０３４６】
例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０３４７】
例えば、周期Ｑを持つように位相変更を行うようにΩ（ｉ）を設定してもよい。
【０３４８】
また、例えば、図４、図１３において、同一キャリアに対して、同一の位相変更値を与え、キャリアごとに位相変更値を設定するとしてもよい。例えば、以下のようになる。
【０３４９】
・図４、図１３におけるキャリア１に対し、時刻によらず、位相変更値を式（３９）とする。
・図４、図１３におけるキャリア２に対し、時刻によらず、位相変更値を式（４０）とする。
・図４、図１３におけるキャリア３に対し、時刻によらず、位相変更値を式（４１）とする。
・図４、図１３におけるキャリア４に対し、時刻によらず、位相変更値を式（４２）とする。
・・・
【０３５０】
以上が、図１８の位相変更部２０９Ａの動作例となる。
【０３５１】
図１８の位相変更部２０９Ａにより得られる効果について説明する。
【０３５２】
「図４および図５のフレーム」、または、「図１３および図１４のフレーム」のその他のシンボル４０３、５０３には、制御情報シンボルが含まれているものとする。前にも説明したように、その他のシンボル４０３と同一時刻、かつ、同一の周波数（同一のキャリア）の図５のその他のシンボル５０３は、制御情報を伝送している場合、同一データ（同一の制御情報）を送信している。
【０３５３】
ところで、以下の場合を考える。
【０３５４】
ケース２：
制御情報シンボルを、図１のアンテナ部＃Ａ（１０９＿Ａ）、または、アンテナ部＃Ｂ（１０９＿Ｂ）のいずれか一方のアンテナ部を用いて送信する。
【０３５５】
「ケース２」のように送信した場合、制御情報シンボルを送信するアンテナ数が１のため、「アンテナ部＃Ａ（１０９＿Ａ）とアンテナ部＃Ｂ（１０９＿Ｂ）の両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ（１０９＿Ａ）とアンテナ部＃Ｂ（１０９＿Ｂ）の両者を用いて制御情報シンボルを送信する」ほうがよい。
【０３５６】
ケース３：
制御情報シンボルを、図１のアンテナ部＃Ａ（１０９＿Ａ）とアンテナ部＃Ｂ（１０９＿Ｂ）の両者を用いて送信する。ただし、図１８における位相変更部２０９Ａで位相変更を行わない。
【０３５７】
「ケース３」のように送信した場合、アンテナ部＃Ａ１０９＿Ａから送信した変調信号とアンテナ部＃Ｂ１０９＿Ｂから送信した変調信号が同一（または、特定の位相のずれがある）のため、電波の伝搬環境によっては、図８の受信装置は、非常に劣悪な受信信号になる可能性があるとともに、両者の変調信号が同一のマルチパスの影響を受ける可能性がある。これにより、図８の受信装置において、データの受信品質が低下するという課題がある。
【０３５８】
この課題を軽減するために、図１８において、位相変更部２０９Ａを設けている。これにより、時間、または、周波数方向で、位相を変更しているため、図８の受信装置において、劣悪な受信信号となる可能性を低減することができる。また、アンテナ部＃Ａ１０９＿Ａから送信した変調信号が受けるマルチパスの影響とアンテナ部＃Ｂ１０９＿Ｂから送信した変調信号が受けるマルチパスの影響に違いがある可能性が高いため、ダイバーシチゲインが得られる可能性が高く、これにより、図８の受信装置において、データの受信品質が向上する。
【０３５９】
以上の理由から、図１８において、位相変更部２０９Ａを設け、位相変更を施している。
【０３６０】
その他のシンボル４０３、および、その他のシンボル５０３には、制御情報シンボル以外に、例えば、信号検出のためシンボル、周波数同期・時間同期を行うためのシンボル、チャネル推定のためのシンボル（伝搬路変動の推定を行うためのシンボル）が、制御情報シンボルの復調及び復号を行うために含まれている。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０３６１】
そして、「図４および図５のフレーム」、または、「図１３および図１４のフレーム」には、データシンボル４０２、および、データシンボル５０２により、同一周波数（帯）、同一時間を用いて、複数のストリームを伝送している（ＭＩＭＯ伝送を行っている）。これらのデータシンボルを復調するためには、その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）を用いる。
【０３６２】
このとき、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、前にも述べたように、位相変更部２０９Ａにより、位相変更を行っている。
【０３６３】
そのような状況の中、データシンボル４０２、および、データシンボル５０２に対し（上述の説明の場合は、データシンボル４０２に対し）、この処理を反映させなかった場合、受信装置において、データシンボル４０２、および、データシンボル５０２の復調及び復号を行う場合、位相変更部２０９Ａで行った位相変更に対する処理を反映させた復調及び復号を行う必要があり、その処理は複雑となる可能性が高い。「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、位相変更部２０９Ａにより、位相変更を行っているためである。
【０３６４】
しかし、図１８に示すように、位相変更部２０９Ａにおいて、データシンボル４０２、および、データシンボル５０２に対し（上述の説明の場合は、データシンボル４０２に対し）、位相変更を施した場合、受信装置において、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」を用いて推定した、チャネル推定信号（伝搬路変動の推定信号）を用いて、（簡単に）データシンボル４０２、および、データシンボル５０２の復調及び復号を行うことができるという利点がある。
【０３６５】
加えて、図１８に示すように、位相変更部２０９Ａにおいて、データシンボル４０２、および、データシンボル５０２に対し（上述の説明の場合は、データシンボル４０２に対し）、位相変更を施した場合、マルチパスにおける、周波数軸における、電界強度の急激な落ち込みの影響を少なくすることができ、これにより、データシンボル４０２、および、データシンボル５０２のデータの受信品質を向上させることができる可能性がある。
【０３６６】
このように、「位相変更部２０５Ｂの位相変更を施すシンボルの対象」と「位相変更部２０９Ａの位相変更を施すシンボルの対象」が異なる点が特徴的な点となる。
【０３６７】
以上のように、図１８の位相変更部２０５Ｂにより位相変更を行うことで、データシンボル４０２、および、データシンボル５０２の、特に、ＬＯＳ環境において、受信装置におけるデータの受信品質が向上する。さらに、図１８の位相変更部２０９Ａにより位相変更を行うことで、例えば、「図４および図５のフレーム」、または、「図１３および図１４のフレーム」に含まれる制御情報シンボルの、受信装置における受信品質が向上するとともに、データシンボル４０２、および、データシンボル５０２の復調及び復号の動作が簡単になる。
【０３６８】
なお、図１８の位相変更部２０５Ｂにより位相変更を行うことで、データシンボル４０２、および、データシンボル５０２の、特に、ＬＯＳ環境において、受信装置におけるデータの受信品質が向上する。さらに、データシンボル４０２、および、データシンボル５０２に対して、図１８の位相変更部２０９Ａにより位相変更を行うことで、データシンボル４０２、および、データシンボル５０２の受信品質が向上する。
【０３６９】
なお、式（３８）におけるＱは−２以下の整数であってもよく、このとき、位相変更の周期は、Ｑの絶対値となる。この点については、実施の形態１にも適用することができる。
【０３７０】
（実施の形態３）
本実施の形態では、実施の形態１における図２とは異なる構成の実施方法について説明する。
【０３７１】
図１は、本実施の形態における例えば、基地局、アクセスポイント、放送局等の送信装置の構成の一例であり、詳細については、実施の形態１で説明したので、説明は省略する。
【０３７２】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす（ｉはシンボル番号であり、例えば、ｉは０以上の整数とする）。なお、信号処理の詳細については、図１９を用いて説明する。
【０３７３】
図１９は、図１における信号処理部１０６の構成に一例を示している。重み付け合成部（プリコーディング部）２０３は、マッピング後の信号２０１Ａ（図１のマッピング後の信号１０５＿１に相当する）、および、マッピング後の信号２０１Ｂ（図１のマッピング後の信号１０５＿２に相当する）、および、制御信号２００（図１の制御信号１００に相当する）を入力とし、制御信号２００に基づき手重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１（ｔ）、重み付け後の信号２０４Ｂをｚ２’（ｔ）とあらわす。なお、ｔは一例として、時間とする。ｓ１（ｔ）、ｓ２（ｔ）、ｚ１（ｔ）、ｚ２’（ｔ）は複素数で定義されるものとする（したがって、実数であってもよい）。
【０３７４】
ここでは、時間の関数として扱っているが「周波数（キャリア番号）」の関数としてもよいし、「時間・周波数」の関数としてもよい。また、「シンボル番号」の関数としてもよい。この点は、実施の形態１でも同様である。
【０３７５】
重み付け合成部（プリコーディング部）２０３は、式（１）の演算を行う。
【０３７６】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義するものとする（実数であってもよい）。
【０３７７】
位相変更部２０５Ｂの具体的動作について説明する。位相変更部２０５Ｂでは、例えば、ｚ２’（ｉ）に対しｙ（ｉ）の位相変更を施すものとする。したがって、ｚ２（ｉ）＝ｙ（ｉ）×ｚ２’（ｉ）とあらわすことができる（ｉはシンボル番号（ｉは０以上の整数とする））。
【０３７８】
例えば、位相変更の値を式（２）のように設定する。Ｎは２以上の整数であり、Ｎは位相変更の周期となる。Ｎは３以上の奇数に設定するとデータの受信品質が向上する可能性がある。ただし、式（２）は、あくまでも例であり、これに限ったものではない。そこで、位相変更値ｙ（ｉ）＝ｅｊ×δ（ｉ）であらわすものとする。
【０３７９】
このときｚ１（ｉ）およびｚ２（ｉ）は式（３）であらわすことができる。なお、δ（ｉ）は実数である。そして、ｚ１（ｉ）とｚ２（ｉ）は、同一時間、同一周波数（同一周波数帯）で、送信装置から送信される。式（３）において、位相変更の値は、式（２）に限ったものではなく、例えば、周期的、規則的に位相を変更するような方法が考えられる。
【０３８０】
そして、実施の形態１で説明したように、式（１）および式（３）における（プリコーディング）行列としては、式（５）から式（３６）などが考えられる。ただし、プリコーディング行列はこれらに限ったものではない。実施の形態１についても同様である。
【０３８１】
挿入部２０７Ａは、重み付け合成後の信号２０４Ａ、パイロットシンボル信号（ｐａ（ｔ））（ｔ：時間）（２５１Ａ）、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。
【０３８２】
同様に、挿入部２０７Ｂは、位相変更後の信号２０６Ｂ、パイロットシンボル信号（ｐｂ（ｔ））（２５１Ｂ）、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０３８３】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。
【０３８４】
なお、実施の形態１等で説明したように、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である。例えば、データシンボル、パイロットシンボル、制御情報シンボルなどに対し位相変更を施す。
【０３８５】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｙ’（ｉ）とあらわすものとする。すると、位相変更後の信号２１０Ｂ（ｙ（ｉ））は、ｙ（ｉ）＝ｅｊ×τ（ｉ）×ｙ’（ｉ）とあらわすことができる（ｊは虚数単位）。
【０３８６】
なお、実施の形態１等で説明したように、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。
【０３８７】
ここでの特徴的な点は、ε（ｉ）による位相変更方法とτ（ｉ）による位相変更方法が異なる点である。または、位相変更部２０９Ａで設定するＣＤＤ（Cyclic Delay Diversity）（ＣＳＤ（Cyclic Shift Diversity））の巡回遅延量の値と位相変更部２０９Ｂで設定するＣＤＤ（Cyclic Delay Diversity）（ＣＳＤ（Cyclic Shift Diversity））の巡回遅延量の値が異なる点である。
【０３８８】
図３は、図１の無線部１０７＿Ａおよび１０７＿Ｂの構成の一例であり、実施の形態１で詳細の説明を行ったので、説明は省略する。
【０３８９】
図４は、図１の送信信号１０８＿Ａのフレーム構成であり、実施の形態１で詳細の説明を行ったので、説明は省略する。
【０３９０】
図５は、図１の送信信号１０８＿Ｂのフレーム構成であり、実施の形態１で詳細の説明を行ったので、説明は省略する。
【０３９１】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０３９２】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０３９３】
なお、図４のフレームと図５のフレームを受信装置は同時に受信することを想定しているが、図４のフレームのみ、または、図５のフレームのみを受信しても受信装置は送信装置が送信したデータを得ることは可能である。
【０３９４】
図６は、図２の制御情報信号２５３を生成するための制御情報生成に関する部分の構成の一例を示しており、実施の形態１で詳細の説明を行ったので、説明は省略する。
【０３９５】
図７は、図１のアンテナ部＃Ａ（１０９＿Ａ）、アンテナ部＃Ｂ（１０９＿Ｂ）の構成の一例を示しており（アンテナ部＃Ａ（１０９＿Ａ）、アンテナ部＃Ｂ（１０９＿Ｂ）が複数のアンテナで構成されている例である。）、実施の形態１で詳細の説明を行ったので、説明は省略する。
【０３９６】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０３９７】
図１０は、図８のアンテナ部＃Ｘ（８０１Ｘ）、アンテナ部＃Ｙ（８０１Ｙ）の構成の一例を示している。（アンテナ部＃Ｘ（８０１Ｘ）アンテナ部＃Ｙ（８０１Ｙ）が複数アンテナで構成されている例である。）図１０については、実施の形態１で詳細の説明を行ったので、説明は省略する。
【０３９８】
次に、図１のように送信装置の信号処理部１０６が、図１９に示すように、位相変更部２０５Ｂと位相変更部２０９Ａ、２０９Ｂを挿入している。その特徴と、そのときの効果について説明する。
【０３９９】
図４、図５を用いて説明したように、第１の系列を用いてマッピングすることによって得られたマッピング後の信号ｓ１（ｉ）（２０１Ａ）（ｉはシンボル番号であり、ｉは０以上の整数とする）と第２の系列を用いてマッピングすることによって得られたマッピング後の信号ｓ２（ｉ）（２０１Ｂ）に対し、プリコーディング（重み付け合成）を施し、得られた重み付け合成後の信号２０４Ａ、２０４Ｂのうちの一方に対して、位相変更を行っているのが、位相変更部２０５Ｂである。そして、重み付け合成後の信号２０４Ａと位相変更後の信号２０６Ｂは、同一周波数、同一時間に送信される。したがって、図４、図５において、図５のデータシンボル５０２に対して、位相変更を施す。図１９の場合、位相変更部２０５は、重み付け合成後の信号２０４Ｂに対して施しているため、図５のデータシンボル５０２に対して位相変更を施している。重み付け合成後の信号２０４Ａに対して位相変更を施す場合は、図４のデータシンボル４０２に対して位相変更を施す。この点については、後で説明する。
【０４００】
例えば、図１１は、図５のフレームに対し、キャリア１からキャリア５、時刻＄４から時刻＄６を抽出したものである。なお、図５と同様、５０１はパイロットシンボル、５０２はデータシンボル、５０３はその他のシンボルである。
【０４０１】
上述のように、図１１に示したシンボルにおいて、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルに対し、位相変更部２０５Ｂは位相変更を施す。
【０４０２】
よって、図１１に示したシンボルにおいて、（キャリア１、時刻＄５）のデータシンボルの位相変更値を「ｅｊ×δ１５（ｉ）」とし、（キャリア２、時刻＄５）のデータシンボルの位相変更値を「ｅｊ×δ２５（ｉ）」とし、（キャリア３、時刻＄５）のデータシンボルの位相変更値を「ｅｊ×δ３５（ｉ）」とし、（キャリア４、時刻＄５）のデータシンボルの位相変更値を「ｅｊ×δ４５（ｉ）」とし、（キャリア５、時刻＄５）のデータシンボルの位相変更値を「ｅｊ×δ５５（ｉ）」とし、（キャリア１、時刻＄６）のデータシンボルの位相変更値を「ｅｊ×δ１６（ｉ）」とし、（キャリア２、時刻＄６）のデータシンボルの位相変更値を「ｅｊ×δ２６（ｉ）」とし、（キャリア４、時刻＄６）のデータシンボルの位相変更値を「ｅｊ×δ４６（ｉ）」とし、（キャリア５、時刻＄６）のデータシンボルの位相変更値を「ｅｊ×δ５６（ｉ）」とする。
【０４０３】
一方、図１１に示したシンボルにおいて、（キャリア１、時刻＄４）のその他のシンボル、（キャリア２、時刻＄４）のその他のシンボル、（キャリア３、時刻＄４）のその他のシンボル、（キャリア４、時刻＄４）のその他のシンボル、（キャリア５、時刻＄４）のその他のシンボル、（キャリア３、時刻＄６）のパイロットシンボルは、位相変更部２０５Ｂの位相変更の対象ではない。
【０４０４】
この点が位相変更部２０５Ｂの特徴的な点である。なお、図１１における位相変更の対象である、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルと「同一キャリア、同一時刻」には、図４に示したように、データキャリアが配置されている。つまり、図４において、（キャリア１、時刻＄５）はデータシンボル、（キャリア２、時刻＄５）はデータシンボル、（キャリア３、時刻＄５）はデータシンボル、（キャリア４、時刻＄５）はデータシンボル、（キャリア５、時刻＄５）はデータシンボル、（キャリア１、時刻＄６）はデータシンボル、（キャリア２、時刻＄６）はデータシンボル、（キャリア４、時刻＄６）はデータシンボル、（キャリア５、時刻＄６）のデータシンボルである。つまり、ＭＩＭＯ伝送を行っている（複数のストリームを伝送している）データシンボルが位相変更部２０５Ｂの位相変更の対象である。
【０４０５】
なお、位相変更部２０５Ｂがデータシンボルに施す位相変更の例として、式（２）のように、データシンボルに、規則的（位相変更の周期Ｎ）な位相変更を行う方法がある。ただし、データシンボルに施す位相変更方法は、これに限ったものではない。
【０４０６】
このようにすることで、直接波が支配的な環境、特に、ＬＯＳ環境のときに、ＭＩＭＯ伝送を行っている（複数のストリームを伝送している）データシンボルの受信装置におけるデータの受信品質が向上する。この点について、説明を行う。
【０４０７】
例えば、図１のマッピング部１０４で使用する変調方式がＱＰＳＫ（Quadrature Phase Shift Keying）であるものとする。図１９のマッピング後の信号２０１ＡはＱＰＳＫの信号であり、また、マッピング後の信号２０１ＢもＱＰＳＫの信号となる。つまり、２つのＱＰＳＫのストリームを送信する。すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について焦点をあて、説明を進める。
【０４０８】
このときの状態の一例を図１２に示す。図１２（Ａ）、図１２（Ｂ）、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼んでいる。
【０４０９】
直接波が支配的な環境、特に、ＬＯＳ環境のとき、
【０４１０】
第１のケース：
図１９の位相変更部２０５Ｂが存在しない場合（つまり、図１９の位相変更部２０５Ｂによる位相変更を行わない場合）、を考える。
【０４１１】
「第１のケース」の場合、位相変更が行われないため、図１２の（Ａ）のような状態に陥る可能性がある。図１２（Ａ）の状態に陥った場合、「信号点１２０１と１２０２」、「信号点１２０３、１２０４、１２０５、１２０６」、「信号点１２０７、１２０８」のように、信号点が密（信号点間の距離が近い）の部分が存在するため、図８の受信装置において、データの受信品質が低下する可能性がある。
【０４１２】
この課題を克服するために、図１９において、位相変更部２０５Ｂを挿入している。位相変更部２０５Ｂを挿入すると、シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０４１３】
なお、図１９において、パイロットシンボル、プリアンブルなど、データシンボルを復調（検波）するための、チャネル推定を行うための「パイロットシンボル、プリアンブル」に対し、図１９の位相変更部２０５Ｂにおいて、位相変更を行わない。これにより、データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる。
【０４１４】
ただし、パイロットシンボル、プリアンブルなど、データシンボルを復調（検波）するための、チャネル推定を行うための「パイロットシンボル、プリアンブル」に対し、図１９の位相変更部２０５Ｂにおいて、位相変更を行っても、「データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる」場合がある。この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある（Ｎ、Ｍは２以上の整数となる）。
【０４１５】
前にも記載したように、位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。そして、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である。例えば、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。図１９の場合、位相変更部２０９Ａは、ベースバンド信号２０８Ａに対して位相変更を施しているため、図４に記載されている各シンボルに対して位相変更を施す。
【０４１６】
したがって、図４のフレームにおいて、時刻＄１のキャリア１からキャリア３６のすべてのシンボルに対し（この場合、すべて、その他のシンボル４０３となる）、図１９の位相変更部２０９Ａは、位相変更を施す。
【０４１７】
同様に、
「時刻＄２のキャリア１からキャリア３６のすべてのシンボルに対し（この場合、すべて、その他のシンボル４０３となる）、図１９の位相変更部２０９Ａは、位相変更を施す。」
「時刻＄３のキャリア１からキャリア３６のすべてのシンボルに対し（この場合、すべて、その他のシンボル４０３となる）、図１９の位相変更部２０９Ａは、位相変更を施す。」
「時刻＄４のキャリア１からキャリア３６のすべてのシンボルに対し（この場合、すべて、その他のシンボル４０３となる）、図１９の位相変更部２０９Ａは、位相変更を施す。」
「時刻＄５のキャリア１からキャリア３６のすべてのシンボルに対し（この場合、パイロットシンボル４０１、または、データシンボル４０２となる）、図１９の位相変更部２０９Ａは、位相変更を施す。」
「時刻＄６のキャリア１からキャリア３６のすべてのシンボルに対し（この場合、パイロットシンボル４０１、または、データシンボル４０２となる）、図１９の位相変更部２０９Ａは、位相変更を施す。」
「時刻＄７のキャリア１からキャリア３６のすべてのシンボルに対し（この場合、パイロットシンボル４０１、または、データシンボル４０２となる）、図１９の位相変更部２０９Ａは、位相変更を施す。」
「時刻＄８のキャリア１からキャリア３６のすべてのシンボルに対し（この場合、パイロットシンボル４０１、または、データシンボル４０２となる）、図１９の位相変更部２０９Ａは、位相変更を施す。」
「時刻＄９のキャリア１からキャリア３６のすべてのシンボルに対し（この場合、パイロットシンボル４０１、または、データシンボル４０２となる）、図１９の位相変更部２０９Ａは、位相変更を施す。」
「時刻＄１０のキャリア１からキャリア３６のすべてのシンボルに対し（この場合、パイロットシンボル４０１、または、データシンボル４０２となる）、図１９の位相変更部２０９Ａは、位相変更を施す。」
「時刻＄１１のキャリア１からキャリア３６のすべてのシンボルに対し（この場合、パイロットシンボル４０１、または、データシンボル４０２となる）、図１９の位相変更部２０９Ａは、位相変更を施す。」
・・・
【０４１８】
前にも記載したように、位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｙ’（ｉ）とあらわすものとする。すると、位相変更後の信号２１０Ｂ（ｙ（ｉ））は、ｙ（ｉ）＝ｅｊ×τ（ｉ）×ｙ’（ｉ）とあらわすことができる（ｊは虚数単位）。そして、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。図１９の場合、位相変更部２０９Ｂは、ベースバンド信号２０８Ｂに対して位相変更を施しているため、図５に記載されている各シンボルに対して位相変更を施す。
【０４１９】
したがって、図５のフレームにおいて、時刻＄１のキャリア１からキャリア３６のすべてのシンボルに対し（この場合、すべて、その他のシンボル５０３となる。）、図１９の位相変更部２０９Ｂは、位相変更を施す。
【０４２０】
同様に、
「時刻＄２のキャリア１からキャリア３６のすべてのシンボルに対し（この場合、すべて、その他のシンボル５０３となる）、図１９の位相変更部２０９Ｂは、位相変更を施す。」
「時刻＄３のキャリア１からキャリア３６のすべてのシンボルに対し（この場合、すべて、その他のシンボル５０３となる）、図１９の位相変更部２０９Ｂは、位相変更を施す。」
「時刻＄４のキャリア１からキャリア３６のすべてのシンボルに対し（この場合、すべて、その他のシンボル５０３となる）、図１９の位相変更部２０９Ｂは、位相変更を施す。」
「時刻＄５のキャリア１からキャリア３６のすべてのシンボルに対し（この場合、パイロットシンボル５０１、または、データシンボル５０２となる）、図１９の位相変更部２０９Ｂは、位相変更を施す。」
「時刻＄６のキャリア１からキャリア３６のすべてのシンボルに対し（この場合、パイロットシンボル５０１、または、データシンボル５０２となる）、図１９の位相変更部２０９Ｂは、位相変更を施す。」
「時刻＄７のキャリア１からキャリア３６のすべてのシンボルに対し（この場合、パイロットシンボル５０１、または、データシンボル５０２となる）、図１９の位相変更部２０９Ｂは、位相変更を施す。」
「時刻＄８のキャリア１からキャリア３６のすべてのシンボルに対し（この場合、パイロットシンボル５０１、または、データシンボル５０２となる）、図１９の位相変更部２０９Ｂは、位相変更を施す。」
「時刻＄９のキャリア１からキャリア３６のすべてのシンボルに対し（この場合、パイロットシンボル５０１、または、データシンボル５０２となる）、図１９の位相変更部２０９Ｂは、位相変更を施す。」
「時刻＄１０のキャリア１からキャリア３６のすべてのシンボルに対し（この場合、パイロットシンボル５０１、または、データシンボル５０２となる）、図１９の位相変更部２０９Ｂは、位相変更を施す。」
「時刻＄１１のキャリア１からキャリア３６のすべてのシンボルに対し（この場合、パイロットシンボル５０１、または、データシンボル５０２となる）、図１９の位相変更部２０９Ｂは、位相変更を施す。」
【０４２１】
図１３は、図１の送信信号１０８＿Ａの図４とは異なるフレーム構成であり、実施の形態１において、詳細の説明を行ったので、説明を省略する。
【０４２２】
図１４は、図１の送信信号１０８＿Ｂの図５とは異なるフレーム構成であり、実施の形態１において、詳細の説明を行ったので、説明を省略する。
【０４２３】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０４２４】
そして、図１３、図１４におけるその他のシンボルは、「図１９におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０４２５】
なお、図１３のフレームと図１４のフレームを受信装置は同時に受信することを想定しているが、図１３のフレームのみ、または、図１４のフレームのみを受信しても受信装置は送信装置が送信したデータを得ることは可能である。
【０４２６】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボルシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。そして、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である。例えば、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。しかし、ヌルシンボルに対し位相変更を行っても位相変更前の信号と位相変更後の信号は同じである（同相成分Ｉはゼロ（０）、かつ、直交成分Ｑはゼロ（０））。したがって、ヌルシンボルは位相変更の対象でないと解釈することも可能である。図１９の場合、位相変更部２０９Ａは、ベースバンド信号２０８Ａに対して位相変更を施しているため、図１３に記載されている各シンボルに対して位相変更を施す。
【０４２７】
したがって、図１３のフレームにおいて、時刻＄１のキャリア１からキャリア３６のすべてのシンボルに対し（この場合、すべて、その他のシンボル４０３となる）、図１９の位相変更部２０９Ａは、位相変更を施す。ただし、ヌルシンボル１３０１の位相変更の扱いについては前に説明したとおりである。
【０４２８】
同様に、
「時刻＄２のキャリア１からキャリア３６のすべてのシンボルに対し（この場合、すべて、その他のシンボル４０３となる）、図１９の位相変更部２０９Ａは、位相変更を施す。ただし、ヌルシンボル１３０１の位相変更の扱いについては前に説明したとおりである。」
「時刻＄３のキャリア１からキャリア３６のすべてのシンボルに対し（この場合、すべて、その他のシンボル４０３となる）、図１９の位相変更部２０９Ａは、位相変更を施す。ただし、ヌルシンボル１３０１の位相変更の扱いについては前に説明したとおりである。」
「時刻＄４のキャリア１からキャリア３６のすべてのシンボルに対し（この場合、すべて、その他のシンボル４０３となる）、図１９の位相変更部２０９Ａは、位相変更を施す。ただし、ヌルシンボル１３０１の位相変更の扱いについては前に説明したとおりである。」
「時刻＄５のキャリア１からキャリア３６のすべてのシンボルに対し（この場合、パイロットシンボル４０１、または、データシンボル４０２となる）、図１９の位相変更部２０９Ａは、位相変更を施す。ただし、ヌルシンボル１３０１の位相変更の扱いについては前に説明したとおりである。」
「時刻＄６のキャリア１からキャリア３６のすべてのシンボルに対し（この場合、パイロットシンボル４０１、または、データシンボル４０２となる）、図１９の位相変更部２０９Ａは、位相変更を施す。ただし、ヌルシンボル１３０１の位相変更の扱いについては前に説明したとおりである。」
「時刻＄７のキャリア１からキャリア３６のすべてのシンボルに対し（この場合、パイロットシンボル４０１、または、データシンボル４０２となる）、図１９の位相変更部２０９Ａは、位相変更を施す。ただし、ヌルシンボル１３０１の位相変更の扱いについては前に説明したとおりである。」
「時刻＄８のキャリア１からキャリア３６のすべてのシンボルに対し（この場合、パイロットシンボル４０１、または、データシンボル４０２となる）、図１９の位相変更部２０９Ａは、位相変更を施す。ただし、ヌルシンボル１３０１の位相変更の扱いについては前に説明したとおりである。」
「時刻＄９のキャリア１からキャリア３６のすべてのシンボルに対し（この場合、パイロットシンボル４０１、または、データシンボル４０２となる）、図１９の位相変更部２０９Ａは、位相変更を施す。ただし、ヌルシンボル１３０１の位相変更の扱いについては前に説明したとおりである。」
「時刻＄１０のキャリア１からキャリア３６のすべてのシンボルに対し（この場合、パイロットシンボル４０１、または、データシンボル４０２となる）、図１９の位相変更部２０９Ａは、位相変更を施す。ただし、ヌルシンボル１３０１の位相変更の扱いについては前に説明したとおりである。」
「時刻＄１１のキャリア１からキャリア３６のすべてのシンボルに対し（この場合、パイロットシンボル４０１、または、データシンボル４０２となる）、図１９の位相変更部２０９Ａは、位相変更を施す。ただし、ヌルシンボル１３０１の位相変更の扱いについては前に説明したとおりである。」
・・・
【０４２９】
位相変更部２０９Ａにおける位相変更値をΩ（ｉ）とあらわすものとする。ベースバンド信号２０８Ａはｘ’（ｉ）であり、位相変更後の信号２１０Ａはｘ（ｉ）である。したがって、ｘ（ｉ）＝Ω（ｉ）×ｘ’（ｉ）が成立する。
【０４３０】
例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０４３１】
例えば、周期Ｑを持つように位相変更を行うようにΩ（ｉ）を設定してもよい。
【０４３２】
また、例えば、図４、図１３において、同一キャリアに対して、同一の位相変更値を与え、キャリアごとに位相変更値を設定するとしてもよい。例えば、以下のようになる。
【０４３３】
・図４、図１３におけるキャリア１に対し、時刻によらず、位相変更値を式（３９）とする。
・図４、図１３におけるキャリア２に対し、時刻によらず、位相変更値を式（４０）とする。
・図４、図１３におけるキャリア３に対し、時刻によらず、位相変更値を式（４１）とする。
・図４、図１３におけるキャリア４に対し、時刻によらず、位相変更値を式（４２）とする。
・・・
【０４３４】
以上が、図１９の位相変更部２０９Ａの動作例となる。
【０４３５】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボルシンボル番号ｉ（ｉは０以上の整数とする）の関数とし、ｙ’（ｉ）とあらわすものとする。すると、位相変更後の信号２１０Ｂ（ｙ（ｉ））は、ｙ（ｉ）＝ｅｊ×τ（ｉ）×ｙ’（ｉ）とあらわすことができる（ｊは虚数単位）。そして、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。しかし、ヌルシンボルに対し位相変更を行っても位相変更前の信号と位相変更後の信号は同じである（同相成分Ｉはゼロ（０）、かつ、直交成分Ｑはゼロ（０））。したがって、ヌルシンボルは位相変更の対象でないと解釈することも可能である。図１９の場合、位相変更部２０９Ｂは、ベースバンド信号２０８Ｂに対して位相変更を施しているため、図１４に記載されている各シンボルに対して位相変更を施す。
【０４３６】
したがって、図１４のフレームにおいて、時刻＄１のキャリア１からキャリア３６のすべてのシンボルに対し（この場合、すべて、その他のシンボル５０３となる）、図１９の位相変更部２０９Ｂは、位相変更を施す。ただし、ヌルシンボル１３０１の位相変更の扱いについては前に説明したとおりである。
【０４３７】
同様に、
「時刻＄２のキャリア１からキャリア３６のすべてのシンボルに対し（この場合、すべて、その他のシンボル５０３となる）、図１９の位相変更部２０９Ｂは、位相変更を施す。ただし、ヌルシンボル１３０１の位相変更の扱いについては前に説明したとおりである。」
「時刻＄３のキャリア１からキャリア３６のすべてのシンボルに対し（この場合、すべて、その他のシンボル５０３となる）、図１９の位相変更部２０９Ｂは、位相変更を施す。ただし、ヌルシンボル１３０１の位相変更の扱いについては前に説明したとおりである。」
「時刻＄４のキャリア１からキャリア３６のすべてのシンボルに対し（この場合、すべて、その他のシンボル５０３となる）、図１９の位相変更部２０９Ｂは、位相変更を施す。ただし、ヌルシンボル１３０１の位相変更の扱いについては前に説明したとおりである。」
「時刻＄５のキャリア１からキャリア３６のすべてのシンボルに対し（この場合、パイロットシンボル５０１、または、データシンボル５０２となる）、図１９の位相変更部２０９Ｂは、位相変更を施す。ただし、ヌルシンボル１３０１の位相変更の扱いについては前に説明したとおりである。」
「時刻＄６のキャリア１からキャリア３６のすべてのシンボルに対し（この場合、パイロットシンボル５０１、または、データシンボル５０２となる）、図１９の位相変更部２０９Ｂは、位相変更を施す。ただし、ヌルシンボル１３０１の位相変更の扱いについては前に説明したとおりである。」
「時刻＄７のキャリア１からキャリア３６のすべてのシンボルに対し（この場合、パイロットシンボル５０１、または、データシンボル５０２となる）、図１９の位相変更部２０９Ｂは、位相変更を施す。ただし、ヌルシンボル１３０１の位相変更の扱いについては前に説明したとおりである。」
「時刻＄８のキャリア１からキャリア３６のすべてのシンボルに対し（この場合、パイロットシンボル５０１、または、データシンボル５０２となる）、図１９の位相変更部２０９Ｂは、位相変更を施す。ただし、ヌルシンボル１３０１の位相変更の扱いについては前に説明したとおりである。」
「時刻＄９のキャリア１からキャリア３６のすべてのシンボルに対し（この場合、パイロットシンボル５０１、または、データシンボル５０２となる）、図１９の位相変更部２０９Ｂは、位相変更を施す。ただし、ヌルシンボル１３０１の位相変更の扱いについては前に説明したとおりである。」
「時刻＄１０のキャリア１からキャリア３６のすべてのシンボルに対し（この場合、パイロットシンボル５０１、または、データシンボル５０２となる）、図１９の位相変更部２０９Ｂは、位相変更を施す。ただし、ヌルシンボル１３０１の位相変更の扱いについては前に説明したとおりである。」
「時刻＄１１のキャリア１からキャリア３６のすべてのシンボルに対し（この場合、パイロットシンボル５０１、または、データシンボル５０２となる）、図１９の位相変更部２０９Ｂは、位相変更を施す。ただし、ヌルシンボル１３０１の位相変更の扱いについては前に説明したとおりである。」
・・・
【０４３８】
位相変更部２０９Ｂにおける位相変更値をΩ（ｉ）とあらわすものとする。ベースバンド信号２０８Ｂはｙ’（ｉ）であり、位相変更後の信号２１０Ｂはｙ（ｉ）である。したがって、ｙ（ｉ）＝Δ（ｉ）×ｙ’（ｉ）が成立する。
【０４３９】
例えば、位相変更の値を以下の式と設定する。Ｒは２以上の整数であり、Ｒは位相変更の周期となる。なお、式（３８）のＱとＲの値が異なる値であるとよい。
【０４４０】
【数４９】
2017187953.tif 000051
【０４４１】
ｊは虚数単位である。ただし、式（４９）は、あくまでも例であり、これに限ったものではない。
【０４４２】
例えば、周期Ｒを持つように位相変更を行うようにΔ（ｉ）を設定してもよい。
【０４４３】
なお、位相変更部２０９Ａと位相変更部２０９Ｂの位相変更方法は異なるものとする。例えば、周期は同じであってもよいし、異なっていてもよい。
【０４４４】
また、例えば、図５、図１４において、同一キャリアに対して、同一の位相変更値を与え、キャリアごとに位相変更値を設定するとしてもよい。例えば、以下のようになる。
【０４４５】
・図５、図１４におけるキャリア１に対し、時刻によらず、位相変更値を式（３９）とする。
・図５、図１４におけるキャリア２に対し、時刻によらず、位相変更値を式（４０）とする。
・図５、図１４におけるキャリア３に対し、時刻によらず、位相変更値を式（４１）とする。
・図５、図１４におけるキャリア４に対し、時刻によらず、位相変更値を式（４２）とする。
・・・
【０４４６】
位相変更方値を式（３９）、（４０）、（４１）、（４２）として記述しているが、位相変更部２０９Ａと位相変更部２０９Ｂの位相変更方法は異なるものとする。
【０４４７】
以上が、図１９の位相変更部２０９Ｂの動作例となる。
【０４４８】
図１９の位相変更部２０９Ａ、２０９Ｂにより得られる効果について説明する。
【０４４９】
「図４および図５のフレーム」、または、「図１３および図１４のフレーム」のその他のシンボル４０３、５０３には、制御情報シンボルが含まれているものとする。前にも説明したように、その他のシンボル４０３と同一時刻、かつ、同一の周波数（同一のキャリア）の図５のその他のシンボル５０３は、制御情報を伝送している場合、同一データ（同一の制御情報）を送信している。
【０４５０】
ところで、以下の場合を考える。
【０４５１】
ケース２：
制御情報シンボルを、図１のアンテナ部＃Ａ（１０９＿Ａ）、または、アンテナ部＃Ｂ（１０９＿Ｂ）のいずれか一方のアンテナ部を用いて送信する。
【０４５２】
「ケース２」のように送信した場合、制御情報シンボルを送信するアンテナ数が１のため、「アンテナ部＃Ａ（１０９＿Ａ）とアンテナ部＃Ｂ（１０９＿Ｂ）の両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ（１０９＿Ａ）とアンテナ部＃Ｂ（１０９＿Ｂ）の両者を用いて制御情報シンボルを送信する」ほうがよい。
【０４５３】
ケース３：
制御情報シンボルを、図１のアンテナ部＃Ａ（１０９＿Ａ）とアンテナ部＃Ｂ（１０９＿Ｂ）の両者を用いて送信する。ただし、図１９における位相変更部２０９Ａ、２０９Ｂで位相変更を行わない。
【０４５４】
「ケース３」のように送信した場合、アンテナ部＃Ａ１０９＿Ａから送信した変調信号とアンテナ部＃Ｂ１０９＿Ｂから送信した変調信号が同一（または、特定の位相のずれがある）のため、電波の伝搬環境によっては、図８の受信装置は、非常に劣悪な受信信号になる可能性があるとともに、両者の変調信号が同一のマルチパスの影響を受ける可能性がある。これにより、図８の受信装置において、データの受信品質が低下するという課題がある。
【０４５５】
この課題を軽減するために、図１９において、位相変更部２０９Ａ、２０９Ｂを設けている。これにより、時間、または、周波数方向で、位相を変更しているため、図８の受信装置において、劣悪な受信信号となる可能性を低減することができる。また、アンテナ部＃Ａ１０９＿Ａから送信した変調信号が受けるマルチパスの影響とアンテナ部＃Ｂ１０９＿Ｂから送信した変調信号が受けるマルチパスの影響に違いがある可能性が高いため、ダイバーシチゲインが得られる可能性が高く、これにより、図８の受信装置において、データの受信品質が向上する。
【０４５６】
以上の理由から、図１９において、位相変更部２０９Ａ、２０９Ｂを設け、位相変更を施している。
【０４５７】
その他のシンボル４０３、および、その他のシンボル５０３には、制御情報シンボル以外に、例えば、信号検出のためシンボル、周波数同期・時間同期を行うためのシンボル、チャネル推定のためのシンボル（伝搬路変動の推定を行うためのシンボル）が、制御情報シンボルの復調及び復号を行うために含まれている。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０４５８】
そして、「図４および図５のフレーム」、または、「図１３および図１４のフレーム」には、データシンボル４０２、および、データシンボル５０２により、同一周波数（帯）、同一時間を用いて、複数のストリームを伝送している（ＭＩＭＯ伝送を行っている）。これらのデータシンボルを復調するためには、その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）を用いる。
【０４５９】
このとき、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、前にも述べたように、位相変更部２０９Ａ、２０９Ｂにより、位相変更を行っている。
【０４６０】
そのような状況の中、データシンボル４０２、および、データシンボル５０２に対し、この処理を反映させなかった場合、受信装置において、データシンボル４０２、および、データシンボル５０２の復調及び復号を行う場合、位相変更部２０９Ａ、２０９Ｂで行った位相変更に対する処理を反映させた復調及び復号を行う必要があり、その処理は複雑となる可能性が高い。「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、位相変更部２０９Ａ、２０９Ｂにより、位相変更を行っているためである。
【０４６１】
しかし、図１９に示すように、位相変更部２０９Ａ、２０９Ｂにおいて、データシンボル４０２、および、データシンボル５０２に対し、位相変更を施した場合、受信装置において、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」を用いて推定した、チャネル推定信号（伝搬路変動の推定信号）を用いて、（簡単に）データシンボル４０２、および、データシンボル５０２の復調及び復号を行うことができるという利点がある。
【０４６２】
加えて、図１９に示すように、位相変更部２０９Ａ、２０９Ｂにおいて、データシンボル４０２、および、データシンボル５０２に対し、位相変更を施した場合、マルチパスにおける、周波数軸における、電界強度の急激な落ち込みの影響を少なくすることができ、これにより、データシンボル４０２、および、データシンボル５０２のデータの受信品質を向上させることができる可能性がある。
【０４６３】
このように、「位相変更部２０５Ｂの位相変更を施すシンボルの対象」と「位相変更部２０９Ａ、２０９Ｂの位相変更を施すシンボルの対象」が異なる点が特徴的な点となる。
【０４６４】
以上のように、図１９の位相変更部２０５Ｂにより位相変更を行うことで、データシンボル４０２、および、データシンボル５０２の、特に、ＬＯＳ環境において、受信装置におけるデータの受信品質を向上させることができる。さらに、図１９の位相変更部２０９Ａ、２０９Ｂにより位相変更を行うことで、例えば、「図４および図５のフレーム」、または、「図１３および図１４のフレーム」に含まれる制御情報シンボルの、受信装置における受信品質が向上するとともに、データシンボル４０２、および、データシンボル５０２の復調及び復号の動作が簡単になる。
【０４６５】
なお、図１９の位相変更部２０５Ｂにより位相変更を行うことで、データシンボル４０２、および、データシンボル５０２の、特に、ＬＯＳ環境において、受信装置におけるデータの受信品質を向上させることができる。さらに、データシンボル４０２、および、データシンボル５０２に対して、図１９の位相変更部２０９Ａ、２０９Ｂにより位相変更を行うことで、データシンボル４０２、および、データシンボル５０２の受信品質が向上する。
【０４６６】
なお、式（３８）におけるＱは−２以下の整数であってもよく、このとき、位相変更の周期は、Ｑの絶対値となる。この点については、実施の形態１にも適用することができる。
【０４６７】
そして、式（４９）におけるＲは−２以下の整数であってもよく、このとき、位相変更の周期はＲの絶対値となる。
【０４６８】
また、補足１で説明した内容を考慮すると、位相変更部２０９Ａにおいて設定する巡回遅延量と位相変更部２０９Ｂにおいて設定する巡回遅延量を異なる値とするとよい。
【０４６９】
（実施の形態４）
本実施の形態では、実施の形態１における図２とは異なる構成の実施方法について説明する。
【０４７０】
図１は、本実施の形態における例えば、基地局、アクセスポイント、放送局等の送信装置の構成の一例であり、詳細については、実施の形態１で説明したので、説明は省略する。
【０４７１】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす（ｉはシンボル番号であり、例えば、ｉは０以上の整数とする）。なお、信号処理の詳細については、図２０を用いて説明する。
【０４７２】
図２０は、図１における信号処理部１０６の構成に一例を示している。重み付け合成部（プリコーディング部）２０３は、マッピング後の信号２０１Ａ（図１のマッピング後の信号１０５＿１に相当する）、および、マッピング後の信号２０１Ｂ（図１のマッピング後の信号１０５＿２に相当する）、および、制御信号２００（図１の制御信号１００に相当する）を入力とし、制御信号２００に基づき手重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１’（ｔ）、重み付け後の信号２０４Ｂをｚ２’（ｔ）とあらわす。なお、ｔは一例として、時間とする。ｓ１（ｔ）、ｓ２（ｔ）、ｚ１’（ｔ）、ｚ２’（ｔ）は複素数で定義されるものとする（したがって、実数であってもよい）。
【０４７３】
ここでは、時間の関数として扱っているが「周波数（キャリア番号）」の関数としてもよいし、「時間・周波数」の関数としてもよい。また、「シンボル番号」の関数としてもよい。この点は、実施の形態１でも同様である。
【０４７４】
重み付け合成部（プリコーディング部）２０３は、以下の演算を行う。
【０４７５】
【数５０】
2017187953.tif 000052
【０４７６】
そして、位相変更部２０５Ａは、重み付け合成後の信号２０４Ａ、および、制御信号２００を入力とし、制御信号２００に基づき、重み付け合成後の信号２０４Ａに対し、位相変更を施し、位相変更後の信号２０６Ａを出力する。なお、位相変更後の信号２０６Ａをｚ１（ｔ）であらわし、ｚ１（ｔ）は複素数で定義するものとする（実数であってもよい）。
【０４７７】
位相変更部２０５Ａの具体的動作について説明する。位相変更部２０５Ａでは、例えば、ｚ１’（ｉ）に対しｗ（ｉ）の位相変更を施すものとする。したがって、ｚ１（ｉ）＝ｗ（ｉ）×ｚ１’（ｉ）とあらわすことができる（ｉはシンボル番号（ｉは０以上の整数とする））。
【０４７８】
例えば、位相変更の値を以下のように設定する。
【０４７９】
【数５１】
2017187953.tif 000053
【０４８０】
Ｍは２以上の整数であり、Ｍは位相変更の周期となる。Ｍは３以上の奇数に設定すると、データの受信品質が向上する可能性がある。ただし、式（５１）は、あくまでも例であり、これに限ったものではない。そこで、位相変更値ｗ（ｉ）＝ｅｊ×λ（ｉ）であらわすものとする。
【０４８１】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義するものとする（実数であってもよい）。
【０４８２】
位相変更部２０５Ｂの具体的動作について説明する。位相変更部２０５Ｂでは、例えば、ｚ２’（ｉ）に対しｙ（ｉ）の位相変更を施すものとする。したがって、ｚ２（ｉ）＝ｙ（ｉ）×ｚ２’（ｉ）とあらわすことができる（ｉはシンボル番号（ｉは０以上の整数とする））。
【０４８３】
例えば、位相変更の値を式（２）のように設定する。Ｎは２以上の整数であり、Ｎは位相変更の周期となる。Ｎ≠Ｍである。Ｎは３以上の奇数に設定すると、データの受信品質が向上する可能性がある。ただし、式（２）は、あくまでも例であり、これに限ったものではない。そこで、位相変更値ｙ（ｉ）＝ｅｊ×δ（ｉ）であらわすものとする。
【０４８４】
このときｚ１（ｉ）およびｚ２（ｉ）は以下の式であらわすことができる。
【０４８５】
【数５２】
2017187953.tif 000054
【０４８６】
なお、δ（ｉ）、およびλ（ｉ）は実数である。そして、ｚ１（ｉ）とｚ２（ｉ）は、同一時間、同一周波数（同一周波数帯）で、送信装置から送信される。式（５２）において、位相変更の値は、式（２）、式（５２）に限ったものではなく、例えば、周期的、規則的に位相を変更するような方法が考えられる。
【０４８７】
そして、実施の形態１で説明したように、式（５０）および式（５２）における（プリコーディング）行列としては、式（５）から式（３６）などが考えられる。ただし、プリコーディング行列はこれらに限ったものではない。実施の形態１についても同様である。
【０４８８】
挿入部２０７Ａは、重み付け合成後の信号２０４Ａ、パイロットシンボル信号（ｐａ（ｔ））（ｔ：時間）（２５１Ａ）、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。
【０４８９】
同様に、挿入部２０７Ｂは、位相変更後の信号２０６Ｂ、パイロットシンボル信号（ｐｂ（ｔ））（２５１Ｂ）、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０４９０】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅｊ×ε（ｉ）×ｘ’（ｉ）とあらわすことができる（ｊは虚数単位）。
【０４９１】
なお、実施の形態１等で説明したように、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。
【０４９２】
図３は、図１の無線部１０７＿Ａおよび１０７＿Ｂの構成の一例であり、実施の形態１で詳細の説明を行ったので、説明は省略する。
【０４９３】
図４は、図１の送信信号１０８＿Ａのフレーム構成であり、実施の形態１で詳細の説明を行ったので、説明は省略する。
【０４９４】
図５は、図１の送信信号１０８＿Ｂのフレーム構成であり、実施の形態１で詳細の説明を行ったので、説明は省略する。
【０４９５】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０４９６】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０４９７】
なお、図４のフレームと図５のフレームを受信装置は同時に受信することを想定しているが、図４のフレームのみ、または、図５のフレームのみを受信しても受信装置は送信装置が送信したデータを得ることは可能である。
【０４９８】
図６は、図２の制御情報信号２５３を生成するための制御情報生成に関する部分の構成の一例を示しており、実施の形態１で詳細の説明を行ったので、説明は省略する。
【０４９９】
図７は、図１のアンテナ部＃Ａ（１０９＿Ａ）、アンテナ部＃Ｂ（１０９＿Ｂ）の構成の一例を示しており（アンテナ部＃Ａ（１０９＿Ａ）、アンテナ部＃Ｂ（１０９＿Ｂ）が複数のアンテナで構成されている例である。）、実施の形態１で詳細の説明を行ったので、説明は省略する。
【０５００】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０５０１】
図１０は、図８のアンテナ部＃Ｘ（８０１Ｘ）、アンテナ部＃Ｙ（８０１Ｙ）の構成の一例を示している。これは、アンテナ部＃Ｘ（８０１Ｘ）アンテナ部＃Ｙ（８０１Ｙ）が複数アンテナで構成されている例である。図１０については、実施の形態１で詳細の説明を行ったので、説明は省略する。
【０５０２】
次に、図１のように送信装置の信号処理部１０６が、図２０に示すように、位相変更部２０５Ａ、２０５Ｂと位相変更部２０９Ａを挿入している。その特徴と、そのときの効果について説明する。
【０５０３】
図４、図５を用いて説明したように、第１の系列を用いてマッピングすることによって得られたマッピング後の信号ｓ１（ｉ）（２０１Ａ）（ｉはシンボル番号であり、ｉは０以上の整数とする。）と第２の系列を用いてマッピングすることによって得られたマッピング後の信号ｓ２（ｉ）（２０１Ｂ）に対し、プリコーディング（重み付け合成）を施し、得られた重み付け合成後の信号２０４Ａ、２０４Ｂに対して、位相変更を行っているのが、位相変更部２０５Ａ、２０５Ｂである。そして、位相変更後の信号２０６Ａと位相変更後の信号２０６Ｂは、同一周波数、同一時間に送信される。したがって、図４、図５において、図４のデータシンボル４０２、図５のデータシンボル５０２に対して、位相変更を施す。
【０５０４】
例えば、図１１は、図４のフレームに対し、キャリア１からキャリア５、時刻＄４から時刻＄６を抽出したものである。なお、図４と同様、４０１はパイロットシンボル、４０２はデータシンボル、４０３はその他のシンボルである。
【０５０５】
上述のように、図１１に示したシンボルにおいて、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルに対し、位相変更部２０５Ａは位相変更を施す。
【０５０６】
よって、図１１に示したシンボルにおいて、（キャリア１、時刻＄５）のデータシンボルの位相変更値を「ｅｊ×λ１５（ｉ）」とし、（キャリア２、時刻＄５）のデータシンボルの位相変更値を「ｅｊ×λ２５（ｉ）」とし、（キャリア３、時刻＄５）のデータシンボルの位相変更値を「ｅｊ×λ３５（ｉ）」とし、（キャリア４、時刻＄５）のデータシンボルの位相変更値を「ｅｊ×λ４５（ｉ）」とし、（キャリア５、時刻＄５）のデータシンボルの位相変更値を「ｅｊ×λ５５（ｉ）」とし、（キャリア１、時刻＄６）のデータシンボルの位相変更値を「ｅｊ×λ１６（ｉ）」とし、（キャリア２、時刻＄６）のデータシンボルの位相変更値を「ｅｊ×λ２６（ｉ）」とし、（キャリア４、時刻＄６）のデータシンボルの位相変更値を「ｅｊ×λ４６（ｉ）」とし、（キャリア５、時刻＄６）のデータシンボルの位相変更値を「ｅｊ×λ５６（ｉ）」とする。
【０５０７】
一方、図１１に示したシンボルにおいて、（キャリア１、時刻＄４）のその他のシンボル、（キャリア２、時刻＄４）のその他のシンボル、（キャリア３、時刻＄４）のその他のシンボル、（キャリア４、時刻＄４）のその他のシンボル、（キャリア５、時刻＄４）のその他のシンボル、（キャリア３、時刻＄６）のパイロットシンボルは、位相変更部２０５Ａの位相変更の対象ではない。
【０５０８】
この点が位相変更部２０５Ａの特徴的な点である。なお、図１１における位相変更の対象である、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルと「同一キャリア、同一時刻」には、図４に示したように、データキャリアが配置されている。つまり、図４において、（キャリア１、時刻＄５）はデータシンボル、（キャリア２、時刻＄５）はデータシンボル、（キャリア３、時刻＄５）はデータシンボル、（キャリア４、時刻＄５）はデータシンボル、（キャリア５、時刻＄５）はデータシンボル、（キャリア１、時刻＄６）はデータシンボル、（キャリア２、時刻＄６）はデータシンボル、（キャリア４、時刻＄６）はデータシンボル、（キャリア５、時刻＄６）のデータシンボルである。つまり、ＭＩＭＯ伝送を行っている（複数のストリームを伝送している）データシンボルが位相変更部２０５Ａの位相変更の対象である。
【０５０９】
なお、位相変更部２０５Ａがデータシンボルに施す位相変更の例として、式（５０）のように、データシンボルに、規則的（位相変更の周期Ｎ）な位相変更を行う方法がある。ただし、データシンボルに施す位相変更方法は、これに限ったものではない。
【０５１０】
例えば、図１１は、図５のフレームに対し、キャリア１からキャリア５、時刻＄４から時刻＄６を抽出したものである。なお、図５と同様、５０１はパイロットシンボル、５０２はデータシンボル、５０３はその他のシンボルである。
【０５１１】
上述のように、図１１に示したシンボルにおいて、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルに対し、位相変更部２０５Ｂは位相変更を施す。
【０５１２】
よって、図１１に示したシンボルにおいて、（キャリア１、時刻＄５）のデータシンボルの位相変更値を「ｅｊ×δ１５（ｉ）」とし、（キャリア２、時刻＄５）のデータシンボルの位相変更値を「ｅｊ×δ２５（ｉ）」とし、（キャリア３、時刻＄５）のデータシンボルの位相変更値を「ｅｊ×δ３５（ｉ）」とし、（キャリア４、時刻＄５）のデータシンボルの位相変更値を「ｅｊ×δ４５（ｉ）」とし、（キャリア５、時刻＄５）のデータシンボルの位相変更値を「ｅｊ×δ５５（ｉ）」とし、（キャリア１、時刻＄６）のデータシンボルの位相変更値を「ｅｊ×δ１６（ｉ）」とし、（キャリア２、時刻＄６）のデータシンボルの位相変更値を「ｅｊ×δ２６（ｉ）」とし、（キャリア４、時刻＄６）のデータシンボルの位相変更値を「ｅｊ×δ４６（ｉ）」とし、（キャリア５、時刻＄６）のデータシンボルの位相変更値を「ｅｊ×δ５６（ｉ）」とする。
【０５１３】
一方、図１１に示したシンボルにおいて、（キャリア１、時刻＄４）のその他のシンボル、（キャリア２、時刻＄４）のその他のシンボル、（キャリア３、時刻＄４）のその他のシンボル、（キャリア４、時刻＄４）のその他のシンボル、（キャリア５、時刻＄４）のその他のシンボル、（キャリア３、時刻＄６）のパイロットシンボルは、位相変更部２０５Ｂの位相変更の対象ではない。
【０５１４】
この点が位相変更部２０５Ｂの特徴的な点である。なお、図１１における位相変更の対象である、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルと「同一キャリア、同一時刻」には、図４に示したように、データキャリアが配置されている。つまり、図４において、（キャリア１、時刻＄５）はデータシンボル、（キャリア２、時刻＄５）はデータシンボル、（キャリア３、時刻＄５）はデータシンボル、（キャリア４、時刻＄５）はデータシンボル、（キャリア５、時刻＄５）はデータシンボル、（キャリア１、時刻＄６）はデータシンボル、（キャリア２、時刻＄６）はデータシンボル、（キャリア４、時刻＄６）はデータシンボル、（キャリア５、時刻＄６）のデータシンボルである。つまり、ＭＩＭＯ伝送を行っている（複数のストリームを伝送している）データシンボルが位相変更部２０５Ｂの位相変更の対象である。
【０５１５】
なお、位相変更部２０５Ｂがデータシンボルに施す位相変更の例として、式（２）のように、データシンボルに、規則的（位相変更の周期Ｎ）な位相変更を行う方法がある。ただし、データシンボルに施す位相変更方法は、これに限ったものではない。
【０５１６】
このようにすることで、直接波が支配的な環境、特に、ＬＯＳ環境のときに、ＭＩＭＯ伝送を行っている（複数のストリームを伝送している）データシンボルの受信装置における受信品質が向上する。この点について、説明を行う。
【０５１７】
例えば、図１のマッピング部１０４で使用する変調方式がＱＰＳＫ（Quadrature Phase Shift Keying）であるものとする。図１８のマッピング後の信号２０１ＡはＱＰＳＫの信号であり、また、マッピング後の信号２０１ＢもＱＰＳＫの信号となる。つまり、２つのＱＰＳＫのストリームを送信する。すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について焦点をあて、説明を進める。
【０５１８】
このときの状態の一例を図１２に示す。図１２（Ａ）、図１２（Ｂ）、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼んでいる。
【０５１９】
直接波が支配的な環境、特に、ＬＯＳ環境のとき、
【０５２０】
第１のケース：
図２０の位相変更部２０５Ａおよび２０５Ｂが存在しない場合（つまり、図２０の位相変更部２０５Ａ、２０５Ｂによる位相変更を行わない場合）、を考える。
【０５２１】
「第１のケース」の場合、位相変更が行われないため、図１２の（Ａ）のような状態に陥る可能性がある。図１２（Ａ）の状態に落ちいた場合、「信号点１２０１と１２０２」、「信号点１２０３、１２０４、１２０５、１２０６」、「信号点１２０７、１２０８」のように、信号点が密（信号点間の距離が近い）の部分が存在するため、図８の受信装置において、データの受信品質が低下する可能性がある。
【０５２２】
この課題を克服するために、図２０において、位相変更部２０５Ａ、２０５Ｂを挿入している。位相変更部２０５Ａ、２０５Ｂを挿入すると、シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０５２３】
なお、図２０において、パイロットシンボル、プリアンブルなど、データシンボルを復調（検波）するための、チャネル推定を行うための「パイロットシンボル、プリアンブル」に対し、図２０の位相変更部２０５Ａ、２０５Ｂにおいて、位相変更を行わない。これにより、データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる。
【０５２４】
ただし、パイロットシンボル、プリアンブルなど、データシンボルを復調（検波）するための、チャネル推定を行うための「パイロットシンボル、プリアンブル」に対し、図２０の位相変更部２０５Ａ、２０５Ｂにおいて、位相変更を行っても、「データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる」場合がある。この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある（Ｎ、Ｍは２以上の整数となる）。
【０５２５】
前にも記載したように、位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅｊ×ε（ｉ）×ｘ’（ｉ）とあらわすことができる（ｊは虚数単位）。そして、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。図２０の場合、位相変更部２０９Ｂは、ベースバンド信号２０８Ｂに対して位相変更を施しているため、図５に記載されている各シンボルに対して位相変更を施す。
【０５２６】
したがって、図５のフレームにおいて、時刻＄１のキャリア１からキャリア３６のすべてのシンボルに対し（この場合、すべて、その他のシンボル５０３となる）、図２０の位相変更部２０９Ｂは、位相変更を施す。
【０５２７】
同様に、
「時刻＄２のキャリア１からキャリア３６のすべてのシンボルに対し（この場合、すべて、その他のシンボル５０３となる）、図２０の位相変更部２０９Ｂは、位相変更を施す。」
「時刻＄３のキャリア１からキャリア３６のすべてのシンボルに対し（この場合、すべて、その他のシンボル５０３となる）、図２０の位相変更部２０９Ｂは、位相変更を施す。」
「時刻＄４のキャリア１からキャリア３６のすべてのシンボルに対し（この場合、すべて、その他のシンボル５０３となる）、図２０の位相変更部２０９Ｂは、位相変更を施す。」
「時刻＄５のキャリア１からキャリア３６のすべてのシンボルに対し（この場合、パイロットシンボル５０１、または、データシンボル５０２となる）、図２０の位相変更部２０９Ｂは、位相変更を施す。」
「時刻＄６のキャリア１からキャリア３６のすべてのシンボルに対し（この場合、パイロットシンボル５０１、または、データシンボル５０２となる）、図２０の位相変更部２０９Ｂは、位相変更を施す。」
「時刻＄７のキャリア１からキャリア３６のすべてのシンボルに対し（この場合、パイロットシンボル５０１、または、データシンボル５０２となる）、図２０の位相変更部２０９Ｂは、位相変更を施す。」
「時刻＄８のキャリア１からキャリア３６のすべてのシンボルに対し（この場合、パイロットシンボル５０１、または、データシンボル５０２となる）、図２０の位相変更部２０９Ｂは、位相変更を施す。」
「時刻＄９のキャリア１からキャリア３６のすべてのシンボルに対し（この場合、パイロットシンボル５０１、または、データシンボル５０２となる）、図２０の位相変更部２０９Ｂは、位相変更を施す。」
「時刻＄１０のキャリア１からキャリア３６のすべてのシンボルに対し（この場合、パイロットシンボル５０１、または、データシンボル５０２となる）、図２０の位相変更部２０９Ｂは、位相変更を施す。」
「時刻＄１１のキャリア１からキャリア３６のすべてのシンボルに対し（この場合、パイロットシンボル５０１、または、データシンボル５０２となる）、図２０の位相変更部２０９Ｂは、位相変更を施す。」
・・・
【０５２８】
図１３は、図１の送信信号１０８＿Ａの図４とは異なるフレーム構成であり、実施の形態１において、詳細の説明を行ったので、説明を省略する。
【０５２９】
図１４は、図１の送信信号１０８＿Ｂの図５とは異なるフレーム構成であり、実施の形態１において、詳細の説明を行ったので、説明を省略する。
【０５３０】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０５３１】
そして、図１３、図１４におけるその他のシンボルは、「図２０におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０５３２】
なお、図１３のフレームと図１４のフレームを受信装置は同時に受信することを想定しているが、図１３のフレームのみ、または、図１４のフレームのみを受信しても受信装置は送信装置が送信したデータを得ることは可能である。
【０５３３】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボルシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅｊ×ε（ｉ）×ｘ’（ｉ）とあらわすことができる（ｊは虚数単位）。そして、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。しかし、ヌルシンボルに対し位相変更を行っても位相変更前の信号と位相変更後の信号は同じである（同相成分Ｉはゼロ（０）、かつ、直交成分Ｑはゼロ（０））。したがって、ヌルシンボルは位相変更の対象でないと解釈することも可能である。図２０の場合、位相変更部２０９Ｂは、ベースバンド信号２０８Ｂに対して位相変更を施しているため、図１４に記載されている各シンボルに対して位相変更を施す。
【０５３４】
したがって、図１４のフレームにおいて、時刻＄１のキャリア１からキャリア３６のすべてのシンボルに対し（この場合、すべて、その他のシンボル５０３となる）、図２０の位相変更部２０９Ｂは、位相変更を施す。ただし、ヌルシンボル１３０１の位相変更の扱いについては前に説明したとおりである。
【０５３５】
同様に、
「時刻＄２のキャリア１からキャリア３６のすべてのシンボルに対し（この場合、すべて、その他のシンボル５０３となる）、図２０の位相変更部２０９Ｂは、位相変更を施す。ただし、ヌルシンボル１３０１の位相変更の扱いについては前に説明したとおりである。」
「時刻＄３のキャリア１からキャリア３６のすべてのシンボルに対し（この場合、すべて、その他のシンボル５０３となる）、図２０の位相変更部２０９Ｂは、位相変更を施す。ただし、ヌルシンボル１３０１の位相変更の扱いについては前に説明したとおりである。」
「時刻＄４のキャリア１からキャリア３６のすべてのシンボルに対し（この場合、すべて、その他のシンボル５０３となる）、図２０の位相変更部２０９Ｂは、位相変更を施す。ただし、ヌルシンボル１３０１の位相変更の扱いについては前に説明したとおりである。」
「時刻＄５のキャリア１からキャリア３６のすべてのシンボルに対し（この場合、パイロットシンボル５０１、または、データシンボル５０２となる）、図２０の位相変更部２０９Ｂは、位相変更を施す。ただし、ヌルシンボル１３０１の位相変更の扱いについては前に説明したとおりである。」
「時刻＄６のキャリア１からキャリア３６のすべてのシンボルに対し（この場合、パイロットシンボル５０１、または、データシンボル５０２となる）、図２０の位相変更部２０９Ｂは、位相変更を施す。ただし、ヌルシンボル１３０１の位相変更の扱いについては前に説明したとおりである。」
「時刻＄７のキャリア１からキャリア３６のすべてのシンボルに対し（この場合、パイロットシンボル５０１、または、データシンボル５０２となる）、図２０の位相変更部２０９Ｂは、位相変更を施す。ただし、ヌルシンボル１３０１の位相変更の扱いについては前に説明したとおりである。」
「時刻＄８のキャリア１からキャリア３６のすべてのシンボルに対し（この場合、パイロットシンボル５０１、または、データシンボル５０２となる）、図２０の位相変更部２０９Ｂは、位相変更を施す。ただし、ヌルシンボル１３０１の位相変更の扱いについては前に説明したとおりである。」
「時刻＄９のキャリア１からキャリア３６のすべてのシンボルに対し（この場合、パイロットシンボル５０１、または、データシンボル５０２となる）、図２０の位相変更部２０９Ｂは、位相変更を施す。ただし、ヌルシンボル１３０１の位相変更の扱いについては前に説明したとおりである。」
「時刻＄１０のキャリア１からキャリア３６のすべてのシンボルに対し（この場合、パイロットシンボル５０１、または、データシンボル５０２となる）、図２０の位相変更部２０９Ｂは、位相変更を施す。ただし、ヌルシンボル１３０１の位相変更の扱いについては前に説明したとおりである。」
「時刻＄１１のキャリア１からキャリア３６のすべてのシンボルに対し（この場合、パイロットシンボル５０１、または、データシンボル５０２となる）、図２０の位相変更部２０９Ｂは、位相変更を施す。ただし、ヌルシンボル１３０１の位相変更の扱いについては前に説明したとおりである。」
・・・
【０５３６】
位相変更部２０９Ｂにおける位相変更値をΩ（ｉ）とあらわすものとする。ベースバンド信号２０８Ｂはｘ’（ｉ）であり、位相変更後の信号２１０Ｂはｘ（ｉ）である。したがって、ｘ（ｉ）＝Ω（ｉ）×ｘ’（ｉ）が成立する。例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０５３７】
例えば、周期Ｑを持つように位相変更を行うようにΩ（ｉ）を設定してもよい。
【０５３８】
また、例えば、図５、図１４において、同一キャリアに対して、同一の位相変更値を与え、キャリアごとに位相変更値を設定するとしてもよい。例えば、以下のようになる。
【０５３９】
・図５、図１４におけるキャリア１に対し、時刻によらず、位相変更値を式（３９）とする。
・図５、図１４におけるキャリア２に対し、時刻によらず、位相変更値を式（４０）とする。
・図５、図１４におけるキャリア３に対し、時刻によらず、位相変更値を式（４１）とする。
・図５、図１４におけるキャリア４に対し、時刻によらず、位相変更値を式（４２）とする。
・・・
【０５４０】
以上が、図２０の位相変更部２０９Ｂの動作例となる。
【０５４１】
図２０の位相変更部２０９Ｂにより得られる効果について説明する。
【０５４２】
「図４および図５のフレーム」、または、「図１３および図１４のフレーム」のその他のシンボル４０３、５０３には、制御情報シンボルが含まれているものとする。前にも説明したように、その他のシンボル４０３と同一時刻、かつ、同一の周波数（同一のキャリア）の図５のその他のシンボル５０３は、制御情報を伝送している場合、同一データ（同一の制御情報）を送信している。
【０５４３】
ところで、以下の場合を考える。
【０５４４】
ケース２：
制御情報シンボルを、図１のアンテナ部＃Ａ（１０９＿Ａ）、または、アンテナ部＃Ｂ（１０９＿Ｂ）のいずれか一方のアンテナ部を用いて送信する。
【０５４５】
「ケース２」のように送信した場合、制御情報シンボルを送信するアンテナ数が１のため、「アンテナ部＃Ａ（１０９＿Ａ）とアンテナ部＃Ｂ（１０９＿Ｂ）の両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ（１０９＿Ａ）とアンテナ部＃Ｂ（１０９＿Ｂ）の両者を用いて制御情報シンボルを送信する」ほうがよい。
【０５４６】
ケース３：
制御情報シンボルを、図１のアンテナ部＃Ａ（１０９＿Ａ）とアンテナ部＃Ｂ（１０９＿Ｂ）の両者を用いて送信する。ただし、図２０における位相変更部２０９Ｂで位相変更を行わない。
【０５４７】
「ケース３」のように送信した場合、アンテナ部＃Ａ１０９＿Ａから送信した変調信号とアンテナ部＃Ｂ１０９＿Ｂから送信した変調信号が同一（または、特定の位相のずれがある）のため、電波の伝搬環境によっては、図８の受信装置は、非常に劣悪な受信信号になる可能性があるとともに、両者の変調信号が同一のマルチパスの影響を受ける可能性がある。これにより、図８の受信装置において、データの受信品質が低下するという課題がある。
【０５４８】
この課題を軽減するために、図２０において、位相変更部２０９Ｂを設けている。これにより、時間、または、周波数方向で、位相を変更しているため、図８の受信装置において、劣悪な受信信号となる可能性を低減することができる。また、アンテナ部＃Ａ１０９＿Ａから送信した変調信号が受けるマルチパスの影響とアンテナ部＃Ｂ１０９＿Ｂから送信した変調信号が受けるマルチパスの影響に違いがある可能性が高いため、ダイバーシチゲインが得られる可能性が高く、これにより、図８の受信装置において、データの受信品質が向上する。
【０５４９】
以上の理由から、図２０において、位相変更部２０９Ｂを設け、位相変更を施している。
【０５５０】
その他のシンボル４０３、および、その他のシンボル５０３には、制御情報シンボル以外に、例えば、信号検出のためシンボル、周波数同期・時間同期を行うためのシンボル、チャネル推定のためのシンボル（伝搬路変動の推定を行うためのシンボル）が、制御情報シンボルの復調及び復号を行うために含まれている。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０５５１】
そして、「図４および図５のフレーム」、または、「図１３および図１４のフレーム」には、データシンボル４０２、および、データシンボル５０２により、同一周波数（帯）、同一時間を用いて、複数のストリームを伝送している（ＭＩＭＯ伝送を行っている）。これらのデータシンボルを復調するためには、その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）を用いる。
【０５５２】
このとき、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、前にも述べたように、位相変更部２０９Ｂにより、位相変更を行っている。
【０５５３】
そのような状況の中、データシンボル４０２、および、データシンボル５０２に対し（上述の説明の場合は、データシンボル５０２に対し）、この処理を反映させなかった場合、受信装置において、データシンボル４０２、および、データシンボル５０２の復調及び復号を行う場合、位相変更部２０９Ｂで行った位相変更に対する処理を反映させた復調及び復号を行う必要があり、その処理は複雑となる可能性が高い。「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、位相変更部２０９Ｂにより、位相変更を行っているためである。
【０５５４】
しかし、図２０に示すように、位相変更部２０９Ｂにおいて、データシンボル４０２、および、データシンボル５０２に対し（上述の説明の場合は、データシンボル５０２に対し）、位相変更を施した場合、受信装置において、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」を用いて推定した、チャネル推定信号（伝搬路変動の推定信号）を用いて、（簡単に）データシンボル４０２、および、データシンボル５０２の復調及び復号を行うことができるという利点がある。
【０５５５】
加えて、図２０に示すように、位相変更部２０９Ｂにおいて、データシンボル４０２、および、データシンボル５０２に対し（上述の説明の場合は、データシンボル５０２に対し）、位相変更を施した場合、マルチパスにおける、周波数軸における、電界強度の急激な落ち込みの影響を少なくすることができ、これにより、データシンボル４０２、および、データシンボル５０２のデータの受信品質を向上させることができる可能性がある。
【０５５６】
このように、「位相変更部２０５Ａ、２０５Ｂの位相変更を施すシンボルの対象」と「位相変更部２０９Ｂの位相変更を施すシンボルの対象」が異なる点が特徴的な点となる。
【０５５７】
以上のように、図２０の位相変更部２０５Ａ、２０５Ｂにより位相変更を行うことで、データシンボル４０２、および、データシンボル５０２の、特に、ＬＯＳ環境において、受信装置におけるデータの受信品質が向上する。さらに、図２０の位相変更部２０９Ｂにより位相変更を行うことで、例えば、「図４および図５のフレーム」、または、「図１３および図１４のフレーム」に含まれる制御情報シンボルの、受信装置における受信品質が向上するとともに、データシンボル４０２、および、データシンボル５０２の復調及び復号の動作が簡単になる。
【０５５８】
なお、図２０の位相変更部２０５Ａ、２０５Ｂにより位相変更を行うことで、データシンボル４０２、および、データシンボル５０２の、特に、ＬＯＳ環境において、受信装置におけるデータの受信品質を向上させることができる。さらに、データシンボル４０２、および、データシンボル５０２に対して、図２０の位相変更部２０９Ｂにより位相変更を行うことで、データシンボル４０２、および、データシンボル５０２の受信品質が向上する。
【０５５９】
なお、式（３８）におけるＱは−２以下の整数であってもよく、このとき、位相変更の周期は、Ｑの絶対値となる。この点については、実施の形態１にも適用することができる。
【０５６０】
（実施の形態５）
本実施の形態では、実施の形態１における図２とは異なる構成の実施方法について説明する。
【０５６１】
図１は、本実施の形態における例えば、基地局、アクセスポイント、放送局等の送信装置の構成の一例であり、詳細については、実施の形態１で説明したので、説明は省略する。
【０５６２】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす（ｉはシンボル番号であり、例えば、ｉは０以上の整数とする。）。なお、信号処理の詳細については、図２１を用いて説明する。
【０５６３】
図２１は、図１における信号処理部１０６の構成に一例を示している。重み付け合成部（プリコーディング部）２０３は、マッピング後の信号２０１Ａ（図１のマッピング後の信号１０５＿１に相当する）、および、マッピング後の信号２０１Ｂ（図１のマッピング後の信号１０５＿２に相当する）、および、制御信号２００（図１の制御信号１００に相当する）を入力とし、制御信号２００に基づき手重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１’（ｔ）、重み付け後の信号２０４Ｂをｚ２’（ｔ）とあらわす。なお、ｔは一例として、時間とする。ｓ１（ｔ）、ｓ２（ｔ）、ｚ１’（ｔ）、ｚ２’（ｔ）は複素数で定義されるものとする（したがって、実数であってもよい）。
【０５６４】
ここでは、時間の関数として扱っているが「周波数（キャリア番号）」の関数としてもよいし、「時間・周波数」の関数としてもよい。また、「シンボル番号」の関数としてもよい。この点は、実施の形態１でも同様である。
【０５６５】
重み付け合成部（プリコーディング部）２０３は、式（４９）の演算を行う。
【０５６６】
そして、位相変更部２０５Ａは、重み付け合成後の信号２０４Ａ、および、制御信号２００を入力とし、制御信号２００に基づき、重み付け合成後の信号２０４Ａに対し、位相変更を施し、位相変更後の信号２０６Ａを出力する。なお、位相変更後の信号２０６Ａをｚ１（ｔ）であらわし、ｚ１（ｔ）は複素数で定義するものとする（実数であってもよい）。
【０５６７】
位相変更部２０５Ａの具体的動作について説明する。位相変更部２０５Ａでは、例えば、ｚ１’（ｉ）に対しｗ（ｉ）の位相変更を施すものとする。したがって、ｚ１（ｉ）＝ｗ（ｉ）×ｚ１’（ｉ）とあらわすことができる（ｉはシンボル番号（ｉは０以上の整数とする））。
【０５６８】
例えば、位相変更の値を式（５０）のように設定する。
【０５６９】
Ｍは２以上の整数であり、Ｍは位相変更の周期となる。Ｍは３以上の奇数に設定すると、データの受信品質が向上する可能性がある。ただし、式（５０）は、あくまでも例であり、これに限ったものではない。そこで、位相変更値ｗ（ｉ）＝ｅｊ×λ（ｉ）であらわすものとする。
【０５７０】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義するものとする（実数であってもよい）。
【０５７１】
位相変更部２０５Ｂの具体的動作について説明する。位相変更部２０５Ｂでは、例えば、ｚ２’（ｉ）に対しｙ（ｉ）の位相変更を施すものとする。したがって、ｚ２（ｉ）＝ｙ（ｉ）×ｚ２’（ｉ）とあらわすことができる（ｉはシンボル番号（ｉは０以上の整数とする））。
【０５７２】
例えば、位相変更の値を式（２）のように設定する。Ｎは２以上の整数であり、Ｎは位相変更の周期となる。Ｎ≠Ｍである。Ｎは３以上の奇数に設定するとデータの受信品質が向上する可能性がある。ただし、式（２）は、あくまでも例であり、これに限ったものではない。そこで、位相変更値ｙ（ｉ）＝ｅｊ×δ（ｉ）であらわすものとする。
【０５７３】
このときｚ１（ｉ）およびｚ２（ｉ）は式（５１）であらわすことができる。
【０５７４】
なお、δ（ｉ）、およびλ（ｉ）は実数である。そして、ｚ１（ｉ）とｚ２（ｉ）は、同一時間、同一周波数（同一周波数帯）で、送信装置から送信される。式（５１）において、位相変更の値は、式（２）、式（５１）に限ったものではなく、例えば、周期的、規則的に位相を変更するような方法が考えられる。
【０５７５】
そして、実施の形態１で説明したように、式（４９）および式（５１）における（プリコーディング）行列としては、式（５）から式（３６）などが考えられる。ただし、プリコーディング行列はこれらに限ったものではない。実施の形態１についても同様である。
【０５７６】
挿入部２０７Ａは、重み付け合成後の信号２０４Ａ、パイロットシンボル信号（ｐａ（ｔ））（ｔ：時間）（２５１Ａ）、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。
【０５７７】
同様に、挿入部２０７Ｂは、位相変更後の信号２０６Ｂ、パイロットシンボル信号（ｐｂ（ｔ））（２５１Ｂ）、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０５７８】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅｊ×ε（ｉ）×ｘ’（ｉ）とあらわすことができる（ｊは虚数単位）。
【０５７９】
なお、実施の形態１等で説明したように、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。
【０５８０】
図３は、図１の無線部１０７＿Ａおよび１０７＿Ｂの構成の一例であり、実施の形態１で詳細の説明を行ったので、説明は省略する。
【０５８１】
図４は、図１の送信信号１０８＿Ａのフレーム構成であり、実施の形態１で詳細の説明を行ったので、説明は省略する。
【０５８２】
図５は、図１の送信信号１０８＿Ｂのフレーム構成であり、実施の形態１で詳細の説明を行ったので、説明は省略する。
【０５８３】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０５８４】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０５８５】
なお、図４のフレームと図５のフレームを受信装置は同時に受信することを想定しているが、図４のフレームのみ、または、図５のフレームのみを受信しても受信装置は送信装置が送信したデータを得ることは可能である。
【０５８６】
図６は、図２の制御情報信号２５３を生成するための制御情報生成に関する部分の構成の一例を示しており、実施の形態１で詳細の説明を行ったので、説明は省略する。
【０５８７】
図７は、図１のアンテナ部＃Ａ（１０９＿Ａ）、アンテナ部＃Ｂ（１０９＿Ｂ）の構成の一例を示している。これは、アンテナ部＃Ａ（１０９＿Ａ）、アンテナ部＃Ｂ（１０９＿Ｂ）が複数のアンテナで構成されている例である。図７については、実施の形態１で詳細の説明を行ったので、説明は省略する。
【０５８８】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０５８９】
図１０は、図８のアンテナ部＃Ｘ（８０１Ｘ）、アンテナ部＃Ｙ（８０１Ｙ）の構成の一例を示している。これは、アンテナ部＃Ｘ（８０１Ｘ）アンテナ部＃Ｙ（８０１Ｙ）が複数アンテナで構成されている例である。図１０については、実施の形態１で詳細の説明を行ったので、説明は省略する。
【０５９０】
次に、図１のように送信装置の信号処理部１０６が、図２１に示すように、位相変更部２０５Ａ、２０５Ｂと位相変更部２０９Ｂを挿入している。その特徴と、そのときの効果について説明する。
【０５９１】
図４、図５を用いて説明したように、第１の系列を用いてマッピングすることによって得られたマッピング後の信号ｓ１（ｉ）（２０１Ａ）（ｉはシンボル番号であり、ｉは０以上の整数とする。）と第２の系列を用いてマッピングすることによって得られたマッピング後の信号ｓ２（ｉ）（２０１Ｂ）に対し、プリコーディング（重み付け合成）を施し、得られた重み付け合成後の信号２０４Ａ、２０４Ｂに対して、位相変更を行っているのが、位相変更部２０５Ａ、２０５Ｂである。そして、位相変更後の信号２０６Ａと位相変更後の信号２０６Ｂは、同一周波数、同一時間に送信される。したがって、図４、図５において、図４のデータシンボル４０２、図５のデータシンボル５０２に対して、位相変更を施す。
【０５９２】
例えば、図１１は、図４のフレームに対し、キャリア１からキャリア５、時刻＄４から時刻＄６を抽出したものである。なお、図４と同様、４０１はパイロットシンボル、４０２はデータシンボル、４０３はその他のシンボルである。
【０５９３】
上述のように、図１１に示したシンボルにおいて、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルに対し、位相変更部２０５Ａは位相変更を施す。
【０５９４】
よって、図１１に示したシンボルにおいて、（キャリア１、時刻＄５）のデータシンボルの位相変更値を「ｅｊ×λ１５（ｉ）」とし、（キャリア２、時刻＄５）のデータシンボルの位相変更値を「ｅｊ×λ２５（ｉ）」とし、（キャリア３、時刻＄５）のデータシンボルの位相変更値を「ｅｊ×λ３５（ｉ）」とし、（キャリア４、時刻＄５）のデータシンボルの位相変更値を「ｅｊ×λ４５（ｉ）」とし、（キャリア５、時刻＄５）のデータシンボルの位相変更値を「ｅｊ×λ５５（ｉ）」とし、（キャリア１、時刻＄６）のデータシンボルの位相変更値を「ｅｊ×λ１６（ｉ）」とし、（キャリア２、時刻＄６）のデータシンボルの位相変更値を「ｅｊ×λ２６（ｉ）」とし、（キャリア４、時刻＄６）のデータシンボルの位相変更値を「ｅｊ×λ４６（ｉ）」とし、（キャリア５、時刻＄６）のデータシンボルの位相変更値を「ｅｊ×λ５６（ｉ）」とする。
【０５９５】
一方、図１１に示したシンボルにおいて、（キャリア１、時刻＄４）のその他のシンボル、（キャリア２、時刻＄４）のその他のシンボル、（キャリア３、時刻＄４）のその他のシンボル、（キャリア４、時刻＄４）のその他のシンボル、（キャリア５、時刻＄４）のその他のシンボル、（キャリア３、時刻＄６）のパイロットシンボルは、位相変更部２０５Ａの位相変更の対象ではない。
【０５９６】
この点が位相変更部２０５Ａの特徴的な点である。なお、図１１における位相変更の対象である、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルと「同一キャリア、同一時刻」には、図４に示したように、データキャリアが配置されている。つまり、図４において、（キャリア１、時刻＄５）はデータシンボル、（キャリア２、時刻＄５）はデータシンボル、（キャリア３、時刻＄５）はデータシンボル、（キャリア４、時刻＄５）はデータシンボル、（キャリア５、時刻＄５）はデータシンボル、（キャリア１、時刻＄６）はデータシンボル、（キャリア２、時刻＄６）はデータシンボル、（キャリア４、時刻＄６）はデータシンボル、（キャリア５、時刻＄６）のデータシンボルである。つまり、ＭＩＭＯ伝送を行っている（複数のストリームを伝送している）データシンボルが位相変更部２０５Ａの位相変更の対象である。
【０５９７】
なお、位相変更部２０５Ａがデータシンボルに施す位相変更の例として、式（５０）のように、データシンボルに、規則的（位相変更の周期Ｎ）な位相変更を行う方法がある。ただし、データシンボルに施す位相変更方法は、これに限ったものではない。
【０５９８】
例えば、図１１は、図５のフレームに対し、キャリア１からキャリア５、時刻＄４から時刻＄６を抽出したものである。なお、図５と同様、５０１はパイロットシンボル、５０２はデータシンボル、５０３はその他のシンボルである。
【０５９９】
上述のように、図１１に示したシンボルにおいて、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルに対し、位相変更部２０５Ｂは位相変更を施す。
【０６００】
よって、図１１に示したシンボルにおいて、（キャリア１、時刻＄５）のデータシンボルの位相変更値を「ｅｊ×δ１５（ｉ）」とし、（キャリア２、時刻＄５）のデータシンボルの位相変更値を「ｅｊ×δ２５（ｉ）」とし、（キャリア３、時刻＄５）のデータシンボルの位相変更値を「ｅｊ×δ３５（ｉ）」とし、（キャリア４、時刻＄５）のデータシンボルの位相変更値を「ｅｊ×δ４５（ｉ）」とし、（キャリア５、時刻＄５）のデータシンボルの位相変更値を「ｅｊ×δ５５（ｉ）」とし、（キャリア１、時刻＄６）のデータシンボルの位相変更値を「ｅｊ×δ１６（ｉ）」とし、（キャリア２、時刻＄６）のデータシンボルの位相変更値を「ｅｊ×δ２６（ｉ）」とし、（キャリア４、時刻＄６）のデータシンボルの位相変更値を「ｅｊ×δ４６（ｉ）」とし、（キャリア５、時刻＄６）のデータシンボルの位相変更値を「ｅｊ×δ５６（ｉ）」とする。
【０６０１】
一方、図１１に示したシンボルにおいて、（キャリア１、時刻＄４）のその他のシンボル、（キャリア２、時刻＄４）のその他のシンボル、（キャリア３、時刻＄４）のその他のシンボル、（キャリア４、時刻＄４）のその他のシンボル、（キャリア５、時刻＄４）のその他のシンボル、（キャリア３、時刻＄６）のパイロットシンボルは、位相変更部２０５Ｂの位相変更の対象ではない。
【０６０２】
この点が位相変更部２０５Ｂの特徴的な点である。なお、図１１における位相変更の対象である、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルと「同一キャリア、同一時刻」には、図４に示したように、データキャリアが配置されている。つまり、図４において、（キャリア１、時刻＄５）はデータシンボル、（キャリア２、時刻＄５）はデータシンボル、（キャリア３、時刻＄５）はデータシンボル、（キャリア４、時刻＄５）はデータシンボル、（キャリア５、時刻＄５）はデータシンボル、（キャリア１、時刻＄６）はデータシンボル、（キャリア２、時刻＄６）はデータシンボル、（キャリア４、時刻＄６）はデータシンボル、（キャリア５、時刻＄６）のデータシンボルである。つまり、ＭＩＭＯ伝送を行っている（複数のストリームを伝送している）データシンボルが位相変更部２０５Ｂの位相変更の対象である。
【０６０３】
なお、位相変更部２０５Ｂがデータシンボルに施す位相変更の例として、式（２）のように、データシンボルに、規則的（位相変更の周期Ｎ）な位相変更を行う方法がある。ただし、データシンボルに施す位相変更方法は、これに限ったものではない。
【０６０４】
このようにすることで、直接波が支配的な環境、特に、ＬＯＳ環境のときに、ＭＩＭＯ伝送を行っている（複数のストリームを伝送している）データシンボルの受信装置におけるデータの受信品質が向上する。この点について、説明を行う。
【０６０５】
例えば、図１のマッピング部１０４で使用する変調方式がＱＰＳＫ（Quadrature Phase Shift Keying）であるものとする。図１８のマッピング後の信号２０１ＡはＱＰＳＫの信号であり、また、マッピング後の信号２０１ＢもＱＰＳＫの信号となる。つまり、２つのＱＰＳＫのストリームを送信する。すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について焦点をあて、説明を進める。
【０６０６】
このときの状態の一例を図１２に示す。図１２（Ａ）、図１２（Ｂ）、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼んでいる。
【０６０７】
直接波が支配的な環境、特に、ＬＯＳ環境のとき、
【０６０８】
第１のケース：
図２１の位相変更部２０５Ａおよび２０５Ｂが存在しない場合（つまり、図２１の位相変更部２０５Ａ、２０５Ｂによる位相変更を行わない場合）、を考える。
【０６０９】
「第１のケース」の場合、位相変更が行われないため、図１２の（Ａ）のような状態に陥る可能性がある。図１２（Ａ）の状態に陥った場合、「信号点１２０１と１２０２」、「信号点１２０３、１２０４、１２０５、１２０６」、「信号点１２０７、１２０８」のように、信号点が密（信号点間の距離が近い）の部分が存在するため、図８の受信装置において、データの受信品質が低下する可能性がある。
【０６１０】
この課題を克服するために、図２１において、位相変更部２０５Ａ、２０５Ｂを挿入している。位相変更部２０５Ａ、２０５Ｂを挿入すると、シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０６１１】
なお、図２１において、パイロットシンボル、プリアンブルなど、データシンボルを復調（検波）するための、チャネル推定を行うための「パイロットシンボル、プリアンブル」に対し、図２１の位相変更部２０５Ａ、２０５Ｂにおいて、位相変更を行わない。これにより、データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる。
【０６１２】
ただし、パイロットシンボル、プリアンブルなど、データシンボルを復調（検波）するための、チャネル推定を行うための「パイロットシンボル、プリアンブル」に対し、図２１の位相変更部２０５Ａ、２０５Ｂにおいて、位相変更を行っても、「データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる」場合がある。この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある（Ｎ、Ｍは２以上の整数となる）。
【０６１３】
前にも記載したように、位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。そして、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である。例えば、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。図２１の場合、位相変更部２０９Ａは、ベースバンド信号２０８Ａに対して位相変更を施しているため、図４に記載されている各シンボルに対して位相変更を施す。
【０６１４】
したがって、図４のフレームにおいて、時刻＄１のキャリア１からキャリア３６のすべてのシンボルに対し（この場合、すべて、その他のシンボル４０３となる）、図２１の位相変更部２０９Ａは、位相変更を施す。
【０６１５】
同様に、
「時刻＄２のキャリア１からキャリア３６のすべてのシンボルに対し（この場合、すべて、その他のシンボル４０３となる）、図２１の位相変更部２０９Ａは、位相変更を施す。」
「時刻＄３のキャリア１からキャリア３６のすべてのシンボルに対し（この場合、すべて、その他のシンボル４０３となる）、図２１の位相変更部２０９Ａは、位相変更を施す。」
「時刻＄４のキャリア１からキャリア３６のすべてのシンボルに対し（この場合、すべて、その他のシンボル４０３となる）、図２１の位相変更部２０９Ａは、位相変更を施す。」
「時刻＄５のキャリア１からキャリア３６のすべてのシンボルに対し（この場合、パイロットシンボル４０１、または、データシンボル４０２となる）、図２１の位相変更部２０９Ａは、位相変更を施す。」
「時刻＄６のキャリア１からキャリア３６のすべてのシンボルに対し（この場合、パイロットシンボル４０１、または、データシンボル４０２となる）、図２１の位相変更部２０９Ａは、位相変更を施す。」
「時刻＄７のキャリア１からキャリア３６のすべてのシンボルに対し（この場合、パイロットシンボル４０１、または、データシンボル４０２となる）、図２１の位相変更部２０９Ａは、位相変更を施す。」
「時刻＄８のキャリア１からキャリア３６のすべてのシンボルに対し（この場合、パイロットシンボル４０１、または、データシンボル４０２となる）、図２１の位相変更部２０９Ａは、位相変更を施す。」
「時刻＄９のキャリア１からキャリア３６のすべてのシンボルに対し（この場合、パイロットシンボル４０１、または、データシンボル４０２となる）、図２１の位相変更部２０９Ａは、位相変更を施す。」
「時刻＄１０のキャリア１からキャリア３６のすべてのシンボルに対し（この場合、パイロットシンボル４０１、または、データシンボル４０２となる）、図２１の位相変更部２０９Ａは、位相変更を施す。」
「時刻＄１１のキャリア１からキャリア３６のすべてのシンボルに対し（この場合、パイロットシンボル４０１、または、データシンボル４０２となる）、図２１の位相変更部２０９Ａは、位相変更を施す。」
・・・
【０６１６】
図１３は、図１の送信信号１０８＿Ａの図４とは異なるフレーム構成であり、実施の形態１において、詳細の説明を行ったので、説明を省略する。
【０６１７】
図１４は、図１の送信信号１０８＿Ｂの図５とは異なるフレーム構成であり、実施の形態１において、詳細の説明を行ったので、説明を省略する。
【０６１８】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０６１９】
そして、図１３、図１４におけるその他のシンボルは、「図２１におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０６２０】
なお、図１３のフレームと図１４のフレームを受信装置は同時に受信することを想定しているが、図１３のフレームのみ、または、図１４のフレームのみを受信しても受信装置は送信装置が送信したデータを得ることは可能である。
【０６２１】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボルシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。そして、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である。例えば、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。しかし、ヌルシンボルに対し位相変更を行っても位相変更前の信号と位相変更後の信号は同じである（同相成分Ｉはゼロ（０）、かつ、直交成分Ｑはゼロ（０））。したがって、ヌルシンボルは位相変更の対象でないと解釈することも可能である。図２１の場合、位相変更部２０９Ａは、ベースバンド信号２０８Ａに対して位相変更を施しているため、図１３に記載されている各シンボルに対して位相変更を施す。
【０６２２】
したがって、図１３のフレームにおいて、時刻＄１のキャリア１からキャリア３６のすべてのシンボルに対し（この場合、すべて、その他のシンボル４０３となる）、図２１の位相変更部２０９Ａは、位相変更を施す。ただし、ヌルシンボル１３０１の位相変更の扱いについては前に説明したとおりである。
【０６２３】
同様に、
「時刻＄２のキャリア１からキャリア３６のすべてのシンボルに対し（この場合、すべて、その他のシンボル４０３となる）、図２１の位相変更部２０９Ａは、位相変更を施す。ただし、ヌルシンボル１３０１の位相変更の扱いについては前に説明したとおりである。」
「時刻＄３のキャリア１からキャリア３６のすべてのシンボルに対し（この場合、すべて、その他のシンボル４０３となる）、図２１の位相変更部２０９Ａは、位相変更を施す。ただし、ヌルシンボル１３０１の位相変更の扱いについては前に説明したとおりである。」
「時刻＄４のキャリア１からキャリア３６のすべてのシンボルに対し（この場合、すべて、その他のシンボル４０３となる）、図２１の位相変更部２０９Ａは、位相変更を施す。ただし、ヌルシンボル１３０１の位相変更の扱いについては前に説明したとおりである。」
「時刻＄５のキャリア１からキャリア３６のすべてのシンボルに対し（この場合、パイロットシンボル４０１、または、データシンボル４０２となる。）、図２１の位相変更部２０９Ａは、位相変更を施す。ただし、ヌルシンボル１３０１の位相変更の扱いについては前に説明したとおりである。」
「時刻＄６のキャリア１からキャリア３６のすべてのシンボルに対し（この場合、パイロットシンボル４０１、または、データシンボル４０２となる）、図２１の位相変更部２０９Ａは、位相変更を施す。ただし、ヌルシンボル１３０１の位相変更の扱いについては前に説明したとおりである。」
「時刻＄７のキャリア１からキャリア３６のすべてのシンボルに対し（この場合、パイロットシンボル４０１、または、データシンボル４０２となる）、図２１の位相変更部２０９Ａは、位相変更を施す。ただし、ヌルシンボル１３０１の位相変更の扱いについては前に説明したとおりである。」
「時刻＄８のキャリア１からキャリア３６のすべてのシンボルに対し（この場合、パイロットシンボル４０１、または、データシンボル４０２となる）、図２１の位相変更部２０９Ａは、位相変更を施す。ただし、ヌルシンボル１３０１の位相変更の扱いについては前に説明したとおりである。」
「時刻＄９のキャリア１からキャリア３６のすべてのシンボルに対し（この場合、パイロットシンボル４０１、または、データシンボル４０２となる）、図２１の位相変更部２０９Ａは、位相変更を施す。ただし、ヌルシンボル１３０１の位相変更の扱いについては前に説明したとおりである。」
「時刻＄１０のキャリア１からキャリア３６のすべてのシンボルに対し（この場合、パイロットシンボル４０１、または、データシンボル４０２となる）、図２１の位相変更部２０９Ａは、位相変更を施す。ただし、ヌルシンボル１３０１の位相変更の扱いについては前に説明したとおりである。」
「時刻＄１１のキャリア１からキャリア３６のすべてのシンボルに対し（この場合、パイロットシンボル４０１、または、データシンボル４０２となる）、図２１の位相変更部２０９Ａは、位相変更を施す。ただし、ヌルシンボル１３０１の位相変更の扱いについては前に説明したとおりである。」
・・・
【０６２４】
位相変更部２０９Ａにおける位相変更値をΩ（ｉ）とあらわすものとする。ベースバンド信号２０８Ａはｘ’（ｉ）であり、位相変更後の信号２１０Ａはｘ（ｉ）である。したがって、ｘ（ｉ）＝Ω（ｉ）×ｘ’（ｉ）が成立する。
【０６２５】
例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０６２６】
例えば、周期Ｑを持つように位相変更を行うようにΩ（ｉ）を設定してもよい。
【０６２７】
また、例えば、図４、図１３において、同一キャリアに対して、同一の位相変更値を与え、キャリアごとに位相変更値を設定するとしてもよい。例えば、以下のようになる。
【０６２８】
・図４、図１３におけるキャリア１に対し、時刻によらず、位相変更値を式（３９）とする。
・図４、図１３におけるキャリア２に対し、時刻によらず、位相変更値を式（４０）とする。
・図４、図１３におけるキャリア３に対し、時刻によらず、位相変更値を式（４１）とする。
・図４、図１３におけるキャリア４に対し、時刻によらず、位相変更値を式（４２）とする。
・・・
【０６２９】
以上が、図２１の位相変更部２０９Ａの動作例となる。
【０６３０】
図２１の位相変更部２０９Ａにより得られる効果について説明する。
【０６３１】
「図４および図５のフレーム」、または、「図１３および図１４のフレーム」のその他のシンボル４０３、５０３には、制御情報シンボルが含まれているものとする。前にも説明したように、その他のシンボル４０３と同一時刻、かつ、同一の周波数（同一のキャリア）の図５のその他のシンボル５０３は、制御情報を伝送している場合、同一データ（同一の制御情報）を送信している。
【０６３２】
ところで、以下の場合を考える。
【０６３３】
ケース２：
制御情報シンボルを、図１のアンテナ部＃Ａ（１０９＿Ａ）、または、アンテナ部＃Ｂ（１０９＿Ｂ）のいずれか一方のアンテナ部を用いて送信する。
【０６３４】
「ケース２」のように送信した場合、制御情報シンボルを送信するアンテナ数が１のため、「アンテナ部＃Ａ（１０９＿Ａ）とアンテナ部＃Ｂ（１０９＿Ｂ）の両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ（１０９＿Ａ）とアンテナ部＃Ｂ（１０９＿Ｂ）の両者を用いて制御情報シンボルを送信する」ほうがよい。
【０６３５】
ケース３：
制御情報シンボルを、図１のアンテナ部＃Ａ（１０９＿Ａ）とアンテナ部＃Ｂ（１０９＿Ｂ）の両者を用いて送信する。ただし、図２１における位相変更部２０９Ａで位相変更を行わない。
【０６３６】
「ケース３」のように送信した場合、アンテナ部＃Ａ１０９＿Ａから送信した変調信号とアンテナ部＃Ｂ１０９＿Ｂから送信した変調信号が同一（または、特定の位相のずれがある）のため、電波の伝搬環境によっては、図８の受信装置は、非常に劣悪な受信信号になる可能性があるとともに、両者の変調信号が同一のマルチパスの影響を受ける可能性がある。これにより、図８の受信装置において、データの受信品質が低下するという課題がある。
【０６３７】
この課題を軽減するために、図２１において、位相変更部２０９Ａを設けている。これにより、時間、または、周波数方向で、位相を変更しているため、図８の受信装置において、劣悪な受信信号となる可能性を低減することができる。また、アンテナ部＃Ａ１０９＿Ａから送信した変調信号が受けるマルチパスの影響とアンテナ部＃Ｂ１０９＿Ｂから送信した変調信号が受けるマルチパスの影響に違いがある可能性が高いため、ダイバーシチゲインが得られる可能性が高く、これにより、図８の受信装置において、データの受信品質が向上する。
【０６３８】
以上の理由から、図２１において、位相変更部２０９Ａを設け、位相変更を施している。
【０６３９】
その他のシンボル４０３、および、その他のシンボル５０３には、制御情報シンボル以外に、例えば、信号検出のためシンボル、周波数同期・時間同期を行うためのシンボル、チャネル推定のためのシンボル（伝搬路変動の推定を行うためのシンボル）が、制御情報シンボルの復調及び復号を行うために含まれている。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０６４０】
そして、「図４および図５のフレーム」、または、「図１３および図１４のフレーム」には、データシンボル４０２、および、データシンボル５０２により、同一周波数（帯）、同一時間を用いて、複数のストリームを伝送している（ＭＩＭＯ伝送を行っている）。これらのデータシンボルを復調するためには、その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）を用いる。
【０６４１】
このとき、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、前にも述べたように、位相変更部２０９Ａにより、位相変更を行っている。
【０６４２】
そのような状況の中、データシンボル４０２、および、データシンボル５０２に対し（上述の説明の場合は、データシンボル４０２に対し）、この処理を反映させなかった場合、受信装置において、データシンボル４０２、および、データシンボル５０２の復調及び復号を行う場合、位相変更部２０９Ａで行った位相変更に対する処理を反映させた復調及び復号を行う必要があり、その処理は複雑となる可能性が高い。「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、位相変更部２０９Ａにより、位相変更を行っているためである。
【０６４３】
しかし、図２１に示すように、位相変更部２０９Ａにおいて、データシンボル４０２、および、データシンボル５０２に対し（上述の説明の場合は、データシンボル４０２に対し）、位相変更を施した場合、受信装置において、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」を用いて推定した、チャネル推定信号（伝搬路変動の推定信号）を用いて、（簡単に）データシンボル４０２、および、データシンボル５０２の復調及び復号を行うことができるという利点がある。
【０６４４】
加えて、図２１に示すように、位相変更部２０９Ａにおいて、データシンボル４０２、および、データシンボル５０２に対し（上述の説明の場合は、データシンボル４０２に対し）、位相変更を施した場合、マルチパスにおける、周波数軸における、電界強度の急激な落ち込みの影響を少なくすることができ、これにより、データシンボル４０２、および、データシンボル５０２のデータの受信品質を向上させることができる可能性がある。
【０６４５】
このように、「位相変更部２０５Ａ、２０５Ｂの位相変更を施すシンボルの対象」と「位相変更部２０９Ａの位相変更を施すシンボルの対象」が異なる点が特徴的な点となる。
【０６４６】
以上のように、図２１の位相変更部２０５Ａ、２０５Ｂにより位相変更を行うことで、データシンボル４０２、および、データシンボル５０２の、特に、ＬＯＳ環境において、受信装置におけるデータの受信品質を向上させることができる。さらに、図２１の位相変更部２０９Ａにより位相変更を行うことで、例えば、「図４および図５のフレーム」、または、「図１３および図１４のフレーム」に含まれる制御情報シンボルの、受信装置における受信品質が向上するとともに、データシンボル４０２、および、データシンボル５０２の復調及び復号の動作が簡単になる。
【０６４７】
なお、図２１の位相変更部２０５Ａ、２０５Ｂにより位相変更を行うことで、データシンボル４０２、および、データシンボル５０２の、特に、ＬＯＳ環境において、受信装置におけるデータの受信品質を向上させることができる。さらに、データシンボル４０２、および、データシンボル５０２に対して、図２１の位相変更部２０９Ａにより位相変更を行うことで、データシンボル４０２、および、データシンボル５０２の受信品質が向上する。
【０６４８】
なお、式（３８）におけるＱは−２以下の整数であってもよく、このとき、位相変更の周期は、Ｑの絶対値となる。この点については、実施の形態１にも適用することができる。
【０６４９】
（実施の形態６）
本実施の形態では、実施の形態１における図２とは異なる構成の実施方法について説明する。
【０６５０】
図１は、本実施の形態における例えば、基地局、アクセスポイント、放送局等の送信装置の構成の一例であり、詳細については、実施の形態１で説明したので、説明は省略する。
【０６５１】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす（ｉはシンボル番号であり、例えば、ｉは０以上の整数とする）。なお、信号処理の詳細については、図２２を用いて説明する。
【０６５２】
図２２は、図１における信号処理部１０６の構成に一例を示している。重み付け合成部（プリコーディング部）２０３は、マッピング後の信号２０１Ａ（図１のマッピング後の信号１０５＿１に相当する）、および、マッピング後の信号２０１Ｂ（図１のマッピング後の信号１０５＿２に相当する）、および、制御信号２００（図１の制御信号１００に相当する）を入力とし、制御信号２００に基づき手重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１’（ｔ）、重み付け後の信号２０４Ｂをｚ２’（ｔ）とあらわす。なお、ｔは一例として、時間とする。ｓ１（ｔ）、ｓ２（ｔ）、ｚ１’（ｔ）、ｚ２’（ｔ）は複素数で定義されるものとする（したがって、実数であってもよい）。
【０６５３】
ここでは、時間の関数として扱っているが「周波数（キャリア番号）」の関数としてもよいし、「時間・周波数」の関数としてもよい。また、「シンボル番号」の関数としてもよい。この点は、実施の形態１でも同様である。
【０６５４】
重み付け合成部（プリコーディング部）２０３は、式（４９）の演算を行う。
【０６５５】
そして、位相変更部２０５Ａは、重み付け合成後の信号２０４Ａ、および、制御信号２００を入力とし、制御信号２００に基づき、重み付け合成後の信号２０４Ａに対し、位相変更を施し、位相変更後の信号２０６Ａを出力する。なお、位相変更後の信号２０６Ａをｚ１（ｔ）であらわし、ｚ１（ｔ）は複素数で定義するものとする（実数であってもよい）。
【０６５６】
位相変更部２０５Ａの具体的動作について説明する。位相変更部２０５Ａでは、例えば、ｚ１’（ｉ）に対しｗ（ｉ）の位相変更を施すものとする。したがって、ｚ１（ｉ）＝ｗ（ｉ）×ｚ１’（ｉ）とあらわすことができる（ｉはシンボル番号（ｉは０以上の整数とする））。
【０６５７】
例えば、位相変更の値を式（５０）のように設定する。
【０６５８】
Ｍは２以上の整数であり、Ｍは位相変更の周期となる。Ｍは３以上の奇数に設定するとデータの受信品質が向上する可能性がある。ただし、式（５０）は、あくまでも例であり、これに限ったものではない。そこで、位相変更値ｗ（ｉ）＝ｅｊ×λ（ｉ）であらわすものとする。
【０６５９】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義するものとする（実数であってもよい）。
【０６６０】
位相変更部２０５Ｂの具体的動作について説明する。位相変更部２０５Ｂでは、例えば、ｚ２’（ｉ）に対しｙ（ｉ）の位相変更を施すものとする。したがって、ｚ２（ｉ）＝ｙ（ｉ）×ｚ２’（ｉ）とあらわすことができる（ｉはシンボル番号（ｉは０以上の整数とする））。
【０６６１】
例えば、位相変更の値を式（２）のように設定する。Ｎは２以上の整数であり、Ｎは位相変更の周期となる。Ｎ≠Ｍである。Ｎは３以上の奇数に設定するとデータの受信品質が向上する可能性がある。ただし、式（２）は、あくまでも例であり、これに限ったものではない。そこで、位相変更値ｙ（ｉ）＝ｅｊ×δ（ｉ）であらわすものとする。
【０６６２】
このときｚ１（ｉ）およびｚ２（ｉ）は式（５１）であらわすことができる。
【０６６３】
なお、δ（ｉ）、およびλ（ｉ）は実数である。そして、ｚ１（ｉ）とｚ２（ｉ）は、同一時間、同一周波数（同一周波数帯）で、送信装置から送信される。式（５１）において、位相変更の値は、式（２）、式（５１）に限ったものではなく、例えば、周期的、規則的に位相を変更するような方法が考えられる。
【０６６４】
そして、実施の形態１で説明したように、式（４９）および式（５１）における（プリコーディング）行列としては、式（５）から式（３６）などが考えられる。ただし、プリコーディング行列はこれらに限ったものではない。実施の形態１についても同様である。
【０６６５】
挿入部２０７Ａは、重み付け合成後の信号２０４Ａ、パイロットシンボル信号（ｐａ（ｔ））（ｔ：時間）（２５１Ａ）、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。
【０６６６】
同様に、挿入部２０７Ｂは、位相変更後の信号２０６Ｂ、パイロットシンボル信号（ｐｂ（ｔ））（２５１Ｂ）、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０６６７】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅｊ×ε（ｉ）×ｘ’（ｉ）とあらわすことができる（ｊは虚数単位）。
【０６６８】
なお、実施の形態１等で説明したように、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。
【０６６９】
図３は、図１の無線部１０７＿Ａおよび１０７＿Ｂの構成の一例であり、実施の形態１で詳細の説明を行ったので、説明は省略する。
【０６７０】
図４は、図１の送信信号１０８＿Ａのフレーム構成であり、実施の形態１で詳細の説明を行ったので、説明は省略する。
【０６７１】
図５は、図１の送信信号１０８＿Ｂのフレーム構成であり、実施の形態１で詳細の説明を行ったので、説明は省略する。
【０６７２】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０６７３】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０６７４】
なお、図４のフレームと図５のフレームを受信装置は同時に受信することを想定しているが、図４のフレームのみ、または、図５のフレームのみを受信しても受信装置は送信装置が送信したデータを得ることは可能である。
【０６７５】
図６は、図２の制御情報信号２５３を生成するための制御情報生成に関する部分の構成の一例を示しており、実施の形態１で詳細の説明を行ったので、説明は省略する。
【０６７６】
図７は、図１のアンテナ部＃Ａ（１０９＿Ａ）、アンテナ部＃Ｂ（１０９＿Ｂ）の構成の一例を示しており（アンテナ部＃Ａ（１０９＿Ａ）、アンテナ部＃Ｂ（１０９＿Ｂ）が複数のアンテナで構成されている例である。）、実施の形態１で詳細の説明を行ったので、説明は省略する。
【０６７７】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０６７８】
図１０は、図８のアンテナ部＃Ｘ（８０１Ｘ）、アンテナ部＃Ｙ（８０１Ｙ）の構成の一例を示している。これは、アンテナ部＃Ｘ（８０１Ｘ）アンテナ部＃Ｙ（８０１Ｙ）が複数アンテナで構成されている例である。図１０については、実施の形態１で詳細の説明を行ったので、説明は省略する。
【０６７９】
次に、図１のように送信装置の信号処理部１０６が、図２２に示すように、位相変更部２０５Ａ、２０５Ｂと位相変更部２０９Ｂを挿入している。その特徴と、そのときの効果について説明する。
【０６８０】
図４、図５を用いて説明したように、第１の系列を用いてマッピングすることによって得られたマッピング後の信号ｓ１（ｉ）（２０１Ａ）（ｉはシンボル番号であり、ｉは０以上の整数とする）と第２の系列を用いてマッピングすることによって得られたマッピング後の信号ｓ２（ｉ）（２０１Ｂ）に対し、プリコーディング（重み付け合成）を施し、得られた重み付け合成後の信号２０４Ａ、２０４Ｂに対して、位相変更を行っているのが、位相変更部２０５Ａ、２０５Ｂである。そして、位相変更後の信号２０６Ａと位相変更後の信号２０６Ｂは、同一周波数、同一時間に送信される。したがって、図４、図５において、図４のデータシンボル４０２、図５のデータシンボル５０２に対して、位相変更を施す。
【０６８１】
例えば、図１１は、図４のフレームに対し、キャリア１からキャリア５、時刻＄４から時刻＄６を抽出したものである。なお、図４と同様、４０１はパイロットシンボル、４０２はデータシンボル、４０３はその他のシンボルである。
【０６８２】
上述のように、図１１に示したシンボルにおいて、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルに対し、位相変更部２０５Ａは位相変更を施す。
【０６８３】
よって、図１１に示したシンボルにおいて、（キャリア１、時刻＄５）のデータシンボルの位相変更値を「ｅｊ×λ１５（ｉ）」とし、（キャリア２、時刻＄５）のデータシンボルの位相変更値を「ｅｊ×λ２５（ｉ）」とし、（キャリア３、時刻＄５）のデータシンボルの位相変更値を「ｅｊ×λ３５（ｉ）」とし、（キャリア４、時刻＄５）のデータシンボルの位相変更値を「ｅｊ×λ４５（ｉ）」とし、（キャリア５、時刻＄５）のデータシンボルの位相変更値を「ｅｊ×λ５５（ｉ）」とし、（キャリア１、時刻＄６）のデータシンボルの位相変更値を「ｅｊ×λ１６（ｉ）」とし、（キャリア２、時刻＄６）のデータシンボルの位相変更値を「ｅｊ×λ２６（ｉ）」とし、（キャリア４、時刻＄６）のデータシンボルの位相変更値を「ｅｊ×λ４６（ｉ）」とし、（キャリア５、時刻＄６）のデータシンボルの位相変更値を「ｅｊ×λ５６（ｉ）」とする。
【０６８４】
一方、図１１に示したシンボルにおいて、（キャリア１、時刻＄４）のその他のシンボル、（キャリア２、時刻＄４）のその他のシンボル、（キャリア３、時刻＄４）のその他のシンボル、（キャリア４、時刻＄４）のその他のシンボル、（キャリア５、時刻＄４）のその他のシンボル、（キャリア３、時刻＄６）のパイロットシンボルは、位相変更部２０５Ａの位相変更の対象ではない。
【０６８５】
この点が位相変更部２０５Ａの特徴的な点である。なお、図１１における位相変更の対象である、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルと「同一キャリア、同一時刻」には、図４に示したように、データキャリアが配置されている。つまり、図４において、（キャリア１、時刻＄５）はデータシンボル、（キャリア２、時刻＄５）はデータシンボル、（キャリア３、時刻＄５）はデータシンボル、（キャリア４、時刻＄５）はデータシンボル、（キャリア５、時刻＄５）はデータシンボル、（キャリア１、時刻＄６）はデータシンボル、（キャリア２、時刻＄６）はデータシンボル、（キャリア４、時刻＄６）はデータシンボル、（キャリア５、時刻＄６）のデータシンボルである。つまり、ＭＩＭＯ伝送を行っている（複数のストリームを伝送している）データシンボルが位相変更部２０５Ａの位相変更の対象である。
【０６８６】
なお、位相変更部２０５Ａがデータシンボルに施す位相変更の例として、式（５０）のように、データシンボルに、規則的（位相変更の周期Ｎ）な位相変更を行う方法がある。ただし、データシンボルに施す位相変更方法は、これに限ったものではない。
【０６８７】
例えば、図１１は、図５のフレームに対し、キャリア１からキャリア５、時刻＄４から時刻＄６を抽出したものである。なお、図５と同様、５０１はパイロットシンボル、５０２はデータシンボル、５０３はその他のシンボルである。
【０６８８】
上述のように、図１１に示したシンボルにおいて、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルに対し、位相変更部２０５Ｂは位相変更を施す。
【０６８９】
よって、図１１に示したシンボルにおいて、（キャリア１、時刻＄５）のデータシンボルの位相変更値を「ｅｊ×δ１５（ｉ）」とし、（キャリア２、時刻＄５）のデータシンボルの位相変更値を「ｅｊ×δ２５（ｉ）」とし、（キャリア３、時刻＄５）のデータシンボルの位相変更値を「ｅｊ×δ３５（ｉ）」とし、（キャリア４、時刻＄５）のデータシンボルの位相変更値を「ｅｊ×δ４５（ｉ）」とし、（キャリア５、時刻＄５）のデータシンボルの位相変更値を「ｅｊ×δ５５（ｉ）」とし、（キャリア１、時刻＄６）のデータシンボルの位相変更値を「ｅｊ×δ１６（ｉ）」とし、（キャリア２、時刻＄６）のデータシンボルの位相変更値を「ｅｊ×δ２６（ｉ）」とし、（キャリア４、時刻＄６）のデータシンボルの位相変更値を「ｅｊ×δ４６（ｉ）」とし、（キャリア５、時刻＄６）のデータシンボルの位相変更値を「ｅｊ×δ５６（ｉ）」とする。
【０６９０】
一方、図１１に示したシンボルにおいて、（キャリア１、時刻＄４）のその他のシンボル、（キャリア２、時刻＄４）のその他のシンボル、（キャリア３、時刻＄４）のその他のシンボル、（キャリア４、時刻＄４）のその他のシンボル、（キャリア５、時刻＄４）のその他のシンボル、（キャリア３、時刻＄６）のパイロットシンボルは、位相変更部２０５Ｂの位相変更の対象ではない。
【０６９１】
この点が位相変更部２０５Ｂの特徴的な点である。なお、図１１における位相変更の対象である、（キャリア１、時刻＄５）のデータシンボル、（キャリア２、時刻＄５）のデータシンボル、（キャリア３、時刻＄５）のデータシンボル、（キャリア４、時刻＄５）のデータシンボル、（キャリア５、時刻＄５）のデータシンボル、（キャリア１、時刻＄６）のデータシンボル、（キャリア２、時刻＄６）のデータシンボル、（キャリア４、時刻＄６）のデータシンボル、（キャリア５、時刻＄６）のデータシンボルと「同一キャリア、同一時刻」には、図４に示したように、データキャリアが配置されている。つまり、図４において、（キャリア１、時刻＄５）はデータシンボル、（キャリア２、時刻＄５）はデータシンボル、（キャリア３、時刻＄５）はデータシンボル、（キャリア４、時刻＄５）はデータシンボル、（キャリア５、時刻＄５）はデータシンボル、（キャリア１、時刻＄６）はデータシンボル、（キャリア２、時刻＄６）はデータシンボル、（キャリア４、時刻＄６）はデータシンボル、（キャリア５、時刻＄６）のデータシンボルである。つまり、ＭＩＭＯ伝送を行っている（複数のストリームを伝送している）データシンボルが位相変更部２０５Ｂの位相変更の対象である。
【０６９２】
なお、位相変更部２０５Ｂがデータシンボルに施す位相変更の例として、式（２）のように、データシンボルに、規則的（位相変更の周期Ｎ）な位相変更を行う方法がある。ただし、データシンボルに施す位相変更方法は、これに限ったものではない。
【０６９３】
このようにすることで、直接波が支配的な環境、特に、ＬＯＳ環境のときに、ＭＩＭＯ伝送を行っている（複数のストリームを伝送している）データシンボルの受信装置におけるデータの受信品質が向上する。この点について、説明を行う。
【０６９４】
例えば、図１のマッピング部１０４で使用する変調方式がＱＰＳＫ（Quadrature Phase Shift Keying）であるものとする。図１８のマッピング後の信号２０１ＡはＱＰＳＫの信号であり、また、マッピング後の信号２０１ＢもＱＰＳＫの信号となる。つまり、送信装置は、２つのＱＰＳＫのストリームを送信する。すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について焦点をあて、説明を進める。
【０６９５】
このときの状態の一例を図１２に示す。図１２（Ａ）、図１２（Ｂ）、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼んでいる。
【０６９６】
直接波が支配的な環境、特に、ＬＯＳ環境のとき、
【０６９７】
第１のケース：
図２２の位相変更部２０５Ａおよび２０５Ｂが存在しない場合（つまり、図２２の位相変更部２０５Ａ、２０５Ｂによる位相変更を行わない場合）、を考える。
【０６９８】
「第１のケース」の場合、位相変更が行われないため、図１２の（Ａ）のような状態に陥る可能性がある。図１２（Ａ）の状態に陥った場合、「信号点１２０１と１２０２」、「信号点１２０３、１２０４、１２０５、１２０６」、「信号点１２０７、１２０８」のように、信号点が密（信号点間の距離が近い）の部分が存在するため、図８の受信装置において、データの受信品質が低下する可能性がある。
【０６９９】
この課題を克服するために、図２２において、位相変更部２０５Ａ、２０５Ｂを挿入している。位相変更部２０５Ａ、２０５Ｂを挿入すると、シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０７００】
なお、図２２において、パイロットシンボル、プリアンブルなど、データシンボルを復調（検波）するための、チャネル推定を行うための「パイロットシンボル、プリアンブル」に対し、図２２の位相変更部２０５Ａ、２０５Ｂにおいて、位相変更を行わない。これにより、データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる。
【０７０１】
ただし、パイロットシンボル、プリアンブルなど、データシンボルを復調（検波）するための、チャネル推定を行うための「パイロットシンボル、プリアンブル」に対し、図２２の位相変更部２０５Ａ、２０５Ｂにおいて、位相変更を行っても、「データシンボルにおいて、「シンボル番号ｉにより、図１２（Ａ）のように信号点が密（信号点間の距離が近い）の部分が存在するシンボル番号と、図１２（Ｂ）のように「信号点間の距離が長い」というシンボル番号とが混在すること」を実現することができる」場合がある。この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある（Ｎ、Ｍは２以上の整数となる）。
【０７０２】
前にも記載したように、位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。そして、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である。例えば、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。図２２の場合、位相変更部２０９Ａは、ベースバンド信号２０８Ａに対して位相変更を施しているため、図４に記載されている各シンボルに対して位相変更を施す。
【０７０３】
したがって、図４のフレームにおいて、時刻＄１のキャリア１からキャリア３６のすべてのシンボルに対し（この場合、すべて、その他のシンボル４０３となる）、図２２の位相変更部２０９Ａは、位相変更を施す。
【０７０４】
同様に、
「時刻＄２のキャリア１からキャリア３６のすべてのシンボルに対し（この場合、すべて、その他のシンボル４０３となる）、図２２の位相変更部２０９Ａは、位相変更を施す。」
「時刻＄３のキャリア１からキャリア３６のすべてのシンボルに対し（この場合、すべて、その他のシンボル４０３となる）、図２２の位相変更部２０９Ａは、位相変更を施す。」
「時刻＄４のキャリア１からキャリア３６のすべてのシンボルに対し（この場合、すべて、その他のシンボル４０３となる）、図２２の位相変更部２０９Ａは、位相変更を施す。」
「時刻＄５のキャリア１からキャリア３６のすべてのシンボルに対し（この場合、パイロットシンボル４０１、または、データシンボル４０２となる）、図２２の位相変更部２０９Ａは、位相変更を施す。」
「時刻＄６のキャリア１からキャリア３６のすべてのシンボルに対し（この場合、パイロットシンボル４０１、または、データシンボル４０２となる）、図２２の位相変更部２０９Ａは、位相変更を施す。」
「時刻＄７のキャリア１からキャリア３６のすべてのシンボルに対し（この場合、パイロットシンボル４０１、または、データシンボル４０２となる）、図２２の位相変更部２０９Ａは、位相変更を施す。」
「時刻＄８のキャリア１からキャリア３６のすべてのシンボルに対し（この場合、パイロットシンボル４０１、または、データシンボル４０２となる）、図２２の位相変更部２０９Ａは、位相変更を施す。」
「時刻＄９のキャリア１からキャリア３６のすべてのシンボルに対し（この場合、パイロットシンボル４０１、または、データシンボル４０２となる）、図２２の位相変更部２０９Ａは、位相変更を施す。」
「時刻＄１０のキャリア１からキャリア３６のすべてのシンボルに対し（この場合、パイロットシンボル４０１、または、データシンボル４０２となる）、図２２の位相変更部２０９Ａは、位相変更を施す。」
「時刻＄１１のキャリア１からキャリア３６のすべてのシンボルに対し（この場合、パイロットシンボル４０１、または、データシンボル４０２となる）、図２２の位相変更部２０９Ａは、位相変更を施す。」
・・・
【０７０５】
前にも記載したように、位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｙ’（ｉ）とあらわすものとする。すると、位相変更後の信号２１０Ｂ（ｙ（ｉ））は、ｙ（ｉ）＝ｅｊ×η（ｉ）×ｙ’（ｉ）とあらわすことができる（ｊは虚数単位）。そして、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。図２２の場合、位相変更部２０９Ｂは、ベースバンド信号２０８Ｂに対して位相変更を施しているため、図５に記載されている各シンボルに対して位相変更を施す。
【０７０６】
したがって、図５のフレームにおいて、時刻＄１のキャリア１からキャリア３６のすべてのシンボルに対し（この場合、すべて、その他のシンボル５０３となる）、図２２の位相変更部２０９Ｂは、位相変更を施す。
【０７０７】
同様に、
「時刻＄２のキャリア１からキャリア３６のすべてのシンボルに対し（この場合、すべて、その他のシンボル５０３となる）、図２２の位相変更部２０９Ｂは、位相変更を施す。」
「時刻＄３のキャリア１からキャリア３６のすべてのシンボルに対し（この場合、すべて、その他のシンボル５０３となる）、図２２の位相変更部２０９Ｂは、位相変更を施す。」
「時刻＄４のキャリア１からキャリア３６のすべてのシンボルに対し（この場合、すべて、その他のシンボル５０３となる）、図２２の位相変更部２０９Ｂは、位相変更を施す。」
「時刻＄５のキャリア１からキャリア３６のすべてのシンボルに対し（この場合、パイロットシンボル５０１、または、データシンボル５０２となる）、図２２の位相変更部２０９Ｂは、位相変更を施す。」
「時刻＄６のキャリア１からキャリア３６のすべてのシンボルに対し（この場合、パイロットシンボル５０１、または、データシンボル５０２となる）、図２２の位相変更部２０９Ｂは、位相変更を施す。」
「時刻＄７のキャリア１からキャリア３６のすべてのシンボルに対し（この場合、パイロットシンボル５０１、または、データシンボル５０２となる）、図２２の位相変更部２０９Ｂは、位相変更を施す。」
「時刻＄８のキャリア１からキャリア３６のすべてのシンボルに対し（この場合、パイロットシンボル５０１、または、データシンボル５０２となる）、図２２の位相変更部２０９Ｂは、位相変更を施す。」
「時刻＄９のキャリア１からキャリア３６のすべてのシンボルに対し（この場合、パイロットシンボル５０１、または、データシンボル５０２となる）、図２２の位相変更部２０９Ｂは、位相変更を施す。」
「時刻＄１０のキャリア１からキャリア３６のすべてのシンボルに対し（この場合、パイロットシンボル５０１、または、データシンボル５０２となる）、図２２の位相変更部２０９Ｂは、位相変更を施す。」
「時刻＄１１のキャリア１からキャリア３６のすべてのシンボルに対し（この場合、パイロットシンボル５０１、または、データシンボル５０２となる）、図２２の位相変更部２０９Ｂは、位相変更を施す。」
・・・
【０７０８】
図１３は、図１の送信信号１０８＿Ａの図４とは異なるフレーム構成であり、実施の形態１において、詳細の説明を行ったので、説明を省略する。
【０７０９】
図１４は、図１の送信信号１０８＿Ｂの図５とは異なるフレーム構成であり、実施の形態１において、詳細の説明を行ったので、説明を省略する。
【０７１０】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０７１１】
そして、図１３、図１４におけるその他のシンボルは、「図２２におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０７１２】
なお、図１３のフレームと図１４のフレームを受信装置は同時に受信することを想定しているが、図１３のフレームのみ、または、図１４のフレームのみを受信しても受信装置は送信装置が送信したデータを得ることは可能である。
【０７１３】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボルシンボル番号ｉ（ｉは０以上の整数とする）の関数とし、ｘ’（ｉ）とあらわすものとする。すると、位相変更後の信号２１０Ａ（ｘ（ｉ））は、ｘ（ｉ）＝ｅｊ×ε（ｉ）×ｘ’（ｉ）とあらわすことができる（ｊは虚数単位）。そして、位相変更部２０９Ａの動作としては、非特許文献２、非特許文献３で記載されているＣＤＤ（Cyclic Delay Diversity）（ＣＳＤ（Cyclic Shift Diversity））であってもよい。そして、位相変更部２０９Ａの特徴としては、周波数軸方向に存在するシンボルに対し、位相変更を行う点である。例えば、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。しかし、ヌルシンボルに対し位相変更を行っても位相変更前の信号と位相変更後の信号は同じである（同相成分Ｉはゼロ（０）、かつ、直交成分Ｑはゼロ（０））。したがって、ヌルシンボルは位相変更の対象でないと解釈することも可能である。図２２の場合、位相変更部２０９Ａは、ベースバンド信号２０８Ａに対して位相変更を施しているため、図１３に記載されている各シンボルに対して位相変更を施す。
【０７１４】
したがって、図１３のフレームにおいて、時刻＄１のキャリア１からキャリア３６のすべてのシンボルに対し（この場合、すべて、その他のシンボル４０３となる）、図２２の位相変更部２０９Ａは、位相変更を施す。ただし、ヌルシンボル１３０１の位相変更の扱いについては前に説明したとおりである。
【０７１５】
同様に、
「時刻＄２のキャリア１からキャリア３６のすべてのシンボルに対し（この場合、すべて、その他のシンボル４０３となる）、図２２の位相変更部２０９Ａは、位相変更を施す。ただし、ヌルシンボル１３０１の位相変更の扱いについては前に説明したとおりである。」
「時刻＄３のキャリア１からキャリア３６のすべてのシンボルに対し（この場合、すべて、その他のシンボル４０３となる）、図２２の位相変更部２０９Ａは、位相変更を施す。ただし、ヌルシンボル１３０１の位相変更の扱いについては前に説明したとおりである。」
「時刻＄４のキャリア１からキャリア３６のすべてのシンボルに対し（この場合、すべて、その他のシンボル４０３となる）、図２２の位相変更部２０９Ａは、位相変更を施す。ただし、ヌルシンボル１３０１の位相変更の扱いについては前に説明したとおりである。」
「時刻＄５のキャリア１からキャリア３６のすべてのシンボルに対し（この場合、パイロットシンボル４０１、または、データシンボル４０２となる）、図２２の位相変更部２０９Ａは、位相変更を施す。ただし、ヌルシンボル１３０１の位相変更の扱いについては前に説明したとおりである。」
「時刻＄６のキャリア１からキャリア３６のすべてのシンボルに対し（この場合、パイロットシンボル４０１、または、データシンボル４０２となる）、図２２の位相変更部２０９Ａは、位相変更を施す。ただし、ヌルシンボル１３０１の位相変更の扱いについては前に説明したとおりである。」
「時刻＄７のキャリア１からキャリア３６のすべてのシンボルに対し（この場合、パイロットシンボル４０１、または、データシンボル４０２となる）、図２２の位相変更部２０９Ａは、位相変更を施す。ただし、ヌルシンボル１３０１の位相変更の扱いについては前に説明したとおりである。」
「時刻＄８のキャリア１からキャリア３６のすべてのシンボルに対し（この場合、パイロットシンボル４０１、または、データシンボル４０２となる）、図２２の位相変更部２０９Ａは、位相変更を施す。ただし、ヌルシンボル１３０１の位相変更の扱いについては前に説明したとおりである。」
「時刻＄９のキャリア１からキャリア３６のすべてのシンボルに対し（この場合、パイロットシンボル４０１、または、データシンボル４０２となる）、図２２の位相変更部２０９Ａは、位相変更を施す。ただし、ヌルシンボル１３０１の位相変更の扱いについては前に説明したとおりである。」
「時刻＄１０のキャリア１からキャリア３６のすべてのシンボルに対し（この場合、パイロットシンボル４０１、または、データシンボル４０２となる）、図２２の位相変更部２０９Ａは、位相変更を施す。ただし、ヌルシンボル１３０１の位相変更の扱いについては前に説明したとおりである。」
「時刻＄１１のキャリア１からキャリア３６のすべてのシンボルに対し（この場合、パイロットシンボル４０１、または、データシンボル４０２となる）、図２２の位相変更部２０９Ａは、位相変更を施す。ただし、ヌルシンボル１３０１の位相変更の扱いについては前に説明したとおりである。」
・・・
【０７１６】
位相変更部２０９Ａにおける位相変更値をΩ（ｉ）とあらわすものとする。ベースバンド信号２０８Ａはｘ’（ｉ）であり、位相変更後の信号２１０Ａはｘ（ｉ）である。したがって、ｘ（ｉ）＝Ω（ｉ）×ｘ’（ｉ）が成立する。
【０７１７】
例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０７１８】
例えば、周期Ｑを持つように位相変更を行うようにΩ（ｉ）を設定してもよい。
【０７１９】
また、例えば、図４、図１３において、同一キャリアに対して、同一の位相変更値を与え、キャリアごとに位相変更値を設定するとしてもよい。例えば、以下のようになる。
【０７２０】
・図４、図１３におけるキャリア１に対し、時刻によらず、位相変更値を式（３９）とする。
・図４、図１３におけるキャリア２に対し、時刻によらず、位相変更値を式（４０）とする。
・図４、図１３におけるキャリア３に対し、時刻によらず、位相変更値を式（４１）とする。
・図４、図１３におけるキャリア４に対し、時刻によらず、位相変更値を式（４２）とする。
・・・
【０７２１】
以上が、図２２の位相変更部２０９Ａの動作例となる。
【０７２２】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボルシンボル番号ｉ（ｉは０以上の整数とする）の関数とし、ｙ’（ｉ）とあらわすものとする。すると、位相変更後の信号２１０Ｂ（ｘ（ｉ））は、ｙ（ｉ）＝ｅｊ×η（ｉ）×ｙ’（ｉ）とあらわすことができる（ｊは虚数単位）。そして、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である。例えば、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。しかし、ヌルシンボルに対し位相変更を行っても位相変更前の信号と位相変更後の信号は同じである（同相成分Ｉはゼロ（０）、かつ、直交成分Ｑはゼロ（０））。したがって、ヌルシンボルは位相変更の対象でないと解釈することも可能である。図２２の場合、位相変更部２０９Ｂは、ベースバンド信号２０８Ｂに対して位相変更を施しているため、図１４に記載されている各シンボルに対して位相変更を施す。
【０７２３】
したがって、図１４のフレームにおいて、時刻＄１のキャリア１からキャリア３６のすべてのシンボルに対し（この場合、すべて、その他のシンボル５０３となる）、図２２の位相変更部２０９Ｂは、位相変更を施す。ただし、ヌルシンボル１３０１の位相変更の扱いについては前に説明したとおりである。
【０７２４】
同様に、
「時刻＄２のキャリア１からキャリア３６のすべてのシンボルに対し（この場合、すべて、その他のシンボル５０３となる）、図２２の位相変更部２０９Ｂは、位相変更を施す。ただし、ヌルシンボル１３０１の位相変更の扱いについては前に説明したとおりである。」
「時刻＄３のキャリア１からキャリア３６のすべてのシンボルに対し（この場合、すべて、その他のシンボル５０３となる）、図２２の位相変更部２０９Ｂは、位相変更を施す。ただし、ヌルシンボル１３０１の位相変更の扱いについては前に説明したとおりである。」
「時刻＄４のキャリア１からキャリア３６のすべてのシンボルに対し（この場合、すべて、その他のシンボル５０３となる）、図２２の位相変更部２０９Ｂは、位相変更を施す。ただし、ヌルシンボル１３０１の位相変更の扱いについては前に説明したとおりである。」
「時刻＄５のキャリア１からキャリア３６のすべてのシンボルに対し（この場合、パイロットシンボル５０１、または、データシンボル５０２となる）、図２２の位相変更部２０９Ｂは、位相変更を施す。ただし、ヌルシンボル１３０１の位相変更の扱いについては前に説明したとおりである。」
「時刻＄６のキャリア１からキャリア３６のすべてのシンボルに対し（この場合、パイロットシンボル５０１、または、データシンボル５０２となる）、図２２の位相変更部２０９Ｂは、位相変更を施す。ただし、ヌルシンボル１３０１の位相変更の扱いについては前に説明したとおりである。」
「時刻＄７のキャリア１からキャリア３６のすべてのシンボルに対し（この場合、パイロットシンボル５０１、または、データシンボル５０２となる）、図２２の位相変更部２０９Ｂは、位相変更を施す。ただし、ヌルシンボル１３０１の位相変更の扱いについては前に説明したとおりである。」
「時刻＄８のキャリア１からキャリア３６のすべてのシンボルに対し（この場合、パイロットシンボル５０１、または、データシンボル５０２となる）、図２２の位相変更部２０９Ｂは、位相変更を施す。ただし、ヌルシンボル１３０１の位相変更の扱いについては前に説明したとおりである。」
「時刻＄９のキャリア１からキャリア３６のすべてのシンボルに対し（この場合、パイロットシンボル５０１、または、データシンボル５０２となる）、図２２の位相変更部２０９Ｂは、位相変更を施す。ただし、ヌルシンボル１３０１の位相変更の扱いについては前に説明したとおりである。」
「時刻＄１０のキャリア１からキャリア３６のすべてのシンボルに対し（この場合、パイロットシンボル５０１、または、データシンボル５０２となる）、図２２の位相変更部２０９Ｂは、位相変更を施す。ただし、ヌルシンボル１３０１の位相変更の扱いについては前に説明したとおりである。」
「時刻＄１１のキャリア１からキャリア３６のすべてのシンボルに対し（この場合、パイロットシンボル５０１、または、データシンボル５０２となる）、図２２の位相変更部２０９Ｂは、位相変更を施す。ただし、ヌルシンボル１３０１の位相変更の扱いについては前に説明したとおりである。」
・・・
【０７２５】
位相変更部２０９Ｂにおける位相変更値をΔ（ｉ）とあらわすものとする。ベースバンド信号２０８Ｂはｙ’（ｉ）であり、位相変更後の信号２１０Ｂはｙ（ｉ）である。したがって、ｙ（ｉ）＝Δ（ｉ）×ｙ’（ｉ）が成立する。
【０７２６】
例えば、位相変更の値を式（４９）と設定する。Ｒは２以上の整数であり、Ｒは位相変更の周期となる。なお、式（３８）のＱとＲの値が異なる値であるとよい。
【０７２７】
例えば、周期Ｒを持つように位相変更を行うようにΔ（ｉ）を設定してもよい。
【０７２８】
また、例えば、図５、図１４において、同一キャリアに対して、同一の位相変更値を与え、キャリアごとに位相変更値を設定するとしてもよい。例えば、以下のようになる。
【０７２９】
・図５、図１４におけるキャリア１に対し、時刻によらず、位相変更値を式（３９）とする。
・図５、図１４におけるキャリア２に対し、時刻によらず、位相変更値を式（４０）とする。
・図５、図１４におけるキャリア３に対し、時刻によらず、位相変更値を式（４１）とする。
・図５、図１４におけるキャリア４に対し、時刻によらず、位相変更値を式（４２）とする。
・・・
【０７３０】
以上が、図２０の位相変更部２０９Ｂの動作例となる。
【０７３１】
図２２の位相変更部２０９Ａ、２０９Ｂにより得られる効果について説明する。
【０７３２】
「図４および図５のフレーム」、または、「図１３および図１４のフレーム」のその他のシンボル４０３、５０３には、制御情報シンボルが含まれているものとする。前にも説明したように、その他のシンボル４０３と同一時刻、かつ、同一の周波数（同一のキャリア）の図５のその他のシンボル５０３は、制御情報を伝送している場合、同一データ（同一の制御情報）を送信している。
【０７３３】
ところで、以下の場合を考える。
【０７３４】
ケース２：
制御情報シンボルを、図１のアンテナ部＃Ａ（１０９＿Ａ）、または、アンテナ部＃Ｂ（１０９＿Ｂ）のいずれか一方のアンテナ部を用いて送信する。
【０７３５】
「ケース２」のように送信した場合、制御情報シンボルを送信するアンテナ数が１のため、「アンテナ部＃Ａ（１０９＿Ａ）とアンテナ部＃Ｂ（１０９＿Ｂ）の両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ（１０９＿Ａ）とアンテナ部＃Ｂ（１０９＿Ｂ）の両者を用いて制御情報シンボルを送信する」ほうがよい。
【０７３６】
ケース３：
制御情報シンボルを、図１のアンテナ部＃Ａ（１０９＿Ａ）とアンテナ部＃Ｂ（１０９＿Ｂ）の両者を用いて送信する。ただし、図２２における位相変更部２０９Ａ、２０９Ｂで位相変更を行わない。
【０７３７】
「ケース３」のように送信した場合、アンテナ部＃Ａ１０９＿Ａから送信した変調信号とアンテナ部＃Ｂ１０９＿Ｂから送信した変調信号が同一（または、特定の位相のずれがある）のため、電波の伝搬環境によっては、図８の受信装置は、非常に劣悪な受信信号になる可能性があるとともに、両者の変調信号が同一のマルチパスの影響を受ける可能性がある。これにより、図８の受信装置において、データの受信品質が低下するという課題がある。
【０７３８】
この課題を軽減するために、図２２において、位相変更部２０９Ａ、２０９Ｂを設けている。これにより、時間、または、周波数方向で、位相を変更しているため、図８の受信装置において、劣悪な受信信号となる可能性を低減することができる。また、アンテナ部＃Ａ１０９＿Ａから送信した変調信号が受けるマルチパスの影響とアンテナ部＃Ｂ１０９＿Ｂから送信した変調信号が受けるマルチパスの影響に違いがある可能性が高いため、ダイバーシチゲインが得られる可能性が高く、これにより、図８の受信装置において、データの受信品質が向上する。
【０７３９】
以上の理由から、図２２において、位相変更部２０９Ａ、２０９Ｂを設け、位相変更を施している。
【０７４０】
その他のシンボル４０３、および、その他のシンボル５０３には、制御情報シンボル以外に、例えば、信号検出のためシンボル、周波数同期・時間同期を行うためのシンボル、チャネル推定のためのシンボル（伝搬路変動の推定を行うためのシンボル）が、制御情報シンボルの復調及び復号を行うために含まれている。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０７４１】
そして、「図４および図５のフレーム」、または、「図１３および図１４のフレーム」には、データシンボル４０２、および、データシンボル５０２により、同一周波数（帯）、同一時間を用いて、複数のストリームを伝送している（ＭＩＭＯ伝送を行っている）。これらのデータシンボルを復調するためには、その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）を用いる。
【０７４２】
このとき、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、前にも述べたように、位相変更部２０９Ａ、２０９Ｂにより、位相変更を行っている。
【０７４３】
そのような状況の中、データシンボル４０２、および、データシンボル５０２に対し（上述の説明の場合は、データシンボル４０２に対し）、この処理を反映させなかった場合、受信装置において、データシンボル４０２、および、データシンボル５０２の復調及び復号を行う場合、位相変更部２０９Ａで行った位相変更に対する処理を反映させた復調及び復号を行う必要があり、その処理は複雑となる可能性が高い。「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」は、位相変更部２０９Ａ、２０９Ｂにより、位相変更を行っているためである。
【０７４４】
しかし、図２２に示すように、位相変更部２０９Ａ、２０９Ｂにおいて、データシンボル４０２、および、データシンボル５０２に対し、位相変更を施した場合、受信装置において、「その他のシンボル４０３、および、その他のシンボル５０３に含まれている、信号検出のためのシンボル、周波数同期・時間同期を行うためのシンボル、チャネル推定のためのシンボル（伝搬路変動の推定を行うためのシンボル）」を用いて推定した、チャネル推定信号（伝搬路変動の推定信号）を用いて、データシンボル４０２、および、データシンボル５０２の復調及び復号を簡単に行うことができるという利点がある。
【０７４５】
加えて、図２２に示すように、位相変更部２０９Ａ、２０９Ｂにおいて、データシンボル４０２、および、データシンボル５０２に対し、位相変更を施した場合、マルチパスにおける、周波数軸における、電界強度の急激な落ち込みの影響を少なくすることができ、これにより、データシンボル４０２、および、データシンボル５０２のデータの受信品質を向上させることができる可能性がある。
【０７４６】
このように、「位相変更部２０５Ａ、２０５Ｂの位相変更を施すシンボルの対象」と「位相変更部２０９Ａ、２０９Ｂの位相変更を施すシンボルの対象」が異なる点が特徴的な点となる。
【０７４７】
以上のように、図２２の位相変更部２０５Ｂにより位相変更を行うことで、データシンボル４０２、および、データシンボル５０２の、特に、ＬＯＳ環境において、受信装置におけるデータの受信品質が向上する。さらに、図２２の位相変更部２０９Ａ、２０９Ｂにより位相変更を行うことで、例えば、「図４および図５のフレーム」、または、「図１３および図１４のフレーム」に含まれる制御情報シンボルの、受信装置における受信品質が向上するとともに、データシンボル４０２、および、データシンボル５０２の復調及び復号の動作が簡単になる。
【０７４８】
なお、図２２の位相変更部２０５Ａ、２０５Ｂにより位相変更を行うことで、データシンボル４０２、および、データシンボル５０２の、特に、ＬＯＳ環境において、受信装置におけるデータの受信品質が向上する。さらに、データシンボル４０２、および、データシンボル５０２に対して、図２２の位相変更部２０９Ａ、２０９Ｂにより位相変更を行うことで、データシンボル４０２、および、データシンボル５０２の受信品質が向上する。
【０７４９】
なお、式（３８）におけるＱは−２以下の整数であってもよく、このとき、位相変更の周期は、Ｑの絶対値となる。この点については、実施の形態１にも適用することができる。
【０７５０】
そして、式（４９）におけるＲは−２以下の整数であってもよく、このとき、位相変更の周期はＲの絶対値となる。
【０７５１】
また、補足１で説明した内容を考慮すると、位相変更部２０９Ａにおいて設定する巡回遅延量と位相変更部２０９Ｂにおいて設定する巡回遅延量を異なる値とするとよい。
【０７５２】
（実施の形態７）
本実施の形態では、実施の形態１から実施の形態６で説明した送信方法、受信方法を用いた通信システムの例について説明する。
【０７５３】
図２３は、本実施の形態における基地局（または、アクセスポイントなど）の構成の一例を示している。
【０７５４】
送信装置２３０３は、データ２３０１、信号群２３０２、制御信号２３０９を入力とし、データ２３０１、信号群２３０２に対応する変調信号を生成し、アンテナから変調信号を送信する。
【０７５５】
このとき、送信装置２３０３の構成の一例としては、例えば、図１に示したとおりであり、データ２３０１は図１の１０１に相当し、信号群２３０２は図１の１１０に相当し、制御信号２３０９は図１の１１０に相当する。
【０７５６】
受信装置２３０４は、通信相手、例えば、端末が送信した変調信号を受信し、この変調信号に対し、信号処理・復調及び復号を行い、通信相手からの制御情報信号２３０５、および、受信データ２３０６を出力する。
【０７５７】
このとき、受信装置２３０４の構成の一例としては、例えば、図８に示したとおりであり、受信データ２３０６は図８の８１２に相当し、通信相手からの制御情報信号２３０５は図８の８１０に相当する。
【０７５８】
制御信号生成部２３０８は、通信相手からの制御情報信号２３０５、および、設定信号２３０７を入力とし、これらに基づき、制御信号２３０９を生成し、出力する。
【０７５９】
図２４は、図２３の基地局の通信相手である端末の構成の一例を示している。
【０７６０】
送信装置２４０３は、データ２４０１、信号群２４０２、制御信号２４０９を入力とし、データ２４０１、信号群２４０２に対応する変調信号を生成し、アンテナから変調信号を送信する。
【０７６１】
このとき、送信装置２４０３の構成の一例としては、例えば、図１に示したとおりであり、データ２４０１は図１の１０１に相当し、信号群２４０２は図１の１１０に相当し、制御信号２４０９は図１の１１０に相当する。
【０７６２】
受信装置２４０４は、通信相手、例えば、基地局が送信した変調信号を受信し、この変調信号に対し、信号処理、復調及び復号を行い、通信相手からの制御情報信号２４０５、および、受信データ２４０６を出力する。
【０７６３】
このとき、受信装置２４０４の構成の一例としては、例えば、図８に示したとおりであり、受信データ２４０６は図８の８１２に相当し、通信相手からの制御情報信号２４０５は図８の８１０に相当する。
【０７６４】
制御信号生成部２４０８は、通信相手からの制御情報信号２３０５、および、設定信号２４０７を入力とし、これらの情報に基づき、制御信号２４０９を生成し、出力する。
【０７６５】
図２５は、図２４の端末が送信する変調信号のフレーム構成の一例を示しており、横軸を時間とする。２５０１はプリアンブルであり、通信相手（例えば、基地局）が信号検出、周波数同期、時間同期、周波数オフセットの推定、チャネル推定を行うためのシンボルであり、例えば、ＰＳＫ（Phase Shift Keying）のシンボルであるものとする。また、指向性制御を行うためのトレーニングシンボルを含んでいてもよい。なお、ここでは、プリアンブルと名付けているが、他の呼び方をしてもよい。
【０７６６】
２５０２は制御情報シンボルであり、２５０３は通信相手に伝送するデータを含むデータシンボルである。
【０７６７】
２５０２は制御情報シンボルには、例えば、データシンボル２５０３を生成するのに使用した誤り訂正符号の方法（符号長（ブロック長）、符号化率）の情報、変調方式の情報、および、通信相手に通知するための制御情報などが含まれているものとする。
【０７６８】
なお、図２５は、あくまでもフレーム構成の一例であって、このフレーム構成に限ったものではない。また、図２５に示したシンボルの中に別のシンボル、例えば、パイロットシンボルやリファレンスシンボルが含まれていてもよい。そして、図２５において、縦軸に周波数があり、周波数軸方向（キャリア方向）にシンボルが存在していてもよい。
【０７６９】
図２３の基地局が送信するフレーム構成の一例は、例えば、図４、図５、図１３、図１４を用いて説明したとおりであり、ここでは詳細の説明は省略する。なお、その他のシンボル４０３、５０３には、指向性制御を行うためのトレーニングシンボルを含んでいてもよい。したがって、本実施の形態では、基地局は、複数の変調信号を複数のアンテナを用いて送信する場合を含んでいるものとする。
【０７７０】
以上のような通信システムにおいて、以下では、基地局の動作について、詳しく説明する。
【０７７１】
図２３の基地局の送信装置２３０３は、図１の構成をもつ。そして、図１の信号処理部１０６は、図２、図１８、図１９、図２０、図２１、図２２、図２８、図２９、図３０、図３１、図３２、図３３のいずれかの構成をもつ。なお、図２８、図２９、図３０、図３１、図３２、図３３については、後で説明を行う。このとき、位相変更部２０５Ａ、２０５Ｂの動作を通信環境や設定状況によって切り替えてもよい。そして、位相変更部２０５Ａ、２０５Ｂの動作に関する制御情報を、フレーム構成図４、図５、図１３、図１４におけるその他のシンボル４０３、５０３の制御情報シンボルで伝送する制御情報の一部として、基地局が送信するものとする。
【０７７２】
このとき、位相変更部２０５Ａ、２０５Ｂの動作に関する制御情報をu0, u1とするものとする。[u0 u1]と位相変更部２０５Ａ、２０５Ｂの関係を表１に示す。なお、u0, u1は、その他のシンボル４０３、５０３の制御情報シンボルの一部として、例えば、基地局が送信するものとする。そして、端末は、その他のシンボル４０３、５０３の制御情報シンボルに含まれる[u0 u1]を得、[u0 u1]から位相変更部２０５Ａ、２０５Ｂの動作を知り、データシンボルの復調及び復号を行う。
【０７７３】
【表１】
2017187953.tif 000055
【０７７４】
表１の解釈は以下のようになる。
【０７７５】
・「位相変更部２０５Ａ、２０５Ｂは位相変更を行わない」と基地局が設定したとき、「u0=0, u1=0」と設定する。よって、位相変更部２０５Ａは、入力信号（２０４Ａ）に対し、位相変更を行わずに、信号（２０６Ａ）を出力する。同様に、位相変更部２０５Ｂは、入力信号（２０４Ｂ）に対し、位相変更を行わずに、信号（２０６Ｂ）を出力する。
【０７７６】
・「位相変更部２０５Ａ、２０５Ｂが、周期的／規則的にシンボルごとに位相変更を行う」と基地局が設定したとき、「u0=0, u1=1」と設定する。なお、位相変更部２０５Ａ、２０５Ｂが、周期的／規則的にシンボルごとに位相変更を変更する方法の詳細については、実施の形態１から実施の形態６で説明したとおりであるので、詳細の説明を省略する。そして、図１の信号処理部１０６が、図２０、図２１、図２２のいずれかの構成を持つ場合、「位相変更部２０５Ａが周期的／規則的にシンボルごとに位相変更を行い、位相変更部２０５Ｂが周期的／規則的にシンボルごとに位相変更を行わない」、「位相変更部２０５Ａが周期的／規則的にシンボルごとに位相変更を行わない、位相変更部２０５Ｂが周期的／規則的にシンボルごとに位相変更を行う」ときについても「u0=0, u1=1」と設定するものとする。
【０７７７】
・「位相変更部２０５Ａ、２０５Ｂが特定の位相変更値で位相変更を施す」と基地局が設定したとき、「u0=1, u1=0」と設定する。ここで、「特定の位相変更値で位相変更を施す」について説明する。
【０７７８】
例えば、位相変更部２０５Ａにおいて、特定の位相変更値で位相変更を施すものとする。このとき、入力信号（２０４Ａ）をｚ１（ｉ）とする（ｉはシンボル番号）。すると、「特定の位相変更値で位相変更を施した」場合、出力信号（２０６Ａ）は、ｅｊα×ｚ１（ｉ）とあらわされる（αは実数であり、特定の位相変更値となる）。このとき、振幅を変更してもよく、この場合、出力信号（２０６Ａ）は、Ａ×ｅｊα×ｚ１（ｉ）とあらわされる（Ａは実数）。
【０７７９】
同様に、位相変更部２０６Ａにおいて、特定の位相変更値で位相変更を施すものとする。このとき、入力信号（２０４Ｂ）をｚ２（ｔ）とする（ｉはシンボル番号）。すると、「特定の位相変更値で位相変更を施した」場合、出力信号（２０６Ｂ）は、ｅｊβ×ｚ２（ｉ）とあらわされる（αは実数であり、特定の位相変更値となる）。このとき、振幅を変更してもよく、この場合、出力信号（２０６Ｂ）は、Ｂ×ｅｊβ×ｚ２（ｉ）とあらわされる（Ｂは実数）。
【０７８０】
なお、図１の信号処理部１０６が、図２０、図２１、図２２、図３１、図３２、図３３のいずれかの構成を持つ場合、「位相変更部２０５Ａが特定の位相変更値で位相変更を施し、位相変更部２０５Ｂが特定の位相変更値で位相変更を施さない」、「位相変更部２０５Ａが特定の位相変更値で位相変更を施さないものとし、位相変更部２０５Ｂが特定の位相変更値で位相変更を施す」ときについても「u0=1, u1=0」と設定するものとする。
【０７８１】
次に、「特定の位相変更値」の設定方法の例について説明を行う。以下では、第１の方法、第２の方法について説明を行う。
【０７８２】
第１の方法：
基地局がトレーニングシンボルを送信する。そして、通信相手である端末が、トレーニングシンボルを用いて、「特定の位相変更値（セット）」の情報を基地局に送信する。基地局は、端末から得た「特定の位相変更値（セット）」の情報に基づいて、位相変更を行う。
【０７８３】
または、基地局がトレーニングシンボルを送信する。そして、通信相手である端末が、トレーニングシンボルの受信結果に関する情報（例えば、チャネル推定値に関する情報）を基地局に送信する。基地局は、端末から得た「トレーニングシンボルの受信結果に関する情報」から、「特定の位相変更値（セット）」の好適な値を求め、位相変更を行う。
【０７８４】
なお、基地局は、設定した「特定の位相変更値（セット）」の値に関する情報を端末に通知する必要があり、この場合、図４、図５、図１３、図１４におけるその他のシンボル４０３、５０３における制御情報シンボルにより、基地局が設定した「特定の位相変更値（セット）」の値に関する情報を伝送する。
【０７８５】
第１の方法の実施例を、図２６を用いて説明する。図２６（Ａ）は、基地局が送信する時間軸におけるシンボルを示しており、横軸を時間である。そして、図２６（Ｂ）は、端末が送信する時間軸におけるシンボルを示しており、横軸は時間である。
【０７８６】
以下では、図２６の具体的な説明を行う。まず、端末は、基地局に対し、通信の要求を行うものとする。
【０７８７】
すると、基地局は、少なくとも、「基地局がデータシンボル２６０４を送信するのに使用する“特定の位相変更値（セット）”を推定する」ためのトレーニングシンボル２６０１を送信するものとする。なお、トレーニングシンボル２６０１を用いて、端末は、他の推定を行ってもよく、また、トレーニングシンボル２６０１は、例えば、ＰＳＫ変調を用いるとよい。そして、トレーニングシンボルは、実施の形態１から実施の形態６で説明したパイロットシンボルと同様に、複数のアンテナから送信される。
【０７８８】
端末は、基地局が送信したトレーニングシンボル２６０１を受信し、トレーニングシンボル２６０１を用いて、基地局が具備する、位相変更部２０５Ａ、および／または、位相変更部２０５Ｂで施す、好適な「特定の位相変更値（セット）」を算出し、この算出した値を含むフィードバック情報シンボル２６０２を送信する。
【０７８９】
基地局は、端末が送信したフィードバック情報シンボル２６０２を受信し、このシンボルの復調及び復号を行い、好適な「特定の位相変更値（セット）」の情報を得る。この情報に基づき、基地局の位相変更部２０５Ａ、および／または、位相変更部２０５Ｂが施す位相変更の位相変更値（セット）が設定される。
【０７９０】
そして、基地局は、制御情報シンボル２６０３、および、データシンボル２６０４を送信するが、少なくともデータシンボル２６０４は、設定された位相変更値（セット）により、位相変更が行われる。
【０７９１】
なお、データシンボル２６０４において、実施の形態１から実施の形態６で説明したように、基地局は、複数の変調信号を複数のアンテナから送信する。ただし、実施の形態１から実施の形態６とは異なり、位相変更部２０５Ａ、および／または、位相変更部２０５Ｂでは、上述で説明した「特定の位相変更値（セット）」による位相変更を行うものとする。
【０７９２】
図２６の基地局、端末のフレーム構成はあくまでも一例であり、他のシンボルが含まれていてもよい。そして、トレーニングシンボル２６０１、フィードバック情報シンボル２６０２、制御情報シンボル２６０３、データシンボル２６０４のそれぞれのシンボルは、例えば、パイロットシンボルのような他のシンボルを含んでいてもよい。また、制御情報シンボル２６０３には、データシンボル２６０４を送信する際に使用した「特定の位相変更値（セット）」の値に関する情報を含んでおり、端末は、この情報を得ることで、データシンボル２６０４の復調及び復号が可能となる。
【０７９３】
実施の形態１から実施の形態６での説明と同様、例えば、基地局が、図４、図５、図１３、図１４のようなフレーム構成で変調信号を送信する場合、上述で説明した位相変更部２０５Ａ、および／または、位相変更部２０５Ｂで施す「特定の位相変更値（セット）」による位相変更は、データシンボル（４０２、５０２）であるものとする。そして、位相変更部２０９Ａ、および／または、位相変更部２０９Ｂで施す位相変更の対象となるシンボルは、実施の形態１から実施の形態６での説明と同様、「パイロットシンボル４０１、５０１」、「その他のシンボル４０３、５０３」となる。
【０７９４】
ただし、位相変更部２０５Ａ、および／または、位相変更部２０５Ｂにおいて、「パイロットシンボル４０１、５０１」、「その他のシンボル４０３、５０３」に対しても位相変更を施しても、復調及び復号は可能となる。
【０７９５】
なお、「特定の位相変更値（セット）」と記載している。図２、図１８、図１９、図３１、図３２、図３３の場合、位相変更部２０５Ａは存在せず、位相変更部２０５Ｂが存在する。したがって、この場合、位相変更部２０５Ｂで使用する特定の位相変更値を用意する必要がある。一方、図２０、図２１、図２２、図３１、図３２、図３３の場合、位相変更部２０５Ａ、および、位相変更部２０５Ｂが存在する。この場合、位相変更部２０５Ａで使用する特定の位相変更値＃Ａと、位相変更部２０５Ｂで使用する特定の位相変更値＃Ｂを用意する必要がある。これに伴い、「特定の位相変更値（セット）」と記載した。
【０７９６】
第２の方法：
基地局は、端末に対し、フレームの送信を開始する。その際、基地局は、例えば、乱数の値に基づいて、「特定の位相変更値（セット）」の値を設定し、特定の位相変更値での位相変更を施し、変調信号を送信するものとする。
【０７９７】
その後、端末が、フレーム（または、パケット）が得られなかったことを示す情報を基地局に送信し、基地局がこの情報を受信したものとする。
【０７９８】
すると、基地局は、例えば、乱数の値に基づいて、「特定の位相変更値（セット）」の値（のセット）を設定し、変調信号を送信するものとする。このとき、少なくとも、端末が得ることができなかったフレーム（パケット）のデータを含むデータシンボルは、再設定された「特定の位相変更値（セット）」に基づいた位相変更を施した変調信号により、伝送される。つまり、第１のフレーム（パケット）のデータを再送などにより、２回（または２回以上）基地局が送信する場合、一度目に送信する際に使用される「特定の位相変更値（セット）」と二度目に送信する際に使用される「特定の位相変更値（セット）」が異なっているとよい。これにより、再送の場合、二度目の送信により、フレーム（または、パケット）を端末が得られる可能性が高くなる。
【０７９９】
以降も、基地局は、端末から、「フレーム（または、パケット）が得られなかったという情報」を得たら、例えば、乱数の値に基づいて、「特定の変更値（セット）」の値を変更する。
【０８００】
なお、基地局は、設定した「特定の位相変更値（セット）」の値に関する情報を端末に通知する必要があり、この場合、図４、図５、図１３、図１４におけるその他のシンボル４０３、５０３における制御情報シンボルにより、基地局が設定した「特定の位相変更値（セット）」の値に関する情報を伝送する。
【０８０１】
なお、上記の第２の方法において、「基地局は、例えば、乱数の値に基づいて、「特定の位相変更値（セット）」の値を設定する」と記載したが、「特定の位相変更値（セット）」の設定はこの方法に限ったものではなく、「特定の位相変更値（セット）」の設定を行う際に、「特定の位相変更値（セット）」が新たに設定されるような構成であれば、どのような方法で「特定の位相変更値（セット）」を設定してもよい。
【０８０２】
例えば、
・ある規則に基づいて、「特定の位相変更値（セット）」を設定する。
・ランダム的に「特定の位相変更値（セット）」を設定する。
・通信相手から得た情報に基づいて、「特定の位相変更値（セット）」を設定する。
のいずれの方法で、「特定の位相変更値（セット）」を設定してもよい。ただし、これらの方法に限ったものではない。
【０８０３】
第２の方法の実施例を、図２７を用いて説明する。図２７（Ａ）は、基地局が送信する時間軸におけるシンボルを示しており、横軸は時間である。そして、図２７（Ｂ）は、端末が送信する時間軸のおけるシンボルを示しており、横軸は時間である。
【０８０４】
以下では、図２７の具体的な説明を行う。
【０８０５】
まず、図２７の説明のために、図２８、図２９、図３０、図３１、図３２、図３３について説明を行う。
【０８０６】
図１における信号処理部１０６の構成の一例として、図２、図１８、図１９、図２０、図２１、図２２の構成を示したが、その変形例の構成を、図２８、図２９、図３０、図３１、図３２、図３３に示す。
【０８０７】
図２８は、図２の構成に対し、位相変更部２０５Ｂの挿入位置を重み付け合成部２０３の前としている例である。次に、図２８の動作について、図２と異なる部分のみ説明する。
【０８０８】
位相変更部２０５Ｂは、マッピング後の信号２０１Ｂ（ｓ２（ｔ））、および、制御信号２００を入力とし、制御信号２００に基づき、マッピング後の信号２０１Ｂに対し、位相変更を施し、位相変更後の信号２８０１Ｂを出力する。
【０８０９】
位相変更部２０５Ｂでは、例えば、ｓ２（ｉ）に対しｙ（ｉ）の位相変更を施すものとする。したがって、位相変更後の信号２８０１Ｂをｓ２’（ｉ）とすると、ｓ２’（ｉ）＝ｙ（ｉ）×ｓ２（ｉ）とあらわすことができる（ｉはシンボル番号（ｉは０以上の整数とする））。なお、ｙ（ｉ）の与え方については、実施の形態１で説明したとおりである。
【０８１０】
重み付け合成部２０３は、マッピング後の信号２０１Ａ（ｓ１（ｉ））、および、位相変更後の信号２８０１Ｂ（ｓ２’（ｉ））、および、制御信号２００を入力とし、制御信号２００に基づいて重み付け合成（プリコーディング）を行い、重み付け合成後の信号２０４Ａおよび重み付け合成後の信号２０４Ｂを出力する。具体的には、マッピング後の信号２０１Ａ（ｓ１（ｉ））、および、位相変更後の信号２８０１Ｂ（ｓ２’（ｉ））で構成するベクトルに対し、プリコーディング行列を乗算し、重み付け合成後の信号２０４Ａおよび重み付け合成後の信号２０４Ｂを得る。なお、プリコーディング行列の構成例については、実施の形態１で説明したとおりである。以降の説明は、図２における説明と同様となるため、説明を省略する。
【０８１１】
図２９は、図１８の構成に対し、位相変更部２０５Ｂの挿入位置を重み付け合成部２０３の前としている例である。このとき、位相変更部２０５Ｂの動作、重み付け合成部２０３の動作については、図２８の説明において、説明を行ったので、説明を省略する。また、重み付け合成部２０３以降の動作については、図１８における説明と同様となるため、説明を省略する。
【０８１２】
図３０は、図１９の構成に対し、位相変更部２０５Ｂの挿入位置を重み付け合成部２０３の前としている例である。このとき、位相変更部２０５Ｂの動作、重み付け合成部２０３の動作については、図２８の説明において、説明を行ったので、説明を省略する。また、重み付け合成部２０３以降の動作については、図１９における説明と同様となるため、説明を省略する。
【０８１３】
図３１は、図２０の構成に対し、位相変更部２０５Ａの挿入位置を重み付け合成部２０３の前とし、かつ、位相変更部２０５Ｂの挿入位置を重み付け合成部２０３の前としている例である。
【０８１４】
位相変更部２０５Ａは、マッピング後の信号２０１Ａ（ｓ１（ｔ））、および、制御信号２００を入力とし、制御信号２００に基づき、マッピング後の信号２０１Ａに対し、位相変更を施し、位相変更後の信号２８０１Ａを出力する。
【０８１５】
位相変更部２０５Ａでは、例えば、ｓ１（ｉ）に対しｗ（ｉ）の位相変更を施すものとする。したがって、位相変更後の信号２９０１Ａをｓ１’（ｉ）とすると、ｓ１’（ｉ）＝ｗ（ｉ）×ｓ１（ｉ）とあらわすことができる（ｉはシンボル番号（ｉは０以上の整数とする））。なお、ｗ（ｉ）の与え方については、実施の形態１で説明したとおりである。
【０８１６】
位相変更部２０５Ｂでは、例えば、ｓ２（ｉ）に対しｙ（ｉ）の位相変更を施すものとする。したがって、位相変更後の信号２８０１Ｂをｓ２’（ｉ）とすると、ｓ２’（ｉ）＝ｙ（ｉ）×ｓ２（ｉ）とあらわすことができる（ｉはシンボル番号（ｉは０以上の整数とする））。なお、ｙ（ｉ）の与え方については、実施の形態１で説明したとおりである。
【０８１７】
重み付け合成部２０３は、位相変更後の信号２８０１Ａ（ｓ１’（ｉ））および、位相変更後の信号２８０１Ｂ（ｓ２’（ｉ））、および、制御信号２００を入力とし、制御信号２００に基づいて重み付け合成（プリコーディング）を行い、重み付合成後の信号２０４Ａおよび重み付け合成後の信号２０４Ｂを出力する。具体的には、位相変更後の信号２８０１Ａ（ｓ１’（ｉ））および、位相変更後の信号２８０１Ｂ（ｓ２’（ｉ））で構成するベクトルに対し、プリコーディング行列を乗算し、重み付け合成後の信号２０４Ａおよび重み付け合成後の信号２０４Ｂを得る。なお、プリコーディング行列の構成例については、実施の形態１で説明したとおりである。以降の説明は、図２０における説明と同様となるため、説明を省略する。
【０８１８】
図３２は、図２１の構成に対し、位相変更部２０５Ａの挿入位置を重み付け合成部２０３の前とし、かつ、位相変更部２０５Ｂの挿入位置を重み付け合成部２０３の前としている例である。このとき、位相変更部２０５Ａの動作、位相変更部２０５Ｂの動作、重み付け合成部２０３の動作については、図３１の説明において、説明を行ったので、説明を省略する。また、重み付け合成部２０３以降の動作については、図２１における説明と同様となるため、説明を省略する。
【０８１９】
図３３は、図２２の構成に対し、位相変更部２０５Ａの挿入位置を重み付け合成部２０３の前とし、かつ、位相変更部２０５Ｂの挿入位置を重み付け合成２０３の前としている例である。このとき、位相変更部２０５Ａの動作、および、位相変更部２０５Ｂの動作、重み付け合成部２０３の動作については、図３１の説明において、説明を行ったので、説明を省略する。また、重み付け合成部２０３以降の動作については、図２２における説明と同様となるため、説明を省略する。
【０８２０】
図２７において、端末は、基地局に対し、通信の要求を行うものとする。
【０８２１】
すると、基地局は、例えば、乱数を用いて、位相変更部２０５Ａ、および／または、位相変更部２０５Ｂで施す位相変更値を「第１の特定の位相変更値（セット）」と決定する。そして、基地局は、決定した「第１の特定の位相変更値（セット）」に基づき、位相変更部２０５Ａ、および／または、位相変更部２０５Ｂにおいて、位相変更を施す。このとき、制御情報シンボル２７０１＿１には、「第１の特定の位相変更値（セット）」の情報が含まれているものとする。
【０８２２】
なお、「第１の特定の位相変更値（セット）」と記載した。図２、図１８、図１９、図２８、図２９、図３０の場合、位相変更部２０５Ａは存在せず、位相変更部２０５Ｂが存在する。したがって、この場合、位相変更部２０５Ｂで使用する第１の特定の位相変更値を用意する必要がある。一方、図２０、図２１、図２２、図３１、図３２、図３３の場合、位相変更部２０５Ａ、および、位相変更部２０５Ｂが存在する。この場合、位相変更部２０５Ａで使用する第１の特定の位相変更値＃Ａと、位相変更部２０５Ｂで使用する第１の特定の位相変更値＃Ｂを用意する必要がある。これに伴い、「第１の特定の位相変更値（セット））」と記載した。
【０８２３】
基地局は、制御情報シンボル２７０１＿１、および、データシンボル＃１（２７０２＿１）を送信するが、少なくともデータシンボル＃１（２７０２＿１）は、決定した「第１の特定の位相変更値（セット）」による位相変更が行われる。
【０８２４】
端末は、基地局が送信した制御情報シンボル２７０１＿１およびデータシンボル＃１（２７０２＿１）を受信し、制御情報シンボル２７０１＿１に含まれる少なくとも「第１の特定の位相変更値（セット）」の情報に基づいて、データシンボル＃１（２７０２＿１）の復調及び復号を行う。その結果、「データシンボル＃１（２７０２＿１）に含まれるデータが誤りなく得られた」と、端末が判断したものとする。すると、端末は、「データシンボル＃１（２７０２＿１）に含まれるデータが誤りなく得られた」という情報を少なくとも含む端末送信シンボル２７５０＿１を基地局に対し、送信する。
【０８２５】
基地局は、端末が送信した端末送信シンボル２７５０＿１を受信し、端末送信シンボル２７５０＿１に含まれる少なくとも「データシンボル＃１（２７０２＿１）に含まれるデータが誤りなく得られた」の情報に基づき、位相変更部２０５Ａ、および／または、位相変更部２０５Ｂで施す位相変更（セット）を、データシンボル＃１（２７０２＿１）を送信するときと同様に、「第１の特定の位相変更値（セット）」と決定をする。基地局は、「データシンボル＃１（２７０２＿１）に含まれるデータが誤りなく得られた」ので、次のデータシンボルを送信する際も、「第１の特定の位相変更値（セット）」を使用しても、端末は、誤りなくデータを得ることができる可能性が高いと判断することができる。これにより、端末は高いデータの受信品質を得ることができる可能性が高い。そして、基地局は、決定した「第１の特定の位相変更値（セット）」に基づき、位相変更部２０５Ａ、および／または、位相変更部２０５Ｂにおいて、位相変更を施す。このとき、制御情報シンボル２７０１＿２には、「第１の特定の位相変更値（セット）」の情報が含まれているものとする。
【０８２６】
基地局は、制御情報シンボル２７０１＿２、および、データシンボル＃２（２７０２＿２）を送信するが、少なくともデータシンボル＃２（２７０２＿２）は、決定した「第１の特定の位相変更値（セット）」による位相変更が行われる。
【０８２７】
端末は、基地局が送信した制御情報シンボル２７０１＿２およびデータシンボル＃２（２７０２＿２）を受信し、制御情報シンボル２７０１＿２に含まれる少なくとも「第１の特定の位相変更値（セット）」の情報に基づいて、データシンボル＃２（２７０２＿２）の復調及び復号を行う。その結果、「データシンボル＃２（２７０２＿２）に含まれるデータが正しく得られなかった」と、端末が判断したものとする。すると、端末は、「データシンボル＃２（２７０２＿２）に含まれるデータが正しく得られなかった」という情報を少なくとも含む端末送信シンボル２７５０＿２を基地局に対し、送信する。
【０８２８】
基地局は、端末が送信した端末送信シンボル２７５０＿２を受信し、端末送信シンボル２７５０＿２に含まれる少なくとも「データシンボル＃２（２７０２＿２）に含まれるデータが正しく得られなかった」の情報に基づき、位相変更部２０５Ａ、および／または、位相変更部２０５Ｂで施す位相変更を、「第１の特定の位相変更値（セット）」から変更すると判断する。基地局は、「データシンボル＃２（２７０２＿２）に含まれるデータが正しく得られなかった」ので、次のデータシンボルを送信する際、「第１の特定の位相変更値（セット）」から位相変更値を変更すると、端末は、誤りなくデータを得ることができる可能性が高いと判断することができる。これにより、端末は高いデータの受信品質を得ることができる可能性が高い。したがって、基地局は、例えば、乱数を用いて、位相変更部２０５Ａ、および／または、位相変更部２０５Ｂで施す位相変更値（セット）を「第１の特定の位相変更値（セット）」から「第２の特定の位相変更値（セット）」に変更すると決定する。そして、基地局は、決定した「第２の特定の位相変更値（セット）」に基づき、位相変更部２０５Ａ、および／または、位相変更部２０５Ｂにおいて、位相変更を施す。このとき、制御情報シンボル２７０１＿３には、「第２の特定の位相変更値（セット）」の情報が含まれているものとする。
【０８２９】
なお、「第２の特定の位相変更値（セット）」と記載した。図２、図１８、図１９、図２８、図２９、図３０の場合、位相変更部２０５Ａは存在せず、位相変更部２０５Ｂが存在する。したがって、この場合、位相変更部２０５Ｂで使用する第２の特定の位相変更値を用意する必要がある。一方、図２０、図２１、図２２、図３１、図３２、図３３の場合、位相変更部２０５Ａ、および、位相変更部２０５Ｂが存在する。この場合、位相変更部２０５Ａで使用する第２の特定の位相変更値＃Ａと、位相変更部２０５Ｂで使用する第２の特定の位相変更値＃Ｂを用意する必要がある。これに伴い、「第２の特定の位相変更値（セット）」と記載した。
【０８３０】
基地局は、制御情報シンボル２７０１＿３、および、データシンボル＃２（２７０２＿２−１）を送信するが、少なくともデータシンボル＃２（２７０２＿２−１）は、決定した「第２の特定の位相変更値（セット）」による位相変更が行われる。
【０８３１】
なお、「制御情報シンボル２７０１＿２の直後に存在するデータシンボル＃２（２７０２＿２）」と「制御情報シンボル２７０１＿３の直後に存在するデータシンボル＃２（２７０２＿２−１）」において、「制御情報シンボル２７０１＿２の直後に存在するデータシンボル＃２（２７０２＿２）」の変調方式と「制御情報シンボル２７０１＿３の直後に存在するデータシンボル＃２（２７０２＿２−１）」の変調方式は、同一でもよいし、異なっていてもよい。
【０８３２】
また、「制御情報シンボル２７０１＿２の直後に存在するデータシンボル＃２（２７０２＿２）」が含んでいるデータのすべて、または一部を「制御情報シンボル２７０１＿３の直後に存在するデータシンボル＃２（２７０２＿２−１）」が含んでいる。「制御情報シンボル２７０１＿３の直後に存在するデータシンボル＃２（２７０２＿２−１）」が再送用のシンボルであるためである。
【０８３３】
端末は、基地局が送信した制御情報シンボル２７０１＿３およびデータシンボル＃２（２７０２＿２）を受信し、制御情報シンボル２７０１＿３に含まれる少なくとも「第２の特定の位相変更値（セット）」の情報に基づいて、データシンボル＃２（２７０２＿２−１）の復調及び復号を行う。その結果、「データシンボル＃２（２７０２＿２−１）に含まれるデータが正しく得られなかった」と、端末が判断したものとする。すると、端末は、「データシンボル＃２（２７０２＿２−１）に含まれるデータが正しく得られなかった」という情報を少なくとも含む端末送信シンボル２７５０＿３を基地局に対し、送信する。
【０８３４】
基地局は、端末が送信した端末送信シンボル２７５０＿３を受信し、端末送信シンボル２７５０＿３に含まれる少なくとも「データシンボル＃２（２７０２＿２−１）に含まれるデータが正しく得られなかった」情報に基づき、位相変更部Ａ、および、位相変更部Ｂで施す位相変更を「第２の特定の位相変更値（セット）」から変更すると判断する。基地局は、「データシンボル＃２（２７０２＿２−１）に含まれるデータが正しく得られなかった」ので、次のデータシンボルを送信する際、「第２の特定の位相変更値（セット）」から位相変更値を変更すると、端末は、誤りなくデータを得ることができる可能性が高いと判断することができる。これにより、端末は高いデータの受信品質を得ることができる可能性が高くなる。したがって、基地局は、例えば、乱数を用いて、位相変更部２０５Ａ、および／または、位相変更部２０５Ｂで施す位相変更値（セット）を「第２の特定の位相変更値（セット）」から「第３の特定の位相変更値（セット）」に基づき、位相変更部２０５Ａ、および／または、位相変更部２０５Ｂにおいて、位相変更を施す。このとき、制御情報シンボル２７０１＿４には、「第３の特定の位相変更値（セット）」の情報が含まれているものとする。
【０８３５】
なお、「第３の特定の位相変更値（セット）」と記載した。図２、図１８、図１９、図２８、図２９、図３０の場合、位相変更部２０５Ａは存在せず、位相変更部２０５Ｂが存在する。したがって、この場合、位相変更部２０５Ｂで使用する第３の特定の位相変更値を用意する必要がある。一方、図２０、図２１、図２２、図３１、図３２、図３３の場合、位相変更部２０５Ａ、および、位相変更部２０５Ｂが存在する。この場合、位相変更部２０５Ａで使用する第３の特定の位相変更値＃Ａと、位相変更部２０５Ｂで使用する第３の特定の位相変更値＃Ｂを用意する必要がある。これに伴い、「第３の特定の位相変更値（セット）」と記載した。
【０８３６】
基地局は、制御情報シンボル２７０１＿４、および、データシンボル＃２（２７０２＿２−２）を送信するが、少なくともデータシンボル＃２（２７０２＿２−２）は、決定した「第３の特定の位相変更値（セット）」による位相変更が行われる。
【０８３７】
なお、「制御情報シンボル２７０１＿３の直後に存在するデータシンボル＃２（２７０２＿２−１）」と「制御情報シンボル２７０１＿４の直後に存在するデータシンボル＃２（２７０２＿２−２）」において、「制御情報シンボル２７０１＿３の直後に存在するデータシンボル＃２（２７０２＿２−１）」の変調方式と「制御情報シンボル２７０１＿４の直後に存在するデータシンボル＃２（２７０２＿２−２）」の変調方式は、同一でもよいし、異なっていてもよい。
【０８３８】
また、「制御情報シンボル２７０１＿３の直後に存在するデータシンボル＃２（２７０２＿２−１）」が含んでいるデータのすべて、または一部を「制御情報シンボル２７０１＿４の直後に存在するデータシンボル＃２（２７０２＿２−２）」が含んでいる。「制御情報シンボル２７０１＿４の直後に存在するデータシンボル＃２（２７０２＿２−２）」が再送用のシンボルであるためである。
【０８３９】
端末は、基地局が送信した制御情報シンボル２７０１＿４およびデータシンボル＃２（２７０２＿２−２）を受信し、制御情報シンボル２７０１＿４に含まれている少なくとも「第３の特定の位相変更値（セット）」の情報に基づいて、データシンボル＃２（２７０２＿２−２）の復調及び復号を行う。その結果、「データシンボル＃２（２７０２＿２−２）に含まれているデータが誤りなく得られた」と、端末が判断したものとする。すると、端末は、「データシンボル＃２（２７０２＿２−２）に含まれているデータが誤りなく得られた」という情報を少なくとも含む端末送信シンボル２７５０＿４を基地局に対し、送信する。
【０８４０】
基地局は、端末が送信した端末送信シンボル２７５０＿４を受信し、端末送信シンボル２７５０＿４に含まれる少なくとも「データシンボル＃２（２７０２−２）に含まれるデータが誤りなく得られた」の情報に基づき、位相変更部２０５Ａ、および／または、位相変更部２０５Ｂで施す位相変更（セット）を、データシンボル＃２（２７０２＿２−２）を送信するときと同様に、「第３の特定の位相変更値（セット）」と決定をする。基地局は、「データシンボル＃２（２７０２＿２−２）に含まれるデータが誤りなく得られた」ので、次のデータシンボルを送信する際も、「第３の特定の位相変更値（セット）」を使用しても、端末は、誤りなくデータを得ることができる可能性が高いと判断することができる。これにより、端末は高いデータの受信品質を得ることができる可能性が高くなる。そして、基地局は、決定した「第３の特定の位相変更値（セット）」に基づき、位相変更部２０５Ａ、および／または、位相変更部２０５Ｂにおいて、位相変更を施す。このとき、制御情報シンボル２７０１＿５には、「第３の特定の位相変更値（セット）」の情報が含まれているものとする。
【０８４１】
基地局は、制御情報シンボル２７０１＿５、および、データシンボル＃３（２７０２＿３）を送信するが、少なくともデータシンボル＃３（２７０２＿３）は、決定した「第３の特定の位相変更値（セット）」による位相変更が行われる。
【０８４２】
端末は、基地局が送信した制御情報シンボル２７０１＿５およびデータシンボル＃３（２７０２＿３）を受信し、制御情報シンボル２７０１＿５に含まれている少なくとも「第３の特定の位相変更値（セット）」の情報に基づいて、データシンボル＃３（２７０２＿３）の復調及び復号を行う。その結果、「データシンボル＃３（２７０２＿３）に含まれるデータが誤りなく得られた」と、端末が判断したものとする。すると、端末は、「データシンボル＃３（２７０２＿３）に含まれるデータが誤りなく得られた」という情報を少なくとも含む端末送信シンボル２７５０＿５を基地局に対し、送信する。
【０８４３】
基地局は、端末が送信した端末送信シンボル２７５０＿５を受信し、端末送信シンボル２７５０＿５に含まれる少なくとも「データシンボル＃３（２７０２＿３）に含まれるデータが誤りなく得られた」の情報に基づき、位相変更部２０５Ａ」、および／または、位相変更部２０５Ｂで施す位相変更（セット）を、データシンボル＃３（２７０２＿３）を送信するときと同様に、「第３の特定の位相変更値（セット）」と決定をする。基地局は、「データシンボル＃３（２７０２＿３）に含まれるデータが誤りなく得られた」ので、次のデータシンボルを送信する際も、「第３の特定の位相変更値（セット）」を使用しても、端末は、誤りなくデータを得ることができる可能性が高いと判断することができる。これにより、端末は高いデータの受信品質を得ることができる可能性が高くなる。そして、基地局は、決定した「第３の特定の位相変更値（セット）」に基づき、位相変更部２０５Ａ、および／または、位相変更部２０５Ｂにおいて、位相変更を施す。このとき、制御情報シンボル２７０１＿６には、「第３の特定の位相変更値（セット）」の情報が含まれているものとする。
【０８４４】
基地局は制御情報シンボル２７０１＿６、および、データシンボル＃４（２７０２＿４）を送信するが、少なくともデータシンボル＃４（２７０２＿４）は、決定した「第３の特定の位相変更値（セット）」による位相変更が行われる。
【０８４５】
端末は、基地局が送信した制御情報シンボル２７０１＿６およびデータシンボル＃４（２７０２＿４）を受信し、制御情報シンボル２７０１＿６に含まれる少なくとも「第３の特定の位相変更値（セット）」の情報に基づき手、データシンボル＃４（２７０２＿４）の復調及び復号を行う。その結果、「データシンボル＃４（２７０２＿４）に含まれるデータが正しく得られなかった」と、端末が判断したものとする。すると、端末は「データシンボル＃４（２７０２＿４）に含まれるデータが正しく得られなかった」という情報を少なくとも含む端末送信シンボル２７５０＿６を基地局に対し、送信する。
【０８４６】
基地局は、端末が送信した端末送信シンボル２７５０＿６を受信し、端末送信シンボル２７５０＿６に含まれる少なくとも「データシンボル＃４（２７０２＿４）に含まれるデータが正しく得られなかった」の情報に基づき、位相変更部２０５Ａ、および／または、位相変更部２０５Ｂで施す位相変更を、「第３の特定の位相変更値（セット）」から変更すると判断する。基地局は、「データシンボル＃４（２７０２＿４）に含まれるデータが正しく得られなかった」ので、次のデータシンボルを送信する際、「第３の特定の位相変更値（セット）」から位相変更値を変更すると、端末は、誤りなくデータを得ることができる可能性が高いと判断することができる。これにより、端末は高いデータの受信品質を得ることができる可能性が高くなる。したがって、基地局は、例えば、乱数を用いて、位相変更部２０５Ａ、および／または、位相変更部２０５Ｂで施す位相変更値（セット）を「第３の特定の位相変更値（セット）」から「第４の特定の位相変更値（セット）」に変更すると決定する。そして、基地局は、決定した「第４の特定の位相変更値（セット）」に基づき、位相変更部２０５Ａ、および／または、位相変更部２０５Ｂにおいて、位相変更を施す。このとき、制御情報シンボル２７０１＿７には、「第４の特定の位相変更値（セット）」の情報が含まれているものとする。
【０８４７】
なお、「第４の特定の位相変更値（セット）」と記載した。図２、図１８、図１９、図２８、図２９、図３０の場合、位相変更部２０５Ａは存在せず、位相変更部２０５Ｂが存在する。したがって、この場合、位相変更部２０５Ｂで使用する第４の特定の位相変更値を用意する必要がある。一方、図２０、図２１、図２２、図３１、図３２、図３３の場合、位相変更部２０５Ａ、および、位相変更部２０５Ｂが存在する。この場合、位相変更部２０５Ａで使用する第４の特定の位相変更値＃Ａと、位相変更部２０５Ｂで使用する第４の特定の位相変更値＃Ｂを用意する必要がある。これに伴い、「第４の特定の位相変更値（セット）」と記載した。
【０８４８】
なお、「制御情報シンボル２７０１＿６の直後に存在するデータシンボル＃４（２７０２＿４）」と「制御情報シンボル２７０１＿７の直後に存在するデータシンボル＃４（２７０２＿４−１）」において、「制御情報シンボル２７０１＿６の直後に存在するデータシンボル＃４（２７０２＿４）」の変調方式と「制御情報シンボル２７０１＿７の直後に存在するデータシンボル＃４（２７０２＿４−１）」の変調方式は、同一でもよいし、異なっていてもよい。
【０８４９】
また、「制御情報シンボル２７０１＿６の直後に存在するデータシンボル＃４（２７０２＿４）」が含んでいるデータのすべて、または一部を「制御情報シンボル２７０１＿７の直後に存在するデータシンボル＃４（２７０２＿４−１）」が含んでいる。「制御情報シンボル２７０１＿７の直後に存在するデータシンボル＃４（２７０２＿４−１）」が再送用のシンボルであるためである。
【０８５０】
端末は、基地局が送信した制御情報シンボル２７０１＿７およびデータシンボル＃４（２７０２＿４−１）を受信し、制御情報シンボル２７０１＿７に含まれる少なくとも「第４の特定の位相変更値（セット）」の情報に基づいて、データシンボル＃４（２７０２＿４−１）の復調及び復号を行う。
【０８５１】
なお、データシンボル＃１（２７０２＿１）、データシンボル＃２（２７０２＿２）、データシンボル＃３（２７０２＿３）、データシンボル＃４（２７０２＿４）において、実施の形態１から実施の形態６で説明したように、基地局は、複数の変調信号を複数のアンテナから送信する。ただし、実施の形態１から実施の形態６とは異なり、位相変更部２０５Ａ、および／または、位相変更部２０５Ｂでは、上述で説明した「特定の位相変更値」による位相変更を行うものとする。
【０８５２】
図２７の基地局、端末のフレーム構成はあくまでも一例であり、他のシンボルが含まれていてもよい。そして、制御情報シンボル２７０１＿１、２７０１＿２、２７０１＿３、２７０１＿４、２７０１＿５、２７０１＿６、データシンボル＃１（２７０２＿１）、データシンボル＃２（２７０２＿２）、データシンボル＃３（２７０２＿３）、データシンボル＃４（２７０２＿４）のそれぞれのシンボルは、例えば、パイロットシンボルのような他のシンボルを含んでいてもよい。また、制御情報シンボル２７０１＿１、２７０１＿２、２７０１＿３、２７０１＿４、２７０１＿５、２７０１＿６には、データシンボル＃１（２７０２＿１）、データシンボル＃２（２７０２＿２）、データシンボル＃３（２７０２＿３）、データシンボル＃４（２７０２＿４）を送信する際に使用した「特定の位相変更値」の値に関する情報を含んでおり、端末は、この情報を得ることで、データシンボル＃１（２７０２＿１）、データシンボル＃２（２７０２＿２）、データシンボル＃３（２７０２＿３）、データシンボル＃４（２７０２＿４）の復調及び復号が可能となる。
【０８５３】
なお、上述の説明では、基地局が、「乱数」を用いて、「特定の位相変更値（セット）」の値（のセット）を決定しているが、「特定の位相変更値（セット）」の値の決定はこの方法に限ったものではなく、基地局は、「特定の位相変更値（セット）」の値（のセット）を規則的に変更してもよい。「特定の位相変更値（セット）」の値はどのような方法で決定してもよく、「特定の位相変更値（セット）」の変更が必要な場合、変更前と変更後で、「特定の位相変更値（セット）」の値（のセット）が異なっていればよい。
【０８５４】
実施の形態１から実施の形態６での説明と同様、例えば、基地局が、図４、図５、図１３、図１４のようなフレーム構成で変調信号を送信する場合、上述で説明した位相変更部２０５Ａ、および／または、位相変更部２０５Ｂで施す「特定の位相変更値」による位相変更は、データシンボル（４０２、５０２）であるものとする。そして、位相変更部２０９Ａ、および／または、位相変更部２０９Ｂで施す位相変更の対象となるシンボルは、実施の形態１から実施の形態６での説明と同様、「パイロットシンボル４０１、５０１」、「その他のシンボル４０３、５０３」となる。
【０８５５】
ただし、位相変更部２０５Ａ、および／または、位相変更部２０５Ｂにおいて、「パイロットシンボル４０１、５０１」、「その他のシンボル４０３、５０３」に対しても位相変更を施しても、復調及び復号は可能となる。
【０８５６】
前に説明した、「特定の位相変更値で位相変更を施す」方法は、この送信方法単独で実施しても、端末は、高いデータの受信品質を得ることができる。
【０８５７】
また、基地局の送信装置における図１の信号処理部１０６の構成として、図２、図１８、図１９、図２０、図２１、図２２、図２３、図２８、図２９、図３０、図３１、図３２、図３３の構成を示したが、位相変更部２０９Ａ、および、位相変更部２０９Ｂにおいて、位相変更を施さないとしてもよい、つまり、図２、図１８、図１９、図２０、図２１、図２２、図２３、図２８、図２９、図３０、図３１、図３２、図３３において、位相変更部２０９Ａおよび位相変更部２０９Ｂを削除した構成としてもよい。このとき、信号２０８Ａが図１の信号１０６＿Ａに相当し、信号２０８Ｂが、図１の信号１０６＿Ｂに相当する。
【０８５８】
基地局が具備する位相変更部２０５Ａ、２０５Ｂの動作を制御する、上述で説明した[u0 u1]を[u0 u1]=[01]（u0=0, u1=1）と設定したとき、つまり、位相変更部２０５Ａ、２０５Ｂが、周期的／規則的にシンボルごとに位相変更を行う場合に、具体的に行う位相変更、を設定するための制御情報をu2, u3とするものとする。[u2 u3] と位相変更部２０５Ａ、２０５Ｂが具体的に行う位相変更の関係を表２に示す。（なお、u2, u3は、例えば、その他のシンボル４０３、５０３の制御情報シンボルの一部として、基地局が送信するものとする。そして、端末は、その他のシンボル４０３、５０３の制御情報シンボルに含まれる[u2 u3]を得て、[u2 u3]から位相変更部２０５Ａ、２０５Ｂの動作を知り、データシンボルの復調及び復号を行う。そして、「具体的な位相変更」のための制御情報を２ビットとしているが、ビット数は、２ビット以外であってもよい）。
【０８５９】
【表２】
2017187953.tif 000056
【０８６０】
表２の解釈の第１の例は以下のようになる。
【０８６１】
・[u0 u1]=[01]（u0=0, u1=1）、[u2 u3]=[00]（u2=0, u3=0）のとき、基地局は、「位相変更部２０５Ａ、位相変更部２０５Ｂが、方法01_1の周期的／規則的にシンボルごとに位相変更を行う」ものとする。
【０８６２】
方法01_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０８６３】
【数５３】
2017187953.tif 000057
【０８６４】
そして、位相変更部２０５Ｂは、位相変更を行わないものとする。
【０８６５】
・[u0 u1]=[01]（u0=0, u1=1）、[u2 u3]=[01]（u2=0, u3=1）のとき、基地局は、「位相変更部２０５Ａ、位相変更部２０５Ｂが、方法01_2の周期的／規則的にシンボルごとに位相変更を行う」ものとする。
【０８６６】
方法01_2：
位相変更部２０５Ａは、位相変更を行わないものとする。
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０８６７】
【数５４】
2017187953.tif 000058
【０８６８】
・[u0 u1]=[01]（u0=0, u1=1）、[u2 u3]=[10]（u2=1, u3=0）のとき、基地局は、「位相変更部２０５Ａ、位相変更部２０５Ｂが、方法01_3の周期的／規則的にシンボルごとに位相変更を行う」ものとする。
【０８６９】
方法01_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０８７０】
【数５５】
2017187953.tif 000059
【０８７１】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０８７２】
【数５６】
2017187953.tif 000060
【０８７３】
・[u0 u1]=[01]（u0=0, u1=1）、[u2 u3]=[11]（u2=1, u3=1）のとき、基地局は、「位相変更部２０５Ａ、位相変更部２０５Ｂが、方法01_4の周期的／規則的にシンボルごとに位相変更を行う」ものとする。
【０８７４】
方法01_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０８７５】
【数５７】
2017187953.tif 000061
【０８７６】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０８７７】
【数５８】
2017187953.tif 000062
【０８７８】
表２の解釈の第２の例は以下のようになる。
【０８７９】
・[u0 u1]=[01]（u0=0, u1=1）、[u2 u3]=[00]（u2=0, u3=0）のとき、基地局は、「位相変更部２０５Ａ、位相変更部２０５Ｂが、方法01_1の周期的／規則的にシンボルごとに位相変更を行う」ものとする。
【０８８０】
方法01_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０８８１】
【数５９】
2017187953.tif 000063
【０８８２】
そして、位相変更部２０５Ｂは、位相変更を行わないものとする。
【０８８３】
・[u0 u1]=[01]（u0=0, u1=1）、[u2 u3]=[01]（u2=0, u3=1）のとき、基地局は、「位相変更部２０５Ａ、位相変更部２０５Ｂが、方法01_2の周期的／規則的にシンボルごとに位相変更を行う」ものとする。
【０８８４】
方法01_2：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０８８５】
【数６０】
2017187953.tif 000064
【０８８６】
そして、位相変更部２０５Ｂは、位相変更を行わないものとする。
【０８８７】
・[u0 u1]=[01]（u0=0, u1=1）、[u2 u3]=[10]（u2=1, u3=0）のとき、基地局は、「位相変更部２０５Ａ、位相変更部２０５Ｂが、方法01_3の周期的／規則的にシンボルごとに位相変更を行う」ものとする。
【０８８８】
方法01_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０８８９】
【数６１】
2017187953.tif 000065
【０８９０】
そして、位相変更部２０５Ｂは、位相変更を行わないものとする。
【０８９１】
・[u0 u1]=[01]（u0=0, u1=1）、[u2 u3]=[11]（u2=1, u3=1）のとき、基地局は、「位相変更部２０５Ａ、位相変更部２０５Ｂが、方法01_4の周期的／規則的にシンボルごとに位相変更を行う」ものとする。
【０８９２】
方法01_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０８９３】
【数６２】
2017187953.tif 000066
【０８９４】
そして、位相変更部２０５Ｂは、位相変更を行わないものとする。
【０８９５】
表２の解釈の第３の例は以下のようになる。
【０８９６】
・[u0 u1]=[01]（u0=0, u1=1）、[u2 u3]=[00]（u2=0, u3=0）のとき、基地局は、「位相変更部２０５Ａ、位相変更部２０５Ｂが、方法01_1の周期的／規則的にシンボルごとに位相変更を行う。」ものとする。
【０８９７】
方法01_1：
位相変更部２０５Ａは、位相変更を行わないものとする。
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０８９８】
【数６３】
2017187953.tif 000067
【０８９９】
・[u0 u1]=[01]（u0=0, u1=1）、[u2 u3]=[01]（u2=0, u3=1）のとき、基地局は、「位相変更部２０５Ａ、位相変更部２０５Ｂが、方法01_2の周期的／規則的にシンボルごとに位相変更を行う」ものとする。
【０９００】
方法01_2：
位相変更部２０５Ａは、位相変更を行わないものとする。
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０９０１】
【数６４】
2017187953.tif 000068
【０９０２】
・[u0 u1]=[01]（u0=0, u1=1）、[u2 u3]=[10]（u2=1, u3=0）のとき、基地局は、「位相変更部２０５Ａ、位相変更部２０５Ｂが、方法01_3の周期的／規則的にシンボルごとに位相変更を行う」ものとする。
【０９０３】
方法01_3：
位相変更部２０５Ａは、位相変更を行わないものとする。
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０９０４】
【数６５】
2017187953.tif 000069
【０９０５】
・[u0 u1]=[01]（u0=0, u1=1）、[u2 u3]=[11]（u2=1, u3=1）のとき、基地局は、「位相変更部２０５Ａ、位相変更部２０５Ｂが、方法01_4の周期的／規則的にシンボルごとに位相変更を行う」ものとする。
【０９０６】
方法01_4：
位相変更部２０５Ａは、位相変更を行わないものとする。
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０９０７】
【数６６】
2017187953.tif 000070
【０９０８】
表２の解釈の第４の例は以下のようになる。
【０９０９】
・[u0 u1]=[01]（u0=0, u1=1）、[u2 u3]=[00]（u2=0, u3=0）のとき、基地局は、「位相変更部２０５Ａ、位相変更部２０５Ｂが、方法01_1の周期的／規則的にシンボルごとに位相変更を行う」ものとする。
【０９１０】
方法01_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０９１１】
【数６７】
2017187953.tif 000071
【０９１２】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０９１３】
【数６８】
2017187953.tif 000072
【０９１４】
・[u0 u1]=[01]（u0=0, u1=1）、[u2 u3]=[01]（u2=0, u3=1）のとき、基地局は、「位相変更部２０５Ａ、位相変更部２０５Ｂが、方法01_2の周期的／規則的にシンボルごとに位相変更を行う。」ものとする。
【０９１５】
方法01_2：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０９１６】
【数６９】
2017187953.tif 000073
【０９１７】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０９１８】
【数７０】
2017187953.tif 000074
【０９１９】
・[u0 u1]=[01]（u0=0, u1=1）、[u2 u3]=[10]（u2=1, u3=0）のとき、基地局は、「位相変更部２０５Ａ、位相変更部２０５Ｂが、方法01_3の周期的／規則的にシンボルごとに位相変更を行う。」ものとする。
【０９２０】
方法01_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０９２１】
【数７１】
2017187953.tif 000075
【０９２２】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０９２３】
【数７２】
2017187953.tif 000076
【０９２４】
・[u0 u1]=[01]（u0=0, u1=1）、[u2 u3]=[11]（u2=1, u3=1）のとき、基地局は、「位相変更部２０５Ａ、位相変更部２０５Ｂが、方法01_4の周期的／規則的にシンボルごとに位相変更を行う」ものとする。
【０９２５】
方法01_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【０９２６】
【数７３】
2017187953.tif 000077
【０９２７】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【０９２８】
【数７４】
2017187953.tif 000078
【０９２９】
以上のように、第１の例から第４の例を記載したが、位相変更部２０５Ａ、位相変更部２０５Ｂの具体的な位相変更方法は、これに限ったものではない。
＜１＞位相変更部２０５Ａにおいて、周期的／規則的にシンボルごとに位相変更を行う
＜２＞位相変更部２０５Ｂにおいて、周期的／規則的にシンボルごとに位相変更を行う
＜３＞位相変更部２０５Ａ、位相変更部２０５Ｂにおいて、周期的／規則的にシンボルごとに位相変更を行う
＜１＞＜２＞＜３＞のいずれか一つ以上の方法が[u2 u3]による具体的に設定されていれば上述の説明を同様に実施することができる。
【０９３０】
基地局が具備する位相変更部２０５Ａ、２０５Ｂの動作を制御する、上述で説明した[u0 u1]を[u0 u1]=[10]（u0=1, u1=0）と設定したとき、つまり、位相変更部２０５Ａ、２０５Ｂが、特定の位相変更値（セット）で位相変更を施す場合に、具体的に行う位相変更、を設定するための制御情報をu4, u5とするものとする。[u4 u5]と位相変更部２０５Ａ、２０５Ｂが具体的に行う位相変更の関係を表３に示す。なお、u4, u5は、例えば、その他のシンボル４０３、５０３の制御情報シンボルの一部として、基地局が送信するものとする、そして、端末は、その他のシンボル４０３、５０３の制御情報シンボルに含まれる[u4 u5]を得、[u4 u5]から位相変更部２０５Ａ、２０５Ｂの動作を知り、データシンボルの復調及び復号を行う。そして、「具体的な位相変更」のための制御情報を２ビットとしているが、ビット数は２ビット以外であってもよい。
【０９３１】
【表３】
2017187953.tif 000079
【０９３２】
表３の解釈の第１の例は以下のようになる。
【０９３３】
・[u0 u1]=[10]（u0=1, u1=0）、[u4 u5]=[00]（u4=0, u5=0）のとき、基地局は、「位相変更部２０５Ａ、位相変更部２０５Ｂが、方法10_1の特定の位相変更値（セット）で位相変更を施す」ものとする。
【０９３４】
方法10_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９３５】
【数７５】
2017187953.tif 000080
【０９３６】
そして、位相変更部２０５Ｂは、位相変更を行わないものとする。
【０９３７】
・[u0 u1]=[10] （u0=1, u1=0）、[u4 u5]=[01]（u4=0, u5=1）のとき、基地局は、「位相変更部２０５Ａ、位相変更部２０５Ｂが、方法10_2の特定の位相変更値（セット）で位相変更を施す」ものとする。
【０９３８】
方法10_2：
位相変更部２０５Ａは、位相変更を行わないものとする。
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【０９３９】
【数７６】
2017187953.tif 000081
【０９４０】
・[u0 u1]=[10] （u0=1, u1=0）、[u4 u5]=[10]（u4=1, u5=0）のとき、基地局は、「位相変更部２０５Ａ、位相変更部２０５Ｂが、方法10_3の特定の位相変更値（セット）で位相変更を施す」ものとする。
【０９４１】
方法10_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９４２】
【数７７】
2017187953.tif 000082
【０９４３】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【０９４４】
【数７８】
2017187953.tif 000083
【０９４５】
・[u0 u1]=[10] （u0=1, u1=0）、[u4 u5]=[11]（u4=1, u5=1）のとき、基地局は、「位相変更部２０５Ａ、位相変更部２０５Ｂが、方法10_4の特定の位相変更値（セット）で位相変更を施す」ものとする。
【０９４６】
方法10_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９４７】
【数７９】
2017187953.tif 000084
【０９４８】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号によらず、固定の位相値となる）。
【０９４９】
【数８０】
2017187953.tif 000085
【０９５０】
表３の解釈の第２の例は以下のようになる。
【０９５１】
・[u0 u1]=[10]（u0=1, u1=0）、[u4 u5]=[00]（u4=0, u5=0）のとき、基地局は、「位相変更部２０５Ａ、位相変更部２０５Ｂが、方法10_1の特定の位相変更値（セット）で位相変更を施す」ものとする。
【０９５２】
方法10_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９５３】
【数８１】
2017187953.tif 000086
【０９５４】
式（８１）の場合、位相変更部２０５Ａでは、位相を行っていない。そして、位相変更部２０５Ｂは、位相変更を行わないものとする。
【０９５５】
・[u0 u1]=[10] （u0=1, u1=0）、[u4 u5]=[01]（u4=0, u5=1）のとき、基地局は、「位相変更部２０５Ａ、位相変更部２０５Ｂが、方法10_2の特定の位相変更値（セット）で位相変更を施す」ものとする。
【０９５６】
方法10_2：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９５７】
【数８２】
2017187953.tif 000087
【０９５８】
そして、位相変更部２０５Ｂは、位相変更を行わないものとする。
【０９５９】
・[u0 u1]=[10] （u0=1, u1=0）、[u4 u5]=[10]（u4=1, u5=0）のとき、基地局は、「位相変更部２０５Ａ、位相変更部２０５Ｂが、方法10_3の特定の位相変更値（セット）で位相変更を施す」ものとする。
【０９６０】
方法10_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９６１】
【数８３】
2017187953.tif 000088
【０９６２】
そして、位相変更部２０５Ｂは、位相変更を行わないものとする。
【０９６３】
・[u0 u1]=[10] （u0=1, u1=0）、[u4 u5]=[11]（u4=1, u5=1）のとき、基地局は、「位相変更部２０５Ａ、位相変更部２０５Ｂが、方法10_4の特定の位相変更値（セット）で位相変更を施す」ものとする。
【０９６４】
方法10_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９６５】
【数８４】
2017187953.tif 000089
【０９６６】
そして、位相変更部２０５Ｂは、位相変更を行わないものとする。
【０９６７】
表３の解釈の第３の例は以下のようになる。
【０９６８】
・[u0 u1]=[10]（u0=1, u1=0）、[u4 u5]=[00]（u4=0, u5=0）のとき、基地局は、「位相変更部２０５Ａ、位相変更部２０５Ｂが、方法10_1の特定の位相変更値（セット）で位相変更を施す」ものとする。
【０９６９】
方法10_1：
位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【０９７０】
【数８５】
2017187953.tif 000090
【０９７１】
式（８５）の場合、位相変更部２０５Ｂでは、位相を行っていない。そして、位相変更部２０５Ａは、位相変更を行わないものとする。
【０９７２】
・[u0 u1]=[10] （u0=1, u1=0）、[u4 u5]=[01]（u4=0, u5=1）のとき、基地局は、「位相変更部２０５Ａ、位相変更部２０５Ｂが、方法10_2の特定の位相変更値（セット）で位相変更を施す。」ものとする。
【０９７３】
方法10_2：
位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【０９７４】
【数８６】
2017187953.tif 000091
【０９７５】
そして、位相変更部２０５Ａは、位相変更を行わないものとする。
【０９７６】
・[u0 u1]=[10] （u0=1, u1=0）、[u4 u5]=[10]（u4=1, u5=0）のとき、基地局は、「位相変更部２０５Ａ、位相変更部２０５Ｂが、方法10_3の特定の位相変更値（セット）で位相変更を施す」ものとする。
【０９７７】
方法10_3：
位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【０９７８】
【数８７】
2017187953.tif 000092
【０９７９】
そして、位相変更部２０５Ａは、位相変更を行わないものとする。
【０９８０】
・[u0 u1]=[10] （u0=1, u1=0）、[u4 u5]=[11]（u4=1, u5=1）のとき、基地局は、「位相変更部２０５Ａ、位相変更部２０５Ｂが、方法10_4の特定の位相変更値（セット）で位相変更を施す」ものとする。
【０９８１】
方法10_4：
位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【０９８２】
【数８８】
2017187953.tif 000093
【０９８３】
そして、位相変更部２０５Ａは、位相変更を行わないものとする。
【０９８４】
表３の解釈の第４の例は以下のようになる。
【０９８５】
・[u0 u1]=[10]（u0=1, u1=0）、[u4 u5]=[00]（u4=0, u5=0）のとき、基地局は、「位相変更部２０５Ａ、位相変更部２０５Ｂが、方法10_1の特定の位相変更値（セット）で位相変更を施す」ものとする。
【０９８６】
方法10_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９８７】
【数８９】
2017187953.tif 000094
【０９８８】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【０９８９】
【数９０】
2017187953.tif 000095
【０９９０】
式（９０）の場合、位相変更部２０５Ｂでは、位相を行っていない。
【０９９１】
・[u0 u1]=[10] （u0=1, u1=0）、[u4 u5]=[01]（u4=0, u5=1）のとき、基地局は、「位相変更部２０５Ａ、位相変更部２０５Ｂが、方法10_2の特定の位相変更値（セット）で位相変更を施す」ものとする。
【０９９２】
方法10_2：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９９３】
【数９１】
2017187953.tif 000096
【０９９４】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【０９９５】
【数９２】
2017187953.tif 000097
【０９９６】
・[u0 u1]=[10] （u0=1, u1=0）、[u4 u5]=[10]（u4=1, u5=0）のとき、基地局は、「位相変更部２０５Ａ、位相変更部２０５Ｂが、方法10_3の特定の位相変更値（セット）で位相変更を施す」ものとする。
【０９９７】
方法10_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【０９９８】
【数９３】
2017187953.tif 000098
【０９９９】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【１０００】
【数９４】
2017187953.tif 000099
【１００１】
・[u0 u1]=[10] （u0=1, u1=0）、[u4 u5]=[11]（u4=1, u5=1）のとき、基地局は、「位相変更部２０５Ａ、位相変更部２０５Ｂが、方法10_4の特定の位相変更値（セット）で位相変更を施す。」ものとする。
【１００２】
方法10_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる（シンボル番号の依らず固定の位相値となる）。
【１００３】
【数９５】
2017187953.tif 000100
【１００４】
式（９５）の場合、位相変更部２０５Ａでは、位相を行っていない。そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる（シンボル番号の依らず固定の位相値となる）。
【１００５】
【数９６】
2017187953.tif 000101
【１００６】
以上のように、第１の例から第４の例を記載したが、位相変更部２０５Ａ、位相変更部２０５Ｂの具体的な位相変更方法は、これに限ったものではない。
＜４＞位相変更部２０５Ａにおいて、特定の位相変更値（セット）で位相変更を施す。
＜５＞位相変更部２０５Ｂにおいて、特定の位相変更値（セット）で位相変更を施す。
＜６＞位相変更部２０５Ａ、位相変更部２０５Ｂにおいて、特定の位相変更値（セット）で位相変更を施す。
＜４＞＜５＞＜６＞のいずれか一つ以上の方法が[u4 u5]による具体的に設定されていれば上述の説明を同様に実施することができる。
【１００７】
また、基地局が具備する位相変更部２０５Ａ、２０５Ｂにおいて、周期的／規則的にシンボルごとに位相変更を行う方法と特定の位相変更値で位相変更を行う方法とを組み合わせることも可能である。位相変更部２０５Ａ、２０５Ｂが、周期的／規則的にシンボルごとに位相変更を行う方法と特定変更値で位相変更を行う方法の組み合わせのモードを表１の「Reserve」、つまり、[u0 u1]=[11]（u0=1, u1=1）に割り当てるものとする。
【１００８】
基地局が具備する位相変更部２０５Ａ、２０５Ｂの動作を制御する、[u0 u1]=[11]（u0=1, u1=1）と設定したとき、つまり、位相変更部２０５Ａ、２０５Ｂが、周期的／規則的にシンボルごとに位相変更を行う方法と特定の位相変更値で位相変更を行う方法とを組み合わせる場合に、具体的に行う位相変更、を設定するための制御情報をu6, u7とするものとする。[u6 u7]と位相変更部２０５Ａ、２０５Ｂが具体的に行う位相変更の関係を表４に示す。なお、u6, u7は、例えば、その他のシンボル４０３、５０３の制御情報シンボルの一部として、基地局が送信するものとする。そして、端末は、その他のシンボル４０３、５０３の制御情報シンボルに含まれる[u6 u7]を得、[u6 u7]から位相変更部２０５Ａ、２０５Ｂの動作を知り、データシンボルの復調及び復号を行う。そして、「具体的な位相変更」のための制御情報を２ビットとしているが、ビット数は、２ビット以外であってもよい。
【１００９】
【表４】
2017187953.tif 000102
【１０１０】
表４の解釈の第１の例は以下のとおりとなる。
【１０１１】
・[u0 u1]=[11]（u0=1, u1=1）、[u6 u7]=[00]（u6=0, u7=0）のとき、基地局は、「位相変更部２０５Ａ、位相変更部２０５Ｂが、方法11_1の周期的／規則的にシンボルごとに位相変更を行う方法と特定の位相変更値で位相変更を行う方法とを組み合わせる位相変更を行う」ものとする。
【１０１２】
方法11_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０１３】
【数９７】
2017187953.tif 000103
【１０１４】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０１５】
【数９８】
2017187953.tif 000104
【１０１６】
・[u0 u1]=[11]（u0=1, u1=1）、[u6 u7]=[01]（u6=0, u7=1）のとき、基地局は、「位相変更部２０５Ａ、位相変更部２０５Ｂが、方法11_2の周期的／規則的にシンボルごとに位相変更を行う方法と特定の位相変更値で位相変更を行う方法とを組み合わせる位相変更を行う。」ものとする。
【１０１７】
方法11_2：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０１８】
【数９９】
2017187953.tif 000105
【１０１９】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０２０】
【数１００】
2017187953.tif 000106
【１０２１】
・[u0 u1]=[11]（u0=1, u1=1）、[u6 u7]=[10]（u6=1, u7=0）のとき、基地局は、「位相変更部２０５Ａ、位相変更部２０５Ｂが、方法11_3の周期的／規則的にシンボルごとに位相変更を行う方法と特定の位相変更値で位相変更を行う方法とを組み合わせる位相変更を行う。」ものとする。
【１０２２】
方法11_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０２３】
【数１０１】
2017187953.tif 000107
【１０２４】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０２５】
【数１０２】
2017187953.tif 000108
【１０２６】
・[u0 u1]=[11]（u0=1, u1=1）、[u6 u7]=[11]（u6=1, u7=1）のとき、基地局は、「位相変更部２０５Ａ、位相変更部２０５Ｂが、方法11_4の周期的／規則的にシンボルごとに位相変更を行う方法と特定の位相変更値で位相変更を行う方法とを組み合わせる位相変更を行う。」ものとする。
【１０２７】
方法11_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０２８】
【数１０３】
2017187953.tif 000109
【１０２９】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０３０】
【数１０４】
2017187953.tif 000110
【１０３１】
表４の解釈の第２の例は以下のとおりとなる。
【１０３２】
・[u0 u1]=[11]（u0=1, u1=1）、[u6 u7]=[00]（u6=0, u7=0）のとき、基地局は、「位相変更部２０５Ａ、位相変更部２０５Ｂが、方法11_1の周期的／規則的にシンボルごとに位相変更を行う方法と特定の位相変更値で位相変更を行う方法とを組み合わせる位相変更を行う。」ものとする。
【１０３３】
方法11_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０３４】
【数１０５】
2017187953.tif 000111
【１０３５】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０３６】
【数１０６】
2017187953.tif 000112
【１０３７】
・[u0 u1]=[11]（u0=1, u1=1）、[u6 u7]=[01]（u6=0, u7=1）のとき、基地局は、「位相変更部２０５Ａ、位相変更部２０５Ｂが、方法11_2の周期的／規則的にシンボルごとに位相変更を行う方法と特定の位相変更値で位相変更を行う方法とを組み合わせる位相変更を行う。」ものとする。
【１０３８】
方法11_2：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０３９】
【数１０７】
2017187953.tif 000113
【１０４０】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０４１】
【数１０８】
2017187953.tif 000114
【１０４２】
・[u0 u1]=[11]（u0=1, u1=1）、[u6 u7]=[10]（u6=1, u7=0）のとき、基地局は、「位相変更部２０５Ａ、位相変更部２０５Ｂが、方法11_3の周期的／規則的にシンボルごとに位相変更を行う方法と特定の位相変更値で位相変更を行う方法とを組み合わせる位相変更を行う。」ものとする。
【１０４３】
方法11_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０４４】
【数１０９】
2017187953.tif 000115
【１０４５】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０４６】
【数１１０】
2017187953.tif 000116
【１０４７】
・[u0 u1]=[11]（u0=1, u1=1）、[u6 u7]=[11]（u6=1, u7=1）のとき、基地局は、「位相変更部２０５Ａ、位相変更部２０５Ｂが、方法11_4の周期的／規則的にシンボルごとに位相変更を行う方法と特定の位相変更値で位相変更を行う方法とを組み合わせる位相変更を行う。」ものとする。
【１０４８】
方法11_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０４９】
【数１１１】
2017187953.tif 000117
【１０５０】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０５１】
【数１１２】
2017187953.tif 000118
【１０５２】
表４の解釈の第３の例は以下のとおりとなる。
【１０５３】
・[u0 u1]=[11]（u0=1, u1=1）、[u6 u7]=[00]（u6=0, u7=0）のとき、基地局は、「位相変更部２０５Ａ、位相変更部２０５Ｂが、方法11_1の周期的／規則的にシンボルごとに位相変更を行う方法と特定の位相変更値で位相変更を行う方法とを組み合わせる位相変更を行う。」ものとする。
【１０５４】
方法11_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０５５】
【数１１３】
2017187953.tif 000119
【１０５６】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０５７】
【数１１４】
2017187953.tif 000120
【１０５８】
・[u0 u1]=[11]（u0=1, u1=1）、[u6 u7]=[01]（u6=0, u7=1）のとき、基地局は、「位相変更部２０５Ａ、位相変更部２０５Ｂが、方法11_2の周期的／規則的にシンボルごとに位相変更を行う方法と特定の位相変更値で位相変更を行う方法とを組み合わせる位相変更を行う。」ものとする。
【１０５９】
方法11_2：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０６０】
【数１１５】
2017187953.tif 000121
【１０６１】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０６２】
【数１１６】
2017187953.tif 000122
【１０６３】
・[u0 u1]=[11]（u0=1, u1=1）、[u6 u7]=[10]（u6=1, u7=0）のとき、基地局は、「位相変更部２０５Ａ、位相変更部２０５Ｂが、方法11_3の周期的／規則的にシンボルごとに位相変更を行う方法と特定の位相変更値で位相変更を行う方法とを組み合わせる位相変更を行う。」ものとする。
【１０６４】
方法11_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０６５】
【数１１７】
2017187953.tif 000123
【１０６６】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０６７】
【数１１８】
2017187953.tif 000124
【１０６８】
・[u0 u1]=[11]（u0=1, u1=1）、[u6 u7]=[11]（u6=1, u7=1）のとき、基地局は、「位相変更部２０５Ａ、位相変更部２０５Ｂが、方法11_4の周期的／規則的にシンボルごとに位相変更を行う方法と特定の位相変更値で位相変更を行う方法とを組み合わせる位相変更を行う。」ものとする。
【１０６９】
方法11_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０７０】
【数１１９】
2017187953.tif 000125
【１０７１】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０７２】
【数１２０】
2017187953.tif 000126
【１０７３】
表４の解釈の第４の例は以下のとおりとなる。
【１０７４】
・[u0 u1]=[11]（u0=1, u1=1）、[u6 u7]=[00]（u6=0, u7=0）のとき、基地局は、「位相変更部２０５Ａ、位相変更部２０５Ｂが、方法11_1の周期的／規則的にシンボルごとに位相変更を行う方法と特定の位相変更値で位相変更を行う方法とを組み合わせる位相変更を行う。」ものとする。
【１０７５】
方法11_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０７６】
【数１２１】
2017187953.tif 000127
【１０７７】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０７８】
【数１２２】
2017187953.tif 000128
【１０７９】
・[u0 u1]=[11]（u0=1, u1=1）、[u6 u7]=[01]（u6=0, u7=1）のとき、基地局は、「位相変更部２０５Ａ、位相変更部２０５Ｂが、方法11_2の周期的／規則的にシンボルごとに位相変更を行う方法と特定の位相変更値で位相変更を行う方法とを組み合わせる位相変更を行う。」ものとする。
【１０８０】
方法11_2：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０８１】
【数１２３】
2017187953.tif 000129
【１０８２】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０８３】
【数１２４】
2017187953.tif 000130
【１０８４】
・[u0 u1]=[11]（u0=1, u1=1）、[u6 u7]=[10]（u6=1, u7=0）のとき、基地局は、「位相変更部２０５Ａ、位相変更部２０５Ｂが、方法11_3の周期的／規則的にシンボルごとに位相変更を行う方法と特定の位相変更値で位相変更を行う方法とを組み合わせる位相変更を行う。」ものとする。
【１０８５】
方法11_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０８６】
【数１２５】
2017187953.tif 000131
【１０８７】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０８８】
【数１２６】
2017187953.tif 000132
【１０８９】
・[u0 u1]=[11]（u0=1, u1=1）、[u6 u7]=[11]（u6=1, u7=1）のとき、基地局は、「位相変更部２０５Ａ、位相変更部２０５Ｂが、方法11_4の周期的／規則的にシンボルごとに位相変更を行う方法と特定の位相変更値で位相変更を行う方法とを組み合わせる位相変更を行う。」ものとする。
【１０９０】
方法11_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０９１】
【数１２７】
2017187953.tif 000133
【１０９２】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０９３】
【数１２８】
2017187953.tif 000134
【１０９４】
表４の解釈の第５の例は以下のとおりとなる。
【１０９５】
・[u0 u1]=[11]（u0=1, u1=1）、[u6 u7]=[00]（u6=0, u7=0）のとき、基地局は、「位相変更部２０５Ａ、位相変更部２０５Ｂが、方法11_1の周期的／規則的にシンボルごとに位相変更を行う方法と特定の位相変更値で位相変更を行う方法とを組み合わせる位相変更を行う。」ものとする。
【１０９６】
方法11_1：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１０９７】
【数１２９】
2017187953.tif 000135
【１０９８】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１０９９】
【数１３０】
2017187953.tif 000136
【１１００】
・[u0 u1]=[11]（u0=1, u1=1）、[u6 u7]=[01]（u6=0, u7=1）のとき、基地局は、「位相変更部２０５Ａ、位相変更部２０５Ｂが、方法11_2の周期的／規則的にシンボルごとに位相変更を行う方法と特定の位相変更値で位相変更を行う方法とを組み合わせる位相変更を行う。」ものとする。
【１１０１】
方法11_2：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１１０２】
【数１３１】
2017187953.tif 000137
【１１０３】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１１０４】
【数１３２】
2017187953.tif 000138
【１１０５】
・[u0 u1]=[11]（u0=1, u1=1）、[u6 u7]=[10]（u6=1, u7=0）のとき、基地局は、「位相変更部２０５Ａ、位相変更部２０５Ｂが、方法11_3の周期的／規則的にシンボルごとに位相変更を行う方法と特定の位相変更値で位相変更を行う方法とを組み合わせる位相変更を行う。」ものとする。
【１１０６】
方法11_3：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１１０７】
【数１３３】
2017187953.tif 000139
【１１０８】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１１０９】
【数１３４】
2017187953.tif 000140
【１１１０】
・[u0 u1]=[11]（u0=1, u1=1）、[u6 u7]=[11]（u6=1, u7=1）のとき、基地局は、「位相変更部２０５Ａ、位相変更部２０５Ｂが、方法11_4の周期的／規則的にシンボルごとに位相変更を行う方法と特定の位相変更値で位相変更を行う方法とを組み合わせる位相変更を行う。」ものとする。
【１１１１】
方法11_4：
位相変更部２０５Ａが、位相変更を行うことにより乗算に使用する係数をｙ１（ｉ）とする（ｉはシンボル番号を示しており、０以上の整数であるものとする）。このとき、ｙ１（ｉ）は以下のようにあらわされる。
【１１１２】
【数１３５】
2017187953.tif 000141
【１１１３】
そして、位相変更部２０５Ｂが、位相変更を行うことにより乗算に使用する係数をｙ２（ｉ）とする（ｉはシンボル番号を示しており、０以上の整数であるものとする）。このとき、ｙ２（ｉ）は以下のようにあらわされる。
【１１１４】
【数１３６】
2017187953.tif 000142
【１１１５】
以上のように、第１の例から第５の例を記載したが、位相変更部２０５Ａ、位相変更部２０５Ｂの具体的な位相変更方法は、これに限ったものではない。
＜７＞位相変更部２０５Ａにおいて、周期的／規則的にシンボルごとに位相変更を行い、位相変更部２０５Ｂにおいて、特定の位相変更値（セット）により位相変更を行う。
＜８＞位相変更部２０５Ｂにおいて、特定の位変更値（セット）により、位相変更を行い、位相変更部２０５Ｂにおいて、周期的／規則的にシンボルごとに位相変更を行う。
＜３＞位相変更部２０５Ａ、位相変更部２０５Ｂにおいて、周期的／規則的にシンボルごとに位相変更を行う。
＜７＞＜８＞のいずれか一つ以上の方法が[u2 u3]による具体的に設定されていれば上述の説明を同様に実施することができる。
【１１１６】
基地局が具備する重み付け合成部２０３では、重み付け合成の行列の切り替えてもよい。重み付け合成の行列を設定するための制御情報をu8, u9とする。[u8 u9]と重み付け合成部２０３が具体的に使用する重み付け合成の行列の関係を表５に示す。なお、u8, u9は、例えば、その他のシンボル４０３、５０３の制御情報シンボルの一部として、基地局が送信するものとする。そして、端末は、その他のシンボル４０３、５０３の制御情報シンボルに含まれる[u8 u9]を得て、[u8 u9]から重み付け合成部２０３の動作を知り、データシンボルの復調及び復号を行う。そして、「具体的な重み付け行列」の指定のための制御情報を２ビットとしているが、ビット数は、２ビット以外であってもよい。
【１１１７】
【表５】
2017187953.tif 000143
【１１１８】
・[u8 u9]=[00]（u8=0, u9=0）のとき、「基地局の重み付け合成部２０３において、行列１を用いたプリコーディングを行う」ものとする。
・[u8 u9]=[01]（u8=0, u9=1）のとき、「基地局の重み付け合成部２０３において、行列２を用いたプリコーディングを行う」ものとする。
・[u8 u9]=[10]（u8=1, u9=0）のとき、「基地局の重み付け合成部２０３において、行列３を用いたプリコーディングを行う」ものとする。
・[u8 u9]=[11]（u8=1, u9=1）のとき、「基地局は、通信相手から、例えば、フィードバック情報を得、そのフィードバック情報に基づいて、基地局の重み付け合成部２０３において、使用するプリコーディング行列を求め、求めた（プリコーディング）行列を用いたプリコーディングを行う」ものとする。
【１１１９】
以上のようにして、基地局の重み付け合成部２０３は、使用するプリコーディングの行列を切り替える。そして、基地局の通信相手である端末は、制御情報シンボルに含まれるu8, u9を得、u8, u9に基づいて、データシンボルの復調及び復号を行うことができる。このようにすることで、電波伝搬環境の状態などの通信状況により、好適なプリコーディングの行列を設定することができるため、端末は、高いデータの受信品質を得ることができる。
【１１２０】
なお、表１に示したように、基地局の位相変更部２０５Ａ、２０５Ｂのように指定する方法を説明したが、表１のかわりに、表６のような設定を行うようにしてもよい。
【１１２１】
図２３の基地局の送信装置２３０３は、図１の構成をもつ。そして、図１の信号処理部１０６は、図２、図１８、図１９、図２０、図２１、図２２、図２８、図２９、図３０、図３１、図３２、図３３のいずれかの構成をもつ。このとき、位相変更部２０５Ａ、２０５Ｂの動作を通信環境や設定状況によって切り替えてもよい。そして、位相変更部２０５Ａ、２０５Ｂの動作に関する制御情報を、フレーム構成図４、図５、図１３、図１４におけるその他のシンボル４０３、５０３の制御情報シンボルで伝送する制御情報の一部として、基地局が送信するものとする。
【１１２２】
このとき、位相変更部２０５Ａ、２０５Ｂの動作に関する制御情報をu10とするものとする。[u10]と位相変更部２０５Ａ、２０５Ｂの関係を表６に示す。
【１１２３】
【表６】
2017187953.tif 000144
【１１２４】
なお、u10は、その他のシンボル４０３、５０３の制御情報シンボルの一部として、例えば、基地局が送信するものとする。そして、端末は、その他のシンボル４０３、５０３の制御情報シンボルに含まれる[u10]を得、[u10]から位相変更部２０５Ａ、２０５Ｂの動作を知り、データシンボルの復調及び復号を行う。
【１１２５】
表６の解釈は以下のようになる。
【１１２６】
・「位相変更部２０５Ａ、２０５Ｂは位相変更を行わない」と基地局が設定したとき、「u10=0」と設定する。よって、位相変更部２０５Ａは、入力信号（２０４Ａ）に対し、位相変更を行わずに、信号（２０６Ａ）を出力する。同様に、位相変更部２０５Ｂは、入力信号（２０４Ｂ）に対し、位相変更を行わずに、信号（２０６Ｂ）を出力する。
【１１２７】
・「位相変更部２０５Ａ、２０５Ｂが、周期的／規則的にシンボルごとに位相変更を行う」と基地局が設定したとき、「u10=1」と設定する。なお、位相変更部２０５Ａ、２０５Ｂが、周期的／規則的にシンボルごとに位相変更を変更する方法の詳細については、実施の形態１から実施の形態６で説明したとおりであるので、詳細の説明を省略する。そして、図１の信号処理部１０６が、図２０、図２１、図２２のいずれかの構成を持つ場合、「位相変更部２０５Ａが周期的／規則的にシンボルごとに位相変更を行い、位相変更部２０５Ｂが周期的／規則的にシンボルごとに位相変更を行わない」「位相変更部２０５Ａが周期的／規則的にシンボルごとに位相変更を行わない、位相変更部２０５Ｂが周期的／規則的にシンボルごとに位相変更を行う」ときについても「u10=1」と設定するものとする。
【１１２８】
以上のようにして、電波伝搬環境などの通信状況により、位相変更部２０５Ａ、２０５Ｂの位相変更の動作のON/OFFを行うことで、端末は、高いデータの受信品質を得ることができる。
【１１２９】
図２３の基地局の送信装置２３０３は、図１の構成をもつ。そして、図１の信号処理部１０６は、図２、図１８、図１９、図２０、図２１、図２２、図２８、図２９、図３０、図３１、図３２、図３３のいずれかの構成をもつ。このとき、位相変更部２０９Ａ、２０９Ｂの動作を通信環境や設定状況によって切り替えてもよい。そして、位相変更部２０９Ａ、２０９Ｂの動作に関する制御情報を、フレーム構成図４、図５、図１３、図１４におけるその他のシンボル４０３、５０３の制御情報シンボルで伝送する制御情報の一部として、基地局が送信するものとする。
【１１３０】
このとき、位相変更部２０９Ａ、２０９Ｂの動作に関する制御情報をu11とするものとする。[u11]と位相変更部２０９Ａ、２０９Ｂの関係を表７に示す。
【１１３１】
【表７】
2017187953.tif 000145
【１１３２】
なお、u11は、その他のシンボル４０３、５０３の制御情報シンボルの一部として、例えば、基地局が送信するものとする。そして、端末は、その他のシンボル４０３、５０３の制御情報シンボルに含まれる[u11]を得、[u11]から位相変更部２０９Ａ、２０９Ｂの動作を知り、データシンボルの復調及び復号を行う。
【１１３３】
表７の解釈は以下のようになる。
【１１３４】
・「位相変更部２０９Ａ、２０９Ｂは位相変更を行わない」と基地局が設定したとき、「u11=0」と設定する。よって、位相変更部２０９Ａは、入力信号（２０８Ａ）に対し、位相変更を行わずに、信号（２１０Ａ）を出力する。同様に、位相変更部２０９Ｂは、入力信号（２０８Ｂ）に対し、位相変更を行わずに、信号（２１０Ｂ）を出力する。
【１１３５】
・「位相変更部２０９Ａ、２０９Ｂが、周期的／規則的にシンボルごとに位相変更を行う（または、サイクリックディレイダイバーシチを適用する）」と基地局が設定したとき、「u11=1」と設定する。なお、位相変更部２０９Ａ、２０９Ｂが、周期的／規則的にシンボルごとに位相変更を変更する方法の詳細については、実施の形態１から実施の形態６で説明したとおりであるので、詳細の説明を省略する。そして、図１の信号処理部１０６が、図１９、図２２のいずれかの構成を持つ場合、「位相変更部２０９Ａが周期的／規則的にシンボルごとに位相変更を行い、位相変更部２０９Ｂが周期的／規則的にシンボルごとに位相変更を行わない」、「位相変更部２０９Ａが周期的／規則的にシンボルごとに位相変更を行わない、位相変更部２０９Ｂが周期的／規則的にシンボルごとに位相変更を行う」ときについても「u11=1」と設定するものとする。
【１１３６】
以上のようにして、電波伝搬環境などの通信状況により、位相変更部２０９Ａ、２０９Ｂの位相変更の動作のON/OFFを行うことで、端末は、高いデータの受信品質を得ることができる。
【１１３７】
次に、表１のように位相変更部２０５Ａ、２０５Ｂの動作を切り替える一例を説明する。
【１１３８】
例えば、基地局と端末は、図２７のような通信を行っているものとする。なお、図２７に基づいた通信については、前に説明したので、説明の一部を省略する。
【１１３９】
まず、端末は、基地局に対し、通信の要求を行うものとする。
【１１４０】
すると、基地局は、表１の「特定の位相変更値（セット）で位相変更を施す」を選択し、位相変更部２０５Ａ、および／または、位相変更部２０５Ｂは、「特定の位相変更値（セット）で位相変更を施す」に相当する信号処理を施し、データシンボル＃１（２７０２＿１）を送信する。
【１１４１】
端末は、基地局が送信した制御情報シンボル２７０１＿１およびデータシンボル＃１（２７０２＿１）を受信し、制御情報シンボル２７０１＿１に含まれる送信方法に基づいて、データシンボル＃１（２７０２＿１）の復調及び復号を行う。その結果、「データシンボル＃１（２７０２＿１）に含まれるデータが誤りなく得られた」と、端末が判断したものとする。すると、端末は、「データシンボル＃１（２７０２＿１）に含まれるデータが誤りなく得られた」という情報を少なくとも含む端末送信シンボル２７５０＿１を基地局に対し、送信する。
【１１４２】
基地局は、端末が送信した端末送信シンボル２７５０＿１を受信し、端末送信シンボル２７５０＿１に含まれる少なくとも「データシンボル＃１（２７０２＿１）に含まれるデータが誤りなく得られた」の情報に基づき、位相変更部２０５Ａ、および／または、位相変更部２０５Ｂで施す位相変更（セット）を、データシンボル＃１（２７０２＿１）を送信するときと同様に、「特定の位相変更値（セット）で位相変更を施す」と決定をする。基地局は、「データシンボル＃１（２７０２＿１）に含まれるデータが誤りなく得られた」ので、次のデータシンボルを送信する際も、「特定の位相変更値（セット）で位相変更を施す」を使用しても、端末は、誤りなくデータを得ることができる可能性が高いと判断することができる。これにより、端末は高いデータの受信品質を得ることができる可能性が高くなる。そして、基地局は、決定した「特定の位相変更値（セット）で位相変更を施す」に基づき、位相変更部２０５Ａ、および／または、位相変更部２０５Ｂにおいて、位相変更を施す。
【１１４３】
基地局は、制御情報シンボル２７０１＿２、および、データシンボル＃２（２７０２＿２）を送信するが、少なくともデータシンボル＃２（２７０２＿２）は、決定した「特定の位相変更値（セット）で位相変更を施す」による位相変更が行われる。
【１１４４】
端末は、基地局が送信した制御情報シンボル２７０１＿２およびデータシンボル＃２（２７０２＿２）を受信し、制御情報シンボル２７０１＿２に含まれる送信方法に関する情報に基づいて、データシンボル＃２（２７０２＿２）の復調及び復号を行う。その結果、「データシンボル＃２（２７０２＿２）に含まれるデータが正しく得られなかった」と、端末が判断したものとする。すると、端末は、「データシンボル＃２（２７０２＿２）に含まれるデータが正しく得られなかった」という情報を少なくとも含む端末送信シンボル２７５０＿２を基地局に対し、送信する。
【１１４５】
基地局は、端末が送信した端末送信シンボル２７５０＿２を受信し、端末送信シンボル２７５０＿２に含まれる少なくとも「データシンボル＃２（２７０２＿２）に含まれるデータが正しく得られなかった」の情報に基づき、位相変更部２０５Ａ、および／または、位相変更部２０５Ｂで施す位相変更を、「シンボルごとに位相変更値を変更する（周期的／規則的）」に変更すると判断する。基地局は、「データシンボル＃２（２７０２＿２）に含まれるデータが正しく得られなかった」ので、次のデータシンボルを送信する際、「シンボルごとに位相変更値を変更する（周期的／規則的）」に位相変更方法を変更すると、端末は、誤りなくデータを得ることができる可能性が高いと判断することができる。これにより、端末は高いデータの受信品質を得ることができる可能性が高くなる。したがって、基地局は、「シンボルごとに位相変更値を変更する（周期的／規則的）」に基づき、位相変更部２０５Ａ、および／または、位相変更部２０５Ｂにおいて、位相変更を施す。このとき、制御情報シンボル２７０１＿３と「データシンボル＃２（２７０２＿２−１）」を基地局は、送信するが、少なくとも、「データシンボル＃２（２７０２＿２−１）」に対して、「シンボルごとに位相変更値を変更する（周期的／規則的）」に基づいた位相変更を行う。
【１１４６】
端末は、基地局が送信した制御情報シンボル２７０１＿３およびデータシンボル＃２（２７０２＿２）を受信し、制御情報シンボル２７０１＿３に含まれる送信方法の情報に基づいて、データシンボル＃２（２７０２＿２−１）の復調及び復号を行う。その結果、「データシンボル＃２（２７０２＿２−１）に含まれるデータが正しく得られなかった」と、端末が判断したものとする。すると、端末は、「データシンボル＃２（２７０２＿２−１）に含まれるデータが正しく得られなかった」という情報を少なくとも含む端末送信シンボル２７５０＿３を基地局に対し、送信する。
【１１４７】
基地局は、端末が送信した端末送信シンボル２７５０＿３を受信し、端末送信シンボル２７５０＿３に含まれる少なくとも「データシンボル＃２（２７０２＿２−１）に含まれるデータが正しく得られなかった」情報に基づき、位相変更部Ａ、および、位相変更部Ｂで施す位相変更を、再度、「シンボルごとに位相変更値を変更する（周期的／規則的）」に設定すると判断する。したがって、基地局は、「シンボルごとに位相変更値を変更する（周期的／規則的）」に基づき、位相変更部２０５Ａ、および／または、位相変更部２０５Ｂにおいて、位相変更を施す。このとき、基地局は、制御情報シンボル２７０１＿４と「データシンボル＃２（２７０２＿２−２）」を送信するが、少なくとも、「データシンボル＃２（２７０２＿２−２）」に対して、「シンボルごとに位相変更値を変更する（周期的／規則的）」に基づいた位相変更を行う。
【１１４８】
端末は、基地局が送信した制御情報シンボル２７０１＿４およびデータシンボル＃２（２７０２＿２−２）を受信し、制御情報シンボル２７０１＿４に含まれている送信方法に関する情報に基づいて、データシンボル＃２（２７０２＿２−２）の復調及び復号を行う。その結果、「データシンボル＃２（２７０２＿２−２）に含まれているデータが誤りなく得られた」と、端末が判断したものとする。すると、端末は、「データシンボル＃２（２７０２＿２−２）に含まれているデータが誤りなく得られた」という情報を少なくとも含む端末送信シンボル２７５０＿４を基地局に対し、送信する。
【１１４９】
基地局は、端末が送信した端末送信シンボル２７５０＿４を受信し、端末送信シンボル２７５０＿４に含まれる少なくとも「データシンボル＃２（２７０２−２）に含まれるデータが誤りなく得られた」の情報に基づき、位相変更部２０５Ａ、および／または、位相変更部２０５Ｂで施す位相変更（セット）を、「特定の位相変更値（セット）で位相変更を施す」と決定をする。そして、基地局は、「特定の位相変更値（セット）で位相変更を施す」に基づき、位相変更部２０５Ａ、および／または、位相変更部２０５Ｂにおいて、位相変更を施す。
【１１５０】
基地局は、制御情報シンボル２７０１＿５、および、データシンボル＃３（２７０２＿３）を送信するが、少なくともデータシンボル＃３（２７０２＿３）は、「特定の位相変更値（セット）で位相変更を施す」に基づく、位相変更が行われる。
【１１５１】
端末は、基地局が送信した制御情報シンボル２７０１＿５およびデータシンボル＃３（２７０２＿３）を受信し、制御情報シンボル２７０１＿５に含まれている送信方法に関する情報に基づいて、データシンボル＃３（２７０２＿３）の復調及び復号を行う。その結果、「データシンボル＃３（２７０２＿３）に含まれるデータが誤りなく得られた」と、端末が判断したものとする。すると、端末は、「データシンボル＃３（２７０２＿３）に含まれるデータが誤りなく得られた」という情報を少なくとも含む端末送信シンボル２７５０＿５を基地局に対し、送信する。
【１１５２】
基地局は、端末が送信した端末送信シンボル２７５０＿５を受信し、端末送信シンボル２７５０＿５に含まれる少なくとも「データシンボル＃３（２７０２＿３）に含まれるデータが誤りなく得られた」の情報に基づき、位相変更部２０５Ａ」、および／または、位相変更部２０５Ｂで施す方法を「特定の位相変更値（セット）で位相変更を施す」方法と決定する。そして、基地局は、「特定の位相変更値（セット）で位相変更を施す」に基づき、データシンボル＃４（２７０２＿４）を送信する。
【１１５３】
端末は、基地局が送信した制御情報シンボル２７０１＿６およびデータシンボル＃４（２７０２＿４）を受信し、制御情報シンボル２７０１＿６に含まれる送信方法に関する情報に基づき、データシンボル＃４（２７０２＿４）の復調及び復号を行う。その結果、「データシンボル＃４（２７０２＿４）に含まれるデータが正しく得られなかった」と、端末が判断したものとする。すると、端末は「データシンボル＃４（２７０２＿４）に含まれるデータが正しく得られなかった」という情報を少なくとも含む端末送信シンボル２７５０＿６を基地局に対し、送信する。
【１１５４】
基地局は、端末が送信した端末送信シンボル２７５０＿６を受信し、端末送信シンボル２７５０＿６に含まれる少なくとも「データシンボル＃４（２７０２＿４）に含まれるデータが正しく得られなかった」の情報に基づき、位相変更部２０５Ａ、および／または、位相変更部２０５Ｂで施す位相変更を、「シンボルごとに位相変更値を変更する（周期的／規則的）」に変更すると判断する。したがって、基地局は、「シンボルごとに位相変更値を変更する（周期的／規則的）」に基づき、位相変更部２０５Ａ、および／または、位相変更部２０５Ｂにおいて、位相変更を施す。このとき、制御情報シンボル２７０１＿７と「データシンボル＃４（２７０２＿４−１）」を基地局は、送信するが、少なくとも、「データシンボル＃４（２７０２＿４−１）」に対して、「シンボルごとに位相変更値を変更する（周期的／規則的）」に基づいた位相変更を行う。
【１１５５】
端末は、基地局が送信した制御情報シンボル２７０１＿７およびデータシンボル＃４（２７０２＿４−１）を受信し、制御情報シンボル２７０１＿７に含まれる送信方法に関する情報に基づいて、データシンボル＃４（２７０２＿４−１）の復調及び復号を行う。
【１１５６】
なお、データシンボル＃１（２７０２＿１）、データシンボル＃２（２７０２＿２）、データシンボル＃３（２７０２＿３）、データシンボル＃４（２７０２＿４）において、実施の形態１から実施の形態６で説明したように、基地局は、複数の変調信号を複数のアンテナから送信する。
【１１５７】
図２７の基地局、端末のフレーム構成はあくまでも一例であり、他のシンボルが含まれていてもよい。そして、制御情報シンボル２７０１＿１、２７０１＿２、２７０１＿３、２７０１＿４、２７０１＿５、２７０１＿６、データシンボル＃１（２７０２＿１）、データシンボル＃２（２７０２＿２）、データシンボル＃３（２７０２＿３）、データシンボル＃４（２７０２＿４）のそれぞれのシンボルは、例えば、パイロットシンボルのような他のシンボルを含んでいてもよい。また、制御情報シンボル２７０１＿１、２７０１＿２、２７０１＿３、２７０１＿４、２７０１＿５、２７０１＿６には、データシンボル＃１（２７０２＿１）、データシンボル＃２（２７０２＿２）、データシンボル＃３（２７０２＿３）、データシンボル＃４（２７０２＿４）を送信する際に使用した「特定の位相変更値」の値に関する情報を含んでおり、端末は、この情報を得ることで、データシンボル＃１（２７０２＿１）、データシンボル＃２（２７０２＿２）、データシンボル＃３（２７０２＿３）、データシンボル＃４（２７０２＿４）の復調及び復号が可能となる。
【１１５８】
なお、図２７を用いた、基地局の本実施の形態で記載した「表１」に基づく送信方法の切り替えについては、上述に限ったものではなく、上述の説明は、送信方法切り替えの一例でしかなく、より、柔軟に「表１」に基づく送信方法の切り替えを行ってもよい。
【１１５９】
以上のように、送信方法の切り替え、位相変更方法の切り替え、位相変更の動作のON/OFFを、通信環境等により、より柔軟に動作を切り替えることで、通信相手の受信装置は、データの受信品質が向上する。
【１１６０】
なお、本実施の形態の表１のu0=1かつu1=1のReserveに対し、通信相手からの情報などによって、プリコーディング行列を切り替える方式を割り当ててもよい。つまり、基地局は、ＭＩＭＯ伝送方式を選択した際、通信相手からの情報に基づき、プリコーディング行列を選択する方式を選ぶことができるようにしてもよい。
【１１６１】
本実施の形態において、図１の信号処理部１０６の構成として、図２８、図２９、図３０、図３１、図３２、図３３について説明を行ったが、実施の形態１から実施の形態６に対し、図１の信号処理部１０６として、図２８、図２９、図３０、図３１、図３２、図３３を適用しても、実施することが可能である。
【１１６２】
（補足３）
本明細書で記載したマッピング部において、シンボルごとにマッピングの方法を、例えば、規則的／周期的に切り替えてもよい。例えば、変調方式として、同相Ｉ−直交Ｑ平面において、４ビット伝送のための１６個の信号点をもつ変調方式と設定したものとする。このとき、シンボルごとに、同相Ｉ−直交Ｑ平面における４ビットを伝送するための１６個の信号点の配置を切り替えてもよい。
【１１６３】
また、実施の形態１から実施の形態６において、ＯＦＤＭなどのマルチキャリア方式に適用した場合について説明したが、シングルキャリア方式に適用しても同様に実施することは可能である。
【１１６４】
また、本明細書の各実施の形態において、スペクトル拡散通信方式を適用した場合についても同様に実施することが可能である。
【１１６５】
（補足４）
本明細書で開示した各実施の形態において、送信装置の構成として図１を例に挙げて説明し、図１の信号処理部１０６の構成として、図２、図１８、図１９、図２０、図２１、図２２、図２８、図２９、図３０、図３１、図３２、図３３を例に挙げて説明した。しかしながら、送信装置の構成は図１で説明した構成に限られず、信号処理部１０６の構成は、図２、図１８、図１９、図２０、図２１、図２２、図２８、図２９、図３０、図３１、図３２、図３３で示した構成に限られない。すなわち、送信装置が本明細書で開示した各実施の形態において説明した信号処理後の信号１０６＿Ａ、１０６＿Ｂのいずれかと同じ信号を生成し、複数のアンテナ部を用いて送信することができれば、送信装置及びその信号処理部１０６は、どのような構成でもよい。
【１１６６】
以下では、そのような条件を満たす、送信装置及びその信号処理部１０６の異なる構成例について説明する。
【１１６７】
異なる構成例の一つとしては、図１のマッピング部１０４が、符号化データ１０３及び制御信号１００に基づいて、図２、図１８、図１９、図２０、図２１、図２２のいずれかにおける重み付け合成後の信号２０４Ａ、２０４Ｂに相当する信号を、マッピング後の信号１０５＿１、１０５＿２として生成する。信号処理部１０６は、図２、図１８、図１９、図２０、図２１、図２２のいずれかから重み付け合成部２０３を除いた構成を備え、マッピング後の信号１０５＿１が位相変更部２０５Ａまたは挿入部２０７Ａに入力され、マッピング後の信号１０５＿２が位相変更部２０５Ｂまたは挿入部２０７Ｂに入力される。
【１１６８】
また、異なる構成例の別の一つとしては、重み付け合成（プリコーディング）の処理が、式（３３）または式（３４）で示す（プリコーディング）行列Ｆであらわされる場合、図２における重み付け合成部２０３は、マッピング後の信号２０１Ａ、２０１Ｂに対し、重み付け合成のための信号処理を施さずに、マッピング後の信号２０１Ａを重み付け合成後の信号２０４Ａとして出力し、マッピング後の信号２０１Ｂを重み付け合成後の信号２０４Ｂとして出力する。この場合、重み付け合成部２０３は、制御信号２００に基づいて、（ｉ）重み付け合成に対応する信号処理を施して重み付け合成後の信号２０４Ａ、２０４Ｂを生成する、（ｉｉ）重み付け合成のための信号処理を行わず、マッピング後の信号２０１Ａを重み付け合成後の信号２０４Ａとして出力し、マッピング後の信号２０１Ｂを重み付け合成後の信号２０４Ｂとして出力する、という（ｉ）の処理と（ｉｉ）の処理を切り替える制御を行う。また、重み付け合成（プリコーディング）の処理として、式（３３）または式（３４）の（プリコーディング）行列Ｆであらわされるものしか実施しない場合、重み付け合成部２０３を備えていなくてもよい。
【１１６９】
このように、送信装置の具体的な構成が異なっていたとしても、本明細書で開示した各実施の形態において説明した信号処理後の信号１０６＿Ａ、１０６＿Ｂのいずれかと同じ信号を生成し、複数のアンテナ部を用いて送信すれば、受信装置において、直接波が支配的な環境、特に、ＬＯＳ環境のときに、ＭＩＭＯ伝送を行っている（複数のストリームを伝送している）データシンボルの受信装置におけるデータの受信品質が向上する。
【１１７０】
なお、図１の信号処理部１０６において、重み付け合成部２０３の前と後ろの両方に位相変更部を設けてもよい。具体的には、信号処理部１０６は、重み付け合成部２０３の前段に、マッピング後の信号２０１Ａに対して位相変更を施して位相変更後の信号２８０１Ａを生成する位相変更部２０５Ａ＿１、及びマッピング後の信号２０１Ｂに対して位相変更を施して位相変更後の信号２８０１Ｂを生成する位相変更部２０５Ｂ＿１のいずれか一方または両方を備える。さらに、信号処理部１０６は、挿入部２０７Ａ、２０７Ｂの前段に、重み付け合成後の信号２０４Ａに対して位相変更を施して位相変更後の信号２０６Ａを生成する位相変更部２０５Ａ＿２、及び重み付け合成後の信号２０４Ｂに対して位相変更を施して位相変更後の信号２０６Ｂを生成する位相変更部２０５Ｂ＿２のいずれか一方または両方を備える。
【１１７１】
ここで、信号処理部１０６が位相変更部２０５Ａ＿１を備える場合、重み付け合成部２０３一方の入力は位相変更後の信号２８０１Ａであり、信号処理部１０６が位相変更部２０５Ａ＿１を備えない場合、重み付け合成部２０３一方の入力はマッピング後の信号２０１Ａである。信号処理部１０６が位相変更部２０５Ｂ＿１を備える場合、重み付け合成部２０３の他方の入力は位相変更後の信号２８０１Ｂであり、信号処理部１０６が位相変更部２０５Ｂ＿１を備えない場合、重み付け合成部２０３の他方の入力はマッピング後の信号２０１Ｂである。信号処理部１０６が位相変更部２０５Ａ＿２を備える場合、挿入部２０７Ａの入力は位相変更後の信号２０６Ａであり、信号処理部１０６が位相変更部２０５Ａ＿２を備えない場合、挿入部２０７Ａの入力は重み付け合成後の信号２０４Ａである。そして、信号処理部１０６が位相変更部２０５Ｂ＿２を備える場合、挿入部２０７Ｂの入力は位相変更後の信号２０６Ｂであり、信号処理部１０６が位相変更部２０５Ｂ＿２を備えない場合、挿入部２０７Ｂの入力は重み付け合成後の信号２０４Ｂである。
【１１７２】
また、図１の送信装置は、信号処理部１０６の出力である信号処理後の信号１０６＿Ａ、１０６＿Ｂに対し、別の信号処理を施す第２の信号処理部を備えていてもよい。このとき、第２の信号処理部が出力する２つの信号を第２の信号処理後の信号Ａ、第２の信号処理後の信号Ｂとすると、無線部１０７＿Ａは、第２の信号処理後の信号Ａを入力とし、所定の処理を施し、無線部１０７＿Ｂは、第２の信号処理後の信号Ｂを入力とし、所定の処理を施す。
【１１７３】
（実施の形態８）
本実施の形態では、シングルキャリア方式を用いて伝送を行う通信システムにおいて、規則的に位相変更を行う場合の位相変更方法の一例について説明する。
【１１７４】
本実施の形態における送信装置は、例えば図１や図１７の構成を備える。
【１１７５】
本実施の形態において、送信装置は、例えば図２５のようなフレーム構成の信号を送信する。図３４は、図２５のデータシンボルが伝送される領域２５０３の詳細な構成の一例を示す。図３４のデータ領域３４００は、図２５のデータシンボルが伝送される領域２５０３に対応する。データ領域３４００は、それぞれ４４８シンボルの長さを有する複数のデータブロック３４０２と各データブロックの前方に配置された６４シンボルのガード期間３４０１と、最後のデータブロックに後続して配置されたガード期間とを含む。
【１１７６】
ここで、ガード期間は、例えば、６４ビットのＧｏｌａｙシーケンスなどの相補符号系列を用いて生成された６４シンボルの信号が送信される。なお、ガード期間の信号の生成にＧｏｌａｙシーケンスを用いるのはあくまでも一例であり、送信装置は、その他の相補符号や直交符号系列等の任意の系列を用いてガード期間の信号を生成してもよい。また、ビット数は、６４ビットに限ったものではない。
【１１７７】
図３４は、データブロックの数が３つの場合のデータ領域３４００の構成を示しているが、データブロックの数は１以上の整数であれば、いくつでもよい。また、ガードブロックの数は、データブロックの数に応じて変化し、例えば、データブロックの数に１を加えた数となる。
【１１７８】
図３５は、図２５のプリアンブル２５０１の詳細な構成の一例を示す。図３５において、プリンブル３５００は、図２５のプリアンブル２５０１に対応する。プリンブル３５００は、受信装置が、信号検出や、周波数同期・時間同期等のために用いることができるＳＴＦ（Ｓｈｏｒｔ  Ｔｒａｉｎｉｎｇ  Ｆｉｅｌｄ）３５０１と、チャネル推定に用いることができるＣＥＦ（Ｃｈａｎｎｅｌ  Ｅｓｔｉｍａｔｉｏｎ  Ｆｉｅｌｄ）３５０２とを含む。
【１１７９】
送信装置は、ＳＴＦ３５０１において、例えば１２８ビットのＧｏｌａｙシーケンスなどの相補符号系列を用いて生成された１２８シンボルの信号を所定の回数繰り返して送信し、その後に＋と−の符号を反転させた１２８ビットのＧｏｌａｙシーケンスなどの相補符号系列を用いて生成された１２８シンボルの信号を送信する。
【１１８０】
送信装置は、ＣＥＦ３５０２において、例えばそれぞれ１２８ビットからなる互いに異なる複数のＧｏｌａｙシーケンスなどの相補符号系列、及び当該相補符号系列の＋と−の符号を反転させた相補符号系列を用いて生成された複数の１２８シンボルの信号を、予め定められた順序で送信する。
【１１８１】
なお、ＳＴＦ３５０１やＣＥＦ３５０２で送信される信号の生成にＧｏｌａｙシーケンスを用いるのはあくまでも一例であり、送信装置は、その他の相補符号や直交符号系列等の任意の系列を用いて生成してもよい。また、ビット数は、上述で示した値に限ったものではない。
【１１８２】
次に、送信装置が行う位相変更の処理について説明する。ここではまず、送信装置が図１の構成を備え、図１の信号処理部１０６が図２、１８、１９のいずれかの構成を備える場合に、位相変更部２０５Ｂが行う位相変更の処理について説明する。
【１１８３】
ただし、図２において、位相変更部２０９Ｂは、他の実施の形態で説明したような位相変更を行ってもよいし、位相変更を行わなくてもよい。したがって、位相変更部２０９Ｂを削除し、フレーム構成に基づいたベースバンド信号２０８Ｂが、２１０Ｂに相当していてもよい。同様に、図１８において、位相変更部２０９Ａは、他の実施の形態で説明したような位相変更を行ってもよいし、位相変更を行わなくてもよい。したがって、位相変更部２０９Ａを削除し、フレーム構成に基づいたベースバンド信号２０８Ａが、２１０Ａに相当していてもよい。また、図１９において、位相変更部２０９Ａ、２０９Ｂは、他の実施の形態で説明したような位相変更を行ってもよいし、位相変更を行わなくてもよい。したがって、位相変更部２０９Ｂを削除し、フレーム構成に基づいたベースバンド信号２０８Ｂが、２１０Ｂに相当としていてもよい。そして、位相変更部２０９Ａを削除し、フレーム構成に基づいたベースバンド信号２０８Ａが２１０Ａに相当していてもよい。
【１１８４】
そして、以下で説明する位相変更の処理は、信号処理部１０６が図２０、２１、２２の構成を備える場合、もしくは送信装置が図１７の構成を備える場合に位相変更部２０５Ｂが行ってもよいし、信号処理部１０６が図３１、３２、３３の構成を備える場合に位相変更部２８０１Ｂが行ってもよい。
【１１８５】
本実施の形態において、位相変更部２０５Ｂは、Ｎ種類の位相変更の値を予め定められた順序で周期的に用いる、周期Ｎの位相変更処理を行う。ここで、位相変更部２０５Ｂは、位相変更処理の周期Ｎとして、データブロックのシンボル数の約数のうち３以上の値を用いる。本実施の形態では、データブロックのシンボル数が４４８であるため、位相変更部２０５Ｂは周期が４、７、８、１４、１６、２８、３２、５６、６４、１１２、２２４、４４８のいずれかの位相変更処理を行う。
【１１８６】
ここで、位相変更部２０５Ｂが行う位相変更処理におけるＮ種類の位相変更の値とその切り替えの順序は、式（２）で表わされるものとする。その場合、位相変更部２０５Ｂが施す位相変更の値は、先頭のシンボルでは０であり、２番目以降のシンボルでは、前のシンボルで用いられた位相変更の値に２π／Ｎを加算した値である。ただし、位相変更部２０５Ｂが用いるＮ種類の位相変更の値と切り替えの順序はこれに限定されるものではない。
【１１８７】
この構成により、上述で述べた送信装置が送信した変調信号を受信する受信装置において、特に、ＬＯＳ環境における受信状態が定常的な状況を避けることができるため、データの受信品質が向上する。
【１１８８】
なお、位相変更部２０５Ｂは、ガード期間の信号についても位相変更処理を施してもよい。この場合、ガード期間のシンボル数は６４であるため、位相変更部２０５は、位相変更の周期として６４の約数のうち３以上の値である４、８、１６、３２のいずれかを用いる。この位相変更方法を用いることにより、送信装置はガード期間とデータブロックを区別することなく、位相変更の処理を施しても各ガード期間の先頭のシンボル及び各データブロックの先頭のシンボルに施される位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１１８９】
上記説明では、送信装置は位相変更の処理を施さず信号処理後の信号１０６＿Ａを生成し、位相変更の値が式（２）で表わされる周期Ｎの位相変更の処理を施して信号処理後の信号１０６＿Ｂを生成するとした。ここで、送信装置が、位相変更部２０５Ｂの位相変更の処理における周期Ｎの値として、ガード期間のシンボル数の約数の値（２以上である）を用いる場合について説明する。このとき、送信装置が、信号処理後の信号１０６＿Ａ及び１０６＿Ｂのそれぞれのガード期間の信号を生成するために、同じ系列（例えば、Ｇｏｌａｙシーケンス）を用いたとしても、信号処理部１０６から出力される信号処理後の信号１０６＿Ａのガード期間に対応するシンボル列と、信号処理後の信号１０６＿Ｂのガード期間に対応するシンボル列とを直交させることができる。この構成によると、送信装置が、ガード期間の信号を生成するために複数の直交系列や複数の相補符号系列を用いなくても、ガード期間の信号を互いに直交させることができるため、受信装置は、２つの送信信号のそれぞれに対する伝送路特性（チャネル変動）をガード期間の信号から推定することが可能となる。
【１１９０】
なお、送信装置が位相変更の値を変化させる方法は、式（２）で表わされる方法に限定されない。例えば、位相変更部が、位相変更の値として２π／Ｎずつ異なるＮ種類の値を予め定められた任意の順序で周期的に用いた周期Ｎの位相変更の処理を施すとしてもよい。この構成においても、送信装置が、同一の周波数で同時に送信される２つの信号のガード期間の信号を生成するために、複数の直交系列や複数の相補符号系列を用いなくても、ガード期間の信号を互いに直交させることができるため、受信装置は、２つの送信信号のそれぞれに対する伝送路特性（チャネル変動）をガード期間の信号から推定することが可能となる。
【１１９１】
なお、送信装置は、プリアンブル３５００については、信号処理後の信号１０６＿Ａ、１０６＿Ｂのいずれについても、例えば、上述で述べたような位相変更の処理を行わない。送信装置は、例えば、互いに直交する直交系列、または複数の相補符号系列を用いてＭＩＭＯ用の伝送路の推定に用いる信号を生成する。また、ＭＩＭＯ用の伝送路の推定に用いる信号は、プリアンブル３５００のＣＥＦ３５０２とは異なる領域で送信されてもよい。例えば、制御シンボルの後に、例えば、互いに直交する直交系列、または複数の相補符号系列を用いて生成したＭＩＭＯ用の伝送路の推定に用いる信号が送信される領域が設けられてもよい。
【１１９２】
以上の内容を別の表現を行うと以下のようになる。
【１１９３】
送信装置は、送信アンテナ＃１から変調信号＃Ｘ、送信アンテナ＃２から変調信号＃Ｙを送信する。このとき、変調信号＃Ｘ、変調信号＃Ｙはいずれもシングルキャリア方式とする。そして、変調信号＃Ｘのデータシンボルは、ＧＩ（ＧＩ：ガードインターバル）（ＧＩ＃Ｘと名づける）とともに送信される。同様に、変調信号＃ＹのデータシンボルもＧＩ（ＧＩ＃Ｙと名づける）とともに送信される。そして、ＧＩ＃Ｘのシンボルを生成するためのGolay sequenceとＧＩ＃Ｙのシンボルを生成するためのGolay sequenceは同じ（共通）であるものとする。これにより、送信装置、受信装置でGolay sequenceに関連する部分については、回路の共通化が可能となる。上述のまま送信すると、送信装置の通信相手である受信装置は、ＧＩ＃ＸとＧＩ＃Ｙを識別することができない。つまり、変調信号＃Ｘ、変調信号＃Ｙの復調が難しい。したがって、受信装置で、ＧＩ＃ＸとＧＩ＃Ｙを識別を容易にするために、例えば、ＧＩ＃ＸまたはＧＩ＃Ｙのいずれかで、位相変更を行う。
【１１９４】
例１）ＧＩ＃Ｘで規則的に位相変更を行う場合、変調信号＃Ｘのデータシンボル部分でも規則的に位相変更を行う。これにより、位相変更部を共通化することが可能となる。
【１１９５】
例２）ＧＩ＃Ｙで規則的に位相変更を行う場合、変調信号＃Ｙのデータシンボル部分でも規則的に位相変更を行う。これにより、位相変更部を共通化することが可能となる。
【１１９６】
また、以下で説明するような規則をもっていてもよい。ＧＩ＃Ｘにおける時間的に最初のシンボルをＧＩ＃Ｘ（０）とし、ＧＩ＃Ｙにおける時間的最初のシンボルをＧＩ＃Ｙ（０）とする。
【１１９７】
例１）のように、「ＧＩ＃Ｘで規則的に位相変更を行う場合、変調信号＃Ｘのデータシンボル部分でも規則的に位相変更を行う。」とした場合、ＧＩ＃Ｘ（０）の位相変更値はある特定の値となり、その後、規則的な位相変更が行われる。例えば、時間１において、「ＧＩ＃Ｘとデータシンボル」を送信し、時間２において、「ＧＩ＃Ｘとデータシンボル」を送信するものとする。このとき、時間１に送信する「ＧＩ＃Ｘ」の「ＧＩ＃Ｘ（０）」の位相変更値がＡラジアンとし、時間２に送信する「ＧＩ＃Ｘ」の「ＧＩ＃Ｘ（０）」の位相変更値もＡラジアンとする。
【１１９８】
例２）のように、「ＧＩ＃Ｙで規則的に位相変更を行う場合、変調信号＃Ｙのデータシンボル部分でも規則的に位相変更を行う。」とした場合、ＧＩ＃Ｙ（０）の位相変更値はある特定の値となり、その後、規則的な位相変更が行われる。例えば、時間１において、「ＧＩ＃Ｙとデータシンボル」を送信し、時間２において、「ＧＩ＃Ｙとデータシンボル」を送信するものとする。このとき、時間１に送信する「ＧＩ＃Ｙ」の「ＧＩ＃Ｙ（０）」の位相変更値がＢラジアンとし、時間２に送信する「ＧＩ＃Ｙ」の「ＧＩ＃Ｙ（０）」の位相変更値もＢラジアンとする。
【１１９９】
次に、送信装置が図１の構成を備え、図１の信号処理部１０６が図２０、２１、２２の構成を備える場合に、位相変更部２０５Ａ及び２０５Ｂで行われる位相変更処理について説明する。ただし、以下で説明する位相変更の処理は、送信装置が図１７の構成を備える場合に位相変更部２０５Ａ、２０５Ｂが行ってもよいし、信号処理部１０６が図３１、３２、３３の構成を備える場合に位相変更部２８０１Ａ、２８０１Ｂが行ってもよい。
【１２００】
位相変更部２０５Ａ及び２０５Ｂで行われる位相変更処理は、式（５２）で表わされ、式（５２）におけるｗ（ｉ）は以下の式（１３７）で表わされ、
【１２０１】
【数１３７】
2017187953.tif 000146
【１２０２】
ｙ（ｉ）は、式（２）で表わされるものとする。
【１２０３】
位相変更部２０５Ａ、２０５Ｂは、位相変更処理の周期Ｎとして同じ値を用いる。また、位相変更部２０５Ａ、２０５Ｂは、位相変更処理の周期Ｎとしてデータブロックのシンボル数の約数のうち３以上の値を用いる。本実施の形態では、データブロックのシンボル数が４４８であるため、位相変更部２０５Ａ、２０５Ｂは周期が４、７、８、１４、１６、２８、３２、５６、６４、１１２、２２４、４４８のいずれかの位相変更処理を行う。
【１２０４】
ただし、位相変更部２０５Ａ、２０５Ｂが用いるＮ種類の位相変更の値と切り替えの順序は、これに限定されるものではない。
【１２０５】
この構成により、上述で述べた送信装置が送信した変調信号を受信する受信装置において、特に、ＬＯＳ環境における受信状態が定常的な状況を避けることができるため、データの受信品質が向上する。
【１２０６】
なお、位相変更部２０５Ａ、２０５Ｂは、ガード期間の信号についても位相変更処理を施してもよい。この場合、ガード期間のシンボル数は６４であるため、位相変更部２０５Ａ、２０５Ｂは、位相変更の周期として６４の約数のうち３以上の値である４、８、１６、３２のいずれかを用いる。この位相変更方法を用いることにより、送信装置はガード期間とデータブロックを区別することなく、位相変更の処理を施しても各ガード期間の先頭のシンボル及び各データブロックの先頭のシンボルに施される位相変更の値を同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１２０７】
上記説明では、送信装置は位相変更の値が式（１３７）で表される周期Ｎの位相変更の処理を施して信号処理後の信号１０６＿Ａを生成し、位相変更の値が式（２）で表わされる周期Ｎの位相変更の処理を施して信号処理後の信号１０６＿Ｂを生成するとした。ここで、送信装置が、位相変更部２０５Ａ、２０５Ｂの位相変更の処理における周期Ｎの値として、ガード期間のシンボル数の約数の値（２以上である）を用いる場合について説明する。このとき、送信装置が、信号処理後の信号１０６＿Ａ及び１０６＿Ｂのそれぞれのガード期間の信号を生成するために、同じ系列（例えば、Ｇｏｌａｙシーケンス）を用いたとしても、信号処理部１０６から出力される信号処理後の信号１０６＿Ａのガード期間に対応するシンボル列と、信号処理後の信号１０６＿Ｂのガード期間に対応するシンボル列とを直交させることができる。この構成によると、送信装置が、ガード期間の信号を生成するために複数の直交系列や複数の相補符号系列を用いなくても、ガード期間の信号を互いに直交させることができるため、受信装置は、２つの送信信号のそれぞれに対する伝送路特性をガード期間の信号から推定することが可能となる。
【１２０８】
なお、本実施の形態における上記の説明では、図１の信号処理部１０６が、図２、１８、１９、２０、２１、２２、３１、３２、３３の構成を備える場合について説明したが、本実施の形態ではシングルキャリア方式を用いており、周波数軸方向に１つのシンボルのみが配置されているため、位相変更部２０９Ａ、２０９Ｂで行われる位相変更の処理はおこなわれなくてもよい。その場合、本実施の形態における信号処理部は、図２、１８、１９、２０、２１、２２、３１、３２、３３から位相変更部２０９Ａ、２０９Ｂを削除した構成となる。
【１２０９】
ただし、位相変更部２０９Ａ、２０９Ｂが実施の形態１等で説明した位相変更の処理とは異なる位相変更の処理を行ってもよい。また、送信装置が複数のチャネルを用いるチャネルボンディングを行って信号の送信を行う場合、チャネル毎に異なる位相変更の値を用いて位相変更を行ってもよい。
【１２１０】
なお、本実施の形態では、送信装置がデータ領域において４４８シンボルのデータブロックと、６４シンボルのガード期間の信号を送信する場合について説明したが、データブロックとガード期間のシンボル数は異なる値であってあってもよい。
【１２１１】
データブロックとガード期間のシンボル数として異なる値を用いた場合の一例として、データブロックのシンボル数とガード期間のシンボル数の和が位相変更の処理の周期Ｎの倍数でない場合について説明する。このとき、周期Ｎの位相変更の処理をデータ領域全体またはデータ領域で伝送される所定のデータ単位に亘って連続的に適用する（データ領域全体またはデータ領域で伝送される所定のデータ単位の中では位相変更の値の初期化を行わなずに位相変更の処理を施す）と、データ領域の先頭のガード期間の先頭のシンボルにおける位相変更の値と次のガード期間の先頭のシンボルにおける位相変更の値は等しくならない。
【１２１２】
送信装置は、例えば、（１）データ領域全体またはデータ領域で伝送される所定のデータ単位に亘って位相変更の値を周期的に変化させる（データ領域全体またはデータ領域で伝送される所定のデータ単位の中では位相変更の値の初期化を行わない）、（２）ガード期間の先頭のシンボルに適用される位相変更の値が常に一定になるようにガード期間の先頭で位相変更の値を初期化する、等のいずれの位相変更処理を行ってもよい。
【１２１３】
また、上述した（１）及び（２）の方式を含む、位相変更値の初期化条件が異なる複数の方式を切り替えて使用する場合、送信装置は使用する位相変更値の初期化条件を示す情報を制御シンボルとして送信してもよい。このとき、受信装置は、受信した制御情報に含まれる初期化条件を示す情報に基づいてデータシンボルの復調を行う。具体的には、受信装置は、制御情報含まれる、初期化条件を示す情報や、必要であれば位相変更パターンを示す情報などのその他の情報を用いて、各データシンボルで使用されている位相変更の大きさを判定し、当該データシンボルの復調を行う。
【１２１４】
次に、図１におけるマッピング部１０４または図１７におけるマッピング部００６Ａ及び００６Ｂが用いる変調方式の別の一例として、シンボル毎に所定の位相変更量ずつ位相を変更したコンステレーションから入力ビットの値に応じて一つの信号点を選択する、位相回転（または位相変更）を伴うマッピング方式について説明する。
【１２１５】
マッピング部が行う位相回転を伴うマッピング方式の一例として、π／２−ＢＰＳＫについて説明する。π／２−ＢＰＳＫを用いる場合、マッピング部は、入力されたビット列から１ビット毎に１つのマッピング後の信号（ベースバンド信号）を生成する。π／２−ＢＰＳＫを用いた場合にｋ番目に生成されるマッピング後の信号（ベースバンド信号）ｓｋは以下の式Ｘ１で表される。ｃｋは入力されたビット列ｋ番目のビットの値であり、０または１の値を持つ。
【１２１６】
【数１３８】
2017187953.tif 000147
【１２１７】
【数１３９】
2017187953.tif 000148
【１２１８】
なお、ｓ’ｋは、位相回転（または位相変更）を伴わないＢＰＳＫで生成されるマッピング後の信号（ベースバンド信号）の一例と等しい。π／２−ＢＰＳＫを用いる場合、コンステレーションの位相はシンボル毎にπ／２ずつ回転する（変化する）ので、位相回転（または位相変更）の周期は４である。
【１２１９】
マッピング部が行う位相回転を伴うマッピング方式の別の一例として、π／２−ＱＰＳＫについて説明する。π／２−ＱＰＳＫを用いる場合、マッピング部は、入力されたビット列から２ビット毎に１つのマッピング後の信号（ベースバンド信号）を生成する。π／２−ＱＰＳＫを用いた場合にｋ番目に生成されるマッピング後の信号（ベースバンド信号）ｓｋは以下の式Ｘ２で表される。ｃｋは入力されたビット列ｋ番目のビットの値であり、０または１の値を持つ。
【１２２０】
【数１４０】
2017187953.tif 000149
【１２２１】
【数１４１】
2017187953.tif 000150
【１２２２】
なお、ｓ’ｋは、位相回転（または位相変更）を伴わないＱＰＳＫで生成されるマッピング後の信号（ベースバンド信号）の一例と等しい。π／２−ＱＰＳＫを用いる場合、コンステレーションの位相はシンボル毎にπ／２ずつ回転する（変化する）ので、位相回転（または位相変更）の周期は４である。
【１２２３】
位相回転（または位相変更）を伴うマッピング方式としてπ／２−ＢＰＳＫとπ／２−ＱＰＳＫを例に挙げて説明したが、他のマッピング方式を用いても良い。例えば、マッピング部は、位相回転（または位相変更）されるコンステレーションとして、ＡＰＳＫ（Ａｍｐｌｉｔｕｄｅ  Ｐｈａｓｅ  Ｓｈｉｆｔ  Ｋｅｙｉｎｇ）（例えば、１６ＡＰＳＫ、６４ＡＰＳＫ、１２８ＡＰＳＫ、２５６ＡＰＳＫ、１０２４ＡＰＳＫ、４０９６ＡＰＳＫなど）、ＰＡＭ（Ｐｕｌｓｅ  Ａｍｐｌｉｔｕｄｅ  Ｍｏｄｕｌａｔｉｏｎ）（例えば、４ＰＡＭ、８ＰＡＭ、１６ＰＡＭ、６４ＰＡＭ、１２８ＰＡＭ、２５６ＰＡＭ、１０２４ＰＡＭ、４０９６ＰＡＭなど）、ＰＳＫ（Ｐｈａｓｅ  Ｓｈｉｆｔ  Ｋｅｙｉｎｇ）（例えば、ＢＰＳＫ、ＱＰＳＫ、８ＰＳＫ、１６ＰＳＫ、６４ＰＳＫ、１２８ＰＳＫ、２５６ＰＳＫ、１０２４ＰＳＫ、４０９６ＰＳＫなど）、ＱＡＭ（Ｑｕａｄｒａｔｕｒｅ  Ａｍｐｌｉｔｕｄｅ  Ｍｏｄｕｌａｔｉｏｎ）（例えば、４ＱＡＭ、８ＱＡＭ、１６ＱＡＭ、６４ＱＡＭ、１２８ＱＡＭ、２５６ＱＡＭ、１０２４ＱＡＭ、４０９６ＱＡＭなど）などのコンステレーションを用いることができる。また、マッピング部は、上記の各マッピング方式として、均一マッピングのコンステレーション、非均一マッピングのコンステレーションのいずれを用いたマッピングを行ってもよい。また、マッピング部は、位相回転（または位相変更）の周期としてπ／２−ＢＰＳＫやπ／２−ＱＰＳＫで用いている４だけではなく、８、１６などの任意の２以上の整数を用いても良い。
【１２２４】
次に、本実施の形態における受信装置の構成について説明する。本実施の形態における受信装置は、例えば図８の構成を備え、これまでに説明したフレーム構成の信号を受信し、制御情報シンボルで伝送される制御情報に基づいて、データシンボルの復調を行う。
【１２２５】
ところで、ＧＩのシンボルを生成するにあたり、Golay sequenceに対して、マッピングを行い、シンボルを生成する。このとき、ＧＩのシンボルを生成するための変調方式としては、例えば、上述で説明したπ／２−ＢＰＳＫ（π／２シフトＢＰＳＫ）、ＢＰＳＫなどが好適な変調方式としてあげられる。ただし、変調方式は、これらに限ったものではなく、上述であげた変調方式を用いてもよい。
【１２２６】
なお、上述では、ＧＩに対して、位相変更を施す場合について説明したが、図３５で説明した、ＳＴＦ（Ｓｈｏｒｔ  Ｔｒａｉｎｉｎｇ  Ｆｉｅｌｄ）３５０１と、チャネル推定に用いることができるＣＥＦ（Ｃｈａｎｎｅｌ  Ｅｓｔｉｍａｔｉｏｎ  Ｆｉｅｌｄ）３５０２に対しても位相変更を施してもよい。以下では、この点について説明する。
【１２２７】
以下の場合、図３５で説明したＳＴＦ３５０１、および／または、ＣＥＦ３５０２に対しても位相変更を行うものとする。図３６にＳＴＦ３５０１、および、ＣＥＦ３５０２の構成の一例を示している。
【１２２８】
ＳＴＦ３５０１は、５１２０ビットで構成されており、１２８ビットで構成された第１のGolay sequence（図３６では、Ga128と記載している）、および、１２８ビットで構成された第２のGolay sequence（図３６ではGb128と記載している）で構成されている。なお、第１のGolay sequence（Ga128）に対し、例えば、π／２−ＢＰＳＫ（π／２シフトＢＰＳＫ）を施し、１２８シンボルが生成され、また、第２のGolay sequence（Gb128）に対して、例えば、π／２−ＢＰＳＫ（π／２シフトＢＰＳＫ）を施し、１２８シンボルが生成される。なお、例えば、系列Ga4={1,1,1,1}の場合、-Ga4={-1,-1,-1,-1}となる。よって、ＳＴＦ３５０１は、５１２０シンボルのπ／２−ＢＰＳＫ（π／２シフトＢＰＳＫ）シンボルとなる。
【１２２９】
ＣＥＦ３５０２は、１１５２ビットで構成されており、５１２ビットで構成された第４のGolay sequence（図３６では、GU512と記載している）、および、５１２ビットで構成された第５のGolay sequence（図３６では、GV512と記載している）、および、１２８ビットで構成された第６のGolay sequence（図３６ではGV128と記載している）で構成されている。なお、第４のGolay sequence（GU512）に対し、例えば、π／２−ＢＰＳＫ（π／２シフトＢＰＳＫ）を施し、５１２シンボルが生成され、また、第５のGolay sequence（GV512）に対し、例えば、π／２−ＢＰＳＫ（π／２シフトＢＰＳＫ）を施し、５１２シンボルが生成され、また、第６のGolay sequence（GV128）に対し、例えば、π／２−ＢＰＳＫ（π／２シフトＢＰＳＫ）を施し、１２８シンボルが生成される。なお、ＣＥＦ３５０２は、１１５２シンボルのπ／２−ＢＰＳＫ（π／２シフトＢＰＳＫ）シンボルとなる。
【１２３０】
位相変更部２０５Ｂは、ＳＴＦ３５０１、および／または、ＣＥＦ３５０２についても位相変更処理を施してもよい。
【１２３１】
ＳＴＦ３５０１は、１２８ビットのGolay sequence（１２８シンボル）を複数束ねることで構成されているので、位相変更部２０５（位相変更部２０５Ｂ）は、位相変更の周期として、１２８の約数のうち４より大きい整数、例えば、８、１６、３２、６４、１２８のいずれかを用いる。π／２シフトＢＰＳＫを用いたことによるPAPR（Peak-to-Average Power Ratio）の削減効果を得るためには、周期は４より大きい整数である必要がある。
【１２３２】
なお、上述で説明したように、送信装置がガード期間、データブロック、ＳＴＦ３５０１を区別することなく、位相変更処理を施すためには、位相変更の周期として、８、１６，３２が好適な値となる。このようにすると、送信装置は、ガード期間、データブロック、ＳＴＦ３５０１を区別することなく、位相変更処理を施しても各ガード期間の先頭シンボル及びデータブロックの先頭のシンボルおよびＳＴＦ３５０１の先頭のシンボルにほどこされる位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１２３３】
ＣＥＦ３５０２は、１２８ビットのGolay sequence（１２８シンボル）、および、５１２ビットのGolay sequence（５１２シンボル）を束ねて構成されているので、位相変更部２０５（位相変更部２０５Ｂ）は、位相変更の周期として、５１２と１２８の公約数のうち４より大きい整数、例えば、８、１６、３２、６４、１２８のいずれかを用いる。ただし、５１２ビットGolay sequence（５１２シンボル）が、１２８ビットのGolay sequenceに相当する１２８のシンボルを４つ結合することで構成することも可能である。このとき、位相変更部２０５（位相変更部２０５Ｂ）は、位相変更の周期として、１２８の約数のうち４より大きい整数、例えば、８、１６、３２、６４、１２８のいずれかを用いる。なお、π／２シフトＢＰＳＫを用いたことによるPAPR（Peak-to-Average Power Ratio）の削減効果を得るためには、周期は４より大きい整数である必要がある。
【１２３４】
なお、上述で説明したように、送信装置がガード期間、データブロック、ＳＴＦ３５０１、ＣＥＦ３５０２を区別することなく、位相変更処理を施すためには、位相変更の周期として、８、１６，３２が好適な値となる。このようにすると、送信装置は、ガード期間、データブロック、ＳＴＦ３５０１、ＣＥＦ３５０２を区別することなく、位相変更処理を施しても各ガード期間の先頭シンボル及びデータブロックの先頭のシンボルおよびＳＴＦ３５０１の先頭のシンボルに施こされる位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１２３５】
図３７は、ＳＴＦ３５０１、および、ＣＥＦ３５０２の構成の図３６とは異なる例を示している。
【１２３６】
ＳＴＦ３５０１は、２１７６ビットで構成されており、１２８ビットで構成された第１のGolay sequence（図３７では、Ga128と記載している）で構成されている。なお、第１のGolay sequence（Ga128）に対し、例えば、π／２−ＢＰＳＫ（π／２シフトＢＰＳＫ）を施し、１２８シンボルが生成される。なお、例えば、系列Ga4={1,1,1,1}の場合、-Ga4={-1,-1,-1,-1}となる。よって、ＳＴＦ３５０１は、５１２０シンボルのπ／２−ＢＰＳＫ（π／２シフトＢＰＳＫ）シンボルとなる。
【１２３７】
ＣＥＦ３５０２の構成は、図３６を用いて説明したとおりである。
【１２３８】
位相変更部２０５Ｂは、ＳＴＦ３５０１、および／または、ＣＥＦ３５０２についても位相変更処理を施してもよい。
【１２３９】
ＳＴＦ３５０１は、１２８ビットのGolay sequence（１２８シンボル）を複数束ねることで構成されているので、位相変更部２０５（位相変更部２０５Ｂ）は、位相変更の周期として、１２８の約数のうち４より大きい整数、例えば、８、１６、３２、６４、１２８のいずれかを用いる。π／２シフトＢＰＳＫを用いたことによるPAPR（Peak-to-Average Power Ratio）の削減効果を得るためには、周期は４より大きい整数である必要がある。
【１２４０】
なお、上述で説明したように、送信装置がガード期間、データブロック、ＳＴＦ３５０１を区別することなく、位相変更処理を施すためには、位相変更の周期として、８、１６，３２が好適な値となる。このようにすると、送信装置は、ガード期間、データブロック、ＳＴＦ３５０１を区別することなく、位相変更処理を施しても各ガード期間の先頭シンボル及びデータブロックの先頭のシンボルおよびＳＴＦ３５０１の先頭のシンボルにほどこされる位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１２４１】
ＣＥＦ３５０２は、１２８ビットのGolay sequence（１２８シンボル）、および、５１２ビットのGolay sequence（５１２シンボル）を束ねて構成されているので、位相変更部２０５（位相変更部２０５Ｂ）は、位相変更の周期として、５１２と１２８の公約数のうち４より大きい整数、例えば、８、１６、３２、６４、１２８のいずれかを用いる。ただし、５１２ビットGolay sequence（５１２シンボル）が、１２８ビットのGolay sequenceに相当する１２８のシンボルを４つ結合することで構成することも可能である。このとき、位相変更部２０５（位相変更部２０５Ｂ）は、位相変更の周期として、１２８の約数のうち４より大きい整数、例えば、８、１６、３２、６４、１２８のいずれかを用いる。なお、π／２シフトＢＰＳＫを用いたことによるPAPR（Peak-to-Average Power Ratio）の削減効果を得るためには、周期は４より大きい整数である必要がある。
【１２４２】
なお、上述で説明したように、送信装置がガード期間、データブロック、ＳＴＦ３５０１、ＣＥＦ３５０２を区別することなく、位相変更処理を施すためには、位相変更の周期として、８、１６，３２が好適な値となる。このようにすると、送信装置は、ガード期間、データブロック、ＳＴＦ３５０１、ＣＥＦ３５０２を区別することなく、位相変更処理を施しても各ガード期間の先頭シンボル及びデータブロックの先頭のシンボルおよびＳＴＦ３５０１の先頭のシンボルに施こされる位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１２４３】
上記説明では、送信装置は位相変更の処理を施さず信号処理後の信号１０６＿Ａを生成し、位相変更の値が式（２）で表わされる周期Ｎの位相変更の処理を施して信号処理後の信号１０６＿Ｂを生成するとした。ここで、送信装置が、位相変更部２０５Ｂの位相変更の処理における周期Ｎの値として、ＳＴＦを構成する１２８ビットGolay sequenceに相当する、１２８のシンボルの約数の値（２以上である）を用いる場合について説明する。このとき、送信装置が、信号処理後の信号１０６＿Ａ及び１０６＿ＢのそれぞれのＳＴＦ３５０１の信号を生成するために、同じ系列（例えば、Ｇｏｌａｙシーケンス）を用いたとしても、信号処理部１０６から出力される信号処理後の信号１０６＿ＡのGolay sequenceに対応する１２８シンボルのシンボル列と、信号処理後の信号１０６＿ＢのGolay sequenceに対応する１２８シンボルのシンボル列とを直交させることができる。
【１２４４】
この構成によると、送信装置が、ＳＴＦ３５０１の信号を生成するために複数の直交系列や複数の相補符号系列を用いなくても、各Golay sequenceの区間の信号を互いに直交させることができるため、受信装置は、２つの送信信号のそれぞれに対する伝送路特性（チャネル変動）など（歪み成分）を各Golay sequenceの区間の信号から推定することが可能となる。
【１２４５】
なお、送信装置が位相変更の値を変化させる方法は、式（２）で表わされる方法に限定されない。例えば、位相変更部が、位相変更の値として２π／Ｎずつ異なるＮ種類の値を予め定められた任意の順序で周期的に用いた周期Ｎの位相変更の処理を施すとしてもよい。この構成においても、送信装置が、同一の周波数で同時に送信される２つの信号のＳＴＦ３５０１の信号を生成するために、複数の直交系列や複数の相補符号系列を用いなくても、各Golay sequenceの区間の信号を互いに直交させることができるため、受信装置は、２つの送信信号のそれぞれに対する伝送路特性（チャネル変動）など（歪み成分）を各Golay sequenceの区間の信号から推定することが可能となる。
【１２４６】
上記説明では、送信装置は位相変更の処理を施さず信号処理後の信号１０６＿Ａを生成し、位相変更の値が式（２）で表わされる周期Ｎの位相変更の処理を施して信号処理後の信号１０６＿Ｂを生成するとした。ここで、送信装置が、位相変更部２０５Ｂの位相変更の処理における周期Ｎの値として、ＣＥＦは、１２８ビットGolay sequenceに相当する１２８のシンボル、および、５１２ビットGolay sequenceに相当する５１２シンボルで構成されているので、１２８と５１２の公約数の値（２以上である）を用いる場合について説明する。ただし、５１２ビットGolay sequenceに相当する５１２シンボルが、１２８ビットのGolay sequenceに相当する１２８のシンボルを４つ結合することで構成することも可能である。このとき周期Ｎの値として、１２８（２以上である）の約数を用いる。このとき、送信装置が、信号処理後の信号１０６＿Ａ及び１０６＿ＢのそれぞれのＣＥＦ３５０２の信号を生成するために、同じ系列（例えば、Ｇｏｌａｙシーケンス）を用いたとしても、信号処理部１０６から出力される信号処理後の信号１０６＿ＡのGolay sequenceに対応する５１２シンボル、または、１２８シンボルのシンボル列と、信号処理後の信号１０６＿ＢのGolay sequenceに対応する５１２シンボル、または、１２８シンボルのシンボル列とを直交させることができる。
【１２４７】
この構成によると、送信装置が、ＣＥＦ３５０２の信号を生成するために複数の直交系列や複数の相補符号系列を用いなくても、各Golay sequenceの区間の信号を互いに直交させることができるため、受信装置は、２つの送信信号のそれぞれに対する伝送路特性（チャネル変動）など（歪み成分）を各Golay sequenceの区間の信号から推定することが可能となる。
【１２４８】
なお、送信装置が位相変更の値を変化させる方法は、式（２）で表わされる方法に限定されない。例えば、位相変更部が、位相変更の値として２π／Ｎずつ異なるＮ種類の値を予め定められた任意の順序で周期的に用いた周期Ｎの位相変更の処理を施すとしてもよい。この構成においても、送信装置が、同一の周波数で同時に送信される２つの信号のＣＥＦ３５０２の信号を生成するために、複数の直交系列や複数の相補符号系列を用いなくても、各Golay sequenceの区間の信号を互いに直交させることができるため、受信装置は、２つの送信信号のそれぞれに対する伝送路特性（チャネル変動）など（歪み成分）を各Golay sequenceの区間の信号から推定することが可能となる。
【１２４９】
以上の内容を別の表現を行うと以下のようになる。
【１２５０】
送信装置は、送信アンテナ＃１から変調信号＃Ｘ、送信アンテナ＃２から変調信号＃Ｙを送信する。このとき、変調信号＃Ｘ、変調信号＃Ｙはいずれもシングルキャリア方式とする。そして、変調信号＃ＸのＳＴＦ（ＳＴＦ＃Ｘと名づける）を送信装置は送信する。同様に、変調信号＃ＹのＳＴＦ（ＳＴＦ＃Ｙと名づける）を送信装置は送信する。そして、ＳＴＦ＃Ｘのシンボルを生成するためのGolay sequenceとＳＴＦ＃Ｙのシンボルを生成するためのGolay sequenceは同じ（共通）であるものとする。これにより、送信装置、受信装置でGolay sequenceに関連する部分については、回路の共通化が可能となる。上述のまま送信すると、送信装置の通信相手である受信装置は、ＳＴＦ＃ＸとＳＴＦ＃Ｙを識別することができない。つまり、変調信号＃Ｘ、変調信号＃Ｙの復調が難しい。したがって、受信装置で、ＳＴＦ＃ＸとＳＴＦ＃Ｙの識別を容易にするために、例えば、ＳＴＦ＃ＸまたはＳＴＦ＃Ｙのいずれかで、位相変更を行う。
【１２５１】
例３）
ＳＴＦ＃Ｘで規則的に位相変更を行う場合、変調信号＃Ｘのデータシンボル部分でも規則的に位相変更を行ってもよい。これにより、位相変更部を共通化することが可能となる可能性がある。
【１２５２】
例４）
ＳＴＦ＃Ｙで規則的に位相変更を行う場合、変調信号＃Ｙのデータシンボル部でも規則的に位相変更を行ってもよい。これにより、位相変更部を共通化することが可能となる可能性がある。
【１２５３】
また、以下で説明するような規則をもっていてもよい。ＳＴＦ＃Ｘにおける時間的に最初のシンボルをＳＴＦ＃Ｘ（０）とし、ＳＴＦ＃Ｙにおける時間的最初のシンボルをＳＴＦ＃Ｙ（０）とする。
【１２５４】
例３）のように、「ＳＴＦ＃Ｘで規則的に位相変更を行う場合、変調信号＃Ｘのデータシンボル部分でも規則的に位相変更を行ってもよい。」とした場合、ＳＴＦ＃Ｘ（０）の位相変更値はある特定の値となり、その後、規則的な位相変更が行われる。例えば、時間１において、「ＳＴＦ＃Ｘとデータシンボル」を送信し、時間２において、「ＳＴＦ＃Ｘとデータシンボル」を送信するものとする。このとき、時間１に送信する「ＳＴＦ＃Ｘ」の「ＳＴＦ＃Ｘ（０）」の位相変更値がＡラジアンとし、時間２に送信する「ＳＴＦ＃Ｘ」の「ＳＴＦ＃Ｘ（０）」の位相変更値もＡラジアンとする。
【１２５５】
例４）のように、「ＳＴＦ＃Ｙで規則的に位相変更を行う場合、変調信号＃Ｙのデータシンボル部でも規則的に位相変更を行ってもよい。」とした場合、ＳＴＦ＃Ｙ（０）の位相変更値はある特定の値となり、その後、規則的な位相変更が行われる。例えば、時間１において、「ＳＴＦ＃Ｙとデータシンボル」を送信し、時間２において、「ＳＴＦ＃Ｙとデータシンボル」を送信するものとする。このとき、時間１に送信する「ＳＴＦ＃Ｙ」の「ＳＴＦ＃Ｙ（０）」の位相変更値がＢラジアンとし、時間２に送信する「ＳＴＦ＃Ｙ」の「ＳＴＦ＃Ｙ（０）」の位相変更値もＢラジアンとする。
【１２５６】
送信装置は、送信アンテナ＃１から変調信号＃Ｘ、送信アンテナ＃２から変調信号＃Ｙを送信する。このとき、変調信号＃Ｘ、変調信号＃Ｙはいずれもシングルキャリア方式とする。そして、変調信号＃ＸのＣＥＦ（ＣＥＦ＃Ｘと名づける）を送信装置は送信する。同様に、変調信号＃ＹのＣＥＦ（ＣＥＦ＃Ｙと名づける）を送信装置は送信する。そして、ＣＥＦ＃Ｘのシンボルを生成するためのGolay sequenceとＣＥＦ＃Ｙのシンボルを生成するためのGolay sequenceは同じ（共通）であるものとする。これにより、送信装置、受信装置でGolay sequenceに関連する部分については、回路の共通化が可能となる。
【１２５７】
上述のまま送信すると、送信装置の通信相手である受信装置は、ＣＥＦ＃ＸとＣＥＦ＃Ｙを識別することができない。つまり、変調信号＃Ｘ、変調信号＃Ｙの復調が難しい。したがって、受信装置で、ＣＥＦ＃ＸとＣＥＦ＃Ｙの識別を容易にするために、例えば、ＣＥＦ＃ＸまたはＣＥＦ＃Ｙのいずれかで、位相変更を行う。
【１２５８】
例５）
ＣＥＦ＃Ｘで規則的に位相変更を行う場合、変調信号＃Ｘのデータシンボル部分でも規則的に位相変更を行ってもよい。これにより、位相変更部を共通化することが可能となる可能性がある。
【１２５９】
例６）
ＣＥＦ＃Ｙで規則的に位相変更を行う場合、変調信号＃Ｙのデータシンボル部でも規則的に位相変更を行ってもよい。これにより、位相変更部を共通化することが可能となる可能性がある。
【１２６０】
また、以下で説明するような規則をもっていてもよい。ＣＥＦ＃Ｘにおける時間的に最初のシンボルをＣＥＦ＃Ｘ（０）とし、ＣＥＦ＃Ｙにおける時間的最初のシンボルをＣＥＦ＃Ｙ（０）とする。
【１２６１】
例５）のように、「ＣＥＦ＃Ｘで規則的に位相変更を行う場合、変調信号＃Ｘのデータシンボル部分でも規則的に位相変更を行ってもよい。」とした場合、ＣＥＦ＃Ｘ（０）の位相変更値はある特定の値となり、その後、規則的な位相変更が行われる。例えば、時間１において、「ＣＥＦ＃Ｘとデータシンボル」を送信し、時間２において、「ＣＥＦ＃Ｘとデータシンボル」を送信するものとする。このとき、時間１に送信する「ＣＥＦ＃Ｘ」の「ＣＥＦ＃Ｘ（０）」の位相変更値がＡラジアンとし、時間２に送信する「ＣＥＦ＃Ｘ」の「ＣＥＦ＃Ｘ（０）」の位相変更値もＡラジアンとする。
【１２６２】
例６）のように、「ＣＥＦ＃Ｙで規則的に位相変更を行う場合、変調信号＃Ｙのデータシンボル部でも規則的に位相変更を行ってもよい。」とした場合、ＣＥＦ＃Ｙ（０）の位相変更値はある特定の値となり、その後、規則的な位相変更が行われる。例えば、時間１において、「ＣＥＦ＃Ｙとデータシンボル」を送信し、時間２において、「ＣＥＦ＃Ｙとデータシンボル」を送信するものとする。このとき、時間１に送信する「ＣＥＦ＃Ｙ」の「ＣＥＦ＃Ｙ（０）」の位相変更値がＢラジアンとし、時間２に送信する「ＣＥＦ＃Ｙ」の「ＣＥＦ＃Ｙ（０）」の位相変更値もＢラジアンとする。
【１２６３】
次に、送信装置が図１の構成を備え、図１の信号処理部１０６が図２０、２１、２２の構成を備える場合に、位相変更部２０５Ａ及び２０５Ｂで行われる位相変更処理について説明する。ただし、以下で説明する位相変更の処理は、送信装置が図１７の構成を備える場合に位相変更部２０５Ａ、２０５Ｂが行ってもよいし、信号処理部１０６が図３１、３２、３３の構成を備える場合に位相変更部２８０１Ａ、２８０１Ｂが行ってもよい。
【１２６４】
位相変更部２０５Ａ及び２０５Ｂで行われる位相変更処理は、式（５２）で表わされ、式（５２）におけるｗ（ｉ）は式（１３７）で表わされ、ｙ（ｉ）は、式（２）で表わされるものとする。
【１２６５】
位相変更部２０５Ａ、２０５Ｂは、位相変更処理の周期Ｎとして同じ値を用いる。また、位相変更部２０５Ａ、２０５Ｂは、位相変更処理の周期Ｎとしてデータブロックのシンボル数の約数のうち３以上の値を用いる。本実施の形態では、データブロックのシンボル数が４４８であるため、位相変更部２０５Ａ、２０５Ｂは周期が４、７、８、１４、１６、２８、３２、５６、６４、１１２、２２４、４４８のいずれかの位相変更処理を行う。
【１２６６】
ただし、位相変更部２０５Ａ、２０５Bが用いるＮ種類の位相変更の値と切り替えの順序は、これに限定されるものではない。
【１２６７】
この構成により、上述で述べた送信装置が送信した変調信号を受信する受信装置において、特に、ＬＯＳ環境における受信状態が定常的な状況を避けることができるため、データの受信品質が向上する。
【１２６８】
なお、位相変更部２０５Ａ、２０５Ｂは、図３５、図３６のＳＴＦ３５０１、および／または、ＣＥＦ３５０２の信号についても位相変更処理を施してもよい。この場合、ＳＴＦ３５０１、および／または、ＣＥＦ３５０２の構成は、上述で説明したとおりであるため、位相変更の周期としては、上述で述べたような条件が重要となる。上述の条件を満たし、かつ、ＳＴＦ３５０１の位相変更の周期とＣＥＦ３５０２の位相変更の周期を共通にし、回路の共通化を行い、回路規模を削減するためには、１２８の約数（ただし、４より大きい整数）とするとよい。さらに、ガード区間の位相変更の周期とも共通化するためには、６４の約数（ただし、４より大きい整数）であるとよい。
【１２６９】
上述で説明したように位相変更部２０５Ａ、２０５Ｂの両者で、上述で説明したような位相変更を行うと、各アンテナから送信される変調信号のＰＡＰＲを同程度にすることができ、送受信において、ＰＡＰＲの影響の軽減のための回路規模を削減することができる。
【１２７０】
上記説明では、送信装置は位相変更の値が式（１３７）で表わされる周期Ｎの位相変更の処理を施して信号処理後の信号１０６＿Ａを生成し、位相変更の値が式（２）で表わされる周期Ｎの位相変更の処理を施して信号処理後の信号１０６＿Ｂを生成するとした。ここで、送信装置が、位相変更部２０５Ａ、２０５Ｂの位相変更の処理における周期Ｎの値として、ガード期間のシンボル数の約数の値（２以上である）を用いる場合について説明する。このとき、送信装置が、信号処理後の信号１０６＿Ａ及び１０６＿ＢのそれぞれのＳＴＦ、および／または、ＣＥＦの信号を生成するために、同じ系列（例えば、Ｇｏｌａｙシーケンス）を用いたとしても、信号処理部１０６から出力される信号処理後の信号１０６＿Ａの同一区間のGolay sequenceに対応するシンボル列と、信号処理後の信号１０６＿ＢのGolay sequenceに対応するシンボル列とを直交させることができる。この構成によると、送信装置が、ＳＴＦ、および／または、ＣＥＦの信号を生成するために複数の直交系列や複数の相補符号系列を用いなくても、ＳＴＦ、および／または、ＣＥＦの信号を互いに直交させることができるため、受信装置は、２つの送信信号のそれぞれに対する伝送路特性などの歪みをＳＴＦ、および／または、ＣＥＦの信号から推定することが可能となる。
【１２７１】
なお、本実施の形態における上記の説明では、図１の信号処理部１０６が、図２、１８、１９、２０、２１、２２、３１、３２、３３の構成を備える場合について説明したが、本実施の形態ではシングルキャリア方式を用いており、周波数軸方向に１つのシンボルのみが配置されているため、位相変更部２０９Ａ、２０９Ｂで行われる位相変更の処理はおこなわれなくてもよい。その場合、本実施の形態における信号処理部は、図２、１８、１９、２０、２１、２２、３１、３２、３３から位相変更部２０９Ａ、２０９Ｂを削除した構成となる。
【１２７２】
ただし、位相変更部２０９Ａ、２０９Ｂが実施の形態１等で説明した位相変更の処理とは異なる位相変更の処理を行ってもよい。また、送信装置が複数のチャネルを用いるチャネルボンディングを行って信号の送信を行う場合、チャネル毎に異なる位相変更の値を用いて位相変更を行ってもよい。
【１２７３】
上述の送信装置の変調信号の送信に対し、通信相手の受信装置の構成について説明する。本実施の形態における受信装置は、例えば図８の構成を備え、これまでに説明したフレーム構成の信号を受信し、制御情報シンボルで伝送される制御情報に基づいて、データシンボルの復調を行う。そして、例えば、受信装置のチャネル推定部（８０５＿１、８０５＿２、８０７＿１、８０７＿２）は、受信信号において、例えば、上述で説明したＳＴＦ、ＣＥＦ、ＧＩを抽出し、各送信アンテナと各受信アンテナのチャネル変動（図９のｈ１１（ｉ）、ｈ１２（ｉ）、ｈ２１（ｉ）、ｈ２２（ｉ））を推定し、信号処理部８１１は、これらのチャネル変動の値を用いて、データシンボルを復調する。
【１２７４】
なお、ＳＴＦ３５０１、ＣＥＦ３５０２は、ＢＰＳＫのシンボルであってもよい。また、本実施の形態において、データシンボルに対し、位相変更を行わず、ＳＴＦ３５０１、および／または、ＣＥＦ３５０２、および／または、ＧＩに対し、位相変更を行うとしてもよい。この場合、各個別に説明した効果を得ることができる。
【１２７５】
また、ＳＴＦ３５０１、ＣＥＦ３５０２のシンボルの構成は、図３６、図３７の例に限ったものではなく、別の構成であっても、ＳＴＦ３５０１、ＣＥＦ３５０２に対し、位相変更を行うと上述で説明した効果を得ることができる。
【１２７６】
なお、変調信号＃ＸにおけるＳＴＦを生成するためのGolay sequenceと変調信号＃ＹにおけるＳＴＦを生成するためのGolay sequenceとを同じとする例を説明したが、両者は異なっていても、本実施の形態を実施することは可能である。また、変調信号＃ＸにおけるＣＥＦを生成するためのGolay sequenceと変調信号＃ＹにおけるＣＥＦを生成するためのGolay sequenceとを同じとする例を説明したが、両者は異なっていても、本実施の形態を実施することは可能である。さらに、変調信号＃ＸにおけるＧＩを生成するためのGolay sequenceと変調信号＃ＹにおけるＧＩを生成するためのGolay sequenceとを同じとする例を説明したが、両者は異なっていても、本実施の形態を実施することは可能である。
【１２７７】
（実施の形態９）
本実施の形態では、シングルキャリア方式を用いて伝送を行う通信システムにおいて、規則的に位相変更を行う場合の位相変更方法の一例について説明する。
【１２７８】
本実施の形態における送信装置は、例えば図１や図１７の構成を備える。
【１２７９】
本実施の形態において、送信装置は、例えば図２５のようなフレーム構成の信号を送信する。図３４は、図２５のデータシンボルが伝送される領域２５０３の詳細な構成の一例を示す。図３４のデータ領域３４００は、図２５のデータシンボルが伝送される領域２５０３に対応する。データ領域３４００は、それぞれ４４８シンボルの長さを有する複数のデータブロック３４０２と各データブロックの前方に配置された６４シンボルのガード期間３４０１と、最後のデータブロックに後続して配置されたガード期間とを含む。
【１２８０】
ここで、ガード期間は、例えば、６４ビットのＧｏｌａｙシーケンスなどの相補符号系列を用いて生成された６４シンボルの信号が送信される。なお、ガード期間の信号の生成にＧｏｌａｙシーケンスを用いるのはあくまでも一例であり、送信装置は、その他の相補符号や直交符号系列等の任意の系列を用いてガード期間の信号を生成してもよい。また、ビット数は、６４ビットに限ったものではない。
【１２８１】
図３４は、データブロックの数が３つの場合のデータ領域３４００の構成を示しているが、データブロックの数は１以上の整数であれば、いくつでもよい。また、ガードブロックの数は、データブロックの数に応じて変化し、例えば、データブロックの数に１を加えた数となる。
【１２８２】
図３５は、図２５のプリアンブル２５０１の詳細な構成の一例を示す。図３５において、プリアンブル３５００は、図２５のプリアンブル２５０１に対応する。プリアンブル３５００は、受信装置が、信号検出や、周波数同期・時間同期等のために用いることができるＳＴＦ（Ｓｈｏｒｔ  Ｔｒａｉｎｉｎｇ  Ｆｉｅｌｄ）３５０１と、チャネル推定に用いることができるＣＥＦ（Ｃｈａｎｎｅｌ  Ｅｓｔｉｍａｔｉｏｎ  Ｆｉｅｌｄ）３５０２とを含む。
【１２８３】
送信装置は、ＳＴＦ３５０１において、例えば１２８ビットのＧｏｌａｙシーケンスなどの相補符号系列を用いて生成された１２８シンボルの信号を所定の回数繰り返して送信し、その後に＋と−の符号を反転させた１２８ビットのＧｏｌａｙシーケンスなどの相補符号系列を用いて生成された１２８シンボルの信号を送信する。
【１２８４】
送信装置は、ＣＥＦ３５０２において、例えばそれぞれ１２８ビットからなる互いに異なる複数のＧｏｌａｙシーケンスなどの相補符号系列、及び当該相補符号系列の＋と−の符号を反転させた相補符号系列を用いて生成された複数の１２８シンボルの信号を、予め定められた順序で送信する。
【１２８５】
なお、ＳＴＦ３５０１やＣＥＦ３５０２で送信される信号の生成にＧｏｌａｙシーケンスを用いるのはあくまでも一例であり、送信装置は、その他の相補符号や直交符号系列等の任意の系列を用いて生成してもよい。また、ビット数は、上述で示した値に限ったものではない。
【１２８６】
次に、送信装置が行う位相変更の処理について説明する。ここではまず、送信装置が図１の構成を備え、図１の信号処理部１０６が図２、１８、１９のいずれかの構成を備える場合に、位相変更部２０５Ｂが行う位相変更の処理について説明する。
【１２８７】
ただし、図２において、位相変更部２０９Ｂは、他の実施の形態で説明したような位相変更を行ってもよいし、位相変更を行わなくてもよい。したがって、位相変更部２０９Ｂを削除し、フレーム構成に基づいたベースバンド信号２０８Ｂが、２１０Ｂに相当していてもよい。同様に、図１８において、位相変更部２０９Ａは、他の実施の形態で説明したような位相変更を行ってもよいし、位相変更を行わなくてもよい。したがって、位相変更部２０９Ａを削除し、フレーム構成に基づいたベースバンド信号２０８Ａが、２１０Ａに相当していてもよい。また、図１９において、位相変更部２０９Ａ、２０９Ｂは、他の実施の形態で説明したような位相変更を行ってもよいし、位相変更を行わなくてもよい。したがって、位相変更部２０９Ｂを削除し、フレーム構成に基づいたベースバンド信号２０８Ｂが、２１０Ｂに相当としていてもよい。そして、位相変更部２０９Ａを削除し、フレーム構成に基づいたベースバンド信号２０８Ａが２１０Ａに相当していてもよい。
【１２８８】
そして、以下で説明する位相変更の処理は、信号処理部１０６が図２０、２１、２２の構成を備える場合、もしくは送信装置が図１７の構成を備える場合に位相変更部２０５Ｂが行ってもよいし、信号処理部１０６が図３１、３２、３３の構成を備える場合に位相変更部２８０１Ｂが行ってもよい。
【１２８９】
本実施の形態において、位相変更部２０５Ｂは、Ｎ種類の位相変更の値を予め定められた順序で周期的に用いる、周期Ｎの位相変更処理を行う。ここで、位相変更部２０５Ｂは、位相変更処理の周期Ｎとして、データブロックのシンボル数の約数のうち３以上の値を用いる。本実施の形態では、データブロックのシンボル数が４４８であるため、位相変更部２０５Ｂは周期が４、７、８、１４、１６、２８、３２、５６、６４、１１２、２２４、４４８のいずれかの位相変更処理を行う。
【１２９０】
また、位相変更部２０５Ｂは、位相変更処理の周期Ｎとして、データブロックのシンボル数の約数２を用いてもよい。
【１２９１】
ここで、位相変更部２０５Ｂが行う位相変更処理におけるＮ種類の位相変更の値とその切り替えの順序は、式（２）で表わされるものとする。その場合、位相変更部２０５Ｂが施す位相変更の値は、先頭のシンボルでは０であり、２番目以降のシンボルでは、前のシンボルで用いられた位相変更の値に２π／Ｎを加算した値である。ただし、位相変更部２０５Ｂが用いるＮ種類の位相変更の値と切り替えの順序はこれに限定されるものではない。
【１２９２】
この構成により、上述で述べた送信装置が送信した変調信号を受信する受信装置において、特に、ＬＯＳ環境における受信状態が定常的な状況を避けることができるため、データの受信品質が向上する。
【１２９３】
なお、位相変更部２０５Ｂは、ガード期間の信号についても位相変更処理を施してもよい。この場合、ガード期間のシンボル数は６４であるため、位相変更部２０５Ｂは、位相変更の周期として６４の約数のうち３以上の値である４、８、１６、３２のいずれかを用いる。この位相変更方法を用いることにより、送信装置はガード期間とデータブロックを区別することなく、位相変更の処理を施しても各ガード期間の先頭のシンボル及び各データブロックの先頭のシンボルに施される位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１２９４】
また、位相変更部２０５Ｂは、ガード期間の信号についても位相変更処理を施す際、ガード期間のシンボル数は６４であるため、位相変更部２０５Ｂは、位相変更の周期として６４の約数のうち２を用いてもよい。この位相変更方法を用いることにより、送信装置はガード期間とデータブロックを区別することなく、位相変更の処理を施しても各ガード期間の先頭のシンボル及び各データブロックの先頭のシンボルに施される位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１２９５】
上記説明では、送信装置は位相変更の処理を施さず信号処理後の信号１０６＿Ａを生成し、位相変更の値が式（２）で表わされる周期Ｎの位相変更の処理を施して信号処理後の信号１０６＿Ｂを生成するとした。ここで、送信装置が、位相変更部２０５Ｂの位相変更の処理における周期Ｎの値として、ガード期間のシンボル数の約数の値（２以上である）を用いる場合について説明する。このとき、送信装置が、信号処理後の信号１０６＿Ａ及び１０６＿Ｂのそれぞれのガード期間の信号を生成するために、同じ系列（例えば、Ｇｏｌａｙシーケンス）を用いたとしても、信号処理部１０６から出力される信号処理後の信号１０６＿Ａのガード期間に対応するシンボル列と、信号処理後の信号１０６＿Ｂのガード期間に対応するシンボル列とを直交させることができる。この構成によると、送信装置が、ガード期間の信号を生成するために複数の直交系列や複数の相補符号系列を用いなくても、ガード期間の信号を互いに直交させることができるため、受信装置は、２つの送信信号のそれぞれに対する伝送路特性（チャネル変動）をガード期間の信号から推定することが可能となる。
【１２９６】
なお、送信装置が位相変更の値を変化させる方法は、式（２）で表わされる方法に限定されない。例えば、位相変更部が、位相変更の値として２π／Ｎずつ異なるＮ種類の値を予め定められた任意の順序で周期的に用いた周期Ｎの位相変更の処理を施すとしてもよい。この構成においても、送信装置が、同一の周波数で同時に送信される２つの信号のガード期間の信号を生成するために、複数の直交系列や複数の相補符号系列を用いなくても、ガード期間の信号を互いに直交させることができるため、受信装置は、２つの送信信号のそれぞれに対する伝送路特性（チャネル変動）をガード期間の信号から推定することが可能となる。
【１２９７】
なお、送信装置は、プリアンブル３５００については、信号処理後の信号１０６＿Ａ、１０６＿Ｂのいずれについても、例えば、上述で述べたような位相変更の処理を行わない。送信装置は、例えば、互いに直交する直交系列、または複数の相補符号系列を用いてＭＩＭＯ用の伝送路の推定に用いる信号を生成する。また、ＭＩＭＯ用の伝送路の推定に用いる信号は、プリアンブル３５００のＣＥＦ３５０２とは異なる領域で送信されてもよい。例えば、制御シンボルの後に、例えば、互いに直交する直交系列、または複数の相補符号系列を用いて生成したＭＩＭＯ用の伝送路の推定に用いる信号が送信される領域が設けられてもよい。
【１２９８】
以上の内容を別の表現を行うと以下のようになる。
【１２９９】
送信装置は、送信アンテナ＃１から変調信号＃Ｘ、送信アンテナ＃２から変調信号＃Ｙを送信する。このとき、変調信号＃Ｘ、変調信号＃Ｙはいずれもシングルキャリア方式とする。そして、変調信号＃Ｘのデータシンボルは、ＧＩ（ＧＩ：ガードインターバル）（ＧＩ＃Ｘと名づける）とともに送信される。同様に、変調信号＃ＹのデータシンボルもＧＩ（ＧＩ＃Ｙと名づける）とともに送信される。そして、ＧＩ＃Ｘのシンボルを生成するためのGolay sequenceとＧＩ＃Ｙのシンボルを生成するためのGolay sequenceは同じ（共通）であるものとする。これにより、送信装置、受信装置でGolay sequenceに関連する部分については、回路の共通化が可能となる。上述のまま送信すると、送信装置の通信相手である受信装置は、ＧＩ＃ＸとＧＩ＃Ｙを識別することができない。つまり、変調信号＃Ｘ、変調信号＃Ｙの復調が難しい。したがって、受信装置で、ＧＩ＃ＸとＧＩ＃Ｙの識別を容易にするために、例えば、ＧＩ＃ＸまたはＧＩ＃Ｙのいずれかで、位相変更を行う。
【１３００】
例１）ＧＩ＃Ｘで規則的に位相変更を行う場合、変調信号＃Ｘのデータシンボル部分でも規則的に位相変更を行う。これにより、位相変更部を共通化することが可能となる。
【１３０１】
例２）ＧＩ＃Ｙで規則的に位相変更を行う場合、変調信号＃Ｙのデータシンボル部分でも規則的に位相変更を行う。これにより、位相変更部を共通化することが可能となる。
【１３０２】
また、以下で説明するような規則をもっていてもよい。
【１３０３】
ＧＩ＃Ｘにおける時間的に最初のシンボルをＧＩ＃Ｘ（０）とし、ＧＩ＃Ｙにおける時間的最初のシンボルをＧＩ＃Ｙ（０）とする。
【１３０４】
例１）のように、「ＧＩ＃Ｘで規則的に位相変更を行う場合、変調信号＃Ｘのデータシンボル部分でも規則的に位相変更を行う。」とした場合、ＧＩ＃Ｘ（０）の位相変更値はある特定の値となり、その後、規則的な位相変更が行われる。例えば、時間１において、「ＧＩ＃Ｘとデータシンボル」を送信し、時間２において、「ＧＩ＃Ｘとデータシンボル」を送信するものとする。このとき、時間１に送信する「ＧＩ＃Ｘ」の「ＧＩ＃Ｘ（０）」の位相変更値がＡラジアンとし、時間２に送信する「ＧＩ＃Ｘ」の「ＧＩ＃Ｘ（０）」の位相変更値もＡラジアンとする。
【１３０５】
例２）のように、「ＧＩ＃Ｙで規則的に位相変更を行う場合、変調信号＃Ｙのデータシンボル部分でも規則的に位相変更を行う。」とした場合、ＧＩ＃Ｙ（０）の位相変更値はある特定の値となり、その後、規則的な位相変更が行われる。例えば、時間１において、「ＧＩ＃Ｙとデータシンボル」を送信し、時間２において、「ＧＩ＃Ｙとデータシンボル」を送信するものとする。このとき、時間１に送信する「ＧＩ＃Ｙ」の「ＧＩ＃Ｙ（０）」の位相変更値がＢラジアンとし、時間２に送信する「ＧＩ＃Ｙ」の「ＧＩ＃Ｙ（０）」の位相変更値もＢラジアンとする。
【１３０６】
次に、送信装置が図１の構成を備え、図１の信号処理部１０６が図２０、２１、２２の構成を備える場合に、位相変更部２０５Ａ及び２０５Ｂで行われる位相変更処理について説明する。ただし、以下で説明する位相変更の処理は、送信装置が図１７の構成を備える場合に位相変更部２０５Ａ、２０５Ｂが行ってもよいし、信号処理部１０６が図３１、３２、３３の構成を備える場合に位相変更部２８０１Ａ、２８０１Ｂが行ってもよい。
【１３０７】
位相変更部２０５Ａ及び２０５Ｂで行われる位相変更処理は、式（５２）で表わされ、式（５２）におけるｗ（ｉ）は以下の式（１３７）で表わされる。なお、ｙ（ｉ）は、式（２）で表わされるものとする。
【１３０８】
位相変更部２０５Ａ、２０５Ｂは、位相変更処理の周期Ｎとして同じ値を用いる。また、位相変更部２０５Ａ、２０５Ｂは、位相変更処理の周期Ｎとしてデータブロックのシンボル数の約数のうち３以上の値を用いる。本実施の形態では、データブロックのシンボル数が４４８であるため、位相変更部２０５Ａ、２０５Ｂは周期が４、７、８、１４、１６、２８、３２、５６、６４、１１２、２２４、４４８のいずれかの位相変更処理を行う。また、位相変更部２０５Ａ、２０５Ｂは周期が２の位相変更処理を行ってもよい。
【１３０９】
ただし、位相変更部２０５Ａ、２０５Ｂが用いるＮ種類の位相変更の値と切り替えの順序は、これに限定されるものではない。
【１３１０】
この構成により、上述で述べた送信装置が送信した変調信号を受信する受信装置において、特に、ＬＯＳ環境における受信状態が定常的な状況を避けることができるため、データの受信品質が向上する。
【１３１１】
なお、位相変更部２０５Ａ、２０５Ｂは、ガード期間の信号についても位相変更処理を施してもよい。この場合、ガード期間のシンボル数は６４であるため、位相変更部２０５Ａ、２０５Ｂは、位相変更の周期として６４の約数のうち３以上の値である４、８、１６、３２のいずれかを用いる。また、ガード期間のシンボル数は６４であるため、位相変更部２０５Ａ、２０５Ｂは、位相変更の周期として６４の約数である２であってもよい。この位相変更方法を用いることにより、送信装置はガード期間とデータブロックを区別することなく、位相変更の処理を施しても各ガード期間の先頭のシンボル及び各データブロックの先頭のシンボルに施される位相変更の値を同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１３１２】
上記説明では、送信装置は位相変更の値が式（１３７）で表される周期Ｎの位相変更の処理を施して信号処理後の信号１０６＿Ａを生成し、位相変更の値が式（２）で表わされる周期Ｎの位相変更の処理を施して信号処理後の信号１０６＿Ｂを生成するとした。ここで、送信装置が、位相変更部２０５Ａ、２０５Ｂの位相変更の処理における周期Ｎの値として、ガード期間のシンボル数の約数の値（２以上である）を用いる場合について説明する。このとき、送信装置が、信号処理後の信号１０６＿Ａ及び１０６＿Ｂのそれぞれのガード期間の信号を生成するために、同じ系列（例えば、Ｇｏｌａｙシーケンス）を用いたとしても、信号処理部１０６から出力される信号処理後の信号１０６＿Ａのガード期間に対応するシンボル列と、信号処理後の信号１０６＿Ｂのガード期間に対応するシンボル列とを直交させることができる。この構成によると、送信装置が、ガード期間の信号を生成するために複数の直交系列や複数の相補符号系列を用いなくても、ガード期間の信号を互いに直交させることができるため、受信装置は、２つの送信信号のそれぞれに対する伝送路特性をガード期間の信号から推定することが可能となる。
【１３１３】
なお、本実施の形態における上記の説明では、図１の信号処理部１０６が、図２、１８、１９、２０、２１、２２、３１、３２、３３の構成を備える場合について説明したが、本実施の形態ではシングルキャリア方式を用いており、周波数軸方向に１つのシンボルのみが配置されているため、位相変更部２０９Ａ、２０９Ｂで行われる位相変更の処理はおこなわれなくてもよい。その場合、本実施の形態における信号処理部は、図２、１８、１９、２０、２１、２２、３１、３２、３３から位相変更部２０９Ａ、２０９Ｂを削除した構成となる。
【１３１４】
ただし、位相変更部２０９Ａ、２０９Ｂが実施の形態１等で説明した位相変更の処理とは異なる位相変更の処理を行ってもよい。また、送信装置が複数のチャネルを用いるチャネルボンディングを行って信号の送信を行う場合、チャネル毎に異なる位相変更の値を用いて位相変更を行ってもよい。
【１３１５】
なお、本実施の形態では、送信装置がデータ領域において４４８シンボルのデータブロックと、６４シンボルのガード期間の信号を送信する場合について説明したが、データブロックとガード期間のシンボル数は異なる値であってあってもよい。
【１３１６】
データブロックとガード期間のシンボル数として異なる値を用いた場合の一例として、データブロックのシンボル数とガード期間のシンボル数の和が位相変更の処理の周期Ｎの倍数でない場合について説明する。このとき、周期Ｎの位相変更の処理をデータ領域全体またはデータ領域で伝送される所定のデータ単位に亘って連続的に適用する（データ領域全体またはデータ領域で伝送される所定のデータ単位の中では位相変更の値の初期化を行わなずに位相変更の処理を施す）と、データ領域の先頭のガード期間の先頭のシンボルにおける位相変更の値と次のガード期間の先頭のシンボルにおける位相変更の値は等しくならない。
【１３１７】
送信装置は、例えば、（１）データ領域全体またはデータ領域で伝送される所定のデータ単位に亘って位相変更の値を周期的に変化させる（データ領域全体またはデータ領域で伝送される所定のデータ単位の中では位相変更の値の初期化を行わない）、（２）ガード期間の先頭のシンボルに適用される位相変更の値が常に一定になるようにガード期間の先頭で位相変更の値を初期化する、等のいずれの位相変更処理を行ってもよい。
【１３１８】
また、上述した（１）及び（２）の方式を含む、位相変更値の初期化条件が異なる複数の方式を切り替えて使用する場合、送信装置は使用する位相変更値の初期化条件を示す情報を制御シンボルとして送信してもよい。このとき、受信装置は、受信した制御情報に含まれる初期化条件を示す情報に基づいてデータシンボルの復調を行う。具体的には、受信装置は、制御情報含まれる、初期化条件を示す情報や、必要であれば位相変更パターンを示す情報などのその他の情報を用いて、各データシンボルで使用されている位相変更の大きさを判定し、当該データシンボルの復調を行う。
【１３１９】
次に、図１におけるマッピング部１０４または図１７におけるマッピング部００６Ａ及び００６Ｂが用いる変調方式の別の一例として、シンボル毎に所定の位相変更量ずつ位相を変更したコンステレーションから入力ビットの値に応じて一つの信号点を選択する、位相回転（または位相変更）を伴うマッピング方式について説明する。
【１３２０】
マッピング部が行う位相回転を伴うマッピング方式の一例として、π／２（シフト）−ＢＰＳＫについて説明する。π／２（シフト）−ＢＰＳＫを用いる場合、マッピング部は、入力されたビット列から１ビット毎に１つのマッピング後の信号（ベースバンド信号）を生成する。π／２（シフト）−ＢＰＳＫを用いた場合にｋ番目に生成されるマッピング後の信号（ベースバンド信号）ｓｋは以下の式Ｘ１で表される。ｃｋは入力されたビット列ｋ番目のビットの値であり、０または１の値を持つ（式（１３８）、式（１３９）参照）。
【１３２１】
なお、ｓ’ｋは、位相回転（または位相変更）を伴わないＢＰＳＫで生成されるマッピング後の信号（ベースバンド信号）の一例と等しい。π／２（シフト）−ＢＰＳＫを用いる場合、コンステレーションの位相はシンボル毎にπ／２ずつ回転する（変化する）ので、位相回転（または位相変更）の周期は４である。
【１３２２】
マッピング部が行う位相回転を伴うマッピング方式の別の一例として、π／２（シフト）−ＱＰＳＫについて説明する。π／２（シフト）−ＱＰＳＫを用いる場合、マッピング部は、入力されたビット列から２ビット毎に１つのマッピング後の信号（ベースバンド信号）を生成する。π／２（シフト）−ＱＰＳＫを用いた場合にｋ番目に生成されるマッピング後の信号（ベースバンド信号）ｓｋは以下の式Ｘ２で表される。ｃｋは入力されたビット列ｋ番目のビットの値であり、０または１の値を持つ（式（１４０）、式（１４１）参照）。
【１３２３】
なお、ｓ’ｋは、位相回転（または位相変更）を伴わないＱＰＳＫで生成されるマッピング後の信号（ベースバンド信号）の一例と等しい。π／２（シフト）−ＱＰＳＫを用いる場合、コンステレーションの位相はシンボル毎にπ／２ずつ回転する（変化する）ので、位相回転（または位相変更）の周期は４である。
【１３２４】
位相回転（または位相変更）を伴うマッピング方式としてπ／２（シフト）−ＢＰＳＫとπ／２（シフト）−ＱＰＳＫを例に挙げて説明したが、他のマッピング方式を用いても良い。例えば、マッピング部は、位相回転（または位相変更）されるコンステレーションとして、ＡＰＳＫ（Ａｍｐｌｉｔｕｄｅ  Ｐｈａｓｅ  Ｓｈｉｆｔ  Ｋｅｙｉｎｇ）（例えば、１６ＡＰＳＫ、６４ＡＰＳＫ、１２８ＡＰＳＫ、２５６ＡＰＳＫ、１０２４ＡＰＳＫ、４０９６ＡＰＳＫなど）、ＰＡＭ（Ｐｕｌｓｅ  Ａｍｐｌｉｔｕｄｅ  Ｍｏｄｕｌａｔｉｏｎ）（例えば、４ＰＡＭ、８ＰＡＭ、１６ＰＡＭ、６４ＰＡＭ、１２８ＰＡＭ、２５６ＰＡＭ、１０２４ＰＡＭ、４０９６ＰＡＭなど）、ＰＳＫ（Ｐｈａｓｅ  Ｓｈｉｆｔ  Ｋｅｙｉｎｇ）（例えば、ＢＰＳＫ、ＱＰＳＫ、８ＰＳＫ、１６ＰＳＫ、６４ＰＳＫ、１２８ＰＳＫ、２５６ＰＳＫ、１０２４ＰＳＫ、４０９６ＰＳＫなど）、ＱＡＭ（Ｑｕａｄｒａｔｕｒｅ  Ａｍｐｌｉｔｕｄｅ  Ｍｏｄｕｌａｔｉｏｎ）（例えば、４ＱＡＭ、８ＱＡＭ、１６ＱＡＭ、６４ＱＡＭ、１２８ＱＡＭ、２５６ＱＡＭ、１０２４ＱＡＭ、４０９６ＱＡＭなど）などのコンステレーションを用いることができる。また、マッピング部は、上記の各マッピング方式として、均一マッピングのコンステレーション、非均一マッピングのコンステレーションのいずれを用いたマッピングを行ってもよい。また、マッピング部は、位相回転（または位相変更）の周期としてπ／２（シフト）−ＢＰＳＫやπ／２（シフト）−ＱＰＳＫで用いている４だけではなく、８、１６などの任意の２以上の整数を用いても良い。
【１３２５】
次に、本実施の形態における受信装置の構成について説明する。本実施の形態における受信装置は、例えば図８の構成を備え、これまでに説明したフレーム構成の信号を受信し、制御情報シンボルで伝送される制御情報に基づいて、データシンボルの復調を行う。
【１３２６】
ところで、ＧＩのシンボルを生成するにあたり、Golay sequenceに対して、マッピングを行い、シンボルを生成する。このとき、ＧＩのシンボルを生成するための変調方式としては、例えば、上述で説明したπ／２（シフト）−ＢＰＳＫ（π／２シフトＢＰＳＫ）、ＢＰＳＫなどが好適な変調方式としてあげられる。ただし、変調方式は、これらに限ったものではなく、上述であげた変調方式を用いてもよい。
【１３２７】
なお、上述では、ＧＩに対して、位相変更を施す場合について説明したが、図３５で説明した、ＳＴＦ（Ｓｈｏｒｔ  Ｔｒａｉｎｉｎｇ  Ｆｉｅｌｄ）３５０１と、チャネル推定に用いることができるＣＥＦ（Ｃｈａｎｎｅｌ  Ｅｓｔｉｍａｔｉｏｎ  Ｆｉｅｌｄ）３５０２に対しても位相変更を施してもよい。以下では、この点について説明する。
【１３２８】
以下の場合、図３５で説明したＳＴＦ３５０１、および／または、ＣＥＦ３５０２に対しても位相変更を行うものとする。図３６にＳＴＦ３５０１、および、ＣＥＦ３５０２の構成の一例を示している。
【１３２９】
ＳＴＦ３５０１は、５１２０ビットで構成されており、１２８ビットで構成された第１のGolay sequence（図３６では、Ga128と記載している）、および、１２８ビットで構成された第２のGolay sequence（図３６ではGb128と記載している）で構成されている。なお、第１のGolay sequence（Ga128）に対し、例えば、π／２（シフト）−ＢＰＳＫ（π／２シフトＢＰＳＫ）を施し、１２８シンボルが生成され、また、第２のGolay sequence（Gb128）に対して、例えば、π／２（シフト）−ＢＰＳＫ（π／２シフトＢＰＳＫ）を施し、１２８シンボルが生成される。なお、例えば、系列Ga4={1,1,1,1}の場合、-Ga4={-1,-1,-1,-1}となる。よって、ＳＴＦ３５０１は、５１２０シンボルのπ／２（シフト）−ＢＰＳＫ（π／２シフトＢＰＳＫ）シンボルとなる。
【１３３０】
ＣＥＦ３５０２は、１１５２ビットで構成されており、５１２ビットで構成された第４のGolay sequence（図３６では、GU512と記載している。）、および、５１２ビットで構成された第５のGolay sequence（図３６では、GV512と記載している）、および、１２８ビットで構成された第６のGolay sequence（図３６ではGV128と記載している）で構成されている。なお、第４のGolay sequence（GU512）に対し、例えば、π／２（シフト）−ＢＰＳＫ（π／２シフトＢＰＳＫ）を施し、５１２シンボルが生成され、また、第５のGolay sequence（GV512）に対し、例えば、π／２（シフト）−ＢＰＳＫ（π／２シフトＢＰＳＫ）を施し、５１２シンボルが生成され、また、第６のGolay sequence（GV128）に対し、例えば、π／２（シフト）−ＢＰＳＫ（π／２シフトＢＰＳＫ）を施し、１２８シンボルが生成される。なお、ＣＥＦ３５０２は、１１５２シンボルのπ／２（シフト）−ＢＰＳＫ（π／２シフトＢＰＳＫ）シンボルとなる。
【１３３１】
位相変更部２０５Ｂは、ＳＴＦ３５０１、および／または、ＣＥＦ３５０２についても位相変更処理を施してもよい。
【１３３２】
ＳＴＦ３５０１は、１２８ビットのGolay sequence（１２８シンボル）を複数束ねることで構成されているので、位相変更部２０５Ａ（位相変更部２０５Ｂ）は、位相変更の周期として、１２８の約数のうち４より大きい整数、例えば、８、１６、３２、６４、１２８のいずれかを用いる。（π／２シフトＢＰＳＫを用いたことによるPAPR（Peak-to-Average Power Ratio）の削減効果を得るためには、周期は４より大きい整数である必要がある。）また、位相変更部２０５Ａ（位相変更部２０５Ｂ）は、位相変更の周期として、１２８の約数である２であってもよい。
【１３３３】
なお、上述で説明したように、送信装置がガード期間、データブロック、ＳＴＦ３５０１を区別することなく、位相変更処理を施すためには、位相変更の周期として、８、１６，３２が好適な値となる。また、位相変更の周期として、２も好適な値となる。このようにすると、送信装置は、ガード期間、データブロック、ＳＴＦ３５０１を区別することなく、位相変更処理を施しても各ガード期間の先頭シンボル及びデータブロックの先頭のシンボルおよびＳＴＦ３５０１の先頭のシンボルにほどこされる位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１３３４】
ＣＥＦ３５０２は、１２８ビットのGolay sequence（１２８シンボル）、および、５１２ビットのGolay sequence（５１２シンボル）を束ねて構成されているので、位相変更部２０５Ａ（位相変更部２０５Ｂ）は、位相変更の周期として、５１２と１２８の公約数のうち４より大きい整数、例えば、８、１６、３２、６４、１２８のいずれかを用いる。また、位相変更の周期として、５１２と１２８の公約数である２を用いてもよい。ただし、５１２ビットGolay sequence（５１２シンボル）が、１２８ビットのGolay sequenceに相当する１２８のシンボルを４つ結合することで構成することも可能である。このとき、位相変更部２０５Ａ（位相変更部２０５Ｂ）は、位相変更の周期として、１２８の約数のうち４より大きい整数、例えば、８、１６、３２、６４、１２８のいずれかを用いる。また、位相変更部２０５Ａ（位相変更部２０５Ｂ）は、位相変更の周期として、１２８の約数の２を用いてもよい。なお、π／２シフトＢＰＳＫを用いたことによるPAPR（Peak-to-Average Power Ratio）の削減効果を得るためには、周期は４より大きい整数である必要がある。
【１３３５】
なお、上述で説明したように、送信装置がガード期間、データブロック、ＳＴＦ３５０１、ＣＥＦ３５０２を区別することなく、位相変更処理を施すためには、位相変更の周期として、８、１６，３２が好適な値となる。また、位相変更の周期として、２も好適な値となる。このようにすると、送信装置は、ガード期間、データブロック、ＳＴＦ３５０１、ＣＥＦ３５０２を区別することなく、位相変更処理を施しても各ガード期間の先頭シンボル及びデータブロックの先頭のシンボルおよびＳＴＦ３５０１の先頭のシンボルにほどこされる位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１３３６】
図３７は、ＳＴＦ３５０１、および、ＣＥＦ３５０２の構成の図３６とは異なる例を示している。
【１３３７】
ＳＴＦ３５０１は、２１７６ビットで構成されており、１２８ビットで構成された第１のGolay sequence（図３７では、Ga128と記載している）で構成されている。なお、第１のGolay sequence（Ga128）に対し、例えば、π／２（シフト）−ＢＰＳＫ（π／２シフトＢＰＳＫ）を施し、１２８シンボルが生成される。なお、例えば、系列Ga4={1,1,1,1}の場合、-Ga4={-1,-1,-1,-1}となる。よって、ＳＴＦ３５０１は、５１２０シンボルのπ／２（シフト）−ＢＰＳＫ（π／２シフトＢＰＳＫ）シンボルとなる。
【１３３８】
ＣＥＦ３５０２の構成は、図３６を用いて説明したとおりである。
【１３３９】
位相変更部２０５Ｂは、ＳＴＦ３５０１、および／または、ＣＥＦ３５０２についても位相変更処理を施してもよい。
【１３４０】
ＳＴＦ３５０１は、１２８ビットのGolay sequence（１２８シンボル）を複数束ねることで構成されているので、位相変更部２０５Ａ（位相変更部２０５Ｂ）は、位相変更の周期として、１２８の約数のうち４より大きい整数、例えば、８、１６、３２、６４、１２８のいずれかを用いる。また、位相変更部２０５Ａ（位相変更部２０５Ｂ）は、位相変更の周期として、１２８の約数である２を用いてもよい。π／２シフトＢＰＳＫを用いたことによるPAPR（Peak-to-Average Power Ratio）の削減効果を得るためには、周期は４より大きい整数である必要がある。
【１３４１】
なお、上述で説明したように、送信装置がガード期間、データブロック、ＳＴＦ３５０１を区別することなく、位相変更処理を施すためには、位相変更の周期として、８、１６，３２が好適な値となる。また、送信装置がガード期間、データブロック、ＳＴＦ３５０１を区別することなく、位相変更処理を施すためには、位相変更の周期として、２であってもよい。このようにすると、送信装置は、ガード期間、データブロック、ＳＴＦ３５０１を区別することなく、位相変更処理を施しても各ガード期間の先頭シンボル及びデータブロックの先頭のシンボルおよびＳＴＦ３５０１の先頭のシンボルにほどこされる位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１３４２】
ＣＥＦ３５０２は、１２８ビットのGolay sequence（１２８シンボル）、および、５１２ビットのGolay sequence（５１２シンボル）を束ねて構成されているので、位相変更部２０５Ａ（位相変更部２０５Ｂ）は、位相変更の周期として、５１２と１２８の公約数のうち４より大きい整数、例えば、８、１６、３２、６４、１２８のいずれかを用いる。また、位相変更の周期は２てあってもよい。ただし、５１２ビットGolay sequence（５１２シンボル）が、１２８ビットのGolay sequenceに相当する１２８のシンボルを４つ結合することで構成することも可能である。このとき、位相変更部２０５Ａ（位相変更部２０５Ｂ）は、位相変更の周期として、１２８の約数のうち４より大きい整数、例えば、８、１６、３２、６４、１２８のいずれかを用いる。また、位相変更の周期として、１２８のの約数である２を用いてもよい。なお、π／２シフトＢＰＳＫを用いたことによるPAPR（Peak-to-Average Power Ratio）の削減効果を得るためには、周期は４より大きい整数である必要がある。
【１３４３】
なお、上述で説明したように、送信装置がガード期間、データブロック、ＳＴＦ３５０１、ＣＥＦ３５０２を区別することなく、位相変更処理を施すためには、位相変更の周期として、８、１６，３２が好適な値となる。また、送信装置がガード期間、データブロック、ＳＴＦ３５０１、ＣＥＦ３５０２を区別することなく、位相変更処理を施すためには、位相変更の周期として、２も好適な値となる。このようにすると、送信装置は、ガード期間、データブロック、ＳＴＦ３５０１、ＣＥＦ３５０２を区別することなく、位相変更処理を施しても各ガード期間の先頭シンボル及びデータブロックの先頭のシンボルおよびＳＴＦ３５０１の先頭のシンボルにほどこされる位相変更の大きさを同じにすることができる。そのため、受信装置は何番目に送信されたガード期間、またはデータブロックであるかの情報を用いることなく、ガード期間及びデータブロックの先頭から何シンボル目であるかの情報のみを用いて送信側で使用された位相変更の値を決定することができる。その結果、受信装置における復調の処理を容易にすることができる。
【１３４４】
上記説明では、送信装置は位相変更の処理を施さず信号処理後の信号１０６＿Ａを生成し、位相変更の値が式（２）で表わされる周期Nの位相変更の処理を施して信号処理後の信号１０６＿Ｂを生成するとした。ここで、送信装置が、位相変更部２０５Ｂの位相変更の処理における周期Ｎの値として、ＳＴＦを構成する１２８ビットGolay sequenceに相当する、１２８のシンボルの約数の値（２以上である）を用いる場合について説明する。このとき、送信装置が、信号処理後の信号１０６＿Ａ及び１０６＿ＢのそれぞれのＳＴＦ３５０１の信号を生成するために、同じ系列（例えば、Ｇｏｌａｙシーケンス）を用いたとしても、信号処理部１０６から出力される信号処理後の信号１０６＿ＡのGolay sequenceに対応する１２８シンボルのシンボル列と、信号処理後の信号１０６＿ＢのGolay sequenceに対応する１２８シンボルのシンボル列とを直交させることができる。
【１３４５】
この構成によると、送信装置が、ＳＴＦ３５０１の信号を生成するために複数の直交系列や複数の相補符号系列を用いなくても、各Golay sequenceの区間の信号を互いに直交させることができるため、受信装置は、２つの送信信号のそれぞれに対する伝送路特性（チャネル変動）など（歪み成分）を各Golay sequenceの区間の信号から推定することが可能となる。
【１３４６】
なお、送信装置が位相変更の値を変化させる方法は、式（２）で表わされる方法に限定されない。例えば、位相変更部が、位相変更の値として２π／Ｎずつ異なるＮ種類の値を予め定められた任意の順序で周期的に用いた周期Ｎの位相変更の処理を施すとしてもよい。この構成においても、送信装置が、同一の周波数で同時に送信される２つの信号のＳＴＦ３５０１の信号を生成するために、複数の直交系列や複数の相補符号系列を用いなくても、各Golay sequenceの区間の信号を互いに直交させることができるため、受信装置は、２つの送信信号のそれぞれに対する伝送路特性（チャネル変動）など（歪み成分）を各Golay sequenceの区間の信号から推定することが可能となる。
【１３４７】
上記説明では、送信装置は位相変更の処理を施さず信号処理後の信号１０６＿Ａを生成し、位相変更の値が式（２）で表わされる周期Nの位相変更の処理を施して信号処理後の信号１０６＿Ｂを生成するとした。ここで、送信装置が、位相変更部２０５Ｂの位相変更の処理における周期Nの値として、ＣＥＦは、１２８ビットGolay sequenceに相当する１２８のシンボル、および、５１２ビットGolay sequenceに相当する５１２シンボルで構成されているので、１２８と５１２の公約数の値（２以上である）を用いる場合について説明する。ただし、５１２ビットGolay sequenceに相当する５１２シンボルが、１２８ビットのGolay sequenceに相当する１２８のシンボルを４つ結合することで構成することも可能である。このとき周期Ｎの値として、１２８（２以上である）の約数を用いる。このとき、送信装置が、信号処理後の信号１０６＿Ａ及び１０６＿ＢのそれぞれのＣＥＦ３５０２の信号を生成するために、同じ系列（例えば、Ｇｏｌａｙシーケンス）を用いたとしても、信号処理部１０６から出力される信号処理後の信号１０６＿ＡのGolay sequenceに対応する５１２シンボル、または、１２８シンボルのシンボル列と、信号処理後の信号１０６＿ＢのGolay sequenceに対応する５１２シンボル、または、１２８シンボルのシンボル列とを直交させることができる。
【１３４８】
この構成によると、送信装置が、ＣＥＦ３５０２の信号を生成するために複数の直交系列や複数の相補符号系列を用いなくても、各Golay sequenceの区間の信号を互いに直交させることができるため、受信装置は、２つの送信信号のそれぞれに対する伝送路特性（チャネル変動）など（歪み成分）を各Golay sequenceの区間の信号から推定することが可能となる。
【１３４９】
なお、送信装置が位相変更の値を変化させる方法は、式（２）で表わされる方法に限定されない。例えば、位相変更部が、位相変更の値として２π／Ｎずつ異なるＮ種類の値を予め定められた任意の順序で周期的に用いた周期Ｎの位相変更の処理を施すとしてもよい。この構成においても、送信装置が、同一の周波数で同時に送信される２つの信号のＣＥＦ３５０２の信号を生成するために、複数の直交系列や複数の相補符号系列を用いなくても、各Golay sequenceの区間の信号を互いに直交させることができるため、受信装置は、２つの送信信号のそれぞれに対する伝送路特性（チャネル変動）など（歪み成分）を各Golay sequenceの区間の信号から推定することが可能となる。
【１３５０】
以上の内容を別の表現を行うと以下のようになる。
【１３５１】
送信装置は、送信アンテナ＃１から変調信号＃Ｘ、送信アンテナ＃２から変調信号＃Ｙを送信する。このとき、変調信号＃Ｘ、変調信号＃Ｙはいずれもシングルキャリア方式とする。そして、変調信号＃ＸのＳＴＦ（ＳＴＦ＃Ｘと名づける）を送信装置は送信する。同様に、変調信号＃ＹのＳＴＦ（ＳＴＦ＃Ｙと名づける）を送信装置は送信する。そして、ＳＴＦ＃Ｘのシンボルを生成するためのGolay sequenceとＳＴＦ＃Ｙのシンボルを生成するためのGolay sequenceは同じ（共通）であるものとする。これにより、送信装置、受信装置でGolay sequenceに関連する部分については、回路の共通化が可能となる。上述のまま送信すると、送信装置の通信相手である受信装置は、ＳＴＦ＃ＸとＳＴＦ＃Ｙを識別することができない。つまり、変調信号＃Ｘ、変調信号＃Ｙの復調が難しい。したがって、受信装置で、ＳＴＦ＃ＸとＳＴＦ＃Ｙの識別を容易にするために、例えば、ＳＴＦ＃ＸまたはＳＴＦ＃Ｙのいずれかで、位相変更を行う。
【１３５２】
例３）
ＳＴＦ＃Ｘで規則的に位相変更を行う場合、変調信号＃Ｘのデータシンボル部分でも規則的に位相変更を行ってもよい。これにより、位相変更部を共通化することが可能となる可能性がある。
【１３５３】
例４）
ＳＴＦ＃Ｙで規則的に位相変更を行う場合、変調信号＃Ｙのデータシンボル部でも規則的に位相変更を行ってもよい。これにより、位相変更部を共通化することが可能となる可能性がある。
【１３５４】
また、以下で説明するような規則をもっていてもよい。
【１３５５】
ＳＴＦ＃Ｘにおける時間的に最初のシンボルをＳＴＦ＃Ｘ（０）とし、ＳＴＦ＃Ｙにおける時間的最初のシンボルをＳＴＦ＃Ｙ（０）とする。
【１３５６】
例３）のように、「ＳＴＦ＃Ｘで規則的に位相変更を行う場合、変調信号＃Ｘのデータシンボル部分でも規則的に位相変更を行ってもよい。」とした場合、ＳＴＦ＃Ｘ（０）の位相変更値はある特定の値となり、その後、規則的な位相変更が行われる。例えば、時間１において、「ＳＴＦ＃Ｘとデータシンボル」を送信し、時間２において、「ＳＴＦ＃Ｘとデータシンボル」を送信するものとする。このとき、時間１に送信する「ＳＴＦ＃Ｘ」の「ＳＴＦ＃Ｘ（０）」の位相変更値がＡラジアンとし、時間２に送信する「ＳＴＦ＃Ｘ」の「ＳＴＦ＃Ｘ（０）」の位相変更値もＡラジアンとする。
【１３５７】
例４）のように、「ＳＴＦ＃Ｙで規則的に位相変更を行う場合、変調信号＃Ｙのデータシンボル部でも規則的に位相変更を行ってもよい。」とした場合、ＳＴＦ＃Ｙ（０）の位相変更値はある特定の値となり、その後、規則的な位相変更が行われる。例えば、時間１において、「ＳＴＦ＃Ｙとデータシンボル」を送信し、時間２において、「ＳＴＦ＃Ｙとデータシンボル」を送信するものとする。このとき、時間１に送信する「ＳＴＦ＃Ｙ」の「ＳＴＦ＃Ｙ（０）」の位相変更値がＢラジアンとし、時間２に送信する「ＳＴＦ＃Ｙ」の「ＳＴＦ＃Ｙ（０）」の位相変更値もＢラジアンとする。
【１３５８】
送信装置は、送信アンテナ＃１から変調信号＃Ｘ、送信アンテナ＃２から変調信号＃Ｙを送信する。このとき、変調信号＃Ｘ、変調信号＃Ｙはいずれもシングルキャリア方式とする。そして、変調信号＃ＸのＣＥＦ（ＣＥＦ＃Ｘと名づける）を送信装置は送信する。同様に、変調信号＃ＹのＣＥＦ（ＣＥＦ＃Ｙと名づける）を送信装置は送信する。そして、ＣＥＦ＃Ｘのシンボルを生成するためのGolay sequenceとＣＥＦ＃Ｙのシンボルを生成するためのGolay sequenceは同じ（共通）であるものとする。これにより、送信装置、受信装置でGolay sequenceに関連する部分については、回路の共通化が可能となる。
【１３５９】
上述のまま送信すると、送信装置の通信相手である受信装置は、ＣＥＦ＃ＸとＣＥＦ＃Ｙを識別することができない。つまり、変調信号＃Ｘ、変調信号＃Ｙの復調が難しい。したがって、受信装置で、ＣＥＦ＃ＸとＣＥＦ＃Ｙの識別を容易にするために、例えば、ＣＥＦ＃ＸまたはＣＥＦ＃Ｙのいずれかで、位相変更を行う。
【１３６０】
例５）
ＣＥＦ＃Ｘで規則的に位相変更を行う場合、変調信号＃Ｘのデータシンボル部分でも規則的に位相変更を行ってもよい。これにより、位相変更部を共通化することが可能となる可能性がある。
【１３６１】
例６）
ＣＥＦ＃Ｙで規則的に位相変更を行う場合、変調信号＃Ｙのデータシンボル部でも規則的に位相変更を行ってもよい。これにより、位相変更部を共通化することが可能となる可能性がある。
【１３６２】
また、以下で説明するような規則をもっていてもよい。
【１３６３】
ＣＥＦ＃Ｘにおける時間的に最初のシンボルをＣＥＦ＃Ｘ（０）とし、ＣＥＦ＃Ｙにおける時間的最初のシンボルをＣＥＦ＃Ｙ（０）とする。
【１３６４】
例５）のように、「ＣＥＦ＃Ｘで規則的に位相変更を行う場合、変調信号＃Ｘのデータシンボル部分でも規則的に位相変更を行ってもよい。」とした場合、ＣＥＦ＃Ｘ（０）の位相変更値はある特定の値となり、その後、規則的な位相変更が行われる。例えば、時間１において、「ＣＥＦ＃Ｘとデータシンボル」を送信し、時間２において、「ＣＥＦ＃Ｘとデータシンボル」を送信するものとする。このとき、時間１に送信する「ＣＥＦ＃Ｘ」の「ＣＥＦ＃Ｘ（０）」の位相変更値がＡラジアンとし、時間２に送信する「ＣＥＦ＃Ｘ」の「ＣＥＦ＃Ｘ（０）」の位相変更値もＡラジアンとする。
【１３６５】
例６）のように、「ＣＥＦ＃Ｙで規則的に位相変更を行う場合、変調信号＃Ｙのデータシンボル部でも規則的に位相変更を行ってもよい。」とした場合、ＣＥＦ＃Ｙ（０）の位相変更値はある特定の値となり、その後、規則的な位相変更が行われる。例えば、時間１において、「ＣＥＦ＃Ｙとデータシンボル」を送信し、時間２において、「ＣＥＦ＃Ｙとデータシンボル」を送信するものとする。このとき、時間１に送信する「ＣＥＦ＃Ｙ」の「ＣＥＦ＃Ｙ（０）」の位相変更値がＢラジアンとし、時間２に送信する「ＣＥＦ＃Ｙ」の「ＣＥＦ＃Ｙ（０）」の位相変更値もＢラジアンとする。
【１３６６】
次に、送信装置が図１の構成を備え、図１の信号処理部１０６が図２０、２１、２２の構成を備える場合に、位相変更部２０５Ａ及び２０５Ｂで行われる位相変更処理について説明する。ただし、以下で説明する位相変更の処理は、送信装置が図１７の構成を備える場合に位相変更部２０５Ａ、２０５Ｂが行ってもよいし、信号処理部１０６が図３１、３２、３３の構成を備える場合に位相変更部２８０１Ａ、２８０１Ｂが行ってもよい。
【１３６７】
位相変更部２０５Ａ及び２０５Ｂで行われる位相変更処理は、式（５２）で表わされ、式（５２）におけるｗ（ｉ）は式（１３７）で表わされ、ｙ（ｉ）は、式（２）で表わされるものとする。
【１３６８】
位相変更部２０５Ａ、２０５Ｂは、位相変更処理の周期Ｎとして同じ値を用いる。また、位相変更部２０５Ａ、２０５Ｂは、位相変更処理の周期Ｎとしてデータブロックのシンボル数の約数のうち３以上の値を用いる。本実施の形態では、データブロックのシンボル数が４４８であるため、位相変更部２０５Ａ、２０５Ｂは周期が４、７、８、１４、１６、２８、３２、５６、６４、１１２、２２４、４４８のいずれかの位相変更処理を行う。また、位相変更部２０５Ａ、２０５Ｂは、位相変更処理の周期Ｎとして、データブロックのシンボル数の約数である２を用いてもよい。
【１３６９】
ただし、位相変更部２０５Ａ、２０５Ｂが用いるＮ種類の位相変更の値と切り替えの順序は、これに限定されるものではない。
【１３７０】
この構成により、上述で述べた送信装置が送信した変調信号を受信する受信装置において、特に、ＬＯＳ環境における受信状態が定常的な状況を避けることができる可能性があるため、データの受信品質が向上する可能性がある。
【１３７１】
なお、位相変更部２０５Ａ、２０５Ｂは、図３５、図３６のＳＴＦ３５０１、および／または、ＣＥＦ３５０２の信号についても位相変更処理を施してもよい。この場合、ＳＴＦ３５０１、および／または、ＣＥＦ３５０２の構成は、上述で説明したとおりであるため、位相変更の周期としては、上述で述べたような条件が重要となる。上述の条件を満たし、かつ、ＳＴＦ３５０１の位相変更の周期とＣＥＦ３５０２の位相変更の周期を共通にし、回路の共通化を行い、回路規模を削減するためには、１２８の約数（ただし、４より大きい整数）（２以上であってもよい）とするとよい。さらに、ガード区間の位相変更の周期とも共通化するためには、６４の約数（ただし、４より大きい整数）（２以上であってもよい）であるとよい。
【１３７２】
上述で説明したように位相変更部２０５Ａ、２０５Ｂの両者で、上述で説明したような位相変更を行うと、各アンテナから送信される変調信号のＰＡＰＲを同程度にすることができ、送受信において、ＰＡＰＲの影響の軽減のための回路規模を削減することができる。
【１３７３】
上記説明では、送信装置は位相変更の値が式（１３７）で表わされる周期Ｎの位相変更の処理を施して信号処理後の信号１０６＿Ａを生成し、位相変更の値が式（２）で表わされる周期Ｎの位相変更の処理を施して信号処理後の信号１０６＿Ｂを生成するとした。ここで、送信装置が、位相変更部２０５Ａ、２０５Ｂの位相変更の処理における周期Ｎの値として、ガード期間のシンボル数の約数の値（２以上である）を用いる場合について説明する。このとき、送信装置が、信号処理後の信号１０６＿Ａ及び１０６＿ＢのそれぞれのＳＴＦ、および／または、ＣＥＦの信号を生成するために、同じ系列（例えば、Ｇｏｌａｙシーケンス）を用いたとしても、信号処理部１０６から出力される信号処理後の信号１０６＿Ａの同一区間のGolay sequenceに対応するシンボル列と、信号処理後の信号１０６＿ＢのGolay sequenceに対応するシンボル列とを直交させることができる。この構成によると、送信装置が、ＳＴＦ、および／または、ＣＥＦの信号を生成するために複数の直交系列や複数の相補符号系列を用いなくても、ＳＴＦ、および／または、ＣＥＦの信号を互いに直交させることができるため、受信装置は、２つの送信信号のそれぞれに対する伝送路特性などの歪みをＳＴＦ、および／または、ＣＥＦの信号から推定することが可能となる。
【１３７４】
なお、本実施の形態における上記の説明では、図１の信号処理部１０６が、図２、１８、１９、２０、２１、２２、３１、３２、３３の構成を備える場合について説明したが、本実施の形態ではシングルキャリア方式を用いており、周波数軸方向に１つのシンボルのみが配置されているため、位相変更部２０９Ａ、２０９Ｂで行われる位相変更の処理はおこなわれなくてもよい。その場合、本実施の形態における信号処理部は、図２、１８、１９、２０、２１、２２、３１、３２、３３から位相変更部２０９Ａ、２０９Ｂを削除した構成となる。
【１３７５】
ただし、位相変更部２０９Ａ、２０９Ｂが実施の形態１等で説明した位相変更の処理とは異なる位相変更の処理を行ってもよい。また、送信装置が複数のチャネルを用いるチャネルボンディングを行って信号の送信を行う場合、チャネル毎に異なる位相変更の値を用いて位相変更を行ってもよい。
【１３７６】
上述の送信装置の変調信号の送信に対し、通信相手の受信装置の構成について説明する。本実施の形態における受信装置は、例えば図８の構成を備え、これまでに説明したフレーム構成の信号を受信し、制御情報シンボルで伝送される制御情報に基づいて、データシンボルの復調を行う。そして、例えば、受信装置のチャネル推定部（８０５＿１、８０５＿２、８０７＿１、８０７＿２）は、受信信号において、例えば、上述で説明したＳＴＦ、ＣＥＦ、ＧＩを抽出し、各送信アンテナと各受信アンテナのチャネル変動（図９のｈ１１（ｉ）、ｈ１２（ｉ）、ｈ２１（ｉ）、ｈ２２（ｉ））を推定し、信号処理部８１１は、これらのチャネル変動の値を用いて、データシンボルを復調する。
【１３７７】
なお、ＳＴＦ３５０１、ＣＥＦ３５０２は、ＢＰＳＫのシンボルであってもよい。また、本実施の形態において、データシンボルに対し、位相変更を行わず、ＳＴＦ３５０１、および／または、ＣＥＦ３５０２、および／または、ＧＩに対し、位相変更を行うとしてもよい。この場合、各個別に説明した効果を得ることができる。
【１３７８】
また、ＳＴＦ３５０１、ＣＥＦ３５０２のシンボルの構成は、図３６、図３７の例に限ったものではなく、別の構成であっても、ＳＴＦ３５０１、ＣＥＦ３５０２に対し、位相変更を行うと上述で説明した効果を得ることができる。
【１３７９】
なお、変調信号＃ＸにおけるＳＴＦを生成するためのGolay sequenceと変調信号＃ＹにおけるＳＴＦを生成するためのGolay sequenceとを同じとする例を説明したが、両者は異なっていても、本実施の形態を実施することは可能である。また、変調信号＃ＸにおけるＣＥＦを生成するためのGolay sequenceと変調信号＃ＹにおけるＣＥＦを生成するためのGolay sequenceとを同じとする例を説明したが、両者は異なっていても、本実施の形態を実施することは可能である。さらに、変調信号＃ＸにおけるＧＩを生成するためのGolay sequenceと変調信号＃ＹにおけるＧＩを生成するためのGolay sequenceとを同じとする例を説明したが、両者は異なっていても、本実施の形態を実施することは可能である。
【１３８０】
つぎに位相変更の周期を２と設定した場合の利点について説明する。
【１３８１】
実施の形態１の説明と同様、図２、図１８、図１９の位相変更部２０５Ｂにおいて、位相変更を施すものとする。シンボル番号ｉの位相変更部２０５Ｂにおける位相変更値をｙ（ｉ）とする。そして、ｙ（ｉ）を次式で与えるものとする。
【１３８２】
【数１４２】
2017187953.tif 000151
【１３８３】
位相変更の周期を２とし、λ（ｉ）−λ（ｉ−１）＝πラジアンと設定する場合を考える。
【１３８４】
図３８に、位相変更を行わなかった場合のスペクトルを図３８の実線３８０１であらわす。なお、図３８において、横軸は周波数であり、縦軸は振幅である。
【１３８５】
そして、図２の位相変更部２０５Ｂにおいて、λ（ｉ）−λ（ｉ−１）＝πラジアンと設定して、位相変更を行ったときのスペクトルについて説明する。図３８において、スペクトル３８０１に対して、右にシフトしたスペクトルが、３８０２＿Ａと３８０２＿Ｂで形成されたスペクトルである。そして、斜線で形成された３８０２＿Ｂのスペクトルを左に移動させ、図３９のように、スペクトル３８０２＿Ｂと３８０２＿Ａで形成したスペクトルを考える。このスペクトルが、λ（ｉ）−λ（ｉ−１）＝πラジアンと設定して位相変更部２０５Ｂにおいて、位相変更を行ったときのスペクトルとなる。
【１３８６】
このような状況となるように送信した場合、基地局と通信相手である端末の伝搬環境がマルチパス環境の場合、送信信号１０８Ａのマルチパスの影響と送信信号１０８Ｂのマルチパスの影響が異なり、空間ダイバーシチの効果を得ることができる可能性が高くなる。そして、空間ダイバーシチの効果は、λ（ｉ）−λ（ｉ−１）が０に近づくにつれ、小さくなる。
【１３８７】
したがって、「λ（ｉ）−λ（ｉ−１）をπに近い値をとる」ことが空間ダイバーシチ効果を得るための好適な条件となる。
【１３８８】
なお、実施の形態９の補足説明を実施の形態１０で説明する。
【１３８９】
（実施の形態１０）
本実施の形態では、実施の形態８、実施の形態９で説明した位相変更を実現するための、送信装置の構成についての説明を行う。
【１３９０】
図１は、本実施の形態における送信装置の構成の一例である。なお、図１の動作については、他の実施の形態でも説明を行っているので、説明を省略する。ただし、本実施の形態では、図１の送信装置は、シングルキャリア方式の変調信号をアンテナ部＃Ａ（１０９＿Ａ）、アンテナ部＃Ｂ（１０９＿Ｂ）から送信する。
【１３９１】
図４０は、図１のアンテナ部＃Ａ（１０９＿Ａ）で送信する変調信号１０８＿Ａのフレーム構成の一例を示しており、また、図４１は、図１のアンテナ部＃Ｂ（１０９＿Ｂ）で送信する変調信号１０８＿Ｂのフレーム構成の一例を示している。
【１３９２】
図４０において、図３４、図３５と同様に動作するものについては、同一番号を付しており、また、詳細の説明については、実施の形態８、および、実施の形態９で説明しているので、ここでは説明を省略する。
【１３９３】
図４０において、横軸は時間である。
時刻ｔ１から時刻ｔ２において、送信装置はプリアンブル３５００を送信する。
時刻ｔ３からｔ４において、送信装置はガード３４０１（ガードシンボル（ＧＩのシンボル））を送信する。
時刻ｔ５から時刻ｔ６において、送信装置はデータブロック３４０２（データシンボル）を送信する。
時刻ｔ７から時刻ｔ８において、送信装置はガード３４０１（ガードシンボル（ＧＩのシンボル））を送信する。
時刻ｔ９から時刻ｔ１０において、送信装置はデータブロック３４０２（データシンボル）を送信する。
時刻ｔ１１から時刻ｔ１２において、送信装置はガード３４０１（ガードシンボル（ＧＩのシンボル））を送信する。
時刻ｔ１３から時刻ｔ１４において、送信装置はデータブロック３４０２（データシンボル）を送信する。
【１３９４】
図４１において、図３４、図３５と同様に動作するものについては、同一番号を付しており、また、詳細の説明については、実施の形態８、および、実施の形態９で説明しているので、ここでは説明を省略する。
【１３９５】
図４１において、横軸は時間である。
時刻ｔ１から時刻ｔ２において、送信装置はプリアンブル３５００を送信する。
時刻ｔ３から時刻ｔ４において、送信装置はガード３４０１（ガードシンボル（ＧＩのシンボル））を送信する。
時刻ｔ５から時刻ｔ６において、送信装置はデータブロック３４０２（データシンボル）を送信する。
時刻ｔ７から時刻ｔ８において、送信装置はガード３４０１（ガードシンボル（ＧＩのシンボル））を送信する。
時刻ｔ９から時刻ｔ１０において、送信装置はデータブロック３４０２（データシンボル）を送信する。
時刻ｔ１１から時刻ｔ１２において、送信装置はガード３４０１（ガードシンボル（ＧＩのシンボル））を送信する。
時刻ｔ１３から時刻ｔ１４において、送信装置はデータブロック３４０２（データシンボル）を送信する。
【１３９６】
なお、図４０と図４１の同一時間区間にあるシンボルは、同一の周波数を用いて、複数のアンテナを用いて送信される。
【１３９７】
図４２は、図１のアンテナ部＃Ａ（１０９＿Ａ）で送信する変調信号１０８＿Ａのフレーム構成の第２の例を示しており、また、図４３は、図１のアンテナ部＃Ｂ（１０９＿Ｂ）で送信する変調信号１０８＿Ｂのフレーム構成の第２の例を示している。
【１３９８】
図４２において、図３４、図３５と同様に動作するものについては、同一番号を付しており、また、詳細の説明については、実施の形態８、および、実施の形態９で説明しているので、ここでは説明を省略する。
【１３９９】
図４２において、横軸は時間である。
時刻ｔ１から時刻ｔ２において、送信装置はプリアンブル３５００を送信する。
時刻ｔ３から時刻ｔ４において、送信装置はデータブロック３４０２（データシンボル）を送信する。
時刻ｔ５から時刻ｔ６において、送信装置はガード３４０１（ガードシンボル（ＧＩのシンボル））を送信する。
時刻ｔ７から時刻ｔ８において、送信装置はデータブロック３４０２（データシンボル）を送信する。
時刻ｔ９から時刻ｔ１０において、送信装置はガード３４０１（ガードシンボル（ＧＩのシンボル））を送信する。
時刻ｔ１１から時刻ｔ１２において、送信装置はデータブロック３４０２（データシンボル）を送信する。
【１４００】
図４３において、図３４、図３５と同様に動作するものについては、同一番号を付しており、また、詳細の説明については、実施の形態８、および、実施の形態９で説明しているので、ここでは説明を省略する。
【１４０１】
図４３において、横軸は時間である。
時刻ｔ１から時刻ｔ２において、送信装置はプリアンブル３５００を送信する。
時刻ｔ３から時刻ｔ４において、送信装置はデータブロック３４０２（データシンボル）を送信する。
時刻ｔ５から時刻ｔ６において、送信装置はガード３４０１（ガードシンボル（ＧＩのシンボル））を送信する。
時刻ｔ７から時刻ｔ８において、送信装置はデータブロック３４０２（データシンボル）を送信する。
時刻ｔ９から時刻ｔ１０において、送信装置はガード３４０１（ガードシンボル（ＧＩのシンボル））を送信する。
時刻ｔ１１から時刻ｔ１２において、送信装置はデータブロック３４０２（データシンボル）を送信する。
【１４０２】
なお、図４２と図４３の同一時間区間にあるシンボルは、同一周波数を用いて、複数のアンテナを用いて送信される。
【１４０３】
ただし、上述では、図４０、図４１、図４２、図４３を例に説明したが、フレーム構成はこれに限ったものではない。また、図４０、図４１、図４２、図４３に示している以外のシンボルが存在していてもよい。
【１４０４】
図４４は、図１の送信装置の信号処理部１０６の構成を示しており、図２と同様に動作するものについては、同一番号を付しており、別の実施の形態で、詳細に説明を行っているので、説明を省略する。以下では、図４０、図４１のフレーム構成を用いたときを例として説明を行う。このとき、図４０は、フレーム構成に基づいたベースバンド信号２０８Ａ（図１の信号処理後の信号１０６＿Ａ）のフレーム構成であり、図４１は、フレーム構成に基づいたベースバンド信号２０８Ｂ（図１の信号処理後の信号１０６＿Ｂ）のフレーム構成である。なお、フレーム構成は、図４０、図４１ではなく、図４２、図４３であってもよい。
【１４０５】
図４４におけるマッピング後の信号２０１Ａ（図１のマッピング後の信号１０５＿１に相当する）は、図４０のデータブロック３４０２に相当する信号であり、また、マッピング後の信号２０１Ｂ（図１のマッピング後の信号１０５＿２に相当する）は、図４１のデータブロック３４０２の信号に相当する信号である。
【１４０６】
したがって、位相変更部２０５Ｂは、データブロック３４０２に対して、位相変更を行う部分となる。
【１４０７】
シンボル番号をｉとしたとき、位相変更部２０５Ｂの入力信号（２０４Ｂ）をＩ（ｉ）とすると、位相変更部２０５Ｂの出力信号（２０６Ｂ）Ｏ（ｉ）は次式であらわされる。
【１４０８】
【数１４３】
2017187953.tif 000152
【１４０９】
なお、Ｉ（ｉ）およびＯ（ｉ）は複素数で定義することができ（実数であってもよい）、λＤ２（ｉ）は位相変更値と定義し、実数であるものとする。ｊは虚数単位である。なお、λＤ２（ｉ）は０ラジアン以上２πラジアン未満と定義してもよい。
【１４１０】
ガードシンボル（ＧＩのシンボル）の信号４４０１Ａは、図４０におけるガード３４０１に相当する信号である。
【１４１１】
また、ガードシンボル（ＧＩのシンボル）の信号４４０１Ｂは、図４１におけるガード３４０１に相当する信号である。
【１４１２】
したがって、位相変更部４４０３Ｂは、図４１のガード３４０１（ガードシンボル（ＧＩのシンボル））に対して位相変更を行う部分である。
【１４１３】
位相変更部４４０３Ｂは、ガードシンボル（ＧＩのシンボル）の信号４４０１Ｂ、および、制御信号２００を入力とし、制御信号２００に含まれるフレーム構成に関する信号に基づき、ガードシンボル（ＧＩのシンボル）の信号４４０１Ｂに対し、位相変更を施し、位相変更後のガードシンボル（ＧＩのシンボル）の信号４４０４Ｂを出力する。
【１４１４】
シンボル番号をｉとしたとき、位相変更部４４０３Ｂの入力信号（４４０１Ｂ）をＩ（ｉ）とすると、位相変更部４４０３Ｂの出力信号（４４０４Ｂ）Ｏ（ｉ）は次式であらわされる。
【１４１５】
【数１４４】
2017187953.tif 000153
【１４１６】
なお、Ｉ（ｉ）およびＯ（ｉ）は複素数で定義することができ（実数であってもよい）、λＧ２（ｉ）は位相変更値と定義し、実数であるものとする。ｊは虚数単位である。なお、λＧ２（ｉ）は０ラジアン以上２πラジアン未満と定義してもよい。
【１４１７】
実施の形態８、実施の形態９の説明から、次式が成立することが一つの重要なことととなる。
【１４１８】
【数１４５】
2017187953.tif 000154
【１４１９】
ただし、Ｋは０（ゼロ）ではない。
【１４２０】
これにより、図４１のデータブロック３４０２の位相変更の周期と図４１のガード３４０１の位相変更の周期は同じとなる。この点については、実施の形態８、実施の形態９で説明したとおりである。
【１４２１】
また、図４１のデータブロック３４０２の位相変更の周期と図４１のガード３４０１の位相変更の周期の関係については、これに限ったものではなく、実施の形態８、実施の形態９で述べているような要件であってもよい。
【１４２２】
４４０２Ａはプリアンブルの信号であり、図４０のプリアンブル３５００に相当する信号である。そして、４４０２Ｂはプリアンブルの信号であり、図４１のプリアンブル３５００に相当する信号である。
【１４２３】
挿入部２０７Ａは、プリコーディング後の信号２０４Ａ、ガードシンボル（ＧＩのシンボル）の信号４４０１Ａ、プリアンブルの信号４４０２Ａ、制御信号２００を入力とし、制御信号２００におけるフレーム構成信号に基づいた、つまり、図４０のフレーム構成に基づいたベースバンド信号２０８Ａを出力する。
【１４２４】
そして、挿入部２０７Ｂは、位相変更後の信号２０６Ｂ、位相変更後のガードシンボル（ＧＩのシンボル）の信号４４０４Ｂ、プリアンブルの信号４４０２Ｂ、制御信号２００を入力とし、制御信号２００におけるフレーム構成に基づいた、つまり、図４１のフレーム構成に基づいたベースバンド信号２０８Ｂを出力する。
【１４２５】
図４５は、図１の送信装置の信号処理部１０６の、図４４とは異なる構成を示しており、図２、図４４と同様に動作するものについては、同一番号を付しており、詳細の説明は省略する。
【１４２６】
このときも、実施の形態８、実施の形態９の説明から、式（１４５）が成立することが重要となる（ただし、Ｋは０（ゼロ）でない）。これにより、図４１のデータブロック３４０２の位相変更の周期と図４１のガード３４０１の位相変更の周期は同じとなる。この点については、実施の形態８、実施の形態９で説明したとおりである。
【１４２７】
また、図４１のデータブロック３４０２の位相変更の周期と図４１のガード３４０１の位相変更の周期の関係については、これに限ったものではなく、実施の形態８、実施の形態９で述べているような要件であってもよい。
【１４２８】
さらに、図４５では、位相変更部４４０５Ｂが存在している。位相変更部４４０５Ｂは、図４１におけるプリアンブル３５００に対し位相変更を行う部分である。
【１４２９】
位相変更部４４０５Ｂは、プリアンブルの信号４４０２Ｂ、制御信号２００を入力とし、制御信号２００に含まれるフレーム構成に関する信号に基づき、プリアンブル４４０２Ｂに対し、位相変更を施し、位相変更後のプリアンブル信号４４０６Ｂを出力する。なお、プリアンブルにおける位相変更の周期については、実施の形態８、実施の形態９で述べたとおりである。
【１４３０】
挿入部２０７Ａは、プリコーディング後の信号２０４Ａ、ガードシンボル（ＧＩのシンボル）の信号４４０１Ａ、プリアンブルの信号４４０２Ａ、制御信号２００を入力とし、制御信号２００におけるフレーム構成信号に基づいた、つまり、図４０のフレーム構成に基づいたベースバンド信号２０８Ａを出力する。
【１４３１】
そして、挿入部２０７Ｂは、位相変更後の信号２０６Ｂ、位相変更後のガードシンボル（ＧＩのシンボル）の信号４４０４Ｂ、位相変更後のプリアンブルの信号４４０６Ｂ、制御信号２００を入力とし、制御信号２００におけるフレーム構成に基づいた、つまり、図４１のフレーム構成に基づいたベースバンド信号２０８Ｂを出力する。
【１４３２】
図４６は、図１の送信装置の信号処理部１０６の、図４４、図４５とは異なる構成を示しており、図２、図４４、図４５と同様に動作するものについては、同一番号を付しており、詳細の説明は省略する。
【１４３３】
このときも、実施の形態８、実施の形態９の説明から、式（１４５）が成立することが重要となる（ただし、Ｋは０（ゼロ）でない）。これにより、図４１のデータブロック３４０２の位相変更の周期と図４１のガード３４０１の位相変更の周期は同じとなる。この点については、実施の形態８、実施の形態９で説明したとおりである。
【１４３４】
また、図４１のデータブロック３４０２の位相変更の周期と図４１のガード３４０１の位相変更の周期の関係については、これに限ったものではなく、実施の形態８、実施の形態９で述べているような要件であってもよい。
【１４３５】
さらに、図４６では、位相変更部４４０５Ａが存在している。位相変更部４４０５Ａは、図４０におけるプリアンブル３５００に対し位相変更を行う部分である。
【１４３６】
位相変更部４４０５Ａは、プリアンブルの信号４４０２Ａ、制御信号２００を入力とし、制御信号２００に含まれるフレーム構成に関する信号に基づき、プリアンブル４４０２Ａに対し、位相変更を施し、位相変更後のプリアンブル信号４４０６Ａを出力する。なお、プリアンブルにおける位相変更の周期については、実施の形態８、実施の形態９で述べたとおりである。
【１４３７】
挿入部２０７Ａは、プリコーディング後の信号２０４Ａ、ガードシンボル（ＧＩのシンボル）の信号４４０１Ａ、位相変更後のプリアンブルの信号４４０６Ａ、制御信号２００を入力とし、制御信号２００におけるフレーム構成信号に基づいた、つまり、図４０のフレーム構成に基づいたベースバンド信号２０８Ａを出力する。
【１４３８】
そして、挿入部２０７Ｂは、位相変更後の信号２０６Ｂ、位相変更後のガードシンボル（ＧＩのシンボル）の信号４４０４Ｂ、プリアンブルの信号４４０２Ｂ、制御信号２００を入力とし、制御信号２００におけるフレーム構成に基づいた、つまり、図４１のフレーム構成に基づいたベースバンド信号２０８Ｂを出力する。
【１４３９】
図４７は、図１の送信装置の信号処理部１０６の、図４４、図４５、図４６とは異なる構成を示しており、図２、図４４、図４５、図４６と同様に動作するものについては、同一番号を付しており、詳細の説明は省略する。
【１４４０】
このときも、実施の形態８、実施の形態９の説明から、式（１４５）が成立することが重要となる（ただし、Ｋは０（ゼロ）でない）。これにより、図４１のデータブロック３４０２の位相変更の周期と図４１のガード３４０１の位相変更の周期は同じとなる。この点については、実施の形態８、実施の形態９で説明したとおりである。
【１４４１】
また、図４１のデータブロック３４０２の位相変更の周期と図４１のガード３４０１の位相変更の周期の関係については、これに限ったものではなく、実施の形態８、実施の形態９で述べているような要件であってもよい。
【１４４２】
さらに、図４７では、位相変更部４４０５Ａが存在している。位相変更部４４０５Ａは、図４０におけるプリアンブル３５００に対し位相変更を行う部分である。
【１４４３】
位相変更部４４０５Ａは、プリアンブルの信号４４０２Ａ、制御信号２００を入力とし、制御信号２００に含まれるフレーム構成に関する信号に基づき、プリアンブル４４０２Ａに対し、位相変更を施し、位相変更後のプリアンブル信号４４０６Ａを出力する。なお、プリアンブルにおける位相変更の周期については、実施の形態８、実施の形態９で述べたとおりである。
【１４４４】
そして、図４７では、位相変更部４４０５Ｂが存在している。位相変更部４４０５Ｂは、図４１におけるプリアンブル３５００に対し位相変更を行う部分である。
【１４４５】
位相変更部４４０５Ｂは、プリアンブルの信号４４０２Ｂ、制御信号２００を入力とし、制御信号２００に含まれるフレーム構成に関する信号に基づき、プリアンブル４４０２Ｂに対し、位相変更を施し、位相変更後のプリアンブル信号４４０６Ｂを出力する。なお、プリアンブルにおける位相変更の周期については、実施の形態８、実施の形態９で述べたとおりである。
【１４４６】
挿入部２０７Ａは、プリコーディング後の信号２０４Ａ、ガードシンボル（ＧＩのシンボル）の信号４４０１Ａ、位相変更後のプリアンブルの信号４４０６Ａ、制御信号２００を入力とし、制御信号２００におけるフレーム構成信号に基づいた、つまり、図４０のフレーム構成に基づいたベースバンド信号２０８Ａを出力する。
【１４４７】
そして、挿入部２０７Ｂは、位相変更後の信号２０６Ｂ、位相変更後のガードシンボル（ＧＩのシンボル）の信号４４０４Ｂ、位相変更後のプリアンブルの信号４４０６Ｂ、制御信号２００を入力とし、制御信号２００におけるフレーム構成に基づいた、つまり、図４１のフレーム構成に基づいたベースバンド信号２０８Ｂを出力する。
【１４４８】
図４８は、図１の送信装置の信号処理部１０６の構成を示しており、図２、図４４、図４５、図４６、図４７と同様に動作するものについては、同一番号を付しており、すでに説明を行っているため、説明を省略する。以下では、図４０、図４１のフレーム構成を用いたときの例の説明を行う。フレーム構成は、図４０、図４１ではなく、図４２、図４３であってもよい。このとき、図４０は、フレーム構成に基づいたベースバンド信号２０８Ａ（図１の信号処理後の信号１０６＿Ａ）のフレーム構成であり、図４１は、フレーム構成に基づいたベースバンド信号２０８Ｂ（図１の信号処理後の信号１０６＿Ｂ）のフレーム構成である。
【１４４９】
図４８におけるマッピング後の信号２０１Ａ（図１のマッピング後の信号１０５＿１に相当する）は、図４０のデータブロック３４０２に相当する信号であり、また、マッピング後の信号２０１Ｂ（図１のマッピング後の信号１０５＿２に相当する）は、図４１のデータブロック３４０２の信号に相当する信号である。
【１４５０】
したがって、位相変更部２０５Ａは、図４０のデータブロック３４０２に対して、位相変更を行う部分であり、また、位相変更部２０５Ｂは、図４１のデータブロック３４０２に対して、位相変更を行う部分である。
【１４５１】
シンボル番号をｉとしたとき、位相変更部２０５Ａの入力信号（２０４Ａ）をＩ（ｉ）とすると、位相変更部２０５Ａの出力信号（２０６Ａ）Ｏ（ｉ）は、次式であらわされる。
【１４５２】
【数１４６】
2017187953.tif 000155
【１４５３】
なお、Ｉ（ｉ）およびＯ（ｉ）は複素数で定義することができ（実数であってもよい）、λＤ１（ｉ）は位相変更値と定義し、実数であるものとする。ｊは虚数単位である。なお、λＤ１（ｉ）は０ラジアン以上２πラジアン未満と定義してもよい。
【１４５４】
そして、位相変更部２０５Ｂの入力信号（２０４Ｂ）をＩ（ｉ）とすると、位相変更部２０５Ｂの出力信号（２０６Ｂ）Ｏ（ｉ）は、式（１４３）であらわされる。
【１４５５】
また、ガードシンボル（ＧＩのシンボル）の信号４４０１Ａは、図４０におけるガード３４０１に相当する信号である。
【１４５６】
そして、ガードシンボル（ＧＩのシンボル）の信号４４０１Ｂは、図４１におけるガード３４０１に相当する信号である。
【１４５７】
位相変更部４４０３Ａは、ガードシンボル（ＧＩのシンボル）の信号４４０１Ａ、および、制御信号２００を入力とし、制御信号２００に含まれるフレーム構成に関する信号に基づき、ガードシンボル（ＧＩのシンボル）の信号４４０１Ａに対し、位相変更を施し、位相変更後のガードシンボル（ＧＩのシンボル）の信号４４０４Ａを出力する。
【１４５８】
シンボル番号をｉとしたとき、位相変更部４４０３Ａの入力信号（４４０１Ａ）をＩ（ｉ）とすると、位相変更部４４０３Ａの出力信号（４４０４Ａ）は次式であらわされる。
【１４５９】
【数１４７】
2017187953.tif 000156
【１４６０】
なお、Ｉ（ｉ）およびＯ（ｉ）は複素数で定義することができ（実数であってもよい）、λＧ１（ｉ）は位相変更値と定義し、実数であるものとする。ｊは虚数単位である。なお、λＧ１（ｉ）は０ラジアン以上２πラジアン未満と定義してもよい。
【１４６１】
そして、位相変更部４４０３Ｂの入力信号（４４０１Ｂ）をＩ（ｉ）とすると、位相変更部４４０３Ｂの出力信号（４４０４Ｂ）Ｏ（ｉ）は、式（１４４）であらわされる。
【１４６２】
実施の形態９、実施の形態９の説明の例として、次式が成立することが１つの重要なこととなる。
【１４６３】
【数１４８】
2017187953.tif 000157
【１４６４】
ただし、Ｋは０（ゼロ）ではなく、また、次式が成立する。
【１４６５】
【数１４９】
2017187953.tif 000158
【１４６６】
【数１５０】
2017187953.tif 000159
【１４６７】
【数１５１】
2017187953.tif 000160
【１４６８】
【数１５２】
2017187953.tif 000161
【１４６９】
これにより、図４０のデータブロック３４０２の位相変更の周期と図４０のガード３４０１の位相変更の周期は同じとなる。また、図４１のデータブロック３４０２の位相変更の周期と図４１のガード３４０１の位相変更の周期は同じとなる。この点については実施の形態８、実施の形態９で説明したとおりである。
【１４７０】
また、図４０のデータブロック３４０２の位相変更の周期と図４０のガード３４０１の位相変更の周期の関係は、これに限ったものではなく、実施の形態８、実施の形態９で述べているような要件であってもよい。同様に、図４１のデータブロック３４０２の位相変更の周期と図４１のガード３４０１の位相変更の周期の関係は、これに限ったものではなく、実施の形態８、実施の形態９で述べているような要件であってもよい。
【１４７１】
４４０２Ａはプリアンブルの信号であり、図４０のプリアンブル３５００に相当する信号である。そして、４４０２Ｂはプリアンブルの信号であり、図４１のプリアンブル３５００に相当する信号である。
【１４７２】
挿入部２０７Ａは、位相変更後の信号２０６Ａ、位相変更後のガードシンボル（ＧＩのシンボル）の信号４４０４Ａ、プリアンブルの信号４４０２Ａ、制御信号２００を入力とし、制御信号２００におけるフレーム構成に基づいた、つまり、図４０のフレーム構成に基づいたベースバンド信号２０８Ａを出力する。
【１４７３】
そして、挿入部２０７Ｂは、位相変更後の信号２０６Ｂ、位相変更後のガードシンボル（ＧＩのシンボル）の信号４４０４Ｂ、プリアンブルの信号４４０２Ｂ、制御信号２００を入力とし、制御信号２００におけるフレーム構成に基づいた、つまり、図４１のフレーム構成に基づいたベースバンド信号２０８Ｂを出力する。
【１４７４】
図４９は、図１の送信装置の信号処理部１０６の、図４４、図４５、図４６、図４７、図４８とは異なる構成を示しており、図２、図４４、図４５、図４６、図４７、図４８と同様に動作するものについては、同一番号を付しており、すでに説明を行っているので、説明は省略する。
【１４７５】
このときも、実施の形態８、実施の形態９の説明から、式（１４８）から式（１５２）が成立することが重要となる（ただし、Ｋは０（ゼロ）でない）。これにより、図４１のデータブロック３４０２の位相変更の周期と図４１のガード３４０１の位相変更の周期は同じとなる。この点については、実施の形態８、実施の形態９で説明したとおりである。
【１４７６】
また、図４０のデータブロック３４０２の位相変更の周期と図４０のガード３４０１の位相変更の周期の関係は、これに限ったものではなく、実施の形態８、実施の形態９で述べているような要件であってもよい。同様に、図４１のデータブロック３４０２の位相変更の周期と図４１のガード３４０１の位相変更の周期の関係は、これに限ったものではなく、実施の形態８、実施の形態９で述べているような要件であってもよい。
【１４７７】
さらに、図４９では、位相変更部４４０５Ｂが存在している。位相変更部４４０５Ｂは、図４１におけるプリアンブル３５００に対し位相変更を行う部分である。
【１４７８】
位相変更部４４０５Ｂは、プリアンブルの信号４４０２Ｂ、制御信号２００を入力とし、制御信号２００に含まれるフレーム構成に関する信号に基づき、プリアンブル４４０２Ｂに対し、位相変更を施し、位相変更後のプリアンブル信号４４０６Ｂを出力する。なお、プリアンブルにおける位相変更の周期については、実施の形態８、実施の形態９で述べたとおりである。
【１４７９】
挿入部２０７Ａは、位相変更後の信号２０６Ａ、位相変更後のガードシンボル（ＧＩのシンボル）の信号４４０４Ａ、プリアンブルの信号４４０２Ａ、制御信号２００を入力とし、制御信号２００におけるフレーム構成に基づいた、つまり、図４０のフレーム構成に基づいたベースバンド信号２０８Ａを出力する。
【１４８０】
そして、挿入部２０７Ｂは、位相変更後の信号２０６Ｂ、位相変更後のガードシンボル（ＧＩのシンボル）の信号４４０４Ｂ、位相変更後のプリアンブルの信号４４０６Ｂ、制御信号２００を入力とし、制御信号２００におけるフレーム構成に基づいた、つまり、図４１のフレーム構成に基づいたベースバンド信号２０８Ｂを出力する。
【１４８１】
図５０は、図１の送信装置の信号処理１０６の、図４４、図４５、図４６、図４７、図４８、図４９とは異なる構成を示しており、図２、図４４、図４５、図４６、図４７、図４８、図４９と同様に動作するものについては、同一番号を付しており、すでに説明を行っているので、説明を省略する。
【１４８２】
このときも、実施の形態８、実施の形態９の説明から、式（１４８）から式（１５２）が成立することが重要となる（ただし、Ｋは０（ゼロ）でない）。これにより、図４１のデータブロック３４０２の位相変更の周期と図４１のガード３４０１の位相変更の周期は同じとなる。この点については、実施の形態８、実施の形態９で説明したとおりである。
【１４８３】
また、図４０のデータブロック３４０２の位相変更の周期と図４０のガード３４０１の位相変更の周期の関係は、これに限ったものではなく、実施の形態８、実施の形態９で述べているような要件であってもよい。同様に、図４１のデータブロック３４０２の位相変更の周期と図４１のガード３４０１の位相変更の周期の関係は、これに限ったものではなく、実施の形態８、実施の形態９で述べているような要件であってもよい。
【１４８４】
さらに、図５０では、位相変更部４４０５Ａが存在している。位相変更部４４０５Ａは、図４０におけるプリアンブル３５００に対し位相変更を行う部分である。
【１４８５】
位相変更部４４０５Ａは、プリアンブルの信号４４０２Ａ、制御信号２００を入力とし、制御信号２００に含まれるフレーム構成に関する信号に基づき、プリアンブル４４０２Ａに対し、位相変更を施し、位相変更後のプリアンブル信号４４０６Ａを出力する。なお、プリアンブルにおける位相変更の周期については、実施の形態８、実施の形態９で述べたとおりである。
【１４８６】
挿入部２０７Ａは、位相変更後の信号２０６Ａ、位相変更後のガードシンボル（ＧＩのシンボル）の信号４４０４Ａ、位相変更後のプリアンブルの信号４４０６Ａ、制御信号２００を入力とし、制御信号２００におけるフレーム構成に基づいた、つまり、図４０のフレーム構成に基づいたベースバンド信号２０８Ａを出力する。
【１４８７】
そして、挿入部２０７Ｂは、位相変更後の信号２０６Ｂ、位相変更後のガードシンボル（ＧＩのシンボル）の信号４４０４Ｂ、プリアンブルの信号４４０２Ｂ、制御信号２００を入力とし、制御信号２００におけるフレーム構成に基づいた、つまり、図４１のフレーム構成に基づいたベースバンド信号２０８Ｂを出力する。
【１４８８】
図５１は、図１の送信装置の信号処理部１０６の、図４４、図４５、図４６、図４７、図４８、図４９、図５０とは異なる構成を示しており、図２、図４４、図４５、図４６、図４７、図４８、図４９、図５０と同様に動作するものについては、同一番号を付しており、すでに説明を行っているので、説明を省略する。
【１４８９】
このときも、実施の形態８、実施の形態９の説明から、式（１４８）から式（１５２）が成立することが重要となる（ただし、Ｋは０（ゼロ）でない）。これにより、図４１のデータブロック３４０２の位相変更の周期と図４１のガード３４０１の位相変更の周期は同じとなる。この点については、実施の形態８、実施の形態９で説明したとおりである。
【１４９０】
また、図４０のデータブロック３４０２の位相変更の周期と図４０のガード３４０１の位相変更の周期の関係は、これに限ったものではなく、実施の形態８、実施の形態９で述べているような要件であってもよい。同様に、図４１のデータブロック３４０２の位相変更の周期と図４１のガード３４０１の位相変更の周期の関係は、これに限ったものではなく、実施の形態８、実施の形態９で述べているような要件であってもよい。
【１４９１】
さらに、図５１では、位相変更部４４０５Ａが存在している。位相変更部４４０５Ａは、図４０におけるプリアンブル３５００に対し位相変更を行う部分である。
【１４９２】
位相変更部４４０５Ａは、プリアンブルの信号４４０２Ａ、制御信号２００を入力とし、制御信号２００に含まれるフレーム構成に関する信号に基づき、プリアンブル４４０２Ａに対し、位相変更を施し、位相変更後のプリアンブル信号４４０６Ａを出力する。なお、プリアンブルにおける位相変更の周期については、実施の形態８、実施の形態９で述べたとおりである。
【１４９３】
そして、図５１では、位相変更部４４０５Ｂが存在している。位相変更部４４０５Ｂは、図４１におけるプリアンブル３５００に対し位相変更を行う部分である。
【１４９４】
位相変更部４４０５Ｂは、プリアンブルの信号４４０２Ｂ、制御信号２００を入力とし、制御信号２００に含まれるフレーム構成に関する信号に基づき、プリアンブル４４０２Ｂに対し、位相変更を施し、位相変更後のプリアンブル信号４４０６Ｂを出力する。なお、プリアンブルにおける位相変更の周期については、実施の形態８、実施の形態９で述べたとおりである。
【１４９５】
挿入部２０７Ａは、位相変更後の信号２０６Ａ、位相変更後のガードシンボル（ＧＩのシンボル）の信号４４０４Ａ、位相変更後のプリアンブルの信号４４０６Ａ、制御信号２００を入力とし、制御信号２００におけるフレーム構成に基づいた、つまり、図４０のフレーム構成に基づいたベースバンド信号２０８Ａを出力する。
【１４９６】
そして、挿入部２０７Ｂは、位相変更後の信号２０６Ｂ、位相変更後のガードシンボル（ＧＩのシンボル）の信号４４０４Ｂ、位相変更後のプリアンブルの信号４４０６Ｂ、制御信号２００を入力とし、制御信号２００におけるフレーム構成に基づいた、つまり、図４１のフレーム構成に基づいたベースバンド信号２０８Ｂを出力する。
【１４９７】
実施の形態８、実施の形態９において、位相変更の周期を２と設定した場合について説明した。このときの利点について説明を行う。
【１４９８】
図１の送信装置の信号処理部１０６の構成が、図４４、または、図４５、または、図４６、または、図４７のとき、式（１４５）におけるＫが、Ｋ＝πラジアンを満たすものとする。
【１４９９】
図３８に、フレーム構成に基づいたベースバンド信号２０８Ａを図３８の実践３８０１であらわす。なお、図３８において、横軸は周波数であり、縦軸は振幅である。
【１５００】
そして、Ｋ＝πラジアンと設定したときのフレーム構成に基づいたベースバンド信号２０８Ｂのスペクトルについて説明する。
【１５０１】
図３８において、スペクトル３８０１に対し、右にシフトしたスペクトルが、３８０２＿Ａと３８０２＿Ｂで形成されたスペクトルである。そして、斜線で形成された３８０２＿Ｂのスペクトルを左に移動させ、図３９のように、スペクトル３８０２＿Ｂと３８０２＿Ａで形成したスペクトルを考える。このスペクトルが、Ｋ＝πラジアンと設定したときのフレーム構成に基づいたベースバンド信号２０８Ｂのスペクトルとなる。
【１５０２】
このような状況となるように送信した場合、基地局と通信相手である端末の伝搬環境がマルチパス環境の場合、送信信号１０８Ａのマルチパスの影響と送信信号１０８Ｂのマルチパスの影響が異なり、空間ダイバーシチの効果を得ることができる可能性が高くなる。そして、空間ダイバーシチの効果は、Ｋが０に近づくにつれ、小さくなる。したがって、「Ｋをπに近い値をとる」ことが空間ダイバーシチ効果を得るための好適な条件となる。
【１５０３】
図１の送信装置の信号処理部１０６の構成が、図４８、または、図４９、または、図５０、または、図５１のとき、式（１４８）におけるＫが、Ｋ＝πラジアンを満たすものとする。ただし、式（１４９）から式（１５２）を満たすものとする。
【１５０４】
図３８に、フレーム構成に基づいたベースバンド信号２０８Ａを図３８の実線３８０１であらわす。なお、図３８において、横軸は周波数であり、縦軸は振幅である。
【１５０５】
そして、Ｋ＝πラジアンと設定したときのフレーム構成に基づいたベースバンド信号２０８Ｂのスペクトルについて説明する。
【１５０６】
図３８において、スペクトル３８０１に対し、右にシフトしたスペクトルが、３８０２＿Ａと３８０２＿Ｂで形成されたスペクトルである。そして、斜線で形成された３８０２＿Ｂのスペクトルを左に移動させ、図３９のように、スペクトル３８０２＿Ｂと３８０２＿Ａで形成したスペクトルを考える。このスペクトルが、Ｋ＝πラジアンと設定したときのフレーム構成に基づいたベースバンド信号２０８Ｂのスペクトルとなる。
【１５０７】
このような状況となるように送信した場合、基地局と通信相手である端末の伝搬環境がマルチパス環境の場合、送信信号１０８Ａのマルチパスの影響と送信信号１０８Ｂのマルチパスの影響が異なり、空間ダイバーシチの効果を得ることができる可能性が高くなる。そして、空間ダイバーシチの効果は、Ｋが０に近づくにつれ、小さくなる。したがって、「Ｋをπに近い値をとる」ことが空間ダイバーシチ効果を得るための好適な条件となる。
【１５０８】
図５２は、図１の送信装置の信号処理部１０６の、図４４とは異なる構成を示しており、図２、図４４と同様に動作するものについては、同一番号を付しており、詳細の説明は省略する。
【１５０９】
図５２の構成は、切替部２２０Ｂが設けられている点が、図４４の構成と相違する。切替部２２０Ｂは、所定の制御信号に応じて、マッピング後の信号２０１Ｂ（図１のマッピング後の信号１０５＿２に相当する）を、重み付け合成部２０３へ入力させるか否か（例えば信号の通過のオン／オフの設定）を切り替える。なお、本実施の形態において、切替部２２０Ｂの設定がオフの場合は、マッピング後の信号２０１Ｂが存在しない場合と読み替えてもよい。なお、図５２では図示されていないが、切替部２２０Ｂには、制御信号２００が入力されてもよい。制御信号２００が入力される場合、切替部２２０Ｂは、制御信号２００を用いて、以下で説明する信号２０１Ｂの通過のオン／オフを制御してもよい。
【１５１０】
切替部２２０Ｂの設定がオンの場合、重み付け合成部２０３には、マッピング後の信号２０１Ｂが入力される。この場合は図４４と同様となる。
【１５１１】
一方、切替部２２０Ｂの設定がオフの場合、重み付け合成部２０３には、マッピング後の信号２０１Ｂが入力されない。この場合、重み付け合成部２０３は、マッピング後の信号２０１Ｂに代えて、マッピング後の信号２０１Ａ（図１のマッピング後の信号１０５＿１に相当する）が入力されたものとして取り扱う。なお、この場合、重み付け合成部２０３は、式（３３）又は（３４）の行列Ｆを用いるとする。なお、重み付け合成部２０３が、式（３３）又は式（３４）を用いた演算を行う場合、重み付け合成部２０３は重み付け合成を行わない、つまり、プリコーディングの演算を行わないとしてもよい。この場合、重み付け合成部２０３から出力される信号２０４Ａと２０４Ｂは、同じ信号となる。例えば、信号２０４Ａは、マッピング後の信号２０１Ａに相当する信号であり、また、信号２０４Ｂは、マッピング後の信号２０１Ａに相当する信号である。なお、図５２において、切替部２２０Ｂの設定がオフの場合、重み付け合成部２０３が存在しないというような構成であってもよい。
【１５１２】
位相変更部２０５Ｂは、切替部２２０Ｂの設定がオンの場合とオフの場合とで、位相変更の周期の設定を変えてもよい。例えば、位相変更部２０５Ｂは、切替部２２０Ｂの設定がオンの場合、位相変更の周期の設定を、実施の形態８、９で説明した要件を満たす何れかの周期に変更し、切替部２２０Ｂの設定がオフの場合、位相変更の周期の設定を「２」に変更する。ただし、切替部２２０Ｂの設定がオンの場合とオフの場合の位相変更の周期の設定変更は、これに限ったものではなく、オンの場合の位相変更の周期の値と、オフの場合の位相変更の周期の値とは、上記とは異なる別の値であってもよい。さらに、切替部２２０Ｂの設定がオンの場合および設定がオフの場合のいずれかにおいて、位相変更部２０５Ｂでは、位相変更を行わなくてもよい。なお、「位相変更を行わない」場合、入力信号に対し、位相変更を行わずに、出力信号を生成し、出力する。
【１５１３】
切替部２２０Ｂの設定がオフの場合に位相変更の周期の設定を「２」にすることにより、プリコーディング後の信号２０４Ａと、プリコーディング後の信号２０４Ｂに位相変更が施された後の信号２０６Ｂとは、位相が反転した同じ信号となる。これにより、上述のとおり、高い空間ダイバーシチ効果を得ることができる。
【１５１４】
なお、位相変更部４４０３Ｂも、位相変更部２０５Ｂと同じように位相変更の周期の設定を変えてもよいし、位相変更部４４０３Ｂも、上述の説明のように、位相変更部２０５Ｂと同じように、位相変更を行わないときがあってもよい。これにより、挿入部２０７Ｂは、位相変更部２０５Ｂと同じ周期で位相変更されたガードシンボル（ＧＩのシンボル）の信号４４０４Ｂを挿入して、図４１のフレーム構成に基づくベースバンド信号２０８Ｂを出力することができる。
【１５１５】
なお、切替部２２０Ｂが設けられていない場合であっても、位相変更部２０５Ｂ、および、位相変更部４４０３Ｂは、上記同様、位相変更の周期の設定を変えてもよい。例えば、位相変更部２０５Ｂ、および、位相変更部４４０３Ｂは、所定のタイミングで、位相変更の周期の設定を、実施の形態８、９で説明した要件を満たす何れかの周期に変えてもよい。ただし、位相変更部４４０３Ｂの位相変更の周期の設定変更は、これに限ったものではない。すなわち、切替部２２０Ｂの設定がオンの場合の位相変更の周期の値と、切替部２２０Ｂの設定がオフの場合の位相変更の周期の値は、上記とは異なる別の値であってもよい。
【１５１６】
図５３は、図１の送信装置の信号処理部１０６の、図４５、図５２とは異なる構成を示しており、図２、図４５、図５２と同様に動作するものについては、同一番号を付しており、詳細の説明は省略する。なお、図５３では図示されていないが、切替部２２０Ｂには、制御信号２００が入力されてもよい。制御信号２００が入力される場合、切替部２２０Ｂは、制御信号２００を用いて、以下で説明する信号２０１Ｂの通過のオン／オフを制御してもよい。
【１５１７】
図５３は、図４５の構成に、図５２と同様の切替部２２０Ｂを設けた構成に相当する。図５３の構成では、図５２で説明した位相変更部２０５Ｂ、４４０３Ｂに加えて、位相変更部４４０５Ｂも、切替部２２０Ｂの設定オン／オフに応じて、位相変更部２０５Ｂと同じように位相変更の周期の設定を変える。
【１５１８】
これにより、挿入部２０７Ｂは、位相変更部２０５Ｂと同じ周期で位相変更された、プリアンブル信号４４０６Ｂおよびガードシンボル（ＧＩのシンボル）の信号４４０４Ｂを挿入して、図４１のフレーム構成に基づくベースバンド信号２０８Ｂを出力することができる。
【１５１９】
図５４は、図１の送信装置の信号処理部１０６の、図４６、図５２とは異なる構成を示しており、図２、図４６、図５２と同様に動作するものについては、同一番号を付しており、詳細の説明は省略する。なお、図５４では図示されていないが、切替部２２０Ｂには、制御信号２００が入力されてもよい。制御信号２００が入力される場合、切替部２２０Ｂは、制御信号２００を用いて、以下で説明する信号２０１Ｂの通過のオン／オフを制御してもよい。
【１５２０】
図５４は、図４６の構成に、図５２と同様の切替部２２０Ｂを設けた構成に相当する。図５４の構成では、図５２で説明した位相変更部２０５Ｂ、４４０３Ｂに加えて、位相変更部４４０５Ａも、切替部２２０Ｂの設定のオン／オフに応じて、位相変更部２０５Ｂと同じように位相変更の周期の設定を変える。
【１５２１】
これにより、挿入部２０７Ａは、位相変更部２０５Ｂと同じ周期で位相変更されたプリアンブル信号４４０６Ａを挿入して、図４０のフレーム構成に基づくベースバンド信号２０８Ａを出力することができる。
【１５２２】
図５５は、図１の送信装置の信号処理部１０６の、図４７、図５２、図５３、図５４とは異なる構成を示しており、図２、図４７、図５２、図５３、図５４と同様に動作するものについては、同一番号を付しており、詳細の説明は省略する。なお、図５５では図示されていないが、切替部２２０Ｂには、制御信号２００が入力されてもよい。制御信号２００が入力される場合、切替部２２０Ｂは、制御信号２００を用いて、以下で説明する信号２０１Ｂの通過のオン／オフを制御してもよい。
【１５２３】
図５５は、図４７の構成に、図５２と同様の切替部２２０Ｂを設けた設けた構成に相当する。図５５の構成では、図５２で説明した位相変更部２０５Ｂ、４４０３Ｂに加えて、図５３で説明した位相変更部４４０５Ｂ、および、図５４で説明した位相変更部４４０５Ａも、切替部２２０Ｂの設定のオン／オフに応じて、位相変更部２０５Ｂと同じように位相変更の周期の設定を変える。
【１５２４】
これにより、挿入部２０７Ａは、位相変更部２０５Ｂと同じ周期で位相変更されたプリアンブル信号４４０６Ａを挿入して、図４０のフレーム構成に基づくベースバンド信号２０８Ａを出力することができる。また、挿入部２０７Ｂは、位相変更部２０５Ｂと同じ周期で位相変更された、プリアンブル信号４４０６Ｂおよびガードシンボル（ＧＩのシンボル）信号４４０４Ｂを挿入して、図４１のフレーム構成に基づくベースバンド信号２０８Ｂを出力することができる。
【１５２５】
図５６は、図１の送信装置の信号処理部１０６の、図４８とは異なる構成を示しており、図２、図４８と同様に動作するものについては、同一番号を付しており、詳細の説明は省略する。
【１５２６】
図５６の構成は、切替部２２０Ｂが設けられている点が、図４８の構成と相違する。切替部２２０Ｂは、所定の制御信号に応じて、マッピング後の信号２０１Ｂ（図１のマッピング後の信号１０５＿２に相当する）を、重み付け合成部２０３へ入力させるか否か（例えば信号のオン／オフ）を切り換える。なお、本実施の形態において、切替部２２０Ｂの設定がオフの場合は、マッピング後の信号２０１Ｂが存在しない場合と読み替えてもよい。なお、図５６では図示されていないが、切替部２２０Ｂには、制御信号２００が入力されてもよい。制御信号２００が入力される場合、切替部２２０Ｂは、制御信号２００を用いて、以下で説明する信号２０１Ｂの通過のオン／オフを制御してもよい。
【１５２７】
切替部２２０Ｂの設定がオンの場合、重み付け合成部２０３には、マッピング後の信号２０１Ｂが入力される。この場合は図４８と同様となる。
【１５２８】
一方、切替部２２０Ｂの設定がオフの場合、重み付け合成部２０３には、マッピング後の信号２０１Ｂが入力されない。この場合、重み付け合成部２０３は、マッピング後の信号２０１Ｂに代えて、マッピング後の信号２０１Ａ（図１のマッピング後の信号１０５＿１に相当する）が入力されたものとして取り扱う。なお、この場合、重み付け合成部２０３は、式（３３）又は（３４）の行列Ｆを用いるとする。なお、重み付け合成部２０３が、式（３３）又は式（３４）を用いた演算を行う場合、重み付け合成部２０３は重み付け合成を行わない、つまり、プリコーディングの演算を行わないとしてもよい。この場合、重み付け合成部２０３から出力される信号２０４Ａと２０４Ｂは、同じ信号となる。例えば、信号２０４Ａは、マッピング後の信号２０１Ａに相当する信号であり、また、信号２０４Ｂは、マッピング後の信号２０１Ａに相当する信号である。なお、図５６において、切替部２２０Ｂの設定がオフの場合、重み付け合成部２０３が存在しないというような構成であってもよい。
【１５２９】
位相変更部２０５Ａおよび２０５Ｂは、切替部２２０Ｂの設定がオンの場合とオフの場合とで、位相変更の周期の設定を変えてもよい。例えば、位相変更部２０５Ａおよび２０５Ｂは、切替部２２０Ｂの設定がオンの場合、位相変更の周期の設定を、実施の形態８、９で説明した要件を満たす何れかの周期に変更し、切替部２２０Ｂの設定がオフの場合、位相変更の周期の設定を「２」に変更する。ただし、位相変更部２０５Ａおよび２０５Ｂの位相変更の周期の設定変更は、これに限ったものではない。すなわち、切替部２２０Ｂの設定がオンの場合の位相変更の周期の値と、切替部２２０Ｂの設定がオフの場合の位相変更の周期の値は、上記とは異なる別の値であってもよい。なお、上記では、切替部２２０Ｂの設定がオンの場合も、オフの場合も、位相変更部２０５Ａの位相変更の周期の値および位相変更部２０５Ｂの位相変更の周期の値に、同じ値が設定されるとして説明した。しかし、切替部２２０Ｂの設定がオンの場合とオフの場合の両方または片方において、位相変更部２０５Ａの位相変更の周期の値および位相変更部２０５Ｂの位相変更の周期の値に、互いに異なる値が設定されてもよい。さらに、切替部２２０Ｂの設定がオンの場合および設定がオフの場合のいずれかにおいて、位相変更部２０５Ａおよび位相変更部２０５Ｂのいずれかでは、位相変更を行わないとしてもよい。あるいは、切替部２２０Ｂの設定がオンの場合および設定がオフの場合のいずれかにおいて、位相変更部２０５Ａおよび位相変更部２０５Ｂの両方において、位相変更を行わなくてもよい。なお、「位相変更を行わない」場合、入力信号に対し、位相変更を行わずに、出力信号を生成し、出力する。
【１５３０】
切替部２２０Ｂがオフの場合に位相変更の周期の設定を「２」にすることにより、位相変更部２０５Ａによって位相変更が施された後の信号２０６Ａと、位相変更部２０５Ｂによって位相変更が施された後の信号２０６Ｂとは、位相が反転した同じ信号となる。これにより、高い空間ダイバーシチ効果を得ることができる。
【１５３１】
なお、位相変更部４４０３Ａおよび４４０３Ｂも、位相変更部２０５Ａおよび２０５Ｂと同じように位相変更の周期の設定を変えてもよい。これにより、挿入部２０７Ａは、位相変更部２０５Ａと同じ周期で位相変更されたガードシンボル（ＧＩのシンボル）の信号４４０４Ａを挿入して、図４０のフレーム構成に基づくベースバンド信号２０８Ａを出力することができる。また、挿入部２０７Ｂは、位相変更部２０５Ｂと同じ周期で位相変更されたガードシンボル（ＧＩのシンボル）の信号４４０４Ｂを挿入して、図４１のフレーム構成に基づくベースバンド信号２０８Ｂを出力することができる。
【１５３２】
なお、切替部２２０Ｂが設けられていない場合であっても、位相変更部２０５Ａおよび２０５Ｂ、並びに、位相変更部４４０３Ａおよび４４０３Ｂは、上記同様、位相変更の周期の設定を変えてもよい。例えば、位相変更部２０５Ａおよび２０５Ｂ、並びに、位相変更部４４０３Ａおよび４４０３Ｂは、所定のタイミングで、位相変更の周期の設定を、実施の形態８、９で説明した要件を満たす何れかの周期に変えてもよい。ただし、位相変更部４４０３Ａ及び４４０３Ｂの位相変更の周期の設定変更は、これに限ったものではない。すなわち、切替部２２０Ｂの設定がオンの場合の位相変更の周期の値と、切替部２２０Ｂの設定がオフの場合の位相変更の周期の値は、上記とは異なる別の値であってもよい。さらに、切替部２２０Ｂの設定がオンの場合および設定がオフの場合のいずれかにおいて、位相変更部４４０３Ａおよび位相変更部４４０３Ｂのいずれかでは、位相変更を行わないとしてもよい。あるいは、切替部２２０Ｂの設定がオンの場合および設定がオフの場合のいずれかにおいて、位相変更部４４０３Ａおよび位相変更部４４０３Ｂの両方において、位相変更を行わなくてもよい。なお、「位相変更を行わない」場合、入力信号に対し、位相変更を行わずに、出力信号を生成し、出力する。
【１５３３】
図５７は、図１の送信装置の信号処理部１０６の、図４９、図５６とは異なる構成を示しており、図２、図４９、図５６と同様に動作するものについては、同一番号を付しており、詳細の説明は省略する。なお、図５７では図示されていないが、切替部２２０Ｂには、制御信号２００が入力されてもよい。制御信号２００が入力される場合、切替部２２０Ｂは、制御信号２００を用いて、以下で説明する信号２０１Ｂの通過のオン／オフを制御してもよい。
【１５３４】
図５７は、図４９の構成に、図５６と同様の切替部２２０Ｂを設けた構成に相当する。図５７の構成では、図５６で説明した位相変更部２０５Ａ、２０５Ｂ、４４０３Ａ、４４０３Ｂに加えて、位相変更部４４０５Ｂも、切替部２２０Ｂの設定のオン／オフに応じて、位相変更部２０５Ｂと同じように位相変更の周期の設定を変える。なお、図５６の構成で説明したように、図５７においても、切替部２２０Ｂの設定がオンの場合も、オフの場合も、位相変更部２０５Ａおよび２０５Ｂの位相変更の周期の値に、同じ値が設定される。しかし、切替部２２０Ｂの設定がオンの場合とオフの場合の両方または片方において、位相変更部２０５Ａの位相変更の周期の値および位相変更部２０５Ｂの位相変更の周期の値に、互いに異なる値が設定されてもよい。また、位相変更部４４０３Ａおよび４４０３Ｂについても、切替部２２０Ｂの設定がオンの場合も、オフの場合も、位相変更の周期の値として、同じ値が設定される。しかし、切替部２２０Ｂの設定がオンの場合とオフの場合の両方または片方において、位相変更部４４０３Ａの位相変更の周期の値および位相変更部４４０３Ｂの位相変更の周期の値に、互いに異なる値が設定されてもよい。さらに、切替部２２０Ｂの設定がオンの場合および設定がオフの場合のいずれかにおいて、位相変更部２０５Ａまたは位相変更部２０５Ｂのいずれかでは、位相変更を行わないとしてもよい。あるいは、切替部２２０Ｂの設定がオンの場合および設定がオフの場合のいずれかにおいて、位相変更部２０５Ａおよび位相変更部２０５Ｂの両方において、位相変更を行わなくてもよい。加えて、切替部２２０Ｂの設定がオンの場合および設定がオフの場合のいずれかにおいて、位相変更部４４０３Ａまたは位相変更部４４０３Ｂのいずれか、位相変更を行わないとしてもよい。あるいは、切替部２２０Ｂの設定がオンの場合および設定がオフの場合のいずれかにおいて、位相変更部４４０３Ａおよび位相変更部４４０３Ｂの両方において、位相変更を行わなくてもよい。なお、「位相変更を行わない」場合、入力信号に対し、位相変更を行わずに、出力信号を生成し、出力する。
【１５３５】
これにより、挿入部２０７Ｂは、位相変更部２０５Ａおよび２０５Ｂと同じ周期で位相変更された、プリアンブル信号４４０６Ｂおよびガードシンボル（ＧＩのシンボル）の信号４４０４Ｂを挿入して、図４１のフレーム構成に基づくベースバンド信号２０８Ｂを出力することができる。
【１５３６】
図５８は、図１の送信装置の信号処理部１０６の、図５０、図５６とは異なる構成を示しており、図２、図５０、図５６と同様に動作するものについては、同一番号を付しており、詳細の説明は省略する。なお、図５８では図示されていないが、切替部２２０Ｂには、制御信号２００が入力されてもよい。制御信号２００が入力される場合、切替部２２０Ｂは、制御信号２００を用いて、以下で説明する信号２０１Ｂの通過のオン／オフを制御してもよい。
【１５３７】
図５８は、図５０の構成に、図５６と同様の切替部２２０Ｂを設けた構成に相当する。図５８の構成では、図５６で説明した位相変更部２０５Ａ、２０５Ｂ、４４０３Ａ、４４０３Ｂに加えて、位相変更部４４０５Ａも、切替部２２０Ｂの設定のオン／オフに応じて、位相変更部２０５Ａと同じように位相変更の周期の設定を変える。なお、図５６の構成で説明したように、図５８においても、切替部２２０Ｂの設定がオンの場合も、オフの場合も、位相変更部２０５Ａおよび２０５Ｂの位相変更の周期の値に、同じ値が設定される。しかし、切替部２２０Ｂの設定がオンの場合とオフの場合の両方または片方において、位相変更部２０５Ａの位相変更の周期の値および位相変更部２０５Ｂの位相変更の周期の値に、互いに異なる値が設定されてもよい。また、位相変更部４４０３Ａおよび４４０３Ｂについても、切替部２２０Ｂの設定がオンの場合も、オフの場合も、位相変更の周期の値として、同じ値が設定される。しかし、切替部２２０Ｂの設定がオンの場合とオフの場合の両方または片方において、位相変更部４４０３Ａの位相変更の周期の値および位相変更部４４０３Ｂの位相変更の周期の値に、互いに異なる値が設定されてもよい。さらに、切替部２２０Ｂの設定がオンの場合および設定がオフの場合のいずれかにおいて、位相変更部２０５Ａまたは位相変更部２０５Ｂのいずれかで、位相変更を行わないとしてもよい。あるいは、切替部２２０Ｂの設定がオンの場合および設定がオフの場合のいずれかにおいて、位相変更部２０５Ａおよび位相変更部２０５Ｂの両方において、位相変更を行わなくてもよい。加えて、切替部２２０Ｂの設定がオンの場合および設定がオフの場合のいずれかにおいて、位相変更部４４０３Ａまたは位相変更部４４０３Ｂのいずれかでは、位相変更を行わないとしてもよい。あるいは、切替部２２０Ｂの設定がオンの場合および設定がオフの場合のいずれかにおいて、位相変更部４４０３Ａおよび位相変更部４４０３Ｂの両方において、位相変更を行わなくてもよい。なお、「位相変更を行わない」場合、入力信号に対し、位相変更を行わずに、出力信号を生成し、出力する。
【１５３８】
これにより、挿入部２０７Ａは、位相変更部２０５Ａおよび２０５Ｂと同じ周期で位相変更された、プリアンブル信号４４０６Ａおよびガードシンボル（ＧＩのシンボル）の信号４４０４Ａを挿入して、図４０のフレーム構成に基づくベースバンド信号２０８Ａを出力することができる。
【１５３９】
図５９は、図１の送信装置の信号処理部１０６の、図５１、図５６、図５７、図５８とは異なる構成を示しており、図２、図５１、図５６、図５７、図５８と同様に動作するものについては、同一番号を付しており、詳細の説明は省略する。なお、図５９では図示されていないが、切替部２２０Ｂには、制御信号２００が入力されてもよい。制御信号２００が入力される場合、切替部２２０Ｂは、制御信号２００を用いて、以下で説明する信号２０１Ｂの通過のオン／オフを制御してもよい。
【１５４０】
図５９は、図５１の構成に、図５６と同様の切替部２２０Ｂを設けた設けた構成に相当する。図５９の構成では、図５６で説明した位相変更部２０５Ａ、２０５Ｂ、４４０３Ａ、４４０３Ｂに加えて、図５７で説明した位相変更部４４０５Ｂ、および、図５８で説明した位相変更部４４０５Ａも、切替部２２０Ｂの設定のオン／オフに応じて、位相変更部２０５Ａおよび２０５Ｂと同じように位相変更の周期の設定を変える。なお、図５６の構成で説明したように、図５９においても、切替部２２０Ｂの設定がオンの場合も、オフの場合も、位相変更部２０５Ａおよび２０５Ｂの位相変更の周期の値に、同じ値が設定される。しかし、切替部２２０Ｂの設定がオンの場合とオフの場合の両方または片方において、位相変更部２０５Ａの位相変更の周期の値および位相変更部２０５Ｂの位相変更の周期の値に、互いに異なる値が設定されてもよい。また、位相変更部４４０３Ａおよび４４０３Ｂについても、切替部２２０Ｂの設定がオンの場合も、オフの場合も、位相変更の周期の値として、同じ値が設定される。しかし、切替部２２０Ｂの設定がオンの場合とオフの場合の両方または片方において、位相変更部４４０３Ａの位相変更の周期の値および位相変更部４４０３Ｂの位相変更の周期の値に、互いに異なる値が設定されてもよい。さらに、位相変更部４４０５Ａおよび４４０５Ｂについても、切替部２２０Ｂの設定がオンの場合も、オフの場合も、位相変更の周期の値として、同じ値が設定される。しかし、切替部２２０Ｂの設定がオンの場合とオフの場合の両方または片方において、位相変更部４４０５Ａの位相変更の周期の値および位相変更部４４０５Ｂの位相変更の周期の値に、互いに異なる値が設定されてもよい。さらに、切替部２２０Ｂの設定がオンの場合および設定がオフの場合のいずれかにおいて、位相変更部２０５Ａおよび位相変更部２０５Ｂのいずれかでは、位相変更を行わないとしてもよい。あるいは、切替部２２０Ｂの設定がオンの場合および設定がオフの場合のいずれかにおいて、位相変更部２０５Ａおよび位相変更部２０５Ｂの両方において、位相変更を行わなくてもよい。加えて、切替部２２０Ｂの設定がオンの場合および設定がオフの場合のいずれかにおいて、位相変更部４４０３Ａおよび位相変更部４４０３Ｂのいずれかでは、位相変更を行わないとしてもよい。あるいは、切替部２２０Ｂの設定がオンの場合および設定がオフの場合のいずれかにおいて、位相変更部４４０３Ａおよび位相変更部４４０３Ｂの両方にいおいて、位相変更を行わなくてもよい。そして、切替部２２０Ｂの設定がオンの場合および設定がオフの場合のいずれかにおいて、位相変更部４４０５Ａまたは位相変更部４４０５Ｂのいずれかでは、位相変更を行わないとしてもよい。あるいは、切替部２２０Ｂの設定がオンの場合および設定がオフの場合のいずれかにおいて、位相変更部４４０５Ａおよび位相変更部４４０５Ｂの両方において、位相変更を行わなくてもよい。なお、「位相変更を行わない」場合、入力信号に対し、位相変更を行わずに、出力信号を生成し、出力する。
【１５４１】
これにより、挿入部２０７Ａは、位相変更部２０５Ａおよび２０５Ｂと同じ周期で位相変更された、プリアンブル信号４４０６Ａおよびガードシンボル（ＧＩのシンボル）の信号４４０４Ａを挿入して、図４０のフレーム構成に基づくベースバンド信号２０８Ａを出力することができる。また、挿入部２０７Ｂは、位相変更部２０５Ｂと同じ周期で位相変更された、プリアンブル信号４４０６Ｂおよびガードシンボル（ＧＩのシンボル）信号４４０４Ｂを挿入して、図４１のフレーム構成に基づくベースバンド信号２０８Ｂを出力することができる。
【１５４２】
以上のように、本実施の形態を実施することで、実施の形態８、実施の形態９で説明したような効果を得ることができる。
【１５４３】
（実施の形態１１）
実施の形態１などの実施の形態において、例えば、図２、図１８、図１９、図２０、図２１、図２２、図４４、図４５、図４６、図４７、図４８、図４９、図５０、図５１、図５２、図５３、図５４、図５５、図５６、図５７、図５８、図５９において、重み付け合成部２０３、位相変更部２０５Ａ、および／または位相変更部２０５Ｂが存在する構成について説明を行った。以降では、直接波が支配的な環境、マルチパスなどが存在する環境において、良好な受信品質を得るための構成方法について説明を行う。
【１５４４】
まず、図２、図１８、図１９、図４４、図４５、図４６、図４７、図５２、図５３、図５４、図５５などのように、重み付け合成部２０３と位相変更部２０５Ｂが存在するときの位相変更方法について説明する。
【１５４５】
例えば、実施の形態１で説明したように、位相変更部２０５Ｂにおける位相変更値をｙ（ｉ）で与えるとする。詳細については、実施の形態１で説明したとおりである。なお、ｉはシンボル番号であり、例えば、ｉは０以上の整数とする。
【１５４６】
例えば、実施の形態１で説明したように、位相変更値ｙ（ｉ）は、Ｎの周期であると仮定し、位相変更値として、Ｎ個の値を用意する。なお、Ｎは２以上の整数とする。そして、例えば、このＮ個の値として、Ｐｈａｓｅ［０］，Ｐｈａｓｅ［１］，Ｐｈａｓｅ［２］，Ｐｈａｓｅ［３］，・・・，Ｐｈａｓｅ［Ｎ−２］，Ｐｈａｓｅ［Ｎ−１］を用意する。つまり、Ｐｈａｓｅ［ｋ］となり、ｋは、０以上かつＮ−１以下の整数とする。そして、Ｐｈａｓｅ［ｋ］は、０ラジアン以上かつ２πラジアン以下の実数とする。また、ｘは、０以上かつＮ−１以下の整数とし、ｙは、０以上かつＮ−１以下の整数とし、ｘ≠ｙとする。そして、これらを満たす全てのｘ，ｙにおいて、Ｐｈａｓｅ［ｘ］≠Ｐｈａｓｅ［ｙ］が成立するものとする。なお、周期Ｎと仮定したときの位相変更値ｙ（ｉ）の設定方法については、本明細書の他の実施の形態で説明したとおりである。そして、Ｐｈａｓｅ［０］，Ｐｈａｓｅ［１］，Ｐｈａｓｅ［２］，Ｐｈａｓｅ［３］，・・・，Ｐｈａｓｅ［Ｎ−２］，Ｐｈａｓｅ［Ｎ−１］から、Ｍ個の値を抽出し、これらＭ個を、Ｐｈａｓｅ＿１［０］，Ｐｈａｓｅ＿１［１］，Ｐｈａｓｅ＿１［２］，・・・，Ｐｈａｓｅ＿１［Ｍ−２］，Ｐｈａｓｅ＿１［Ｍ−１］とあらわす。つまり、Ｐｈａｓｅ＿１［ｋ］となり、ｋは、０以上かつＭ−１以下の整数とする。なお、ＭはＮより小さい２以上の整数とする。
【１５４７】
このとき、位相変更値ｙ（ｉ）は、Ｐｈａｓｅ＿１［０］，Ｐｈａｓｅ＿１［１］，Ｐｈａｓｅ＿１［２］，・・・，Ｐｈａｓｅ＿１［Ｍ−２］，Ｐｈａｓｅ＿１［Ｍ−１］のいずれかの値をとるとする。そして、Ｐｈａｓｅ＿１［０］，Ｐｈａｓｅ＿１［１］，Ｐｈａｓｅ＿１［２］，・・・，Ｐｈａｓｅ＿１［Ｍ−２］，Ｐｈａｓｅ＿１［Ｍ−１］は、それぞれ、少なくとも１回、位相変更値ｙ（ｉ）として用いられるとする。
【１５４８】
例えば、その一例として、位相変更値ｙ（ｉ）の周期がＭである方法がある。このとき、以下の式が成立する。
【１５４９】
【数１５３】
2017187953.tif 000162
【１５５０】
なお、ｘは、０以上かつＭ−１以下の整数である。また、ｙは０以上の整数とする。
【１５５１】
また、図２などのように、重み付け合成部２０３と位相変更部２０５Ｂとで、重み付け合成処理と位相変更処理とを個別に行ってもよいし、重み付け合成部２０３での処理と位相変更部２０５Ｂでの処理を、図６０のように、第１信号処理部６０００で実施してもよい。なお、図６０において、図２と同様に動作するものについては同一番号を付している。
【１５５２】
例えば、式（３）において、重み付け合成のための行列をＦ、位相変更に関する行列をＰとしたとき、行列Ｗ（＝Ｐ×Ｆ）をあらかじめ用意しておく。そして、図６０の第１信号処理部６０００は、行列Ｗと、信号２０１Ａ（ｓ１（ｔ））、信号２０１Ｂ（ｓ２（ｔ））を用いて、信号２０４Ａ、２０６Ｂを生成してもよい。
【１５５３】
そして、図２、図１８、図１９、図４４、図４５、図４６、図４７、図５２、図５３、図５４、図５５における位相変更部２０９Ｂ、２０９Ａ、４４０３Ｂ、４４０３Ａ、４４０５Ｂ、４４０５Ａは、位相変更の信号処理を行ってもよいし、行わなくてもよい。
【１５５４】
以上のように、位相変更値ｙ（ｉ）を設定することで、空間ダイバーシチ効果によって、直接波が支配的な環境、マルチパスなどが存在する環境において、受信装置が、良好な受信品質を得ることができる可能性が高くなる。さらに、上述のように位相変更値ｙ（ｉ）のとり得る値の数を少なくすることで、データの受信品質への影響を少なくしながら、送信装置、受信装置の回路規模を小さくすることができる可能性が高くなる。
【１５５５】
次に、図２０、図２１、図２２、図４８、図４９、図５０、図５１、図５６、図５７、図５８、図５９などのように、重み付け合成部２０３、および、位相変更部２０５Ａと位相変更部２０５Ｂが存在するときの位相変更方法について説明する。
【１５５６】
他の実施の形態で説明したように、位相変更部２０５Ｂにおける位相変更値をｙ（ｉ）で与えるものとする。詳細については、実施の形態１で説明したとおりである。なお、ｉはシンボル番号であり、例えば、ｉは０以上の整数とする。
【１５５７】
例えば、位相変更値ｙ（ｉ）は、Ｎｂの周期であると仮定し、位相変更値としてＮｂ個の値を用意する。なお、Ｎｂは２以上の整数とする。そして、例えば、このＮｂ個の値として、Ｐｈａｓｅ＿ｂ［０］，Ｐｈａｓｅ＿ｂ［１］，Ｐｈａｓｅ＿ｂ［２］，Ｐｈａｓｅ＿ｂ［３］，・・・，Ｐｈａｓｅ＿ｂ［Ｎｂ−２］，Ｐｈａｓｅ＿ｂ［Ｎｂ−１］を用意する。つまり、Ｐｈａｓｅ＿ｂ［ｋ］となり、ｋは、０以上Ｎかつｂ−１以下の整数とする。そして、Ｐｈａｓｅ＿ｂ［ｋ］は、０ラジアン以上かつ２πラジアン以下の実数とする。また、ｘは、０以上かつＮｂ−１以下の整数とし、ｙは、０以上かつＮｂ−１以下の整数とし、ｘ≠ｙとする。そして、これらを満たす全てのｘ，ｙにおいて、Ｐｈａｓｅ＿ｂ［ｘ］≠Ｐｈａｓｅ＿ｂ［ｙ］が成立するものとする。なお、周期Ｎｂと仮定したときの位相変更値ｙ（ｉ）の設定方法については、本明細書の他の実施の形態で説明したとおりである。そして、Ｐｈａｓｅ＿ｂ［０］，Ｐｈａｓｅ＿ｂ［１］，Ｐｈａｓｅ＿ｂ［２］，Ｐｈａｓｅ＿ｂ［３］，・・・，Ｐｈａｓｅ＿ｂ［Ｎｂ−２］，Ｐｈａｓｅ＿ｂ［Ｎｂ−１］から、Ｍｂ個の値を抽出し、これらＭｂ個を、Ｐｈａｓｅ＿１［０］，Ｐｈａｓｅ＿１［１］，Ｐｈａｓｅ＿１［２］，・・・，Ｐｈａｓｅ＿１［Ｍｂ−２］，Ｐｈａｓｅ＿１［Ｍｂ−１］とあらわす。つまり、Ｐｈａｓｅ＿１［ｋ］となり、ｋは、０以上かつＭｂ−１以下の整数とする。なお、Ｍｂは、Ｎｂより小さい２以上の整数とする。
【１５５８】
このとき、位相変更値ｙ（ｉ）は、Ｐｈａｓｅ＿１［０］，Ｐｈａｓｅ＿１［１］，Ｐｈａｓｅ＿１［２］，・・・，Ｐｈａｓｅ＿１［Ｍｂ−２］，Ｐｈａｓｅ＿１［Ｍｂ−１］のいずれかの値をとるものとする。そして、Ｐｈａｓｅ＿１［０］，Ｐｈａｓｅ＿１［１］，Ｐｈａｓｅ＿１［２］，・・・，Ｐｈａｓｅ＿１［Ｍｂ−２］，Ｐｈａｓｅ＿１［Ｍｂ−１］は、それぞれ、少なくとも１回、位相変更値ｙ（ｉ）として用いられるとする。
【１５５９】
例えば、その一例として、位相変更値ｙ（ｉ）の周期がＭｂである方法がある。このとき、以下が成立する。
【１５６０】
【数１５４】
2017187953.tif 000163
【１５６１】
なお、ｘは、０以上かつＭｂ−１以下の整数である。また、ｙは、０以上の整数とする。
【１５６２】
他の実施の形態で説明したように、位相変更部２０５Ａにおける位相変更値をｗ（ｉ）で与えるとする。なお、ｉはシンボル番号であり、例えば、ｉは０以上の整数とする。例えば、位相変更値（ｉ）は、Ｎａの周期であると仮定し、位相変更値としてＮａ個の値を用意する。なお、Ｎａは２以上の整数とする。そして、例えば、このＮａ個の値として、Ｐｈａｓｅ＿ａ［０］，Ｐｈａｓｅ＿ａ［１］，Ｐｈａｓｅ＿ａ［２］，Ｐｈａｓｅ＿ａ［３］，・・・，Ｐｈａｓｅ＿ａ［Ｎａ−２］，Ｐｈａｓｅ＿ａ［Ｎａ−１］を用意する。つまり、Ｐｈａｓｅ＿ａ［ｋ］となり、ｋは、０以上かつＮａ−１以下の整数とする。そして、Ｐｈａｓｅ＿ａ  ［ｋ］は、０ラジアン以上かつ２πラジアン以下の実数とする。また、ｘは、０以上かつＮａ−１以下の整数とし、ｙは、０以上かつＮａ−１以下の整数とし、ｘ≠ｙとする。そして、これらを満たす全てのｘ，ｙにおいて、Ｐｈａｓｅ＿ａ［ｘ］≠Ｐｈａｓｅ＿ａ［ｙ］が成立するものとする。なお、周期Ｎａと仮定したときの位相変更値ｗ（ｉ）の設定方法については、本明細書の他の実施の形態で説明したとおりである。そして、Ｐｈａｓｅ＿ａ［０］，Ｐｈａｓｅ＿ａ［１］，Ｐｈａｓｅ＿ａ［２］，Ｐｈａｓｅ＿ａ［３］，・・・，Ｐｈａｓｅ＿ａ［Ｎａ−２］，Ｐｈａｓｅ＿ａ［Ｎａ−１］から、Ｍａ個の値を抽出し、これらＭａ個を、Ｐｈａｓｅ＿２［０］，Ｐｈａｓｅ＿２［１］，Ｐｈａｓｅ＿２［２］，・・・，Ｐｈａｓｅ＿２［Ｍａ−２］，Ｐｈａｓｅ＿２［Ｍａ−１］とあらわす。つまり、Ｐｈａｓｅ＿２［ｋ］となり、ｋは、０以上かつＭａ−１以下の整数とする。なお、Ｍａは、Ｎａより小さい２以上の整数とする。
【１５６３】
このとき、位相変更値ｗ（ｉ）は、Ｐｈａｓｅ＿２［０］，Ｐｈａｓｅ＿２［１］，Ｐｈａｓｅ＿２［２］，・・・，Ｐｈａｓｅ＿２［Ｍａ−２］，Ｐｈａｓｅ＿２［Ｍａ−１］のいずれかの値をとるものとする。そして、Ｐｈａｓｅ＿２［０］，Ｐｈａｓｅ＿２［１］，Ｐｈａｓｅ＿２［２］，・・・，Ｐｈａｓｅ＿２［Ｍａ−２］，Ｐｈａｓｅ＿２［Ｍａ−１］は、それぞれ、少なくとも１回、位相変更値ｗ（ｉ）として用いられるとする。
【１５６４】
例えば、その一例として、位相変更値ｗ（ｉ）の周期がＭａである方法がある。このとき、以下が成立する。
【１５６５】
【数１５５】
2017187953.tif 000164
【１５６６】
なお、ｘは、０以上かつＭａ−１以下の整数である。また、ｙは、０以上の整数とする。
【１５６７】
また、図２０などのように、重み付け合成部２０３と位相変更部２０５Ａ、２０５Ｂとで、重み付け合成処理と位相変更処理とを個別に行ってもよいし、重み付け合成部２０３での処理と位相変更部２０５Ａ、２０５Ｂでの処理を、図６１のように、第２信号処理部６１００で実施してもよい。なお、図６１において、図２、図２０と同様に動作するものについては同一番号を付している。
【１５６８】
例えば、式（５２）において、重み付け合成のための行列をＦ、位相変更に関する行列をＰとしたとき、行列Ｗ（＝Ｐ×Ｆ）をあらかじめ用意しておく。そして、図６１の第２信号処理部６１００は、行列Ｗと信号２０１Ａ（ｓ１（ｔ））、信号２０１Ｂ（ｓ２（ｔ））を用いて、信号２０６Ａ、２０６Ｂを生成してもよい。
【１５６９】
そして、図２０、図２１、図２２、図４８、図４９、図５０、図５１、図５６、図５７、図５８、図５９における位相変更部２０９Ｂ、２０９Ａ、４４０３Ｂ、４４０３Ａ、４４０５Ｂ、４４０５Ａは、位相変更の信号処理を行ってもよいし、行わなくてもよい。
【１５７０】
また、ＮａとＮｂは同一の値であってもよいし、異なった値であってもよい。そして、ＭａとＭｂは同一の値であってもよいし、異なった値であってもよい。
【１５７１】
以上のように、位相変更値ｙ（ｉ）、および、位相変更値ｗ（ｉ）を設定することで、空間ダイバーシチ効果により、直接波が支配的な環境、マルチパスなどが存在する環境において、受信装置が、良好な受信品質を得ることができる可能性が高くなる。さらに、上述のように位相変更値ｙ（ｉ）のとり得る値の数を少なくすることで、データの受信品質への影響を少なくしながら、送信装置、受信装置の回路規模を小さくすることができる可能性が高くなる。
【１５７２】
なお、本実施の形態は、本明細書の他の実施の形態で説明した位相変更方法に対して適用すると、効果的である可能性が高い。ただし、それ以外の位相変更方法に対して適用しても同様に実施することは可能である。
【１５７３】
（実施の形態１２）
本実施の形態では、図２、図１８、図１９、図４４、図４５、図４６、図４７、図５２、図５３、図５４、図５５などのように、重み付け合成部２０３と位相変更部２０５Ｂが存在するときの位相変更方法について説明する。
【１５７４】
例えば、実施の形態で説明したように、位相変更部２０５Ｂにおける位相変更値をｙ（ｉ）で与えるものとする。詳細については、実施の形態１で説明したとおりである。なお、ｉはシンボル番号であり、例えば、ｉは０以上の整数とする。
【１５７５】
例えば、位相変更値ｙ（ｉ）はＮの周期であるとする。なお、Ｎは２以上の整数とする。そして、このＮ個の値として、Ｐｈａｓｅ［０］，Ｐｈａｓｅ［１］，  Ｐｈａｓｅ［２］，Ｐｈａｓｅ［３］，・・・，Ｐｈａｓｅ［Ｎ−２］，Ｐｈａｓｅ［Ｎ−１］を用意する。つまり、Ｐｈａｓｅ［ｋ］となり、ｋは、０以上かつＮ−１以下の整数とする。そして、Ｐｈａｓｅ［ｋ］は、０ラジアン以上かつ２πラジアン以下の実数とする。また、ｘは、０以上かつＮ−１以下の整数とし、ｙは、０以上かつＮ−１以下の整数とし、ｘ≠ｙとする。そして、これらを満たす全てのｘ，ｙにおいて、Ｐｈａｓｅ［ｘ］≠Ｐｈａｓｅ［ｙ］が成立するものとする。このとき、Ｐｈａｓｅ［ｋ］は、次式であらわされるものとする。なお、ｋは、０以上かつＮ−１以下の整数とする。
【１５７６】
【数１５６】
2017187953.tif 000165
【１５７７】
そして、Ｐｈａｓｅ［０］，Ｐｈａｓｅ［１］，Ｐｈａｓｅ［２］，Ｐｈａｓｅ［３］，・・・，Ｐｈａｓｅ［Ｎ−２］，Ｐｈａｓｅ［Ｎ−１］を用いて、位相変更値ｙ（ｉ）の周期がＮとなるようにする。周期Ｎとなるようにするために、Ｐｈａｓｅ［０］，Ｐｈａｓｅ［１］，Ｐｈａｓｅ［２］，Ｐｈａｓｅ［３］，・・・，Ｐｈａｓｅ［Ｎ−２］，Ｐｈａｓｅ［Ｎ−１］をどのように並べてもよい。なお、周期Ｎとなるために、例えば、以下が成立するものとする。
【１５７８】
【数１５７】
2017187953.tif 000166
【１５７９】
なお、ｘは、０以上かつＮ−１以下の整数であり、ｙは、０以上の整数である。そして、これらを満たす全てのｘ，ｙで、式（１５７）が成立する。
【１５８０】
なお、図２などのように、重み付け合成部２０３と位相変更部２０５Ｂとで、重み付け合成処理と位相変更処理とを個別に行ってもよいし、重み付け合成部２０３での処理と位相変更部２０５Ｂでの処理を、図６０のように、第１信号処理部６０００で実施してもよい。なお、図６０において、図２と同様に動作するものについては同一番号を付している。
【１５８１】
例えば、式（３）において、重み付け合成のための行列をＦ、位相変更に関する行列をＰとしたとき、行列Ｗ（＝Ｐ×Ｆ）をあらかじめ用意しておく。そして、図６０の第１信号処理部６０００は、行列Ｗと、信号２０１Ａ（ｓ１（ｔ））、信号２０１Ｂ（ｓ２（ｔ））を用いて、信号２０４Ａ、２０６Ｂを生成してもよい。
【１５８２】
そして、図２、図１８、図１９、図４４、図４５、図４６、図４７、図５２、図５３、図５４、図５５における位相変更部２０９Ｂ、２０９Ａ、４４０３Ｂ、４４０３Ａ、４４０５Ｂ、４４０５Ａは、位相変更の信号処理を行ってもよいし、行わなくてもよい。
【１５８３】
以上のように、位相変更値ｙ（ｉ）を設定することで、空間ダイバーシチ効果により、直接波が支配的な環境、マルチパスなどが存在する環境において、受信装置が、良好な受信品質を得ることができる可能性が高くなる。さらに、上述のように位相変更値ｙ（ｉ）のとり得る値の数を限定的にすることで、データの受信品質への影響を少なくしながら、送信装置、受信装置の回路規模を小さくすることができる可能性が高くなる。
【１５８４】
次に、図２０、図２１、図２２、図４８、図４９、図５０、図５１、図５６、図５７、図５８、図５９などのように、重み付け合成部２０３、および、位相変更部２０５Ａと位相変更部２０５Ｂが存在するときの位相変更方法について説明する。
【１５８５】
他の実施の形態で説明したように、位相変更部２０５Ｂにおける位相変更値をｙ（ｉ）で与えるものとする。詳細については、実施の形態１で説明したとおりである。なお、ｉはシンボル番号であり、例えば、ｉは０以上の整数とする。
【１５８６】
例えば、位相変更値ｙ（ｉ）は、Ｎｂの周期であるとする。なお、Ｎｂは２以上の整数とする。そして、このＮｂ個の値として、Ｐｈａｓｅ＿ｂ［０］，Ｐｈａｓｅ＿ｂ［１］，Ｐｈａｓｅ＿ｂ［２］，Ｐｈａｓｅ＿ｂ［３］，・・・，Ｐｈａｓｅ＿ｂ［Ｎｂ−２］，Ｐｈａｓｅ＿ｂ［Ｎｂ−１］を用意する。つまり、Ｐｈａｓｅ＿ｂ［ｋ］となり、ｋは、０以上かつＮｂ−１以下の整数とする。そして、Ｐｈａｓｅ＿ｂ［ｋ］は、０ラジアン以上かつ２πラジアン以下の実数とする。また、ｘは、０以上かつＮｂ−１以下の整数とし、ｙは、０以上かつＮｂ−１以下の整数とし、ｘ≠ｙとする。そして、これらを満たす全てのｘ，ｙにおいて、Ｐｈａｓｅ＿ｂ［ｘ］≠Ｐｈａｓｅ＿ｂ［ｙ］が成立するものとする。このとき、Ｐｈａｓｅ＿ｂ［ｋ］は、次式であらわされるものとする。なお、ｋは、０以上かつＮｂ−１以下の整数とする。
【１５８７】
【数１５８】
2017187953.tif 000167
【１５８８】
そして、Ｐｈａｓｅ＿ｂ［０］，ｈａｓｅ＿ｂ［１］，Ｐｈａｓｅ＿ｂ［２］，Ｐｈａｓｅ＿ｂ［３］，・・・，Ｐｈａｓｅ＿ｂ［Ｎｂ−２］，Ｐｈａｓｅ＿ｂ［Ｎｂ−１］を用いて、位相変更値ｙ（ｉ）の周期がＮｂとなるようにする。周期Ｎｂとするために、Ｐｈａｓｅ＿ｂ［０］，Ｐｈａｓｅ＿ｂ［１］，Ｐｈａｓｅ＿ｂ［２］，Ｐｈａｓｅ＿ｂ［３］，・・・，Ｐｈａｓｅ＿ｂ［Ｎｂ−２］，Ｐｈａｓｅ＿ｂ［Ｎｂ−１］をどのように並べてもよい。なお、周期Ｎｂとなるために、例えば、以下が成立するものとする。
【１５８９】
【数１５９】
2017187953.tif 000168
【１５９０】
なお、ｘは、０以上かつＮｂ−１以下の整数であり、ｙは、０以上の整数である。そして、これらを満たす全てのｘ，ｙで、式（１５９）が成立する。
【１５９１】
他の実施の形態で説明したように、位相変更部２０５Ａにおける位相変更値をｗ（ｉ）で与えるとする。なお、ｉはシンボル番号であり、例えば、ｉは０以上の整数とする。例えば、位相変更値ｗ（ｉ）は、Ｎａの周期であるとする。なお、Ｎａは２以上の整数とする。そして、このＮａ個の値として、Ｐｈａｓｅ＿ａ［０］，Ｐｈａｓｅ＿ａ［１］，Ｐｈａｓｅ＿ａ［２］，Ｐｈａｓｅ＿ａ［３］，・・・，Ｐｈａｓｅ＿ａ［Ｎａ−２］，  Ｐｈａｓｅ＿ａ［Ｎａ−１］を用意する。つまり、Ｐｈａｓｅ＿ａ［ｋ］となり、ｋは、０以上かつＮａ−１以下の整数とする。そして、Ｐｈａｓｅ＿ａ［ｋ］は、０ラジアン以上かつ２πラジアン以下の実数とする。また、ｘは、０以上かつＮａ−１以下の整数とし、ｙは、０以上かつＮａ−１以下の整数とし、ｘ≠ｙとする。そして、これらを満たす全てのｘ，ｙにおいて、Ｐｈａｓｅ＿ａ［ｘ］≠Ｐｈａｓｅ＿ａ［ｙ］が成立するものとする。このとき、Ｐｈａｓｅ＿ａ［ｋ］は、次式であらわされるものとする。なお、ｋは、０以上かつＮａ−１以下の整数とする。
【１５９２】
【数１６０】
2017187953.tif 000169
【１５９３】
そして、Ｐｈａｓｅ＿ａ［０］，Ｐｈａｓｅ＿ａ［１］，Ｐｈａｓｅ＿ａ［２］，Ｐｈａｓｅ＿ａ［３］，・・・，Ｐｈａｓｅ＿ａ［Ｎａ−２］，Ｐｈａｓｅ＿ａ［Ｎａ−１］を用いて、位相変更値ｗ（ｉ）の周期がＮａとなるようにする。周期Ｎａとするために、Ｐｈａｓｅ＿ａ［０］，Ｐｈａｓｅ＿ａ［１］，Ｐｈａｓｅ＿ａ［２］，Ｐｈａｓｅ＿ａ［３］，・・・，Ｐｈａｓｅ＿ａ［Ｎａ−２］，  Ｐｈａｓｅ＿ａ［Ｎａ−１］をどのように並べてもよい。なお、周期Ｎｂとなるために、例えば、以下が成立するものとする。
【１５９４】
【数１６１】
2017187953.tif 000170
【１５９５】
なお、ｘは、０以上かつＮａ−１以下の整数であり、ｙは、０以上の整数である。そして、これらを満たす全てのｘ，ｙで、式（１６１）が成立する。
【１５９６】
なお、図２０などのように、重み付け合成部２０３と位相変更部２０５Ａ、２０５Ｂとで重み付け合成処理と位相変更処理とを個別に行ってもよいし、重み付け合成部２０３での処理と位相変更部２０５Ａ、２０５Ｂでの処理を、図６１のように、第２信号処理部６１００で実施してもよい。なお、図６１において、図２、図２０と同様に動作するものについては同一番号を付している。
【１５９７】
例えば、式（５２）において、重み付け合成のための行列をＦ、位相変更に関する行列をＰとしたとき、行列Ｗ（＝Ｐ×Ｆ）をあらかじめ用意しておく。そして、図６１の第２信号処理部６１００は、行列Ｗと信号２０１Ａ（ｓ１（ｔ））、信号２０１Ｂ（ｓ２（ｔ））を用いて、信号２０６Ａ、２０６Ｂを生成してもよい。
【１５９８】
そして、図２０、図２１、図２２、図４８、図４９、図５０、図５１、図５６、図５７、図５８、図５９における位相変更部２０９Ｂ、２０９Ａ、４４０３Ｂ、４４０３Ａ、４４０５Ｂ、４４０５Ａは、位相変更の信号処理を行ってもよいし、行わなくてもよい。
【１５９９】
また、ＮａとＮｂは同一の値であってもよいし、異なった値であってもよい。
【１６００】
以上のように、位相変更値ｙ（ｉ）、および、位相変更値ｗ（ｉ）を設定することで、空間ダイバーシチ効果により、直接波が支配的な環境、マルチパスなどが存在する環境において、受信装置が、良好な受信品質を得ることができる可能性が高くなる。さらに、上述のように位相変更値ｙ（ｉ）、および、位相変更値ｗ（ｉ）のとり得る値の数を限定的にすることで、データの受信品質への影響を少なくしながら、送信装置、受信装置の回路規模を小さくすることができる可能性が高くなる。
【１６０１】
なお、本実施の形態は、本明細書の他の実施の形態で説明した位相変更方法に対して適用すると、効果的である可能性が高い。ただし、それ以外の位相変更方法に対して適用しても同様に実施することは可能である。
【１６０２】
当然であるが、本実施の形態と実施の形態１１を組み合わせて実施してもよい。つまり、式（１５６）から、Ｍ個の位相変更値を抽出してもよい。また、式（１５８）からＭｂ個の位相変更値を抽出してもよく、式（１６０）からＭａ個の位相変更値を抽出してもよい。
【１６０３】
（実施の形態１３）
本実施の形態では、図２、図１８、図１９、図４４、図４５、図４６、図４７、図５２、図５３、図５４、図５５などのように、重み付け合成部２０３と位相変更部２０５Ｂが存在するときの位相変更方法について説明する。
【１６０４】
例えば、実施の形態で説明したように、位相変更部２０５Ｂにおける位相変更値をｙ（ｉ）で与えるとする。詳細については、実施の形態１で説明したとおりである。なお、ｉはシンボル番号であり、例えば、ｉは０以上の整数とする。
【１６０５】
例えば、位相変更値ｙ（ｉ）はＮの周期であるとする。なお、Ｎは２以上の整数とする。そして、このＮ個の値として、Ｐｈａｓｅ［０］，Ｐｈａｓｅ［１］，Ｐｈａｓｅ［２］，Ｐｈａｓｅ［３］，・・・，Ｐｈａｓｅ［Ｎ−２］，Ｐｈａｓｅ［Ｎ−１］を用意する。つまり、Ｐｈａｓｅ［ｋ］となり、ｋは、０以上かつＮ−１以下の整数とする。そして、Ｐｈａｓｅ［ｋ］は、０ラジアン以上かつ２πラジアン以下の実数とする。また、ｘは、０以上かつＮ−１以下の整数とし、ｙは、０以上かつＮ−１以下の整数とし、ｘ≠ｙとする。、そして、これらを満たす全てのｘ，ｙにおいて、Ｐｈａｓｅ［ｘ］≠Ｐｈａｓｅ［ｙ］が成立するものとする。このとき、Ｐｈａｓｅ［ｋ］は、次式であらわされるものとする。なお、ｋは、０以上かつＮ−１以下の整数とする。
【１６０６】
【数１６２】
2017187953.tif 000171
【１６０７】
そして、Ｐｈａｓｅ［０］，Ｐｈａｓｅ［１］，Ｐｈａｓｅ［２］，Ｐｈａｓｅ［３］，・・・，Ｐｈａｓｅ［Ｎ−２］，Ｐｈａｓｅ［Ｎ−１］を用いて、位相変更値ｙ（ｉ）の周期がＮとなるようにする。周期Ｎとするために、Ｐｈａｓｅ［０］，Ｐｈａｓｅ［１］，Ｐｈａｓｅ［２］，Ｐｈａｓｅ［３］，・・・，Ｐｈａｓｅ［Ｎ−２］，Ｐｈａｓｅ［Ｎ−１］をどのように並べてもよい。なお、周期Ｎとなるために、例えば、以下が成立するものとする。
【１６０８】
【数１６３】
2017187953.tif 000172
【１６０９】
なお、ｘは、０以上かつＮ−１以下の整数であり、ｙは、０以上の整数である。そして、これらを満たす全てのｘ，ｙで、式（１６３）が成立する。
【１６１０】
なお、図２などのように、重み付け合成部２０３と位相変更部２０５Ｂとで、重み付け合成処理と位相変更処理とを個別に行ってもよいし、重み付け合成部２０３での処理と位相変更部２０５Ｂでの処理を、図６０のように、第１信号処理部６０００で実施してもよい。なお、図６０において、図２と同様に動作するものについては同一番号を付している。
【１６１１】
例えば、式（３）において、重み付け合成のための行列をＦ、位相変更に関する行列をＰとしたとき、行列Ｗ（＝Ｐ×Ｆ）をあらかじめ用意しておく。そして、図６０の第１信号処理部６０００は、行列Ｗと、信号２０１Ａ（ｓ１（ｔ））、信号２０１Ｂ（ｓ２（ｔ））を用いて、信号２０４Ａ、２０６Ｂを生成してもよい。
【１６１２】
そして、図２、図１８、図１９、図４４、図４５、図４６、図４７、図５２、図５３、図５４、図５５における位相変更部２０９Ｂ、２０９Ａ、４４０３Ｂ、４４０３Ａ、４４０５Ｂ、４４０５Ａは、位相変更の信号処理を行ってもよいし、行わなくてもよい。
【１６１３】
以上のように、位相変更値ｙ（ｉ）を設定することで、複素平面において、位相変更値ｙ（ｉ）のとり得る値が、位相の観点から、均一に存在するようにしているため、空間ダイバーシチ効果が得られる。これにより、直接波が支配的な環境、マルチパスなどが存在する環境において、受信装置が、良好な受信品質を得ることができる可能性が高くなる。
【１６１４】
次に、図２０、図２１、図２２、図４８、図４９、図５０、図５１、図５６、図５７、図５８、図５９などのように、重み付け合成部２０３、および、位相変更部２０５Ａと位相変更部２０５Ｂが存在するときの位相変更方法について説明する。
【１６１５】
他の実施の形態で説明したように、位相変更部２０５Ｂにおける位相変更値をｙ（ｉ）で与えるとする。詳細については、実施の形態１で説明したとおりである。なお、ｉはシンボル番号であり、例えば、ｉは０以上の整数とする。
【１６１６】
例えば、位相変更値ｙ（ｉ）は、Ｎｂの周期であるとする。なお、Ｎｂは２以上の整数とする。そして、このＮｂ個の値として、Ｐｈａｓｅ＿ｂ［０］，Ｐｈａｓｅ＿ｂ［１］，Ｐｈａｓｅ＿ｂ［２］，Ｐｈａｓｅ＿ｂ［３］，・・・，Ｐｈａｓｅ＿ｂ［Ｎｂ−２］，Ｐｈａｓｅ＿ｂ［Ｎｂ−１］を用意する。つまり、Ｐｈａｓｅ＿ｂ［ｋ］となり、ｋは、０以上かつＮｂ−１以下の整数とする。そして、Ｐｈａｓｅ＿ｂ［ｋ］は、０ラジアン以上かつ２πラジアン以下の実数とする。また、ｘは、０以上かつＮｂ−１以下の整数とし、ｙは、０以上かつＮｂ−１以下の整数とし、ｘ≠ｙとする。そして、これらを満たす全てのｘ，ｙにおいて、Ｐｈａｓｅ＿ｂ［ｘ］≠Ｐｈａｓｅ＿ｂ［ｙ］が成立するものとする。このとき、Ｐｈａｓｅ＿ｂ［ｋ］は、次式であらわされるものとする。なお、ｋは、０以上かつＮｂ−１以下の整数とする。
【１６１７】
【数１６４】
2017187953.tif 000173
【１６１８】
そして、Ｐｈａｓｅ＿ｂ［０］，Ｐｈａｓｅ＿ｂ［１］，Ｐｈａｓｅ＿ｂ［２］，Ｐｈａｓｅ＿ｂ［３］，・・・，Ｐｈａｓｅ＿ｂ［Ｎｂ−２］，Ｐｈａｓｅ＿ｂ［Ｎｂ−１］を用いて、位相変更値ｙ（ｉ）の周期がＮｂとなるようにする。周期Ｎｂとするために、Ｐｈａｓｅ＿ｂ［０］，Ｐｈａｓｅ＿ｂ［１］，Ｐｈａｓｅ＿ｂ［２］，Ｐｈａｓｅ＿ｂ［３］，・・・，Ｐｈａｓｅ＿ｂ［Ｎｂ−２］，Ｐｈａｓｅ＿ｂ［Ｎｂ−１］をどのように並べてもよい。なお、周期Ｎｂとなるために、例えば、以下が成立するものとする。
【１６１９】
【数１６５】
2017187953.tif 000174
【１６２０】
なお、ｘは、０以上かつＮｂ−１以下の整数であり、ｙは、０以上の整数である。そして、これらを満たす全のｘ，ｙで、式（１６５）が成立する。
【１６２１】
他の実施の形態で説明したように、位相変更部２０５Ａにおける位相変更値をｗ（ｉ）で与えるとする。なお、ｉはシンボル番号であり、例えば、ｉは０以上の整数とする。例えば、位相変更値ｗ（ｉ）は、Ｎａの周期であるとする。なお、Ｎａは２以上の整数とする。そして、このＮａ個の値として、Ｐｈａｓｅ＿ａ［０］，Ｐｈａｓｅ＿ａ［１］，Ｐｈａｓｅ＿ａ［２］，Ｐｈａｓｅ＿ａ［３］，・・・，Ｐｈａｓｅ＿ａ［Ｎａ−２］，Ｐｈａｓｅ＿ａ［Ｎａ−１］を用意する。つまり、Ｐｈａｓｅ＿ａ［ｋ］となり、ｋは、０以上かつＮａ−１以下の整数とする。そして、Ｐｈａｓｅ＿ａ［ｋ］は、０ラジアン以上かつ２πラジアン以下の実数とする。また、ｘは、０以上かつＮａ−１以下の整数とし、ｙは、０以上かつＮａ−１以下の整数とし、ｘ≠ｙとする。そして、これらを満たす全てのｘ，ｙにおいて、Ｐｈａｓｅ＿ａ［ｘ］≠Ｐｈａｓｅ＿ａ［ｙ］が成立するものとする。このとき、Ｐｈａｓｅ＿ａ［ｋ］は、次式であらわされるものとする。なお、ｋは、０以上かつＮａ−１以下の整数とする。
【１６２２】
【数１６６】
2017187953.tif 000175
【１６２３】
そして、Ｐｈａｓｅ＿ａ［０］，Ｐｈａｓｅ＿ａ［１］，Ｐｈａｓｅ＿ａ［２］，Ｐｈａｓｅ＿ａ［３］，・・・，Ｐｈａｓｅ＿ａ［Ｎａ−２］，Ｐｈａｓｅ＿ａ［Ｎａ−１］を用いて、位相変更値ｗ（ｉ）の周期がＮａとなるようにする。周期Ｎａとするために、Ｐｈａｓｅ＿ａ［０］，Ｐｈａｓｅ＿ａ［１］，Ｐｈａｓｅ＿ａ［２］，Ｐｈａｓｅ＿ａ［３］，・・・，Ｐｈａｓｅ＿ａ［Ｎａ−２］，Ｐｈａｓｅ＿ａ［Ｎａ−１］をどのように並べてもよい。なお、周期Ｎｂとなるために、例えば、以下が成立するものとする。
【１６２４】
【数１６７】
2017187953.tif 000176
【１６２５】
なお、ｘは、０以上かつＮａ−１以下の整数であり、ｙは、０以上の整数である。そして、これらを満たす全てのｘ，ｙで、式（１６７）が成立する。
【１６２６】
なお、図２０などのように、重み付け合成部２０３と位相変更部２０５Ａ、２０５Ｂとで、重み付け合成処理と位相変更処理とを個別に行ってもよいし、重み付け合成部２０３での処理と位相変更部２０５Ａ、２０５Ｂでの処理を、図６１のように、第２信号処理部６１００で実施してもよい。なお、図６１において、図２、図２０と同様に動作するものについては同一番号を付している。
【１６２７】
例えば、式（５２）において、重み付け合成のための行列をＦ、位相変更に関する行列をＰとしたとき、行列Ｗ（＝Ｐ×Ｆ）をあらかじめ用意しておく。そして、図６１の第２信号処理部６１００は、行列Ｗと信号２０１Ａ（ｓ１（ｔ））、信号２０１Ｂ（ｓ２（ｔ））を用いて、信号２０６Ａ、２０６Ｂを生成してもよい。
【１６２８】
そして、図２０、図２１、図２２、図４８、図４９、図５０、図５１、図５６、図５７、図５８、図５９における位相変更部２０９Ｂ、２０９Ａ、４４０３Ｂ、４４０３Ａ、４４０５Ｂ、４４０５Ａは、位相変更の信号処理を行ってもよいし、行わなくてもよい。
【１６２９】
また、ＮａとＮｂは同一の値であってもよいし、異なった値であってもよい。
【１６３０】
以上のように、位相変更値ｙ（ｉ）、および、位相変更値ｗ（ｉ）を設定することで、複素平面において、位相変更値ｙ（ｉ）、および、位相変更値ｗ（ｉ）のとり得る値が、位相の観点から、均一に存在するようにしているため、空間ダイバーシチ効果が得られる。これにより、直接波が支配的な環境、マルチパスなどが存在する環境において、受信装置が、良好な受信品質を得ることができる可能性が高くなる。
【１６３１】
なお、本実施の形態は、本明細書の他の実施の形態で説明した位相変更方法に対して適用すると、効果的である可能性が高い。ただし、それ以外の位相変更方法に対して適用しても同様に実施することは可能である。
【１６３２】
当然であるが、本実施の形態と実施の形態１１を組み合わせて実施してもよい。つまり、式（１６２）から、Ｍ個の位相変更値を抽出してもよい。また、式（１６４）からＭｂ個の位相変更値を抽出してもよく、式（１６６）からＭａ個の位相変更値を抽出してもよい。
【１６３３】
（補足５）
変調方式については、本明細書で記載している変調方式以外の変調方式をしようしても、本明細書において説明した実施の形態、その他の内容を実施することが可能である。例えば、ＮＵ（Non-uniform）−ＱＡＭ、π／２シフトＢＰＳＫ、π／４シフトＱＰＳＫ、ある値の位相をシフトしたＰＳＫ方式などを用いてもよい。
【１６３４】
そして、位相変更部２０９Ａ、２０９Ｂ、４４０３Ａ、４４０３Ｂ、４４０５Ａ、４４０５Ｂは、ＣＤＤ（Cyclic Delay Diversity）、ＣＳＤ（Cyclic Shift Diversity）であってもよい。
【１６３５】
（補足６）
本開示では、例えば、図２、図１８〜図２２、図２８〜３３、図４４〜６１において、マッピング後の信号ｓ１（ｔ）とマッピング後の信号ｓ２（ｔ）とが互いに異なるデータを伝送するものとして説明したが、これに限定されない。すなわち、マッピング後の信号ｓ１（ｔ）とマッピング後の信号ｓ２（ｔ）とは、同一のデータを伝送してもよい。例えば、シンボル番号ｉ＝ａ（ａは例えば０以上の整数）としたとき、マッピング後の信号ｓ１（ｉ＝ａ）とマッピング後の信号ｓ２（ｉ＝ａ）とが、同一のデータを伝送してもよい。
【１６３６】
なお、マッピング後の信号ｓ１（ｉ＝ａ）とマッピング後の信号ｓ２（ｉ＝ａ）とが同一のデータを伝送する方法は、上記手法に限られない。例えば、マッピング後の信号ｓ１（ｉ＝ａ）とマッピング後の信号ｓ２（ｉ＝ｂ）とが同一のデータを伝送してもよい（ｂは０以上の整数であり、ａ≠ｂ）。さらに、ｓ１（ｉ）の複数のシンボルを用いて第１のデータ系列を伝送し、ｓ２（ｉ）の複数のシンボルを用いて第１のデータ系列と同一のデータを伝送してもよい。
【産業上の利用可能性】
【１６３７】
本開示は、複数のアンテナから変調信号を送信する通信システムに広く適用できる。
【符号の説明】
【１６３８】
１０２  誤り訂正符号化部
１０４  マッピング部
１０６  信号処理部
１０７Ａ，１０７Ｂ  無線部
１０９Ａ，１０９Ｂ  アンテナ部
【図１】
2017187953.tif 000177
【図２】
2017187953.tif 000178
【図３】
2017187953.tif 000179
【図４】
2017187953.tif 000180
【図５】
2017187953.tif 000181
【図６】
2017187953.tif 000182
【図７】
2017187953.tif 000183
【図８】
2017187953.tif 000184
【図９】
2017187953.tif 000185
【図１０】
2017187953.tif 000186
【図１１】
2017187953.tif 000187
【図１２】
2017187953.tif 000188
【図１３】
2017187953.tif 000189
【図１４】
2017187953.tif 000190
【図１５】
2017187953.tif 000191
【図１６】
2017187953.tif 000192
【図１７】
2017187953.tif 000193
【図１８】
2017187953.tif 000194
【図１９】
2017187953.tif 000195
【図２０】
2017187953.tif 000196
【図２１】
2017187953.tif 000197
【図２２】
2017187953.tif 000198
【図２３】
2017187953.tif 000199
【図２４】
2017187953.tif 000200
【図２５】
2017187953.tif 000201
【図２６】
2017187953.tif 000202
【図２７】
2017187953.tif 000203
【図２８】
2017187953.tif 000204
【図２９】
2017187953.tif 000205
【図３０】
2017187953.tif 000206
【図３１】
2017187953.tif 000207
【図３２】
2017187953.tif 000208
【図３３】
2017187953.tif 000209
【図３４】
2017187953.tif 000210
【図３５】
2017187953.tif 000211
【図３６】
2017187953.tif 000212
【図３７】
2017187953.tif 000213
【図３８】
2017187953.tif 000214
【図３９】
2017187953.tif 000215
【図４０】
2017187953.tif 000216
【図４１】
2017187953.tif 000217
【図４２】
2017187953.tif 000218
【図４３】
2017187953.tif 000219
【図４４】
2017187953.tif 000220
【図４５】
2017187953.tif 000221
【図４６】
2017187953.tif 000222
【図４７】
2017187953.tif 000223
【図４８】
2017187953.tif 000224
【図４９】
2017187953.tif 000225
【図５０】
2017187953.tif 000226
【図５１】
2017187953.tif 000227
【図５２】
2017187953.tif 000228
【図５３】
2017187953.tif 000229
【図５４】
2017187953.tif 000230
【図５５】
2017187953.tif 000231
【図５６】
2017187953.tif 000232
【図５７】
2017187953.tif 000233
【図５８】
2017187953.tif 000234
【図５９】
2017187953.tif 000235
【図６０】
2017187953.tif 000236
【図６１】
2017187953.tif 000237
【国際調査報告】
2017187953.tif 000238
2017187953.tif 000239
2017187953.tif 000240
2017187953.tif 000241